(57)【要約】２０Ｐ１Ｆ１２／ＴＭＰＲＳＳ２と呼ばれる、通常、前立腺特異的でアンドロゲン制御される細胞膜結合型の分泌セリンプロテアーゼに由来する、またはそれに基づく、膀胱癌、肺癌、卵巣癌、および腎臓癌の診断および治療のための組成物を開示する。２０Ｐ１Ｆ１２／ＴＭＰＲＳＳ２遺伝子の全コード配列を含む全長ｃＤＮＡ（本明細書において２０Ｐ１Ｆ１２−ＧＴＣ１とも呼ぶ）を提供する（図１）。提供される成分には、検出可能なマーカーまたは毒素で標識された抗体を含む２０Ｐ１Ｆ１２／ＴＭＰＲＳＳ２タンパク質、およびそのポリペプチド断片に結合する抗体、または治療用組成物が含まれる。また、本発明は、２０Ｐ１Ｆ１２／ＴＭＰＲＳＳ２の状態を、それに相当する正常な試料のものと比較することにより、無制御細胞増殖の証拠となるものがあるかどうかについて生体試料を検査する予診的および診断的方法であって、生体試料における２０Ｐ１Ｆ１２／ＴＭＰＲＳＳ２の状態の変化が無制御細胞増殖に関係する方法を提供する。更に、本発明は、膀胱癌、肺癌、卵巣癌、及び腎臓癌を治療するための様々な治療用組成物およびストラテジーを提供し、特に２０Ｐ１Ｆ１２／ＴＭＰＲＳＳ２抗体療法および組成物、癌ワクチン、並びに低分子療法を含む。【特許請求の範囲】
【請求項１】
生体試料における２０Ｐ１Ｆ１２／ＴＭＰＲＳＳ２の状態と、それに相当する正常な試料における２０Ｐ１Ｆ１２／ＴＭＰＲＳＳ２の状態を比較する段階を含む、無制御細胞増殖の証拠を生体試料において検査する方法であって、生体試料における２０Ｐ１Ｆ１２／ＴＭＰＲＳＳ２の状態の変化が無制御細胞増殖に関係し、無制御細胞増殖が膀胱無制御細胞増殖、肺無制御細胞増殖、腎臓無制御細胞増殖、または卵巣無制御細胞増殖より選択される、方法。
【請求項２】
生体試料における２０Ｐ１Ｆ１２／ＴＭＰＲＳＳ２の状態が２０Ｐ１Ｆ１２／ＴＭＰＲＳＳ２ ｍＲＮＡの発現量または２０Ｐ１Ｆ１２／ＴＭＰＲＳＳ２タンパク質の発現量を検査することにより評価される、請求項１に記載の方法。
【請求項３】
生体試料における２０Ｐ１Ｆ１２／ＴＭＰＲＳＳ２の状態が２０Ｐ１Ｆ１２／ＴＭＰＲＳＳ２免疫反応性複合体の有無を観察することにより評価される、請求項１に記載の方法。
【請求項４】
生体試料における２０Ｐ１Ｆ１２／ＴＭＰＲＳＳ２の状態が、サザン解析、ノーザン解析、ポリメラーゼ連鎖反応解析、及び、免疫測定法からなる群より選択される方法により評価される、請求項１に記載の方法。
【請求項５】
生体試料が血液、血清、便、尿、精液、及び生検組織からなる群より選択される、請求項１に記載の方法。
【請求項６】
無制御細胞増殖が膀胱癌を示す、請求項１に記載の方法。
【請求項７】
無制御細胞増殖が肺癌を示す、請求項１に記載の方法。
【請求項８】
無制御細胞増殖が腎臓癌を示す、請求項１に記載の方法。
【請求項９】
無制御細胞増殖が卵巣癌を示す、請求項１に記載の方法。
【請求項１０】
生体試料における２０Ｐ１Ｆ１２／ＴＭＰＲＳＳ２の状態が、遊離２０Ｐ１Ｆ１２／ＴＭＰＲＳＳ２ポリペプチド濃度、結合相手と複合した２０Ｐ１Ｆ１２／ＴＭＰＲＳＳ２ポリペプチドの濃度、または遊離２０Ｐ１Ｆ１２／ＴＭＰＲＳＳ２ポリペプチド濃度と結合相手と複合した２０Ｐ１Ｆ１２／ＴＭＰＲＳＳ２ポリペプチドの濃度を比較した場合の比率を測定する免疫測定法により評価される、請求項１に記載の方法。
【請求項１１】
生体試料において評価された２０Ｐ１Ｆ１２／ＴＭＰＲＳＳ２が無制御増殖を示す細胞から分泌されている、請求項１０に記載の方法。
【請求項１２】
生体試料における新生物の証拠を同定する方法であって、
（ａ）被験生体試料における２０Ｐ１Ｆ１２／ＴＭＰＲＳＳ２遺伝子発現量を検査する段階、および
（ｂ）被験生体試料における２０Ｐ１Ｆ１２／ＴＭＰＲＳＳ２遺伝子発現量を、同等の正常生体試料に見出される２０Ｐ１Ｆ１２／ＴＭＰＲＳＳ２遺伝子発現量と比較する段階
を含む方法であり、正常生体試料に対する被験生体試料における２０Ｐ１Ｆ１２／ＴＭＰＲＳＳ２遺伝子産物の量の差が新生物に関連し、該新生物が膀胱、肺、腎臓、卵巣、または転移性の新生物から選択される方法。
【請求項１３】
新生物が膀胱癌である、請求項１２に記載の方法。
【請求項１４】
新生物が肺癌である、請求項１２に記載の方法。
【請求項１５】
新生物が腎臓癌である、請求項１２に記載の方法。
【請求項１６】
新生物が卵巣癌である、請求項１２に記載の方法。
【請求項１７】
被験生体試料が血液、血清、便、尿、精液、及び生検組織からなる群より選択される、請求項１２に記載の方法。
【請求項１８】
被験生体試料における２０Ｐ１Ｆ１２／ＴＭＰＲＳＳ２遺伝子発現量が２０Ｐ１Ｆ１２／ＴＭＰＲＳＳ２ ｍＲＮＡ発現量を検査することにより評価される、請求項１２に記載の方法。
【請求項１９】
被験生体試料における２０Ｐ１Ｆ１２／ＴＭＰＲＳＳ２遺伝子発現量が２０Ｐ１Ｆ１２／ＴＭＰＲＳＳ２タンパク質発現量を検査することにより評価される、請求項１２に記載の方法。
【請求項２０】
被験生体試料における２０Ｐ１Ｆ１２／ＴＭＰＲＳＳ２遺伝子発現量がサザン解析、ノーザン解析、ポリメラーゼ連鎖反応解析、及び免疫測定法からなる群より選択される方法により評価される、請求項１２に記載の方法。
【請求項２１】
被験生体試料における２０Ｐ１Ｆ１２／ＴＭＰＲＳＳ２遺伝子発現のレベルが遊離２０Ｐ１Ｆ１２／ＴＭＰＲＳＳ２ポリペプチド濃度、または結合相手と複合した２０Ｐ１Ｆ１２／ＴＭＰＲＳＳ２ポリペプチド濃度を測定する免疫測定法により評価される、請求項１２に記載の方法。
【請求項２２】
被験生体試料において評価された２０Ｐ１Ｆ１２／ＴＭＰＲＳＳ２が無制御増殖を示す細胞より分泌される、請求項２１に記載の方法。
【請求項２３】
無制御増殖を示す細胞が膀胱癌、肺癌、卵巣癌、または転移癌の細胞である、請求項２２に記載の方法。
【請求項２４】
個体において癌を検出する方法であって、
（ａ）個体から得た被験生体試料における２０Ｐ１Ｆ１２／ＴＭＰＲＳＳ２遺伝子発現を検査する段階、および
（ｂ）無制御細胞増殖に関連する因子の有無を個体において検査する段階
を含む方法であり、個体より得た被験生体試料における２０Ｐ１Ｆ１２／ＴＭＰＲＳＳ２遺伝子発現と無制御細胞増殖に関連する因子の存在との同時発生が癌を示唆し、
該癌が膀胱癌、肺癌、腎臓癌、卵巣癌、または、転移癌から選択される方法。
【請求項２５】
癌が膀胱癌である、請求項２４に記載の方法。
【請求項２６】
癌が肺癌である、請求項２４に記載の方法。
【請求項２７】
癌が腎臓癌である、請求項２４に記載の方法。
【請求項２８】
癌が卵巣癌である、請求項２４に記載の方法。
【請求項２９】
被験生体試料が血液、血清、便、尿、精液、及び生検組織からなる群より選択される、請求項２４に記載の方法。
【請求項３０】
被験生体試料における２０Ｐ１Ｆ１２／ＴＭＰＲＳＳ２遺伝子発現が２０Ｐ１Ｆ１２／ＴＭＰＲＳＳ２ ｍＲＮＡ発現量または２０Ｐ１Ｆ１２／ＴＭＰＲＳＳ２ポリペプチド発現量を検査することにより評価される、請求項２４に記載の方法。
【請求項３１】
被験生体試料における２０Ｐ１Ｆ１２／ＴＭＰＲＳＳ２遺伝子発現がサザン解析、ノーザン解析、ポリメラーゼ連鎖反応解析、及び免疫測定法からなる群より選択される方法により評価される、請求項２４に記載の方法。
【請求項３２】
被験生体試料における２０Ｐ１Ｆ１２／ＴＭＰＲＳＳ２遺伝子発現が遊離２０Ｐ１Ｆ１２／ＴＭＰＲＳＳ２ポリペプチド濃度または結合相手と複合した２０Ｐ１Ｆ１２／ＴＭＰＲＳＳ２ポリペプチド濃度を測定する免疫測定法により評価される、請求項２４に記載の方法。
【請求項３３】
被験生体試料において評価された２０Ｐ１Ｆ１２／ＴＭＰＲＳＳ２が無制御増殖を示す細胞より分泌される、請求項３２に記載の方法。
【請求項３４】
２０Ｐ１Ｆ１２／ＴＭＰＲＳＳ２を発現する新生細胞の増殖を抑制する方法であって、新生細胞の増殖を抑制するために新生細胞により発現される２０Ｐ１Ｆ１２／ＴＭＰＲＳＳ２を有効な量の抗２０Ｐ１Ｆ１２／ＴＭＰＲＳＳ２抗体に接触させる段階を含み、該新生細胞が膀胱新生細胞、肺新生細胞、卵巣新生細胞、または転移性新生細胞から選択される方法。
【請求項３５】
２０Ｐ１Ｆ１２／ＴＭＰＲＳＳ２を発現する新生物の進行を抑制する方法であって、新生物の進行を抑制するために新生物により発現される２０Ｐ１Ｆ１２／ＴＭＰＲＳＳ２を有効な量の抗２０Ｐ１Ｆ１２／ＴＭＰＲＳＳ２抗体に接触させる段階を含み、該新生物が膀胱新生物、肺新生物、卵巣新生物、または転移性新生物から選択される方法。
【請求項３６】
抗体が主に２０Ｐ１Ｆ１２／ＴＭＰＲＳＳ２の細胞表面結合ドメイン内のエピトープと結合する、請求項３５に記載の方法。
【請求項３７】
抗体が細胞毒性物質と結合している、請求項３６に記載の方法。
【請求項３８】
２０Ｐ１Ｆ１２／ＴＭＰＲＳＳ２ポリペプチドの免疫原性部分と生理的に許容される担体とを含む、２０Ｐ１Ｆ１２／ＴＭＰＲＳＳ２を発現する癌の治療のためのワクチン組成物であって、該癌が膀胱癌、肺癌、卵巣癌、または転移癌より選択される組成物。
【請求項３９】
患者に有効な量の請求項３８に記載のワクチン組成物を投与する段階を含む、患者において２０Ｐ１Ｆ１２／ＴＭＰＲＳＳ２を発現する細胞の増殖を抑制する方法であって、該患者が膀胱癌、肺癌、卵巣癌、または転移癌より選択される癌を有する方法。
【請求項４０】
配列番号：２に記載のアミノ酸配列またはその浸潤阻害断片を含む２０Ｐ１Ｆ１２／ＴＭＰＲＳＳ２ポリペプチドを細胞の環境に導入する段階であってそれにより浸潤が阻害される段階を含む、腫瘍細胞による浸潤を阻害する方法。
【請求項４１】
２０Ｐ１Ｆ１２／ＴＭＰＲＳＳ２ポリペプチドが、配列番号：２に記載の配列の２５５〜４９２位のアミノ酸を含む、請求項４０に記載の方法。
【請求項４２】
細胞を有効な量の２０Ｐ１Ｆ１２／ＴＭＰＲＳＳ２ ｍＲＮＡに相同なオリゴヌクレオチドと接触させる段階を含む、細胞における２０Ｐ１Ｆ１２／ＴＭＰＲＳＳ２タンパク質の発現を抑制する方法。
【請求項４３】
新生細胞を有効な量の２０Ｐ１Ｆ１２／ＴＭＰＲＳＳ２抗体と接触させる段階であってそれにより新生細胞の増殖を抑制する段階を含む、腎臓新生細胞の増殖を抑制する方法。
【発明の詳細な説明】
【０００１】
本出願は、１９９９年６月１日に提出された米国特許出願第０９／３２３，５９７号の一部継続出願である２０００年７月１２日に提出された米国特許出願第０９／６１５，２８５号の一部継続出願であり、１９９８年６月１日に提出された米国仮特許出願第６０／０８７，５９８号、１９９８年６月２９日提出の米国仮特許出願第６０／０９１，４７４号、及び、１９９９年４月１４日提出の米国仮特許出願第６０／１２９，５２１号の恩典を請求する。これにより上記特許出願及び仮特許出願の内容の全ては、本出願に参考文献として含まれる。
【０００２】
発明の背景
男性において前立腺癌は最も頻繁に診断される癌であり、死亡原因として二番目に多い癌である。毎年、およそ４５，０００人の男性がこの疾患により死亡する。また、肺癌のみが更に高い死亡率を示す。男性が一生の内に浸潤性の前立腺癌に侵される可能性は６分の１である。５０歳の男性においては、前立腺癌に侵される可能性が４０％以上であり、この疾患により死亡する可能性はおよそ３％である。限局性の腫瘍に対する治療には、多少の進歩がとげられているものの、前立腺癌は一度転移すると不治の病となる。転移性前立腺癌の患者はホルモンアブレーション療法による治療を受けるが、短期間の成功しか見られない。結局は、これらの患者にはアンドロゲン不応状態が生じ、病気が進行して死に至る。
【０００３】
前立腺癌の取扱いにおいて存続している基本的な問題は、正確に初期の限局性腫瘍を検出できる、ならびに／または、疾患に対する感受性および疾患の進行を予測できる確実な診断および予診マーカーが存在しないことである。現在、前立腺癌の早期検出および診断は、デジタル直腸検査（ｄｉｇｉｔａｌ ｒｅｃｔａｌ ｅｘａｍｉｎａｔｉｏｎ： ＤＲＥ）、前立腺特異的抗原（ｐｒｏｓｔａｔｅ ｓｐｅｃｉｆｉｃ ａｎｔｉｇｅｎ： ＰＳＡ）測定、経直腸超音波検査（ｔｒａｎｓｒｅｃｔａｌ ｕｌｔｒａｓｏｎｏｇｒａｐｈｙ： ＴＲＵＳ）、及び、経直腸針生検（ｔｒａｎｓｒｅｃｔａｌ ｎｅｅｄｌｅ ｂｉｏｐｓｙ： ＴＲＮＢ）の方法に依存している。ＤＲＥと組合せた血清ＰＳＡ測定は、現在の代表的な診断方法である。しかしながら、この方法には大きな障壁が存在し、そのため、この疾患のより良い診断マーカーの探索に重点的に研究努力が注がれた。多数のマーカーが確認され、その内の少なくとも一つであるＰＳＡが臨床で一般的に使用されている。しかしながら、理想的な前立腺腫瘍マーカーを得ることは非常に難しく、疾患の進行を確実に予測できるマーカーは未だに得られていない。このように、前立腺癌の取扱いにおては、より確実かつ多くの情報を提供する診断および予診方法が必要とされている。
【０００４】
更に、再発性疾患に侵される患者、または、転移性疾患と診断された患者に対する有効な治療法が無いため、治療標的に適当となり得る前立腺特異的蛋白質の同定にも大きな関心が寄せられている。ホルモンアブレーション療法はこのような患者の症状を緩和することはできるが、大多数は必然的に病気が進行し、不治のアンドロゲン非依存性疾患を発症する（Ｌａｌａｎｉら、１９９７， Ｃａｎｃｅｒ Ｍｅｔａｓｔａｓｉｓ Ｒｅｖ． １６：２９−６６）。
【０００５】
ＰＳＡは、前立腺癌のスクリーニング、診断、および、追跡に現在最も広く使用されている腫瘍マーカーである。特に、血清ＰＳＡ測定の為のいくつかの免疫測定法が臨床で一般的に使用されている。最近、血清におけるＰＳＡ ｍＲＮＡの為の逆転写酵素ポリメラーゼ連鎖反応（ＲＴ−ＰＣＲ）解析法が開発された。しかしながら、高いＰＳＡ値は多くのＢＰＨ及び前立腺炎患者（２５〜８６％）において検出され（Ｇａｏら、１９９７， Ｐｒｏｓｔａｔｅ ３１：２６４−２８１）、更に、他の悪性ではない疾患や一部の正常な男性においても検出されるため、ＰＳＡは疾患特異的マーカーではなく、また、このことはこのマーカーの診断的特異性を著しく制限する要素である。例えば、４〜１０ｎｇ／ｍｌの範囲内の血清ＰＳＡの上昇はＢＰＨにおいて見られ、更に高い値が前立腺炎、特に急性前立腺炎において見られる。ＢＰＨは男性に非常に一般的に見られる症状である。更に混乱を招く状況としては、ＤＲＥによる疾患の兆候が全く無くても血清ＰＳＡの上昇が見られることであり、またその逆もあり得る。更に、現在では、ＰＳＡが前立腺特異的ではなく、多様な複雑な生物活性を有することが認識されている（例えば、Ｆｏｒｔｉｅｒら、Ｊ． Ｎａｔｌ． Ｃａｎｃｅｒ Ｉｎｓｔ． １９９９， ９１（１９）：１６３５−４０参照）。
【０００６】
ＰＳＡに基づく検出の特異性を向上するために考案されたＰＳＡ密度や、遊離ＰＳＡ対複合ＰＳＡの比率を測定すること等の様々な方法が報告されてきた。しかしながら、いずれの方法も、良性と悪性の前立腺疾患を再現性良く識別することができなかった。その上、ＰＳＡ診断の感度は５７〜７９％のため（Ｃｕｐｐ ＆ Ｏｓｔｅｒｌｉｎｇ， １９９３， Ｍａｙｏ Ｃｌｉｎ Ｐｒｏｃ ６８：２９７−３０６）、疾患を有するかなりの人数の男性において前立腺癌を見逃すこととなる。
【０００７】
前立腺特異的膜抗原（Ｐｒｏｓｔａｔｅ−Ｓｐｅｃｉｆｉｃ Ｍｅｍｂｒａｎｅ Ａｎｔｉｇｅｎ： ＰＳＭＡ）は最近報告された前立腺癌の細胞表面マーカーであり、診断および治療用マーカーとしての使用を評価する様々な研究の対象となっている。ＰＳＭＡの発現は主に前立腺組織に限定されているが、検出可能なレベルのＰＳＭＡ ｍＲＮＡが脳癌、唾液線癌、小腸癌、及び、腎細胞癌において確認されている（Ｉｓｒａｅｌｉら、１９９３， Ｃａｎｃｅｒ Ｒｅｓ ５３：２２７−２３０）。ＰＳＭＡ蛋白は大多数の原発性および転移性前立腺癌において多く発現しているが、上皮内異常増殖検体においても発現している（Ｇａｏら、１９９７， Ｐｒｏｓｔａｔｅ ３１：２６４−２８１）。インジウム−１１１標識された、再発性前立腺癌を造影する抗ＰＳＭＡモノクローナル抗体を利用した予備結果は期待を持たせるものである（Ｓｏｄｅｅら、１９９６， Ｃｌｉｎ Ｎｕｃ Ｍｅｄ ２１：７５９−７６６）。ＰＳＭＡは、機能性アンドロゲン受容体の存在を必要とするホルモン依存性抗原である。全ての前立腺癌細胞がアンドロゲン受容体を発現する訳ではないため、ＰＳＭＡの治療標的としての臨床上の有用性は本来限られている。ＰＳＭＡ免疫療法の効果を調べるための臨床試験も行われている。
【０００８】
また、前立腺幹細胞抗原（Ｐｒｏｓｔａｔｅ Ｓｔｅｍ Ｃｅｌｌ Ａｎｔｉｇｅｎ： ＰＳＣＡ）も最近報告された前立腺癌の細胞表面マーカーである（Ｒｅｉｔｅｒら、１９９８， Ｐｒｏｃ． Ｎａｔｌ． Ａｃａｄ． Ｓｃｉ． ＵＳＡ ９５：１７３５−１７４０）。ＰＳＣＡ発現は、主に前立腺特異的であることが明らかとなり、高度の前立腺上皮内異常増殖（ｐｒｏｓｔａｔｉｃ ｉｎｔｒａｅｐｉｔｈｅｌｉａｌ ｎｅｏｐｌａｓｉａ： ＰＩＮ）、アンドロゲン依存性およびアンドロゲン非依存性前立腺腫瘍を含む前立腺癌の全ての時期において広く過剰発現することが示されている。ＰＳＣＡ遺伝子は、８０％以上の前立腺癌において対立遺伝子獲得領域である８ｑ２４．２染色体にマッピングされる。ＰＳＣＡは、前立腺癌細胞における細胞表面の位置、前立腺特異性、及び、大いに上方制御された発現から、診断および治療標的となることが期待できる。
【０００９】
臨床疾患を再現する実験動物モデルシステムが不足しているため、特異的マーカーの同定に関するする進歩が遅れている。この問題の解決法として試みられているものとしては、前立腺癌細胞系の発生（Ｈｏｒｏｓｚｅｗｉｃｚら、１９８３， Ｃａｎｃｅｒ Ｒｅｓ． ４３， １８０９）、及び前立腺癌異種移植（Ｐｒｅｔｌｏｗら、１９９１， Ｃａｎｃｄｅｒ Ｒｅｓ． ５１， ３８１４； ｖａｎ Ｗｅｅｒｄｅｎら、１９９６， Ａｍ． Ｊ． Ｐａｔｈｏｌ． １４９， １０５５； Ｋｌｅｉｎら、１９９７， Ｎａｔｕｒｅ Ｍｅｄ． ３， ４０２）等が挙げられる。しかしながら、これらの手法は限られた成果しか収めなかった。例えば、異種移植では、一般的に長期生存率が低かった。更に、最も広く使用されているヒト前立腺癌細胞系であるＰＣ−３、ＤＵ−１４５、及び、ＬＮＣａＰのいずれも、前立腺癌特有の骨芽細胞病巣の発生において再現性を示さなかった。ＤＵ−１４５およびＰＣ−３細胞系の更なる制限は、これらの細胞が前立腺特異的抗原（ＰＳＡ）またはアンドロゲン受容体（ＡＲ）を発現しないことであり（Ｋａｉｇｈｎら、１９７９， Ｉｎｖｅｓｔ． Ｕｒｏｌ． １７：１６−２３； Ｇｌｅａｖｅら、１９９２， Ｃａｎｃｅｒ Ｒｅｓ． ５２：１５９８−１６０５）、そのため、臨床における前立腺癌との関連性には疑問がある。ＬＮＣａＰ細胞系はアンドロゲン応答性であり、ＰＳＡを発現するが、アンドロゲン受容体に変異を含むため基質特異性が改変されている。
【００１０】
しかしながら、最近、ヒトの臨床状況によく対応する遺伝子および表現型の特徴を示す一連の前立腺癌異種移植（患者の腫瘍由来）が報告されている（Ｋｌｅｉｎら、１９９７， Ｎａｔｕｒｅ Ｍｅｄ． ３：４０２）。これらのＬＡＰＣ（Ｌｏｓ Ａｎｇｅｌｅｓ Ｐｒｏｓｔａｔｅ Ｃａｎｃｅｒ）異種移植は重症複合免疫不全（ＳＣＩＤ）マウスにおいて一年以上の継代に耐えた。ＬＡＰＣ−４異種移植モデル系は、アンドロゲン依存性からアンドロゲン非依存性への変換、及び、転移病巣の発生を真似る能力がある（Ｋｌｅｉｎら、１９９７， Ｎａｔｕｒｅ Ｍｅｄ． ３：４０２）。ＬＡＰＣ‐４腫瘍は、去勢後の雄マウスにおいて退行するが、２〜３ヶ月の内にアンドロゲン非依存性腫瘍として再生する。アンドロゲン依存性（ＡＤ）およびアンドロゲン非依存性（ＡＩ）ＬＡＰＣ−４異種移植腫瘍の両方は、ＬＡＰＣ−４異種移植のＡＤおよびＡＩ変異体に由来するｃＤＮＡの提示差異解析を利用して同定された前立腺特異的マーカーであるＰＳＡ、ＰＳＭＡ、及び、ＰＳＣＡ（前立腺幹細胞抗原）を同量発現する。
【００１１】
発明の概要
本発明は、通常、前立腺特異的でアンドロゲン制御されるセリンプロテアーゼである本明細書に記載の２０Ｐ１Ｆ１２／ＴＭＰＲＳＳ２に由来するまたはそれに基づく前立腺癌、大腸癌、膀胱癌、肺癌、卵巣癌、および腎臓癌、並びに、転移癌の診断および治療の為の方法、及び組成物に関する。また、２０Ｐ１Ｆ１２／ＴＭＰＲＳＳ２遺伝子の全てのコード配列を含む全長ｃＤＮＡ（以下、２０Ｐ１Ｆ１２−ＧＴＣ１とも称する）を提供する（図１）。このｃＤＮＡは、最近発表されたＴＭＰＲＳＳ２（Ｐａｏｌｏｎｉ−Ｇｉａｃｏｂｉｎｏら、１９９７， Ｇｅｎｏｍｉｃｓ ４４：３０９−３２０）に関連性が高いが、構造的にはこれと異なるタンパク質をコードする。２０Ｐ１Ｆ１２／ＴＭＰＲＳＳ２遺伝子も、ＴＭＰＲＳＳ２の発現プロフィールと比較して、非常に異なる発現パターンを示す。
【００１２】
具体的には、本発明は、２０Ｐ１Ｆ１２／ＴＭＰＲＳＳ２遺伝子、ｍＲＮＡ、及び／またはコード配列の全体またはその一部に相当するかまたは相補的なポリヌクレオチドを、好ましくは単離された形態で提供し、これには２０Ｐ１Ｆ１２／ＴＭＰＲＳＳ２タンパク質およびその断片をコードするポリヌクレオチド、２０Ｐ１Ｆ１２／ＴＭＰＲＳＳ２遺伝子もしくはｍＲＮＡ配列またはその一部と相補的なＤＮＡ、ＲＮＡ、ＤＮＡ／ＲＮＡハイブリッド、及び関連する分子、ポリヌクレオチド、またはオリゴヌクレオチド、ならびに２０Ｐ１Ｆ１２／ＴＭＰＲＳＳ２遺伝子、ｍＲＮＡ、または２０Ｐ１Ｆ１２／ＴＭＰＲＳＳ２をコードするポリヌクレオチドとハイブリダイズするポリヌクレオチドまたはオリゴヌクレオチドが含まれる。更に、ｃＤＮＡおよび２０Ｐ１Ｆ１２／ＴＭＰＲＳＳ２をコードする遺伝子を単離する手段を提供する。２０Ｐ１Ｆ１２／ＴＭＰＲＳＳ２ポリヌクレオチドを含む組換ＤＮＡ分子、このような分子により形質転換あるいは形質導入した細胞、及び、２０Ｐ１Ｆ１２／ＴＭＰＲＳＳ２遺伝子産物発現の為の宿主ベクターシステムも提供する。更に、本発明は、２０Ｐ１Ｆ１２／ＴＭＰＲＳＳ２タンパク質およびそのポリペプチド断片を提供する。
【００１３】
また、様々な生体試料における２０Ｐ１Ｆ１２／ＴＭＰＲＳＳ２ポリヌクレオチドおよびタンパク質の有無の検出方法、並びに、２０Ｐ１Ｆ１２／ＴＭＰＲＳＳ２を発現する細胞を同定する方法も提供する。更に、本発明は、生体試料における２０Ｐ１Ｆ１２／ＴＭＰＲＳＳ２の状態を、それに相当する正常な試料における２０Ｐ１Ｆ１２／ＴＭＰＲＳＳ２の状態と比較することにより、生体試料に無制御細胞増殖の形跡があるかどうか検査する予診および診断方法であって、生体試料における２０Ｐ１Ｆ１２／ＴＭＰＲＳＳ２の状態の変化が無制御細胞増殖に関連する方法を提供する。また、前立腺癌、大腸癌、膀胱癌、肺癌、卵巣癌、及び、腎臓癌、並びに、転移癌の取扱いの為の診断画像法も提供する。
【００１４】
更に、本発明は、特に、２０Ｐ１Ｆ１２／ＴＭＰＲＳＳ２ポリペプチドおよび抗２０Ｐ１Ｆ１２／ＴＭＰＲＳＳ２抗体療法や組成物、癌ワクチン、および、低分子療法を含む、様々な治療組成物、並びに、前立腺癌、大腸癌、膀胱癌、肺癌、卵巣癌、及び、腎臓癌、並びに、転移癌の治療法略を提供する。
【００１５】
本発明は、ポリクローナル抗体およびモノクローナル抗体、マウスおよび他の哺乳類の抗体、キメラ抗体、ヒト化および完全なヒト抗体、並びに、検出可能なマーカー、毒、または治療組成物により標識された抗体を含む２０Ｐ１Ｆ１２／ＴＭＰＲＳＳ２タンパク質、及び、そのポリペプチド断片に結合する抗体を提供する。また、２０Ｐ１Ｆ１２／ＴＭＰＲＳＳ２と特異的に反応するいくつかのモノクローナル抗体も本明細書に記載する。これら及び他の２０Ｐ１Ｆ１２／ＴＭＰＲＳＳ２抗体は、前立腺癌、大腸癌、膀胱癌、肺癌、卵巣癌、及び、腎臓癌、並びに、転移癌を検出、局在化、および同定する分子診断アッセイ法及び診断影像法に有用である。更に、癌ワクチンも提供する。
【００１６】
発明の詳細な説明
別途定義されないかぎり、本明細書に用いられるあらゆる技術用語、表記および他の科学的専門用語は、本発明が属する当業者に通常理解される意味を有するものとする。いくつかの場合において、通常理解される意味をもつ用語が明瞭および／または容易な参考のために本明細書に定義されているが、本明細書でそのような定義を包含することは、当技術分野において一般的に理解されていることに対して実質的な相違を表すものと、必ずしも解釈されるべきではない。本明細書に記載または参照される技術および手順は、一般的によく理解されており、かつ例えば、サムブルック（Ｓａｍｂｒｏｏｋ）ら、１９８９、分子クローニング：実験マニュアル（Ｍｏｌｅｃｕｌａｒ Ｃｌｏｎｉｎｇ： Ａ Ｌａｂｏｒａｔｏｒｙ Ｍａｎｕａｌ）、第２版、コールドスプリングハーバーラボラトリープレス（Ｃｏｌｄ Ｓｐｒｉｎｇ Ｈａｒｂｏｒ Ｌａｂｏｒａｔｏｒｙ Ｐｒｅｓｓ）、コールドスプリングハーバー、Ｎ． Ｙ． に記載されている広く利用されている分子クローニング方法体系など、当業者により従来の方法体系を用いる場合に、通常に使用されるものである。適切には、商業的に入手可能なキットおよび試薬の使用を含む手順は、一般的に、別な方法を特に言及していないかぎり、製造業者が定めるプロトコールおよび／またはパラメーターに従って行われる。
【００１７】
本明細書に用いられる「ポリヌクレオチド」という用語は、少なくとも１０塩基長または塩基対長の、リボヌクレオチドもしくはデオキシヌクレオチドまたはヌクレオチドの各型の改変された形のいずれかの重合体を意味し、かつＤＮＡの一本鎖型および二本鎖型を含むものとする。
【００１８】
本明細書に用いられる「ポリペプチド」という用語は、少なくとも６個のアミノ酸のポリマーを意味する。明細書全体にわたって、アミノ酸に関して標準の３文字または１文字表記を用いる。これに関連して、例えば「２０Ｐ１Ｆ１２／ＴＭＰＲＳＳ２ポリペプチド」は、例えば、図８に示される断片を含む３２ ｋＤのプロテアーゼドメインと同様に図１に示される４９２個のアミノ酸配列タンパク質を有するタンパク質を含む。
【００１９】
本明細書に用いられる、ポリヌクレオチドに関して用いられる「ハイブリダイズする（ｈｙｂｒｉｄｉｚｅ）」、「ハイブリダイズすること（ｈｙｂｒｉｄｉｚｉｎｇ）」、「ハイブリダイズする（ｈｙｂｒｉｄｉｚｅｓ）」などの用語は、通常のハイブリダイゼーション条件、好ましくは、５０％ホルムアミド／６ Ｘ ＳＳＣ／０．１％ＳＤＳ／１００ μｇ／ｍｌ ｓｓＤＮＡ中で、ハイブリダイゼーションの温度が３７℃より高く、０．１ Ｘ ＳＳＣ／０．１％ＳＤＳ中での洗浄のための温度が５５℃より高いハイブリダイゼーションのような条件、および最も好ましくは、ストリンジェントなハイブリダイゼーション条件を指すものとする。
【００２０】
ハイブリダイゼーション反応の「ストリンジェンシー」は、当業者により容易に決定可能であり、一般的に、プローブの長さ、洗浄温度、および塩濃度による経験的計算である。一般的に、より長いプローブは、正確なアニーリングのためにより高い温度が要求され、一方、より短いプローブはより低い温度を必要とする。ハイブリダイゼーションは、一般的に、変性したＤＮＡが、環境に相補的な鎖が存在する場合、それらの融解温度以下で再アニーリングする能力に依存している。プローブとハイブリダイズ可能な配列との間に所望する相同性の度合いが高ければ高いほど、用いられるべき相対的温度は高くなる。結果として、より高い相対的温度は反応条件をよりストリンジェントにさせる傾向になり、一方、より低い温度はそれが少なくなるということになる。ハイブリダイゼーション反応のストリンジェンシーの追加的詳細および説明については、オースベル（Ａｕｓｕｂｅｌ）ら、分子生物学の最新プロトコール（Ｃｕｒｒｅｎｔ Ｐｒｏｔｏｃｏｌｓ ｉｎ Ｍｏｌｅｃｕｌａｒ Ｂｉｏｌｏｇｙ）、ウィリーインターサイエンスパブリッシャーズ（Ｗｉｌｅｙ Ｉｎｔｅｒｓｃｉｅｎｃｅ Ｐｕｂｌｉｓｈｅｒｓ）、（１９９５）を参照のこと。
【００２１】
本明細書において定義される、「ストリンジェントな条件」または「高ストリンジェンシー条件」とは、以下のものと定めうる：（１）例えば、５０℃で、０．０１５ Ｍ 塩化ナトリウム／０．００１５ Ｍクエン酸ナトリウム／０．１％ドデシル硫酸ナトリウムのような、洗浄のために低イオン強度および高温を使用する；（２）ホルムアミド、例えば、０．１％ウシ血清アルブミン／０．１％フィコール／０．１％ポリビニルピロリドン／ｐＨ ６．５の５０ ｍＭ リン酸ナトリウム緩衝液を含む５０ ％（ｖ／ｖ） ホルムアミドのような変性試薬を４２℃で、７５０ ｍＭ 塩化ナトリウム、７５ ｍＭ クエン酸ナトリウムとともに、ハイブリダイゼーションの間に使用する；または（３）５０％ホルムアミド、５ ｘ ＳＳＣ（０．７５ Ｍ ＮａＣｌ、０．０７５ Ｍ クエン酸ナトリウム）、５０ ｍＭ リン酸ナトリウム（ｐＨ ６．８）、０．１％ピロリン酸ナトリウム、５ ｘ デンハート液、超音波処理されたサケ精子ＤＮＡ（５０ μｇ／ｍｌ）、０．１％ＳＤＳ、および１０％デキストラン硫酸を４２℃で使用し、４２℃で０．２ ｘ ＳＳＣ（塩化ナトリウム／クエン酸ナトリウム）中および５５℃で５０％ホルムアミド中で洗浄し、引き続いて５５℃でＥＤＴＡを含む０．１ ｘ ＳＳＣからなる高ストリンジェンシー洗浄を行う。
【００２２】
「中等度にストリンジェントな条件」とは、サムブルック（Ｓａｍｂｒｏｏｋ）ら、１９８９、分子クローニング：実験マニュアル（Ｍｏｌｅｃｕｌａｒ Ｃｌｏｎｉｎｇ： Ａ Ｌａｂｏｒａｔｏｒｙ Ｍａｎｕａｌ）、ニューヨーク：コールドスプリングハーバープレス（Ｃｏｌｄ Ｓｐｒｉｎｇ Ｈａｒｂｏｒ Ｐｒｅｓｓ）に記載されているように定められ、かつ上記のものよりストリンジェンシーが低い洗浄溶液およびハイブリダイゼーション条件（例えば、温度、イオン強度および％ ＳＤＳ）の使用を含む。中等度にストリンジェントな条件の例は、２０％ホルムアミド、５ ｘ ＳＳＣ（１５０ ｍＭ ＮａＣｌ、１５ ｍＭ クエン酸三ナトリウム）、５０ ｍＭ リン酸ナトリウム（ｐＨ ７．６）、５ ｘ デンハート液、１０％デキストラン硫酸、および２０ ｍｇ／ｍＬ 変性した剪断化サケ精子ＤＮＡを含む溶液中、３７℃で一晩インキュベーション、引き続いて約３７〜５０℃で、１ ｘ ＳＳＣ中でのフィルターの洗浄である。当業者は、プローブの長さなどのような因子を適応させることが必要であると同時に、温度、イオン強度などを調整する方法を理解しているものと思われる。
【００２３】
アミノ酸配列の比較に関して、「同一性」という用語は、同じ相対的位置で同一であるアミノ酸残基のパーセンテージを表すことに用いられる。また、これに関して、「相同性」という用語は、当技術分野において一般的に理解されていることだが、ＢＬＡＳＴ解析という保存アミノ酸判定基準を使用して、同じ相対的位置で同一かまたは類似しているかのいずれかであるアミノ酸残基のパーセンテージを表すことに用いられる。例えば、％同一性値は、ＷＵ−ＢＬＡＳＴ−２（Ａｌｔｓｃｈｕｌら、１９９６， Ｍｅｔｈｏｄｓ ｉｎ Ｅｎｚｙｍｏｌｏｇｙ ２６６：４６０〜４８０； ｈｔｔｐ：／／ｂｌａｓｔ．ｗｕｓｔｌ／ｅｄｕ／ｂｌａｓｔ／ＲＥＡＤＭＥ．ｈｔｍｌ）により生成される。そのような判定基準下で保存されたとみなされるアミノ酸置換に関するさらなる詳細は下記に提供されている。
【００２４】
追加的な定義は以下に続くサブセクションを通して提供される。
【００２５】
本発明は、２０Ｐ１Ｆ１２／ＴＭＰＲＳＳ２遺伝子に対応する単離されたポリヌクレオチド、２０Ｐ１Ｆ１２／ＴＭＰＲＳＳ２遺伝子によりコードされるタンパク質およびそれらの断片、ならびに２０Ｐ１Ｆ１２／ＴＭＰＲＳＳ２タンパク質を特異的に認識かつ結合することができる抗体を用いる、特定の癌の診断および治療のための方法および組成物に関する。本出願を通して、方法および組成物は、典型的には、前立腺癌および大腸癌の関連における使用として記載されている。しかしながら、本明細書に提示されるデータが、２０Ｐ１Ｆ１２／ＴＭＰＲＳＳ２が他の細胞系譜から発生する癌において発現されていることを示していることから（例えば、特定の転移性癌と同様に、膀胱癌における２０Ｐ１Ｆ１２／ＴＭＰＲＳＳ２の発現を示す図５Ｄ、および腎臓癌、肺癌および卵巣癌における２０Ｐ１Ｆ１２／ＴＭＰＲＳＳ２の発現を示す図７Ｂを参照）、当業者は、その診断的および治療的開示が同様にこれらの系譜の癌に適用可能であることを理解する。図７Ｂおよび図３３のデータより、２０Ｐ１Ｆ１２／ＴＭＰＲＳＳ２が膀胱癌、肺癌および卵巣癌、ならびに特定の転移性癌において発現されているが、この型の正常組織においては発現されず、このように癌マーカーとして役立ちうることが示されている。図７Ｂおよび図３３に提供されているデータより、２０Ｐ１Ｆ１２／ＴＭＰＲＳＳ２が正常な腎臓組織において発現されているが、腎臓癌においては発現されず、他の組織に見られるのと逆のパターンであることが示されている。（図７Ｂに図示されている試料の１つでは、２０Ｐ１Ｆ１２／ＴＭＰＲＳＳ２が、正常の組織と比較して、腫瘍組織において上方制御されている。）
【００２６】
それゆえ、ＴＭＰＲＳＳ２の投与は、腎臓癌の関連において治療的に有益でありうる。ＴＭＰＲＳＳ２をコードする遺伝子の解析は、腎臓癌についての診断として用いられ、それにより、その遺伝子の突然変異が腎臓癌の存在、またはかかる見込みと相関している。ＴＭＰＲＳＳ２のセリンプロテアーゼドメインの投与もまた、腎臓癌のような特定の癌の治療において治療上有益でありえ、ＴＭＰＲＳＳ２セリンプロテアーゼドメインが腫瘍増殖または形成を抑制する。
【００２７】
２０Ｐ１Ｆ１２／ＴＭＰＲＳＳ２遺伝子は、ＴＭＰＲＳＳ２について記載されているように、セリンプロテアーゼドメイン、スカベンジャー受容体システイン−リッチドメイン、ＬＤＬ受容体クラスＡドメイン、および推定の膜貫通ドメインを含む複数のドメインを含有する４９２個の推定アミノ酸タンパク質をコードする（Ｐａｏｌｏｎｉ−Ｇｉａｃｏｂｉｎｏら、１９９７、Ｇｅｎｏｍｉｃｓ ４４：３０９〜３２０）。パオロニ−ギアコビーノ（Ｐａｏｌｏｎｉ−Ｇｉａｃｏｂｉｎｏ）らは、ＴＭＰＲＳＳ２遺伝子が小腸において強く、かつ弱くのみいくつかの他の組織において発現されることを見出し、また、ＴＭＰＲＳＳ２遺伝子を染色体２１に遺伝子座を決定した。ＴＭＰＲＳＳ２の生理的役割は知られていない。本出願人らは、２０Ｐ１Ｆ１２／ＴＭＰＲＳＳ２遺伝子の全コード領域を含む完全長ｃＤＮＡをクローニングしたが、それは発表されているＴＭＰＲＳＳ２の配列と比較していくつかのヌクレオチド配列の違いを含む。６個のこれらの配列の違いは、結果としてアミノ酸の違いを生じる。これらの変化の特有な性質および意義は、現在のところ知られていない。しかしながら、パオロニ−ギアコビーノ（Ｐａｏｌｏｎｉ−Ｇｉａｃｏｂｉｎｏ）らにより記載されているタンパク質と本明細書に記載されている２０Ｐ１Ｆ１２／ＴＭＰＲＳＳ２タンパク質との間のアミノ酸の違いのいくらかは、タンパク質のプロテアーゼドメインの中に含まれる保存されていない変化である（例えば、図３を参照）。従って、パオロニ−ギアコビーノ（Ｐａｏｌｏｎｉ−Ｇｉａｃｏｂｉｎｏ）らに記載されている配列を有するタンパク質は、本明細書に記載されているタンパク質とは有意的に異なる機能的活性を有する可能性がある。また、遺伝子はある程度の可変性を有すること、およびこの可変性は発癌に関連することを含め、様々な細胞生理面に影響を与えうることは、当技術分野において知られている（Ｒｅｂｂｅｃｋら、Ｊ． Ｎａｔｌ． Ｃａｎｃｅｒ Ｉｎｓｔ． ９０（１６）：１２２５〜１２２９（１９９８）およびＴｏｎｉｎら、Ｓｅｍｉｎ． Ｓｕｒｇ． Ｏｎｃｏｌ． １８（４）：２８１〜２８６（２０００））。さらに、本出願人らは、新規な２０Ｐ１Ｆ１２／ＴＭＰＲＳＳ２が、以前に報告されたＴＭＰＲＳＳ２について知られているものと比較して、完全に異なる発現パターンを有することを見出した。
【００２８】
２０Ｐ１Ｆ１２／ＴＭＰＲＳＳ２は開示された癌細胞において発現され、かつプロテアーゼドメインを含んでいることから、それがこれらの癌の発生、浸潤および／または進行、特に転移性疾患の発生において機能している可能性がある。この事については、プロテアーゼが癌細胞の浸潤および転移に関連があることは知られている（Ｈｅｎｒｉｅｔら、１９９９、ＡＰＭＩＳ １０７（１）：１１１〜１１９； Ｒｏｃｈｅｆｏｒｔら、１９９９、ＡＰＭＩＳ １０７（１）：８６〜９５； Ｗｅｂｂｅｒら、１９９５、Ｃｌｉｎ． Ｃａｎｃｅｒ Ｒｅｓ． １（１０）：１０８９〜１０９４； Ｄｕｆｆｙ、１９９６、Ｃｌｉｎ． Ｃａｎｃｅｒ Ｒｅｓ． ２（４）：６１３〜６１８； ＷｅｂｂｅｒおよびＷａｇｈｒａｙ、１９９５、Ｃｌｉｎ． Ｃａｎｃｅｒ Ｒｅｓ． １（７）：７５５〜７６１）。例えば、ウロキナーゼ型プラスミノーゲンアクチベーター（ｕ−ＰＡ）、カテプシンＤおよびＰＳＡは、前立腺癌細胞が転移する能力を調節すると考えられている（例えば、Ｆｏｒｔｉｅｒら、Ｊ． Ｎａｔ． Ｃａｎｃｅｒ Ｉｎｓｔ． ９１（１９）：１６３５〜１６４０（１９９９）を参照）。前立腺癌および大腸癌、ならびに特に転移において２０Ｐ１Ｆ１２／ＴＭＰＲＳＳ２機能の関与する可能性は下記の実施例に記載されているように評価されるかもしれない。
【００２９】
興味深いことには、２０Ｐ１Ｆ１２／ＴＭＰＲＳＳ２およびＴＭＰＲＳＳ２の一次構造は、タンパク質−タンパク質相互作用ドメインおよびプロテアーゼドメインを含み、タンパク質複合体を形成していることが見出されている（例えば、図２１を参照）。２０Ｐ１Ｆ１２／ＴＭＰＲＳＳ２およびＴＭＰＲＳＳ２の機能は不明である。２０Ｐ１Ｆ１２／ＴＭＰＲＳＳ２およびＴＭＰＲＳＳ２の機能は、そのＳＲＣＲおよび／またはＬＤＬＡドメインを通して細胞外環境にある基質タンパク質への結合に関係している可能性がある。ＳＲＣＲドメインを示すタンパク質の例は以下のものを含む：ＣＤ６、ＡＬＣＡＭ（ａｃｔｉｖａｔｅｄ ｌｅｕｋｏｃｙｔｅ ｃｅｌｌ ａｄｈｅｓｉｏｎ ｍｏｌｅｃｕｌｅ、活性化白血球細胞接着分子）に結合し、かつ胸腺細胞−胸腺上皮細胞の結合を媒介する接着分子（Ｗｈｉｔｎｅｙら、１９９５、Ｊ． Ｂｉｏｌ． Ｃｈｅｍ． ２７０：１８１８７）；ＣＤ５（Ｌｙ−１）、Ｂ細胞上でＣＤ７２を結合するＴ細胞タンパク質であり、Ｔ細胞−Ｂ細胞の伝達に関与している可能性がある（Ｌｕｏら、１９９２、Ｊ． Ｉｍｍｕｎｏｌ． １４８：１６３０）；ＢＳＳＰ−３、クリングル様構造および３つのスカベンジャー受容体システイン−リッチモチーフを有する脳特異的セリンプロテアーゼ（Ｙａｍａｍｕｒａら、１９９７、Ｂｉｏｃｈｅｍ． Ｂｉｏｐｈｙｓ． Ｒｅｓ． Ｃｏｍｍｕｎ． ２３９：３８６）。ＬＤＬＲドメインは、ｕＰＡ−プラスミノーゲンアクチベーター−１（ＰＡＩ−１）複合体のようなプロテアーゼ阻害剤複合体の結合および再利用に関係していた（例えば、Ｓｔｒｉｃｋｌら、ＦＡＳＥＢ Ｊ． ９：８９０〜８９８（１９９５）； Ｍｏｅｓｔｒｕｐ、Ｂｉｏｃｈｉｍ． Ｂｉｏｐｈｙｓ． Ａｃｔａ １１９７：３３７〜３６０（１９９４）を参照）。
【００３０】
前立腺組織は、ＰＳＡ、ヒト腺性カリクレイン（ｈＫ２）およびプロスターゼ／ＫＬＫ−Ｌ１を含むいくらかのアンドロゲン制御性プロテアーゼを発現する（Ｗｏｌｆら、１９９２、Ｍｏｌ． Ｅｎｄｏｃｒｉｎｏｌ． ６：７５３〜７６２； Ｎｅｌｓｏｎら、１９９９、ＰＮＡＳ ９６：３１１４〜３１１９； Ｙｏｕｓｅｆら、１９９９、Ｃａｎｃｅｒ Ｒｅｓ． ５９：４２５２〜４２５６）。２０Ｐ１Ｆ１２／ＴＭＰＲＳＳ２は、その構造的特徴によりこれらのプロテアーゼの間では独特である。それは、スカベンジャー受容体システイン−リッチドメイン（ＳＲＣＲ）および低密度リポタンパク質受容体Ａ（ＬＤＬＡ）ドメインを有する推定のＩＩ型膜貫通プロテアーゼである（Ｐａｏｌｏｎｉ−Ｇｉａｃｏｂｉｎｏら、１９９７）。プロテアーゼドメインは、カルボキシル末端に位置し、本明細書に記載されているように分泌されている。これらの特徴より、２０Ｐ１Ｆ１２／ＴＭＰＲＳＳ２タンパク質は細胞膜で発現されることができ、かつ他のタンパク質または低分子に対する受容体として機能できるという証拠が提供された。２０Ｐ１Ｆ１２／ＴＭＰＲＳＳ２プロテアーゼドメインは、ヘプシン、または卵巣癌において上方制御されるＩＩ型膜貫通プロテアーゼ（Ｌｅｙｔｕｓら、１９８８、Ｂｉｏｃｈｅｍｉｓｔｒｙ ２７：１０６７）に最も相同性がある（Ｙａｎら、１９９７、Ｃａｎｃｅｒ Ｒｅｓ． ５７：２８８４）。細胞成分分画研究により、ヘプシンが培養されたＨｅｐＧ２細胞の膜性の分画に限局化された（Ｔｓｕｊｉら、１９９１、Ｊ． Ｂｉｏｌ． Ｃｈｅｍ． ２６６：１６９４８〜１６９５３）。本明細書に提供されている研究より、前立腺癌および大腸癌において、２０Ｐ１Ｆ１２／ＴＭＰＲＳＳ２タンパク質の大部分がタンパク分解性に切断されかつ分泌されている。ＬＤＬＡおよびＳＲＣＲドメインを含む残存している領域は、まだ膜に結合している可能性が高く、例えば、プロテアーゼ阻害剤複合体の除去、結合および再利用に関与できるプロテアーゼドメインから独立して、細胞内成分についての受容体として機能できた（例えば、Ｔａｋｅｕｃｈｉら、ＰＮＡＳ：９６：１１０５４〜１１０６１（１９９９）を参照）。
【００３１】
２０Ｐ１Ｆ１２／ＴＭＰＲＳＳ２プロテアーゼの変異性不活性化より、プロテアーゼドメインの切断および放出がそれ自身の触媒活性の結果であることが示され、２０Ｐ１Ｆ１２／ＴＭＰＲＳＳ２がそれ自身の基質であることが証明されている（例えば、実施例１０を参照）。同様の自己触媒的切断はヘプシンについても観察された（Ｔｈｉｅｎ−Ｋｈａｉら、１９９７、Ｊ． Ｂｉｏｌ． Ｃｈｅｍ． ２７２（５０）：３１３１５〜３１３２０）。２０Ｐ１Ｆ１２／ＴＭＰＲＳＳ２の自己切断は２５５位のＡｒｇで起こり、その結果としてプロテアーゼドメインの放出が生じる。抗２０Ｐ１Ｆ１２／ＴＭＰＲＳＳ２ モノクローナル抗体を使用する組織染色研究より、そのタンパク質は小胞構造に集中し、正常および癌性の前立腺組織の腺管腔へ分泌されているという証拠が提供される。癌をもったマウスからの細胞培養培地および血清の分析により、２０Ｐ１Ｆ１２／ＴＭＰＲＳＳ２プロテアーゼが前立腺癌細胞により分泌されていることが立証された。これらのデータにより、放出された２０Ｐ１Ｆ１２／ＴＭＰＲＳＳ２プロテアーゼが前立腺癌およびおそらく大腸癌についての可能性のある血清の診断または予知のマーカーとして有用であるかもしれないこと、およびプロテアーゼドメインの切断が腫瘍増殖および浸潤に関係していることの証拠が提供される。正常組織構造の破壊と同様に、癌細胞の増殖および転移は、ＰＳＡのように、癌細胞の存在を示すことになる血清２０Ｐ１Ｆ１２／ＴＭＰＲＳＳ２レベルの上昇を生じうる。追加的データより、２０Ｐ１Ｆ１２／ＴＭＰＲＳＳ２はまた、膀胱、肺および卵巣癌、ならびに転移性癌についての血清の診断または予知のマーカーとして有用である可能性があることが示される。
【００３２】
本発明の一つの態様において、癌組織において発現される機能的２０Ｐ１Ｆ１２／ＴＭＰＲＳＳ２を特異的に認識する抗体が、癌組織における検出方法とともに、提供される。前立腺癌、大腸癌、膀胱癌、肺癌、および卵巣癌において発現される２０Ｐ１Ｆ１２／ＴＭＰＲＳＳ２タンパク質は自己触媒的切断を示す。このゆえに、セリンプロテアーゼ活性および切断部位は正常な活性を示しているものと思われる（図３４参照）；そのタンパク質のそれらの領域は、見たところでは、正常な活性を変化させる突然変異を有していない。このように、これらの癌において、ＴＭＰＲＳＳ２タンパク質は変異されず、その天然の立体配置を有しているものと思われる。
【００３３】
分泌される２０Ｐ１Ｆ１２／ＴＭＰＲＳＳ２プロテアーゼは、細胞外間隙に存在する増殖調節因子をプロセシングあるいは活性化することに関与している可能性がある。ＰＳＡおよびｈＫ２に関する最近の研究より、それらが、骨転移性前立腺癌の造骨細胞の応答において重要な増殖調節因子を活性化することに役割を果たしている可能性があることが示された（Ｋｏｅｎｅｍａｎら、１９９９、Ｐｒｏｓｔａｔｅ ３９：２４６〜２６１）。これらの因子の一つ、副甲状腺ホルモン関連性タンパク質（ＰＴＨｒＰ）は、インビボでの前立腺腫瘍増殖率を増加させ、かつＬＮＣａＰ細胞をアポトーシスから保護することが示された（Ｄｏｕｇｈｅｒｔｙら、１９９９、Ｃａｎｃｅｒ Ｒｅｓ． ５９：６０１５〜６０２２）。２０Ｐ１Ｆ１２／ＴＭＰＲＳＳ２は、ＰＴＨｒＰならびに／または前立腺癌および／もしくは大腸癌の増殖に影響を及ぼしうる他の因子を活性化することができるかどうかは、あとになってみないとわからない。２０Ｐ１Ｆ１２／ＴＭＰＲＳＳ２の発現パターンおよび限局化が、それを前立腺癌および大腸癌における治療にとってのあらかじめ評価されていない標的にさせる。
【００３４】
本発明は、一部分、サプレッションサブトラクションハイブリダイゼーションクローニングによる２０Ｐ１Ｆ１２／ＴＭＰＲＳＳ２遺伝子に対応するｃＤＮＡ断片の単離および実施例において記載されている詳細な分子生化学的特徴付け研究に基づいている。最初に単離されたｃＤＮＡ断片、クローン２０Ｐ１Ｆ１２は、最近記載されているＴＭＰＲＳＳ２をコードする完全長ｃＤＮＡの３’非翻訳配列の重複部分に同一性を示した。２０Ｐ１Ｆ１２に対応する遺伝子を特異的に増幅するために設計されたプライマーは、その後、前立腺癌異種移植、正常な前立腺、ならびに様々な他の正常および癌性の組織における２０Ｐ１Ｆ１２／ＴＭＰＲＳＳ２発現を特徴付けするために使用された。完全２０Ｐ１Ｆ１２／ＴＭＰＲＳＳ２遺伝子を含む完全長ｃＤＮＡは、別々のライブラリーから独立して単離され、これらのクローンから同定された全コード配列は本明細書に提供されている（例えば、図１参照）。
【００３５】
新規な２０Ｐ１Ｆ１２／ＴＭＰＲＳＳ２遺伝子（本明細書では、２０Ｐ１Ｆ１２−ＧＴＣ１とも呼ばれる）のヌクレオチドおよび導き出されるアミノ酸配列を図１に示す。２０Ｐ１Ｆ１２−ＧＴＣ１／ＴＭＰＲＳＳ２遺伝子によりコードされるアミノ酸配列において、以前報告されたＴＭＰＲＳＳ２配列と比較して、重要な違いがある（図３におけるアミノ酸アラインメントを参照）。例えば、プロテアーゼドメイン中に４個のアミノ酸の違いがあり、そのうちの３個は保存されていないアミノ酸の違いであり、かつプロテアーゼの機能および／または特異性に影響を及ぼしうる。本出願人らの新規２０Ｐ１Ｆ１２／ＴＭＰＲＳＳ２タンパク質は、本明細書の実施例においてさらに記載されているように、詳細にわたり特徴付けられた。２０Ｐ１Ｆ１２／ＴＭＰＲＳＳ２タンパク質は、分泌性Ｃ末端プロテアーゼドメインを有するグリコシル化ＩＩ型膜貫通タンパク質である。
【００３６】
２０Ｐ１Ｆ１２／ＴＭＰＲＳＳ２遺伝子はアンドロゲン制御性である。興味深いことに、前立腺癌において、アンドロゲン制御およびアンドロゲン不応状態の発生は腫瘍性進行の重要な局面であり、アンドロゲン非依存性増殖は転移性疾患に関連している。さらに、アンドロゲン受容体遺伝子増幅は、ホルモン不応性前立腺癌において組織ＰＳＡタンパク質発現を増加させることが知られている（例えば、Ｋｏｉｖｉｓｔｏら、Ｊ． Ｐａｔｈｏｌｏ． １８９（２）：２１９〜２２３（１９９９）； Ｋｏｉｖｉｓｔｏら、Ａｍ． Ｊ． Ｐａｔｈｏｌ． １５２（１）：１〜９（１９９８）を参照）。２０Ｐ１Ｆ１２／ＴＭＰＲＳＳ２タンパク質は細胞表面で検出可能である。２０Ｐ１Ｆ１２／ＴＭＰＲＳＳ２の発現は、進行型および転移性疾患における高レベルの発現を含め、前立腺癌においても観察される。さらに、２０Ｐ１Ｆ１２は、大腸癌において過剰発現されているように思われ、他の癌においても発現されている可能性がある（例えば、図５Ｄを参照）。
【００３７】
本出願人らの２０Ｐ１Ｆ１２／ＴＭＰＲＳＳ２遺伝子（図１）と以前報告された配列（図２）との間の構造上の違いに加えて、本出願人らの発現解析の結果は、パオロニ−ギアコビーノ（Ｐａｏｌｏｎｉ−Ｇｉａｃｏｂｉｎｏ）らにより報告された結果に反する。また、転移性癌と同様に、前立腺癌、大腸癌、膀胱癌、卵巣癌および肺癌に関して、本明細書に開示されたデータは、ＴＭＰＲＳＳ２タンパク質が悪性組織において発現され続けるというワング（Ｗｏｎｇ）ら（２０００年１２月２６日発行の米国特許第６．１６６，１９４号）の主張に反する。さらに、そのプロテアーゼとしての持続される機能を根拠にすれば、ＴＭＰＲＳＳ２はその天然の立体配置を維持し続けているように思われる。特に、１６個の正常組織におけるＲＴ−ＰＣＲによる２０Ｐ１Ｆ１２／ＴＭＰＲＳＳ２遺伝子発現の本出願人らの解析より、前立腺において最高レベルの発現があり、大腸、膵臓、腎臓、肝臓および肺においては実質的により低いレベルが検出され、かつ小腸においては検出可能な発現はないことが示されている（図５、パネルＢおよびＣ）。ノーザンブロットによる前立腺において検出された発現レベルは、極低量レベルのみ発現が検出されたこれらの他の組織と比較して非常に高いが（図６）、同様の結果がノーザンブロット解析で得られた。また、表１に示されているように、免疫組織化学分析より、前立腺および膵臓において２０Ｐ１Ｆ１２／ＴＭＰＲＳＳ２タンパク質発現が示されている。さらに、２０Ｐ１Ｆ１２／ＴＭＰＲＳＳ２の発現パターン（図６に示されているデータのような）が、他の研究員により確証された（例えば、Ｌｉｎら、Ｃａｎｃｅｒ Ｒｅｓ． １９９９， ５９（１７）：４１８０〜４１８４）。
【００３８】
発現解析によりまた、すべての試験用の前立腺癌異種移植において２０Ｐ１Ｆ１２／ＴＭＰＲＳＳ２の高レベルの発現が示され、正常な前立腺においてはほぼ同レベルで見られる（図５、パネルＡ）。ノーザンブロット解析は同様の結果を示すが、ＬＡＰＣ−４異種移植および正常前立腺と比較して、ＬＡＰＣ−９異種移植において検出される発現はいくぶん低いレベルである；発現はまた、いくつかの分析用の前立腺癌細胞株においても検出される（図７）。２０Ｐ１Ｆ１２／ＴＭＰＲＳＳ２遺伝子はまた、一部の前立腺癌細胞株においても発現されている（図７）。これらの結果より、２０Ｐ１Ｆ１２／ＴＭＰＲＳＳ２遺伝子は、前立腺癌の発生および／または進行に関与している可能性がある、主に前立腺特異的遺伝子である。また、ある大腸癌細胞株において、ノーザンブロットにより２０Ｐ１Ｆ１２／ＴＭＰＲＳＳ２の高レベル発現が検出された（図７）。さらに、ある前立腺癌および大腸癌試料において、免疫組織化学分析により２０Ｐ１Ｆ１２／ＴＭＰＲＳＳ２の高レベル発現が検出された（例えば、図１７および表１を参照）。表１はさらに、抗−２０Ｐ１Ｆ１２／ＴＭＰＲＳＳ２を癌組織と非癌組織において２０Ｐ１Ｆ１２／ＴＭＰＲＳＳ２の主な染色限局化での違いを同定するために使用することができることを示す。表１のこのデータは、本明細書に示されている他のデータと矛盾がなく、２０Ｐ１Ｆ１２／ＴＭＰＲＳＳ２が浸潤および転移において生理的役割を有する分泌性分子であることを示す。結果として、このデータより、前立腺癌、膀胱癌、卵巣癌、肺癌および大腸癌、ならびに転移性癌における２０Ｐ１Ｆ１２／ＴＭＰＲＳＳ２の発現は、これらの癌を検出、診断、予知および／または治療のための分子的根拠を供給できるという証拠が提供される。
【００３９】
このように、本発明は、図１に示されるようなヌクレオチドおよびコードされたアミノ酸配列を有する、独特かつ有用な２０Ｐ１Ｆ１２／ＴＭＰＲＳＳ２遺伝子（およびタンパク質）を提供する。本明細書に開示される２０Ｐ１Ｆ１２／ＴＭＰＲＳＳ２ ｃＤＮＡ配列のすべてまたは一部に対応するヌクレオチドプローブが提供され、２０Ｐ１Ｆ１２／ＴＭＰＲＳＳ２遺伝子配列のすべてまたは一部をコードする他のｃＤＮＡを単離または同定するために使用されうる。本発明はさらに、２０Ｐ１Ｆ１２／ＴＭＰＲＳＳ２遺伝子またはそのＲＮＡ転写物を特異的に増幅することができるプライマーを提供した。本発明はさらに、２０Ｐ１Ｆ１２／ＴＭＰＲＳＳ２遺伝子産物のコード配列を含む単離されたポリヌクレオチドを提供する。そのようなポリヌクレオチドは、多数のさらなる用途をもつ、２０Ｐ１Ｆ１２／ＴＭＰＲＳＳ２コードされるタンパク質およびペプチドを発現するために使用されうる。２０Ｐ１Ｆ１２／ＴＭＰＲＳＳ２遺伝子プローブおよびプライマーはまた、２０Ｐ１Ｆ１２／ＴＭＰＲＳＳ２を発現する癌細胞および他の細胞を検出するために、腫瘍ワクチンを産生するために、かつ前立腺癌、膀胱癌、卵巣癌、肺癌および大腸癌、ならびに転移性癌のための分子的診断および予知のアッセイ法において、様々な生体試料での２０Ｐ１Ｆ１２／ＴＭＰＲＳＳ２ ｍＲＮＡの存在または非存在を検出するために使用されうる。２０Ｐ１Ｆ１２／ＴＭＰＲＳＳ２遺伝子に対応するまたは相補的なポリヌクレオチドは、例えば、２０Ｐ１Ｆ１２／ＴＭＰＲＳＳ２生物学的活性を調節することにおいてなど、前立腺癌、膀胱癌、卵巣癌、肺癌、腎臓癌および大腸癌、ならびに転移性癌を治療するための方法において有用である可能性がある。
【００４０】
より具体的には、本発明の実施において有用な２０Ｐ１Ｆ１２／ＴＭＰＲＳＳ２ポリヌクレオチドは、図１（配列番号：１）に示されるヒト２０Ｐ１Ｆ１２／ＴＭＰＲＳＳ２のヌクレオチド配列もしくは図２（配列番号：３）に示される以前に報告されたＴＭＰＲＳＳ２のヌクレオチド配列を有するポリヌクレオチド、前記のもののいずれかに相補的な配列、または前記のもののいずれかのポリヌクレオチド断片を含みうる。もう一つの態様は、図１（配列番号：２）に示される２０Ｐ１Ｆ１２／ＴＭＰＲＳＳ２タンパク質アミノ酸配列をコードするポリヌクレオチド、それに対して相補的な配列、またはそれらのポリヌクレオチド断片を含む。もう一つの態様は、図１（配列番号：１）に示される２０Ｐ１Ｆ１２／ＴＭＰＲＳＳ２ ｃＤＮＡまたはそれらのポリヌクレオチド断片にストリンジェントなハイブリダイゼーション条件下でハイブリダイズすることができるポリヌクレオチドを含む。
【００４１】
２０Ｐ１Ｆ１２／ＴＭＰＲＳＳ２ポリヌクレオチドの典型的態様は、図１に示される配列を有する２０Ｐ１Ｆ１２／ＴＭＰＲＳＳ２ポリヌクレオチドである。２０Ｐ１Ｆ１２／ＴＭＰＲＳＳ２ポリヌクレオチドは、図１に示されるヒト２０Ｐ１Ｆ１２／ＴＭＰＲＳＳ２のヌクレオチド配列を有するポリヌクレオチド（ＴはまたＵでもありうる）；２０Ｐ１Ｆ１２／ＴＭＰＲＳＳ２タンパク質のすべてまたは部分をコードするポリヌクレオチド；前記のものに相補的な配列；または前記のもののいずれかのポリヌクレオチド断片を含んでもよい。もう一つの態様は、図１に示される、ヌクレオチド残基１１４位からヌクレオチド残基１５８９位までの、ＴはまたＵでもありうる、配列を有するポリヌクレオチドを含む。もう一つの態様は、配列がＡＴＣＣ指定番号（Ｄｅｓｉｇｎａｔｉｏｎ Ｎｕｍｂｅｒ）２０７０９７を与えられたアメリカンタイプカルチャーコレクション（Ａｍｅｒｉｃａｎ Ｔｙｐｅ Ｃｕｌｔｕｒｅ Ｃｏｌｌｅｃｔｉｏｎ）に寄託されたプラスミドに含まれるｃＤＮＡによりコードされる２０Ｐ１Ｆ１２／ＴＭＰＲＳＳ２ポリペプチドをコードするポリヌクレオチドを含む。
【００４２】
本明細書に開示される本発明の典型的態様は、タンパク質およびそれの断片をコードするもののような２０Ｐ１Ｆ１２／ＴＭＰＲＳＳ２ ｍＲＮＡ配列（およびそのような配列に相補的なもの）の特定部分含有２０Ｐ１Ｆ１２／ＴＭＰＲＳＳ２ポリヌクレオチドを含む。例えば、本明細書に開示される本発明の代表的態様は、以下のものを含む：図１に示される２０Ｐ１Ｆ１２／ＴＭＰＲＳＳ２タンパク質のアミノ酸約１位からアミノ酸約１０位までをコードするポリヌクレオチド、図１に示される２０Ｐ１Ｆ１２／ＴＭＰＲＳＳ２タンパク質のアミノ酸約２０位からアミノ酸約３０位までをコードするポリヌクレオチド、図１に示される２０Ｐ１Ｆ１２／ＴＭＰＲＳＳ２タンパク質のアミノ酸約３０位からアミノ酸約４０位までをコードするポリヌクレオチド、図１に示される２０Ｐ１Ｆ１２／ＴＭＰＲＳＳ２タンパク質のアミノ酸約４０位からアミノ酸約５０位までをコードするポリヌクレオチド、図１に示される２０Ｐ１Ｆ１２／ＴＭＰＲＳＳ２タンパク質のアミノ酸約５０位からアミノ酸約６０位までをコードするポリヌクレオチド、図１に示される２０Ｐ１Ｆ１２／ＴＭＰＲＳＳ２タンパク質のアミノ酸約６０位からアミノ酸約７０位までをコードするポリヌクレオチド、図１に示される２０Ｐ１Ｆ１２／ＴＭＰＲＳＳ２タンパク質のアミノ酸約７０位からアミノ酸約８０位までをコードするポリヌクレオチド、図１に示される２０Ｐ１Ｆ１２／ＴＭＰＲＳＳ２タンパク質のアミノ酸約８０位からアミノ酸約９０位までをコードするポリヌクレオチド、図１に示される２０Ｐ１Ｆ１２／ＴＭＰＲＳＳ２タンパク質のアミノ酸約９０位からアミノ酸約１００位までをコードするポリヌクレオチドなど。このスキームに従い、２０Ｐ１Ｆ１２／ＴＭＰＲＳＳ２タンパク質のアミノ酸１００位〜４９２位のアミノ酸配列部分をコードするポリヌクレオチドは本発明の典型的態様である。２０Ｐ１Ｆ１２／ＴＭＰＲＳＳ２タンパク質のより大きい部分をコードするポリヌクレオチドもまた企図されている。例えば、図１に示される２０Ｐ１Ｆ１２／ＴＭＰＲＳＳ２タンパク質のアミノ酸約１位（または２０位または３０位または４０位など）からアミノ酸約２０位（または３０位または４０位または５０位など）までをコードするポリヌクレオチドは、当技術分野においてよく知られている様々な技術により作製されうる。
【００４３】
２０Ｐ１Ｆ１２／ＴＭＰＲＳＳ２ポリヌクレオチドの追加の例示的態様として、図１に示される、ヌクレオチド残基約１番からヌクレオチド残基約５００番、ヌクレオチド残基約５００番からヌクレオチド残基約１０００番、ヌクレオチド残基約１０００番からヌクレオチド残基約１５００番、ヌクレオチド残基約１５００番からヌクレオチド残基約１７４０番の配列を有するポリヌクレオチドからなる態様を含む。本明細書に開示される本発明の追加の例示的態様として、２０Ｐ１Ｆ１２／ＴＭＰＲＳＳ２タンパク質内に含まれ、かつ下記で論議されている生物学的モチーフの１つまたは複数をコードする２０Ｐ１Ｆ１２／ＴＭＰＲＳＳ２ポリヌクレオチド断片を含む。
【００４４】
無制御の細胞増殖の検出に加えて、前の段落のポリヌクレオチドは多数の異なる特定の用途をもつ。例えば、ヒト２０Ｐ１Ｆ１２／ＴＭＰＲＳＳ２遺伝子は染色体２１ｑ２２に遺伝子座を決定しているため、２０Ｐ１Ｆ１２／ＴＭＰＲＳＳ２タンパク質の異なる領域をコードするポリヌクレオチドは、様々な癌に関連しているとして同定された染色体２１、バンドｑ２２における細胞遺伝学的異常を特徴付けするために使用されうる。特に、再編成を含む２１ｑ２２における様々な染色体異常は、多数の異なる癌において高頻度の細胞遺伝学的異常として同定された（例えば、Ｓｉｍｐｓｏｎら、１９９７、Ｏｎｃｏｇｅｎｅ， １４（８）：２１４９〜２１５７； Ｄｅｓｍａｚｅら、１９９７、Ｃａｎｃｅｒ Ｇｅｎｅｔ． Ｃｙｔｏｇｅｎｅｔ． ９７（１）：１２〜１９を参照）。従って、２０Ｐ１Ｆ１２／ＴＭＰＲＳＳ２タンパク質の特定領域をコードするポリヌクレオチドは、悪性の表現型の一因となりうる染色体２１のこの領域における細胞遺伝学的異常の特有の性質を、以前可能であったものより、より高度な正確さをもって明確に表すために使用されうる新しい手段を提供する。このような関係において、これらのポリヌクレオチドは、より微妙でかつあまりありがちではない染色体異常を同定するために染色体スクリーニングの感度を拡大することの当技術分野における必要性を満たす（例えば、Ｅｖａｎｓら、１９９４、Ａｍ． Ｊ． Ｏｂｓｔｅｔ． Ｇｙｎｅｃｏｌ． １７１（４）：１０５５〜１０５７を参照）。
【００４５】
本発明のこの局面の範囲内には、天然資源由来であろうと合成されているものであろうと、代替のバックボーンに基づくまたは代替の塩基を含む核酸分子も同様に、ゲノムＤＮＡ、ｃＤＮＡ、リボザイム、およびアンチセンス分子が含まれる。例えば、アンチセンス分子は、ペプチド核酸（ＰＮＡ）または塩基対依存性様式においてＤＮＡまたはＲＮＡを特異的に結合するホスホロチオネート誘導体のような非核酸分子を含む、ＲＮＡまたは他の分子であってもよい。当業者は、本明細書に開示される２０Ｐ１Ｆ１２／ＴＭＰＲＳＳ２ポリヌクレオチドおよびポリヌクレオチド配列を用いて、これらの核酸分子クラスを容易に得ることができる。例えば、アンチセンス技術は、細胞内に位置する標的ポリヌクレオチドに結合する外因性オリゴヌクレオチドの投与を必要とする。「アンチセンス」という用語は、そのようなオリゴヌクレオチドが、例えば、２０Ｐ１Ｆ１２／ＴＭＰＲＳＳ２のようなそれらの細胞内標的に相補的であるという事実を指す。例えば、ジャック　コーヘン（Ｊａｃｋ Ｃｏｈｅｎ）、１９８８、「オリゴデオキシヌクレオチド、遺伝子発現のアンチセンス阻害剤（ＯＬＩＧＯＤＥＯＸＹＮＵＣＬＥＯＴＩＤＥＳ， Ａｎｔｉｓｅｎｓｅ Ｉｎｈｉｂｉｔｏｒｓ ｏｆ Ｇｅｎｅ Ｅｘｐｒｅｓｓｉｏｎ）」、ＣＲＣプレス（ＣＲＣ Ｐｒｅｓｓ）；およびＳｙｎｔｈｅｓｉｓ １：１〜５（１９８８）を参照。本発明の２０Ｐ１Ｆ１２／ＴＭＰＲＳＳ２アンチセンスオリゴヌクレオチドは、増強された癌細胞増殖抑制作用を示すＳ−オリゴヌクレオチド（ホスホロチオネート誘導体またはＳ−オリゴ、前記Ｊａｃｋ Ｃｏｈｅｎを参照）のような誘導体を含む。Ｓ−オリゴ（ヌクレオシドホスホロチオネート）は、リン酸基の架橋されていない酸素原子がイオウ原子に置換されている、オリゴヌクレオチド（Ｏ−オリゴ）の等電子類似体である。本発明のＳ−オリゴは、対応するＯ−オリゴをイオウ転移試薬である、３Ｈ−１，２−ベンゾジチオール−３−オン−１，１−ジオキシド（３Ｈ−１，２−ｂｅｎｚｏｄｉｔｈｉｏｌ−３−ｏｎｅ−１，１−ｄｉｏｘｉｄｅ）での処理により調整してもよい。イヤー， Ｒ． Ｐ．（Ｉｙｅｒ， Ｒ． Ｐ．）ら、１９９０、Ｊ． Ｏｒｇ． Ｃｈｅｍ． ５５：４６９３〜４６９８；およびイヤー， Ｒ． Ｐ．（Ｉｙｅｒ， Ｒ． Ｐ．）ら、１９９０、Ｊ． Ａｍ． Ｃｈｅｍ． Ｓｏｃ． １１２：１２５３〜１２５４を参照、これらの開示は本明細書に参照として完全に組み入れられている。実施例１４に記載され、および図３０および図３１に示されるように、本発明の追加の２０Ｐ１Ｆ１２／ＴＭＰＲＳＳ２アンチセンスオリゴヌクレオチドは、当技術分野において公知のモルホリノアンチセンスオリゴヌクレオチドを含む（例えば、Ｐａｒｔｒｉｄｇｅら、１９９６、Ａｎｔｉｓｅｎｓｅ ＆ Ｎｕｃｌｅｉｃ Ａｃｉｄ Ｄｒｕｇ Ｄｅｖｅｌｏｐｍｅｎｔ ６：１６９〜１７５を参照）。
【００４６】
本発明のこの局面のさらに特定的態様として、本発明のポリヌクレオチドまたはそれの任意の特定部分を特異的に増幅することができるプライマーおよびプライマー対、ならびに本発明の核酸分子またはそれの任意の部分に選択的または特異的にハイブリダイズするプローブを含む。プローブは、例えば、放射性同位元素、蛍光化合物、生物発光化合物、化学発光化合物、金属キレート化剤または酵素のような、検出可能なマーカーで標識されてもよい。そのようなプローブおよびプライマーは、試料中の２０Ｐ１Ｆ１２／ＴＭＰＲＳＳ２ポリヌクレオチドの存在を検出するために、および２０Ｐ１Ｆ１２／ＴＭＰＲＳＳ２タンパク質を発現している細胞を検出するための手段として使用されうる。そのようなプローブの例は、図１（配列番号：１）に示されるヒト２０Ｐ１Ｆ１２／ＴＭＰＲＳＳ２ ｃＤＮＡ配列のすべてまたは部分を含むポリヌクレオチドである。２０Ｐ１Ｆ１２／ＴＭＰＲＳＳ２ ｍＲＮＡを特異的に増幅することができるプライマー対の例はまた、以下の実施例において記載されている。当業者により理解されるものと思われるが、本明細書に提供される配列に基づき、非常に多くの異なるプライマーおよびプローブが調整されうり、かつ２０Ｐ１Ｆ１２／ＴＭＰＲＳＳ２ ｍＲＮＡを増幅、クローニングおよび／または検出するために効率的に使用されうる。
【００４７】
本発明の２０Ｐ１Ｆ１２／ＴＭＰＲＳＳ２ポリヌクレオチドは様々な目的のために有用であり、それらの使用に限定されるものではないが、２０Ｐ１Ｆ１２／ＴＭＰＲＳＳ２遺伝子、ｍＲＮＡ、またはそれの断片の増幅および／または検出のためのプローブおよびプライマーとして；前立腺癌、膀胱癌、卵巣癌、肺癌、腎臓癌および大腸癌、ならびに転移性癌の診断および／または予知のための試薬として；２０Ｐ１Ｆ１２／ＴＭＰＲＳＳ２ポリペプチドの発現を指示することができるコード配列として；２０Ｐ１Ｆ１２／ＴＭＰＲＳＳ２遺伝子の発現および／または２０Ｐ１Ｆ１２／ＴＭＰＲＳＳ２転写の翻訳を調節または抑制するための手段として；および治療的薬剤としての使用を含む。
【００４８】
本発明はまた、例えば、膜結合性および分泌性断片のような２０Ｐ１Ｆ１２／ＴＭＰＲＳＳ２の様々な部分に対する抗体を産生するために使用されうる２０Ｐ１Ｆ１２／ＴＭＰＲＳＳ２タンパク質およびポリペプチドを提供する。これらの膜結合性または分泌性断片についての抗体スクリーニング試験および他のスクリーニング試験は、癌の診断およびステージングのために、または治療の効力の評価のために使用されうる。本発明はまた、例えば、癌ワクチンとして使用されうる２０Ｐ１Ｆ１２／ＴＭＰＲＳＳ２タンパク質およびポリペプチドを提供する。タンパク質を認識する抗体は様々なサイズのエピトープに結合し、かつ、近接するまたはしていない約６個のアミノ酸のオーダーの群が最小限のエピトープにおけるアミノ酸の典型的な数として考えられていることを当業者は理解している。ヘッベス（Ｈｅｂｂｅｓ）ら、Ｍｏｌ． Ｉｍｍｕｎｏｌ． １９８９年９月； ２６（９）：８６５〜８７３； シュワルツ（Ｓｃｈｗａｒｔｚ）ら、Ｊ． Ｉｍｍｕｎｏｌ． １９８５年１０月； １３５（４）：２５９８〜２６０８を参照。図１に示されるポリペプチド配列にそって走査し、例示としてのポリペプチドは、例えば、図１に示される２０Ｐ１Ｆ１２／ＴＭＰＲＳＳ２配列の少なくとも約６個のアミノ酸含有ポリペプチドを含む２０Ｐ１Ｆ１２／ＴＭＰＲＳＳ２タンパク質のいずれかの部分に対する抗体を産生するために使用されうる。
【００４９】
本発明の実施において使用されうるポリペプチド（例えば、免疫原としてまたは浸潤のモジュレーターとして）は、典型的には、１６５位のバリンを含む、図１に示される２０Ｐ１Ｆ１２／ＴＭＰＲＳＳ２配列の少なくとも約６個のアミノ酸含有ポリペプチド；２４２位のイソロイシンを含む、図１に示される２０Ｐ１Ｆ１２／ＴＭＰＲＳＳ２配列の少なくとも約６個のアミノ酸含有ポリペプチド；３２９位のグルタミン酸を含む、図１に示される２０Ｐ１Ｆ１２／ＴＭＰＲＳＳ２配列の少なくとも約６個のアミノ酸含有ポリペプチド；４４９位のリシンを含む、図１に示される２０Ｐ１Ｆ１２／ＴＭＰＲＳＳ２配列の少なくとも約６個のアミノ酸含有ポリペプチド；４８９位のアルギニンを含む、図１に示される２０Ｐ１Ｆ１２／ＴＭＰＲＳＳ２配列の少なくとも約６個のアミノ酸含有ポリペプチド；および／または４９１位のアスパラギン酸を含む、図１に示される２０Ｐ１Ｆ１２／ＴＭＰＲＳＳ２配列の少なくとも約６個のアミノ酸含有ポリペプチドからなる。選択的には、そのような例示的ポリペプチドの態様は、例えば、１位のメチオニンなど、図１に示される他のアミノ酸のいずれか一つを含む。
【００５０】
さらに密接に関連する態様は、以下のものを含む：１６５位のバリンを含む、図１に示される２０Ｐ１Ｆ１２／ＴＭＰＲＳＳ２配列の少なくとも約６個のアミノ酸をコードする単離されたポリヌクレオチド；２４２位のイソロイシンを含む、図１に示される２０Ｐ１Ｆ１２／ＴＭＰＲＳＳ２配列の少なくとも約６個のアミノ酸をコードするポリヌクレオチド；３２９位のグルタミン酸を含む、図１に示される２０Ｐ１Ｆ１２／ＴＭＰＲＳＳ２配列の少なくとも約６個のアミノ酸をコードするポリヌクレオチド；４４９位のリシンを含む、図１に示される２０Ｐ１Ｆ１２／ＴＭＰＲＳＳ２配列の少なくとも約６個のアミノ酸をコードするポリヌクレオチド；４８９位のアルギニンを含む、図１に示される２０Ｐ１Ｆ１２／ＴＭＰＲＳＳ２配列の少なくとも約６個のアミノ酸をコードするポリヌクレオチドおよび／または４９１位のアスパラギン酸を含む、図１に示される２０Ｐ１Ｆ１２／ＴＭＰＲＳＳ２配列の少なくとも約６個のアミノ酸をコードするポリヌクレオチド。選択的には、そのような例示的ポリペプチドの態様は、例えば、１位のメチオニンなど、図１に示される他のアミノ酸のいずれか一つをコードする。
【００５１】
本明細書に開示される本発明の態様は、アミノ酸の挿入、欠失および置換を有するポリペプチドのような広く種々の技術を受け入れた２０Ｐ１Ｆ１２／ＴＭＰＲＳＳ２タンパク質の変異体を含む。２０Ｐ１Ｆ１２／ＴＭＰＲＳＳ２変異体は、部位特異的突然変異誘発、アラニンスキャニング、およびＰＣＲ突然変異誘発のような当技術分野において公知の方法を用いて作製されうる。部位特異的突然変異誘発（Ｃａｒｔｅｒら、１９８６、Ｎｕｃｌ． Ａｃｉｄｓ Ｒｅｓ． １３：４３３１； Ｚｏｌｌｅｒら、１９８７、Ｎｕｃｌ． Ａｃｉｄｓ Ｒｅｓ． １０：６４８７）、カセット突然変異誘発（Ｗｅｌｌｓら、１９８５、Ｇｅｎｅ ３４：３１５）、制限選択突然変異誘発（Ｗｅｌｌｓら、１９８６、Ｐｈｉｌｏｓ． Ｔｒａｎｓ． Ｒ． Ｓｏｃ． Ｌｏｎｄｏｎ Ｓｅｒ． Ａ， ３１７：４１５）または他の公知技術がクローン化されたＤＮＡに行われて２０Ｐ１Ｆ１２／ＴＭＰＲＳＳ２変異体ＤＮＡを作製できる。スキャニングアミノ酸分析はまた、近接する配列にそって１つまたは複数のアミノ酸を同定するために使用されうる。好ましいスキャニングアミノ酸といえるのは、相対的に小さく、中性のアミノ酸である。そのようなアミノ酸には、アラニン、グリシン、セリン、およびシステインを含む。アラニンは、β炭素を越える側鎖を除去し、かつ変異体の主鎖立体配置を変化させる可能性はほとんどないため、このグループの中では典型的に好ましいスキャニングアミノ酸である。アラニンはまた、最もありふれたアミノ酸であるため、典型的に好ましい。さらに、それは、埋もれた位置および露出された位置の両方において頻繁に見出される（Ｃｒｅｉｇｈｔｏｎ、「タンパク質（Ｔｈｅ Ｐｒｏｔｅｉｎｓ）」、（Ｗ． Ｈ． フリーマン＆ Ｃｏ．（Ｗ． Ｈ． Ｆｒｅｅｍａｎ ＆ Ｃｏ．）、Ｎ． Ｙ．）； Ｃｈｏｔｈｉａ， １９７６， Ｊ． Ｍｏｌ． Ｂｉｏｌ．， １５０：１）。アラニン置換が十分な量の変異体を生成しない場合には、等配電子のアミノ酸が使用されうる。
【００５２】
上記で論議されているように、主張する本発明の態様は、図１に示される２０Ｐ１Ｆ１２／ＴＭＰＲＳＳ２タンパク質の４９２個のアミノ酸配列より少ないものを含有するポリペプチド（およびそのようなポリペプチドをコードするポリヌクレオチド）を含む。例えば、本明細書に開示される本発明の代表的態様は、図１に示される２０Ｐ１Ｆ１２／ＴＭＰＲＳＳ２タンパク質のアミノ酸約１位からアミノ酸約１０位までからなるポリペプチド、図１に示される２０Ｐ１Ｆ１２／ＴＭＰＲＳＳ２タンパク質のアミノ酸約２０位からアミノ酸約３０位までからなるポリペプチド、図１に示される２０Ｐ１Ｆ１２／ＴＭＰＲＳＳ２タンパク質のアミノ酸約３０位からアミノ酸約４０位までからなるポリペプチド、図１に示される２０Ｐ１Ｆ１２／ＴＭＰＲＳＳ２タンパク質のアミノ酸約４０位からアミノ酸約５０位までからなるポリペプチド、図１に示される２０Ｐ１Ｆ１２／ＴＭＰＲＳＳ２タンパク質のアミノ酸約５０位からアミノ酸約６０位までからなるポリペプチド、図１に示される２０Ｐ１Ｆ１２／ＴＭＰＲＳＳ２タンパク質のアミノ酸約６０位からアミノ酸約７０位までからなるポリペプチド、図１に示される２０Ｐ１Ｆ１２／ＴＭＰＲＳＳ２タンパク質のアミノ酸約７０位からアミノ酸約８０位までからなるポリペプチド、図１に示される２０Ｐ１Ｆ１２／ＴＭＰＲＳＳ２タンパク質のアミノ酸約８０位からアミノ酸約９０位までからなるポリペプチドおよび図１に示される２０Ｐ１Ｆ１２／ＴＭＰＲＳＳ２タンパク質のアミノ酸約９０位からアミノ酸約１００位までからなるポリペプチドなどを含む。このスキームに従い、２０Ｐ１Ｆ１２／ＴＭＰＲＳＳ２タンパク質のアミノ酸１００位〜４９２位のアミノ酸配列の部分からなるポリペプチドは本発明の典型的態様である。２０Ｐ１Ｆ１２／ＴＭＰＲＳＳ２タンパク質のより大きい部分からなるポリペプチドもまた企図されている。例えば、図１に示される２０Ｐ１Ｆ１２／ＴＭＰＲＳＳ２タンパク質のアミノ酸約１位（または２０位または３０位または４０位など）からアミノ酸約２０位（または３０位または４０位または５０位など）までからなるポリペプチドは、当技術分野においてよく知られている様々な技術により作製されうる。
【００５３】
本明細書に開示される本発明の追加の例示的態様は、例えば、図３Ｂに示される２０Ｐ１Ｆ１２／ＴＭＰＲＳＳ２ポリペプチド配列内に含有される１つまたは複数のドメインのアミノ酸残基含有２０Ｐ１Ｆ１２／ＴＭＰＲＳＳ２ポリペプチド（およびこれらのポリペプチドをコードするポリヌクレオチド）を含む。一つの態様において、本発明の典型的ポリペプチドは、アミノ酸約１位からアミノ酸約８４位までの細胞質ドメインを含みうる。もう一つの態様において、本発明の典型的ポリペプチドは、アミノ酸約８４位からアミノ酸約１０６位までの膜貫通ドメインを含みうる。もう一つの態様において、本発明の典型的ポリペプチドは、アミノ酸約１１３位からアミノ酸約１４８位までのＬＤＬＲＡドメインを含みうる。もう一つの態様において、本発明の典型的ポリペプチドは、アミノ酸約１４９位からアミノ酸約２４２位までのＳＲＣＲドメインを含みうる。もう一つの態様において、本発明の典型的ポリペプチドは、アミノ酸約２５５位からアミノ酸約４９２位までのプロテアーゼドメインを含みうる。
【００５４】
本明細書に開示される本発明の追加の例示的態様は、図１に示される２０Ｐ１Ｆ１２／ＴＭＰＲＳＳ２ポリペプチド配列内に含有される１つまたは複数の生物学的モチーフのアミノ酸残基含有２０Ｐ１Ｆ１２／ＴＭＰＲＳＳ２ポリペプチド（およびこれらのポリペプチドをコードするポリヌクレオチド）を含む。一つの態様において、本発明の典型的ポリペプチドは、残基２１３位〜２１６位のＮＴＳＡおよび／または残基２４９位〜２５２位のＮＳＳＲのような１つまたは複数の２０Ｐ１Ｆ１２／ＴＭＰＲＳＳ２のＮ−グリコシル化部位を含みうる。もう一つの態様において、本発明の典型的ポリペプチドは、残基７８位〜８０位のＴＳＫ、残基４４７位〜４４９位のＴＳＫ、残基８１位〜８３位のＴＫＫ、残基１６３位〜１６５位のＳＱＲ、残基２３２位〜２３４位のＳＳＫ、残基２３８位〜２４０位のＳＬＲ、残基２５０位〜２５２位のＳＳＲ、および／または残基４０７位〜４０９位のＴＱＲのような１つまたは複数の２０Ｐ１Ｆ１２／ＴＭＰＲＳＳ２プロテインキナーゼＣリン酸化部位を含みうる。もう一つの態様において、本発明の典型的ポリペプチドは、残基３５位〜３８位のＴＶＹＥ、残基１１６位〜１１９位のＳＧＩＥおよび／または残基３５６位〜３５９位のＴＦＮＤのような１つまたは複数の２０Ｐ１Ｆ１２／ＴＭＰＲＳＳ２カゼインキナーゼＩＩリン酸化部位を含みうる。もう一つの態様において、本発明の典型的ポリペプチドは、残基６位〜１１位のＧＳＰＰＡＩ、残基７４位〜７９位のＧＴＶＣＴＳ、残基９７位〜１０２位のＧＡＡＬＡＡ、残基１１０位〜１１５位のＧＳＫＣＳＮ、残基２４５位〜２５０位のＧＶＮＬＮＳ、残基２５８位〜２６３位のＧＧＥＳＡＬ、残基４３２位〜４３７位のＧＮＶＤＳＣ、残基４６２位〜４６７位のＧＳＧＣＡＫ、残基４６４位〜４６９位のＧＣＡＫＡＹおよび／または残基４７２位〜４７７位のＧＶＹＧＮのような１つまたは複数のＮ−ミリストイル化部位を含みうる。もう一つの態様において、本発明の典型的ポリペプチドは、残基３８６位〜３９３位のＡＴＰ／ＧＴＰ結合部位モチーフＡ（Ｐ−ループ）、ＡＴＥＥＫＧＫＴを含みうる。もう一つの態様において、本発明の典型的ポリペプチドは、残基１２６位〜１４８位のＬＤＬ受容体クラスＡ（ＬＤＬＲＡ）ドメインサインＣＩＮＰＳＮＷＣＤＧＶＳＨＣＰＧＧＥＤＥＮＲＣを含みうる。もう一つの態様において、本発明の典型的ポリペプチドは、残基２９２位〜２９７位のセリンプロテアーゼ、トリプシンファミリー、ヒスチジン活性部位ＶＴＡＡＨＣを含みうる。もう一つの態様において、本発明の典型的ポリペプチドは、残基４３５位〜４４６位のセリンプロテアーゼ、トリプシンファミリー、セリン活性部位ＤＳＣＱＧＤＳＧＧＰＬＶを含みうる。これらの発明の関連する態様は、上記で論議されている異なるモチーフの組合わせを含有するポリペプチドを含み、好ましい態様としては、そのモチーフ内にもこれらのポリペプチドの介在配列内にも挿入、欠失または置換を含まないものである。
【００５５】
２０Ｐ１Ｆ１２／ＴＭＰＲＳＳ２タンパク質またはポリペプチドを特異的に結合しかつ同定できる抗体は、分泌された２０Ｐ１Ｆ１２／ＴＭＰＲＳＳ２および／または任意の生体試料における２０Ｐ１Ｆ１２／ＴＭＰＲＳＳ２発現細胞の存在を検出して、細胞下の位置を決定、前立腺癌、膀胱癌、卵巣癌、肺癌および大腸癌細胞および転移性癌ならびに前立腺腫瘍、膀胱腫瘍、卵巣腫瘍、肺腫瘍および大腸腫瘍および転移性腫瘍を検出および画像処理、ならびに２０Ｐ１Ｆ１２／ＴＭＰＲＳＳ２生物学的活性を調節または抑制するために使用されうる。抗体はまた、さらに下で記載されているように、治療的に使用されうる。ポリクローナルおよびモノクローナル抗体の産生の方法は、当技術分野においてよく知られている。
【００５６】
本発明はまた、限定されるものではないが、当技術分野においてよく知られている様々なウイルスおよび非ウイルスベクターと同様に、ファージ、プラスミド、ファージミド、コスミド、ＹＡＣ、ＢＡＣ、ならびにそのようなＤＮＡまたはＲＮＡ分子で形質転換または形質移入された細胞を含む、２０Ｐ１Ｆ１２／ＴＭＰＲＳＳ２ポリヌクレオチド含有組換えＤＮＡまたはＲＮＡを提供する。本明細書に用いられる場合、組換えＤＮＡまたはＲＮＡ分子は、インビトロで分子操作にかけられたＤＮＡまたはＲＮＡ分子である。そのような分子を作製する方法はよく知られている（例えば、サムブルック（Ｓａｍｂｒｏｏｋ）ら、１９８９、前記を参照）。
【００５７】
本発明はさらに、適する原核または真核宿主細胞内に２０Ｐ１Ｆ１２／ＴＭＰＲＳＳ２ポリヌクレオチド含有組換えＤＮＡ分子を含む宿主−ベクター系を提供する。適する原核宿主細胞の例には、酵母細胞、植物細胞、または哺乳動物細胞もしくは昆虫細胞（例えば、Ｓｆ９細胞のようなバキュロウイルス−感染可能細胞）のような動物細胞を含む。適する哺乳動物細胞の例には、組換えタンパク質の発現に通常使用される多数の哺乳動物細胞（例えば、ＣＯＳ、ＣＨＯ、２９３、２９３Ｔ細胞）と同様に、ＬｎＣａｐ、ＰＣ−３、ＤＵ１４５、ＬＡＰＣ−４、ＴｓｕＰｒ１、他の形質移入可能または形質転換可能前立腺癌細胞株のような様々な前立腺癌細胞株を含む。より特に、２０Ｐ１Ｆ１２／ＴＭＰＲＳＳ２のコード配列を含むポリヌクレオチドは、当技術分野において通常使用されかつ広く知られているいくつかの宿主−ベクター系を使用して２０Ｐ１Ｆ１２／ＴＭＰＲＳＳ２タンパク質またはそれの断片を作製するために使用されうる。
【００５８】
２０Ｐ１Ｆ１２／ＴＭＰＲＳＳ２タンパク質またはそれの断片の発現に適する宿主−ベクター系は広い範囲から入手可能であり、例えば、サムブルック（Ｓａｍｂｒｏｏｋ）ら、１９８９、「分子生物学の最新プロトコール（Ｃｕｒｒｅｎｔ Ｐｒｏｔｏｃｏｌｓ ｉｎ Ｍｏｌｅｃｕｌａｒ Ｂｉｏｌｏｇｙ）」、１９９５、前記を参照。哺乳動物の発現についての好ましいベクターは、限定されるものではないが、ｐｃＤＮＡ ３．１ ｍｙｃ−Ｈｉｓ−ｔａｇ（インビトロゲン（Ｉｎｖｉｔｒｏｇｅｎ））、レトロウイルスベクターｐＳＲαｔｋｎｅｏ（Ｍｕｌｌｅｒら、１９９１、ＭＣＢ １１：１７８５）および／またはＴａｇ５ベクター（ゲンハンターコーポレーション（ＧｅｎＨｕｎｔｅｒ Ｃｏｒｐｏｒａｔｉｏｎ）、ナッシュビル、ＴＮ）を含む。Ｔａｇ５ベクターは、好ましいベクターであり、形質移入された細胞において分泌性２０Ｐ１Ｆ１２／ＴＭＰＲＳＳ２タンパク質の産生を容易にするために使用されうるＩｇＧＫ分泌シグナルを供給する。これらの発現ベクターを用いて、２０Ｐ１Ｆ１２／ＴＭＰＲＳＳ２は、例えば、３Ｔ３、２９３、２９３ＴＰＣ−３、ＬＮＣａＰおよびＴｓｕＰｒ１を含む、いくつかの前立腺および非前立腺の癌細胞株において好ましく発現されうる。本発明の宿主−ベクター系は、２０Ｐ１Ｆ１２／ＴＭＰＲＳＳ２タンパク質またはそれの断片の産生に有用である。そのような宿主−ベクター系は、２０Ｐ１Ｆ１２／ＴＭＰＲＳＳ２および２０Ｐ１Ｆ１２／ＴＭＰＲＳＳ２変異体の機能的性質を研究するために使用されうる。
【００５９】
遺伝子コードにおける重複性（ｒｅｄｕｎｄａｎｃｙ）により、２０Ｐ１Ｆ１２／ＴＭＰＲＳＳ２遺伝子配列における変異が可能になる。特に、当業者は、ある特定の宿主種による特有のコドンの優先度を認識しているものと思われ、所望の宿主にとって好ましいように開示された配列を適合させることができる。例えば、好ましいコドン配列は、典型的には、高頻度コドンに置換されるまれなコドン（すなわち、所望の宿主の公知の配列において約２０ ％未満の使用頻度をもつコドン）を有する。特定の生物体にとってのコドン優先度は、例えば、次のアドレス：ｈｔｔｐ：／／ｗｗｗ．ｄｎａ．ａｆｆｒｃ．ｇｏ．ｊｐ／￣ｎａｋａｍｕｒａ／ｃｏｄｏｎ．ｈｔｍｌでのインターネット上で入手可能なコドン使用量表を利用することにより計算されうる。約２０％未満の使用頻度をもつ任意のコドンを置換することによりある特定の宿主種に対して最適化されたヌクレオチド配列を本明細書では「コドン最適化配列」と呼ぶ。
【００６０】
無制御の細胞増殖の検出に加えて、２０Ｐ１Ｆ１２／ＴＭＰＲＳＳ２遺伝子により、またはそれの断片によりコードされるタンパク質は、限定されるものではないが、抗体を産生することおよび２０Ｐ１Ｆ１２／ＴＭＰＲＳＳ２遺伝子産物に結合するリガンドおよび他の薬剤および細胞成分を同定するための方法においての使用を含む、様々な使用をもつものと思われる。そのようなタンパク質はまた、癌ワクチンとしても使用されうる。２０Ｐ１Ｆ１２／ＴＭＰＲＳＳ２タンパク質またはそれの断片に対して産生される抗体は、診断的および予知的アッセイ法、画像処理方法論（特に、癌画像診断を含む）、ならびに前立腺癌、膀胱癌、卵巣癌、肺癌および大腸癌および転移性癌のような、２０Ｐ１Ｆ１２／ＴＭＰＲＳＳ２タンパク質の発現を特徴とするヒト癌の管理における治療的方法において有用でありうる。２０Ｐ１Ｆ１２／ＴＭＰＲＳＳ２タンパク質の検出に有用な様々な免疫学的アッセイ法が企図されており、限定されるものではないが、放射免疫検定法、酵素結合免疫吸着検定法（ＥＬＩＳＡ）、酵素結合免疫蛍光検定法（ＥＬＩＦＡ）、免疫細胞化学的方法などの様々な型を含む。そのような抗体は標識され、かつ前立腺癌細胞、膀胱癌細胞、卵巣癌細胞、肺癌細胞および／もしくは大腸癌細胞、ならびに／または転移性癌細胞を検出することができる免疫学的画像処理化試薬として使用されうる（例えば、放射シンチグラフィック画像処理方法において）。
【００６１】
具体的態様において、ヒト２０Ｐ１Ｆ１２／ＴＭＰＲＳＳ２のアミノ酸配列を有する新規２０Ｐ１Ｆ１２／ＴＭＰＲＳＳ２タンパク質は、図１（配列番号：２）に提供される。２０Ｐ１Ｆ１２／ＴＭＰＲＳＳ２のすべてまたは部分を異種構造のポリペプチドと結合する融合タンパク質もまた企図されており、異種構造のポリペプチドがグルタチオン−ｓ−シンセターゼトランスフェラーゼである代表的態様は、実施例５に提供されている。もう一つの典型的態様において、キメラ分子は、２０Ｐ１Ｆ１２／ＴＭＰＲＳＳ２の免疫グロブリンまたは免疫グロブリンの特定の領域との融合体を含みうる。二価型のキメラ分子（「イムノアドヘシン」とも呼ばれる）については、そのような融合はＩｇＧ分子のＦｃ領域へのものでありうる。Ｉｇ融合は、好ましくは、Ｉｇ分子内の少なくとも１つの可変部の代わりに２０Ｐ１Ｆ１２／ＴＭＰＲＳＳ２ポリペプチドの可溶性（欠失または不活性化された膜貫通ドメイン）型の置換を含む。特に好ましい態様において、免疫グロブリン融合体は、ＩｇＧ１分子のヒンジ、ＣＨ２およびＣＨ３領域、またはヒンジ、ＣＨ１、ＣＨ２およびＣＨ３領域を含む。免疫グロブリン融合体の作製については、発行日１９９５年６月２７日の米国特許第５，４２８，１３０号も参照。様々な融合ポリペプチドは当技術分野においてよく知られており、典型的態様は「分子生物学の最新プロトコール（Ｃｕｒｒｅｎｔ Ｐｒｏｔｏｃｏｌｓ Ｉｎ Ｍｏｌｅｃｕｌａｒ Ｂｉｏｌｏｇｙ）」、ユニット９および１６、フレデリック Ｍ． オースブル（Ｆｒｅｄｅｒｉｃｋ Ｍ． Ａｕｓｕｂｕｌ）ら編、１９９５に記載されている。
【００６２】
本発明の２０Ｐ１Ｆ１２／ＴＭＰＲＳＳ２タンパク質は、多くの形、好ましくは単離された形において現されてもよい。本明細書で用いられる時、物理的、機械的または化学的方法を使用して普通にタンパク質に結合している細胞成分から２０Ｐ１Ｆ１２／ＴＭＰＲＳＳ２タンパク質を取り除く場合、タンパク質は「単離された」と言われる。当業者は、容易に、標準的精製方法を使用して単離された２０Ｐ１Ｆ１２／ＴＭＰＲＳＳ２タンパク質を得ることができる。精製された２０Ｐ１Ｆ１２／ＴＭＰＲＳＳ２タンパク質分子は、２０Ｐ１Ｆ１２／ＴＭＰＲＳＳ２の抗体または他のリガンドへの結合を損なう他のタンパク質または分子を実質的に含まないものと思われる。単離および精製の性質および程度は意図する用途に依存するものと思われる。２０Ｐ１Ｆ１２／ＴＭＰＲＳＳ２タンパク質の態様は、精製された２０Ｐ１Ｆ１２／ＴＭＰＲＳＳ２タンパク質および機能しうる可溶性２０Ｐ１Ｆ１２／ＴＭＰＲＳＳ２タンパク質を含む。一つの形として、そのような機能しうる可溶性２０Ｐ１Ｆ１２／ＴＭＰＲＳＳ２タンパク質またはそれの断片は、抗体、リガンド結合パートナーおよび／または基質（例えば、タンパク分解性標的）に結合する能力を保持している。
【００６３】
２０Ｐ１Ｆ１２／ＴＭＰＲＳＳ２またはその改変型をコードする核酸はまた、次には治療的に有効な試薬の開発およびスクリーニングにおいて有用であるトランスジェニック動物または「ノックアウト」動物（または細胞株）のいずれかを作製するためにも使用されうる。トランスジェニック動物（例えば、マウスまたはラット）は、導入遺伝子を含む細胞を有する動物であり、その導入遺伝子は出生前、例えば胚期にその動物またはその動物の祖先へ導入された。導入遺伝子は、トランスジェニック動物が発生する細胞のゲノムへ組み込まれるＤＮＡである。一つの態様において、２０Ｐ１Ｆ１２／ＴＭＰＲＳＳ２をコードするｃＤＮＡは、確立された技術に従って２０Ｐ１Ｆ１２／ＴＭＰＲＳＳ２をコードするゲノムＤＮＡをクローニングするために使用されうり、そのゲノム配列は２０Ｐ１Ｆ１２／ＴＭＰＲＳＳ２をコードするＤＮＡを発現する細胞を含有するトランスジェニック動物を作製するために使用される。トランスジェニック動物、特にマウスまたはラットのような動物を作製する方法は当技術分野においてありふれたものになり、例えば、米国特許第４，７３６，８６６号および第４，８７０，００９号に記載されている。典型的には、特定の細胞を組織特異的エンハンサー組込み２０Ｐ１Ｆ１２／ＴＭＰＲＳＳ２導入遺伝子についてターゲットした。胚期に動物の生殖系列へ導入された２０Ｐ１Ｆ１２／ＴＭＰＲＳＳ２をコードする導入遺伝子のコピーを含むトランスジェニック動物は、２０Ｐ１Ｆ１２／ＴＭＰＲＳＳ２をコードするＤＮＡの増加した発現の効果を試験するために使用されうる。そのような動物は、例えば、その過剰発現に関連する病的状態から保護すると考えられる試薬についてのテスター動物として使用されうる。本発明のこの面に従って、動物をその試薬で処理し、未処理の導入遺伝子をもつ動物と比較して低下した病的状態の発生率より、その病的状態に対する治療的介入の可能性を示すものと思われる。
【００６４】
または、２０Ｐ１Ｆ１２／ＴＭＰＲＳＳ２の非ヒト相同体は、２０Ｐ１Ｆ１２／ＴＭＰＲＳＳ２をコードする内因性遺伝子とその動物の胚細胞へ導入された２０Ｐ１Ｆ１２／ＴＭＰＲＳＳ２をコードする改変されたゲノムＤＮＡとの間での相同的組換えの結果として、欠損したまたは改変された２０Ｐ１Ｆ１２／ＴＭＰＲＳＳ２をコードする遺伝子を有する２０Ｐ１Ｆ１２／ＴＭＰＲＳＳ２「ノックアウト」動物を構築するために使用されうる。例えば、２０Ｐ１Ｆ１２／ＴＭＰＲＳＳ２をコードするｃＤＮＡは、確立された技術に従って２０Ｐ１Ｆ１２／ＴＭＰＲＳＳ２をコードするゲノムＤＮＡをクローニングするために使用されうる。２０Ｐ１Ｆ１２／ＴＭＰＲＳＳ２をコードするゲノムＤＮＡの部分を欠失させる、または組込みをモニターするために使用されうる選択マーカーをコードする遺伝子のような、別の遺伝子で置換することができる。典型的には、数キロベースの改変されていないフランキングＤＮＡ（５’末端および３’末端の両方における）がベクターに含まれる（相同的組換えベクターの記載について、例えば、ＴｈｏｍａｓおよびＣａｐｅｃｃｈｉ、１９８７、Ｃｅｌｌ ５１：５０３を参照）。ベクターは、胚幹細胞系へ導入され（例えば、電気穿孔法により）、導入されたＤＮＡが内因性ＤＮＡと相同的に組換わった細胞が選択される（例えば、Ｌｉら、１９９２、Ｃｅｌｌ ６９：９１５を参照）。その後、選択された細胞は、動物（例えば、マウスまたはラット）の胚盤胞へ注入され、集合キメラを形成する（例えば、Ｂｒａｄｌｅｙ、Ｒｏｂｅｒｔｓｏｎ編、１９８７、「奇形癌腫と胚幹細胞：実践的アプローチ（Ｔｅｒａｔｏｃａｒｃｉｎｏｍａｓ ａｎｄ Ｅｍｂｒｙｏｎｉｃ Ｓｔｅｍ Ｃｅｌｌｓ：Ａ Ｐｒａｔｉｃａｌ Ａｐｐｒｏａｃｈ）」、（ＩＲＬ、オックスフォード）、ＰＰ． １１３〜１５２を参照）。キメラ胚は、その後、適する偽妊娠の雌養い動物へ移植され、その胚は「ノックアウト」動物を創造する期間まで導かれうる。生殖細胞に相同的に組換えられたＤＮＡを含む子孫は、標準的技術により同定され、動物の全細胞が相同的に組換えられたＤＮＡを含む動物を産むために使用されうる。ノックアウト動物は、例えば、特定の病的状態に対して防御する能力として、および２０Ｐ１Ｆ１２／ＴＭＰＲＳＳ２ポリペプチドの欠如による病的状態の発生として、特徴付けられうる。
【００６５】
組換え方法は、２０Ｐ１Ｆ１２／ＴＭＰＲＳＳ２タンパク質をコードする核酸分子を産生するために使用されうる。この事については、本明細書に記載される２０Ｐ１Ｆ１２／ＴＭＰＲＳＳ２コード核酸分子は、２０Ｐ１Ｆ１２／ＴＭＰＲＳＳ２タンパク質の決められた断片を産生するための手段を提供する。そのような２０Ｐ１Ｆ１２／ＴＭＰＲＳＳ２ポリペプチドは特に、ドメイン特異的抗体（例えば、２０Ｐ１Ｆ１２／ＴＭＰＲＳＳ２タンパク質の主に分泌されるまたは主に膜結合するエピトープを認識する抗体）を産生すること、特定の２０Ｐ１Ｆ１２／ＴＭＰＲＳＳ２ドメインに結合する薬剤または細胞因子を同定すること、および限定されるものではないが、癌ワクチンを含む、様々な治療的関連において有用である。特に興味深い構造を含む２０Ｐ１Ｆ１２／ＴＭＰＲＳＳ２ポリペプチドは、例えば、チョー−ファスマン（Ｃｈｏｕ−Ｆａｓｍａｎ）、ガルニエル−ロブソン（Ｇａｒｎｉｅｒ−Ｒｏｂｓｏｎ）、キート−ドーリトル（Ｋｙｔｅ−Ｄｏｏｌｉｔｔｌｅ）、アイゼンバーグ（Ｅｉｓｅｎｂｅｒｇ）、カルプラス−シュルツ（Ｋａｒｐｌｕｓ−Ｓｃｈｕｌｔｚ）もしくはジャメソン−ウルフ（Ｊａｍｅｓｏｎ−Ｗｏｌｆ）分析、または免疫原性に基づく方法を含む、当技術分野においてよく知られている様々な分析的技術を使用して予測および／または同定されうる。
【００６６】
本発明のもう一つの局面は、２０Ｐ１Ｆ１２／ＴＭＰＲＳＳ２タンパク質およびそれのポリペプチド断片に免疫特異的に結合する抗体を提供する。最も好ましい抗体は、２０Ｐ１Ｆ１２／ＴＭＰＲＳＳ２タンパク質に選択的に結合し、かつ非−２０Ｐ１Ｆ１２／ＴＭＰＲＳＳ２タンパク質およびポリペプチドに結合しない（または弱く結合する）ものと思われる。特に企図される抗２０Ｐ１Ｆ１２／ＴＭＰＲＳＳ２抗体は、これらの抗体の抗原結合ドメインおよび／または１つまたは複数の相補性決定領域を含有するフラグメントはもちろんのこと、モノクローナルおよびポリクローナル抗体を含む。本明細書に使用される場合、抗体断片は、その標的に結合する免疫グロブリン分子の可変部、すなわち抗原結合部位の少なくとも部分として定義される。
【００６７】
いくつかの適用として、特定の２０Ｐ１Ｆ１２／ＴＭＰＲＳＳ２タンパク質および／または特定の構造的ドメイン内のエピトープと特異的に反応する抗体を産生することが望ましい場合もある。例えば、癌画像診断目的にとって有用である好ましい抗体は、癌細胞に発現される２０Ｐ１Ｆ１２／ＴＭＰＲＳＳ２タンパク質の膜結合領域におけるエピトープと反応するものである。そのような抗体は、２０Ｐ１Ｆ１２／ＴＭＰＲＳＳ２タンパク質を用いる、または２０Ｐ１Ｆ１２／ＴＭＰＲＳＳ２の分泌性もしくは他のドメインに由来し、かつ免疫原として使用されるペプチドを用いることにより、産生されうる。
【００６８】
本発明の２０Ｐ１Ｆ１２／ＴＭＰＲＳＳ２抗体は、特に、前立腺癌、膀胱癌、肺癌、大腸癌、卵巣癌、腎臓癌、および転移性癌の診断的および予知的アッセイ法、画像処理方法論、および治療的ストラテジーにおいて有用でありうる。本発明は、２０Ｐ１Ｆ１２／ＴＭＰＲＳＳ２の検出および定量化にとって有用な様々な免疫学的アッセイ法を提供する。そのようなアッセイ法は、一般的に、２０Ｐ１Ｆ１２／ＴＭＰＲＳＳ２を認識および結合することができる１つまたは複数の２０Ｐ１Ｆ１２／ＴＭＰＲＳＳ２抗体を含み、かつ限定されるものではないが、放射免疫検定法、酵素結合免疫吸着検定法（ＥＬＩＳＡ）、酵素結合免疫蛍光検定法（ＥＬＩＦＡ）などの様々な型を含む、当技術分野においてよく知られている様々な免疫学的アッセイ形式内で行なわれうる。さらに、前立腺癌、膀胱癌、卵巣癌、肺癌および大腸癌、ならびに転移性癌を検出することができる免疫学的画像処理方法もまた本発明により提供され、限定されるものではないが、標識化２０Ｐ１Ｆ１２／ＴＭＰＲＳＳ２抗体を用いる放射シンチグラフィック画像処理方法を含む。そのようなアッセイ法は、前立腺癌、膀胱癌、卵巣癌、肺癌および大腸癌、ならびに転移性癌、特に進行癌の検出、モニタリング、および予知において、臨床上有用でありうる。ＴＭＰＲＳＳ２発現は、腎臓癌において低下するため、この癌の検出、モニタリング、および予知は、発現の下方制御または休止を判定することにより行われる。
【００６９】
２０Ｐ１Ｆ１２／ＴＭＰＲＳＳ２抗体はまた、２０Ｐ１Ｆ１２／ＴＭＰＲＳＳ２タンパク質およびポリペプチドを精製する、および２０Ｐ１Ｆ１２／ＴＭＰＲＳＳ２相同体および関連分子を単離するための方法において使用されうる。例えば、一つの態様において、２０Ｐ１Ｆ１２／ＴＭＰＲＳＳ２タンパク質を精製する方法は、固体マトリックスに結合された２０Ｐ１Ｆ１２／ＴＭＰＲＳＳ２抗体を、２０Ｐ１Ｆ１２／ＴＭＰＲＳＳ２を含有する可溶化液または他の溶液とともに、その２０Ｐ１Ｆ１２／ＴＭＰＲＳＳ２抗体が２０Ｐ１Ｆ１２／ＴＭＰＲＳＳ２に結合することが可能となる条件下で、インキュベートすること；不純物を除去するためにその固体マトリックスを洗浄すること；およびその結合された抗体から２０Ｐ１Ｆ１２／ＴＭＰＲＳＳ２を溶離することを含む。本発明の２０Ｐ１Ｆ１２／ＴＭＰＲＳＳ２抗体の他の使用は、２０Ｐ１Ｆ１２／ＴＭＰＲＳＳ２タンパク質を模倣する抗イディオタイプ抗体を産生することを含む。
【００７０】
２０Ｐ１Ｆ１２／ＴＭＰＲＳＳ２抗体はまた、例えば、２０Ｐ１Ｆ１２／ＴＭＰＲＳＳ２タンパク質の生物学的活性を調節もしくは抑制する、または２０Ｐ１Ｆ１２／ＴＭＰＲＳＳ２タンパク質を発現する細胞（前立腺癌細胞、膀胱癌細胞、卵巣癌細胞、肺癌細胞および大腸癌細胞、または転移性癌細胞）をターゲットしかつ破壊するために使用されうる。前立腺癌、膀胱癌、卵巣癌、肺癌および大腸癌、ならびに転移性癌の抗体治療は、さらに詳細に、下に記載されている。これの関連において本発明の典型的態様は、腫瘍性細胞の増殖が抑制されるように、有効量の抗２０Ｐ１Ｆ１２／ＴＭＰＲＳＳ２抗体に、腫瘍性細胞により発現された２０Ｐ１Ｆ１２／ＴＭＰＲＳＳ２を接触させることを含む、２０Ｐ１Ｆ１２／ＴＭＰＲＳＳ２を発現する前癌性または癌性細胞の増殖を抑制する方法からなる。好ましくは、この方法において使用される抗体は、主に細胞表面に結合する２０Ｐ１Ｆ１２／ＴＭＰＲＳＳ２エピトープを認識する。抗体媒介の抑制および細胞溶解についての方法は、当技術分野においてよく知られており、例えば、補体媒介型または抗体依存性細胞障害（ＡＤＣＣ）を含む。この関連において、本発明の別の態様は、分泌性２０Ｐ１Ｆ１２／ＴＭＰＲＳＳ２の活性が調節されるように、有効量の抗２０Ｐ１Ｆ１２／ＴＭＰＲＳＳ２抗体に分泌性２０Ｐ１Ｆ１２／ＴＭＰＲＳＳ２を接触させることを含む、分泌性２０Ｐ１Ｆ１２／ＴＭＰＲＳＳ２の生物学的活性を調節する方法からなる。好ましくは、この方法において使用される抗体は、主に分泌される２０Ｐ１Ｆ１２／ＴＭＰＲＳＳ２エピトープを認識する。
【００７１】
抗体の調製のための様々な方法は当技術分野において、よく知られている。例えば、抗体は、単離された形または免疫複合体の形での２０Ｐ１Ｆ１２／ＴＭＰＲＳＳ２タンパク質、ペプチド、または断片を使用して、適する哺乳動物宿主を免役することにより調製されうる（「抗体：実験マニュアル（Ａｎｔｉｂｏｄｉｅｓ： Ａ Ｌａｂｏｒａｔｏｒｙ Ｎａｎｕａｌ）」、ＣＳＨプレス（ＣＳＨ Ｐｒｅｓｓ）、ＨａｒｌｏｗおよびＬａｎｅ編、（１９８８）； Ｈａｒｌｏｗ、「抗体（Ａｎｔｉｂｏｄｉｅｓ）」、コールドスプリングハーバープレス（Ｃｏｌｄ Ｓｐｒｉｎｇ Ｈａｒｂｏｒ Ｐｒｅｓｓ）、ＮＹ（１９８９））。さらに、２０Ｐ１Ｆ１２／ＴＭＰＲＳＳ２ ＧＳＴ−融合タンパク質のような、２０Ｐ１Ｆ１２／ＴＭＰＲＳＳ２の融合タンパク質もまた使用されうる。特別な態様において、図１のオープンリーディングフレームアミノ酸配列のすべてまたは大部分を含むＧＳＴ融合タンパク質は、作製されて、適切な抗体を産生する免疫原として使用されうる。実施例５に記載されているように、そのようなＧＳＴ融合体は、２０Ｐ１Ｆ１２／ＴＭＰＲＳＳ２と免疫特異的に反応するいくつかのモノクローナル抗体を産生するために使用された。２０Ｐ１Ｆ１２／ＴＭＰＲＳＳ２を発現または過剰発現する細胞はまた、免疫化に使用されうる。同様に、２０Ｐ１Ｆ１２／ＴＭＰＲＳＳ２を発現するように操作された任意の細胞が使用されうる。このストラテジーにより、内因性２０Ｐ１Ｆ１２／ＴＭＰＲＳＳ２を認識する能力が増強されたモノクローナル抗体の産生できるようになりうる。２０Ｐ１Ｆ１２／ＴＭＰＲＳＳ２抗体を産生するための追加的ストラテジーは、本明細書の実施例５に記載されている。
【００７２】
図１（配列番号：２）に示される２０Ｐ１Ｆ１２／ＴＭＰＲＳＳ２のアミノ酸配列は、免疫原を作製するための２０Ｐ１Ｆ１２／ＴＭＰＲＳＳ２タンパク質の特定の領域を選択するために使用されうる。例えば、２０Ｐ１Ｆ１２／ＴＭＰＲＳＳ２アミノ酸配列の疎水性および親水性の分析は、２０Ｐ１Ｆ１２／ＴＭＰＲＳＳ２構造における親水性領域を同定するために使用されうる。他の領域およびドメインと同様に、免疫原性構造を示す２０Ｐ１Ｆ１２／ＴＭＰＲＳＳ２タンパク質の領域は、チョー−ファスマン（Ｃｈｏｕ−Ｆａｓｍａｎ）、ガルニエル−ロブソン（Ｇａｒｎｉｅｒ−Ｒｏｂｓｏｎ）、キート−ドーリトル（Ｋｙｔｅ−Ｄｏｏｌｉｔｔｌｅ）、アイゼンバーグ（Ｅｉｓｅｎｂｅｒｇ）、カルプラス−シュルツ（Ｋａｒｐｌｕｓ−Ｓｃｈｕｌｔｚ）またはジャメソン−ウルフ（Ｊａｍｅｓｏｎ−Ｗｏｌｆ）分析のような、当技術分野において公知の様々な他の方法を用いて容易に同定されうる。例えば、ある特定の２０Ｐ１Ｆ１２／ＴＭＰＲＳＳ２種（プロテアーゼドメインを含む３２ ｋＤの分泌性種または膜結合性種など、例えば、図１７および図２２を参照）を優先的にターゲットする抗体は、下記で論議されている方法により産生されうる。
【００７３】
免疫原としての使用のためのタンパク質またはポリペプチドを調製すること、およびＢＳＡ、ＫＬＨのような担体、または他の担体タンパク質とのタンパク質の免疫原性複合体を調製することについての方法は、当技術分野においてよく知られている。いくつかの情況においては、例えば、カルボジイミド試薬を使用する直接的結合が用いられてもよい；他の例では、ピアスケミカル社（Ｐｉｅｒｃｅ Ｃｈｅｍｉｃａｌ Ｃｏ．）、ロックフォード、ＩＬにより供給されるような連結試薬が効果的である場合がある。２０Ｐ１Ｆ１２／ＴＭＰＲＳＳ２免疫原の投与は、当技術分野において一般的に理解されていることだが、一般的に、適するアジュバントとともに、適する期間にわたる注射により、行われる。免疫化スケジュールの間、抗体の力価を測り、抗体産生の妥当性を決定することができる。
【００７４】
抗２０Ｐ１Ｆ１２／ＴＭＰＲＳＳ２モノクローナル抗体が好ましく、当技術分野においてよく知られている様々な方法により産生されうる。例えば、所望のモノクローナル抗体を分泌する不死化細胞株は、一般的に知られていることだが、コーレル（Ｋｏｈｌｅｒ）およびミルスタイン（Ｍｉｌｓｔｅｉｎ）の標準的方法またはリンパ球もしくは脾臓細胞の不死化を実施する改変型を用いて調製されうる。所望の抗体を分泌する不死化細胞株は、抗原が２０Ｐ１Ｆ１２／ＴＭＰＲＳＳ２タンパク質または２０Ｐ１Ｆ１２／ＴＭＰＲＳＳ２断片であるイムノアッセイ法によりスクリーニングされる。所望の抗体を分泌する適切な不死化細胞培養が同定された場合、その細胞は増量され、抗体は、インビトロでの培養または腹水液のいずれかから産生されうる。
【００７５】
抗体または断片はまた、組換え方法による、最新技術を用いて、産生されうる。２０Ｐ１Ｆ１２／ＴＭＰＲＳＳ２タンパク質の所望の領域に特異的に結合する部位はまた、複数の種起源のキメラまたはＣＤＲ移植の抗体の関連において、産生されうる。ヒト化またはヒトの２０Ｐ１Ｆ１２／ＴＭＰＲＳＳ２抗体もまた、産生されうり、好ましいものである。そのようなヒト化抗体を産生するための様々な方法は公知であり、キメラまたはＣＤＲ移植方法；ファージディスプレーを含む完全にヒトモノクローナル抗体を産生するための方法およびトランスジェニック方法を含む（概説として、Ｖａｕｇｈａｎら、１９９８、Ｎａｔｕｒｅ Ｂｉｏｔｅｃｈｎｏｌｏｇｙ １６：５３５〜５３９を参照）。
【００７６】
完全ヒト２０Ｐ１Ｆ１２／ＴＭＰＲＳＳ２モノクローナル抗体は、大きなヒトＩｇ遺伝子コンビナトリアルライブラリー（すなわち、ファージディスプレー）を使用するクローニング技術を用いて産生されうる（ＧｒｉｆｆｉｔｈｓおよびＨｏｏｇｅｎｂｏｏｍ、「インビトロの免疫系の構築：ファージディスプレーライブラリーからのヒト抗体（Ｂｕｉｌｄｉｎｇ ａｎ ｉｎ ｖｉｔｒｏ ｉｍｍｕｎｅ ｓｙｓｔｅｍ： ｈｕｍａｎ ａｎｔｉｂｏｄｉｅｓ ｆｒｏｍ ｐｈａｇｅ ｄｉｓｐｌａｙ ｌｉｂｒａｒｉｅｓ）」、「人への予防と治療の適用のための抗体分子のタンパク質工学（Ｐｒｏｔｅｉｎ Ｅｎｇｉｎｅｅｒｉｎｇ ｏｆ Ａｎｔｉｂｏｄｙ Ｍｏｌｅｃｕｌｅｓ ｆｏｒ Ｐｒｏｐｈｙｌａｃｔｉｃ ａｎｄ Ｔｈｅｒａｐｅｕｔｉｃ Ａｐｐｌｉｃａｔｉｏｎｓ ｉｎ Ｍａｎ）」、Ｃｌａｒｋ， Ｍ． （編）、ノッティンガムアカデミック（Ｎｏｔｔｉｎｇｈａｍ Ａｃａｄｅｍｉｃ）、ｐｐ ４５〜６４ （１９９３）； ＢｕｒｔｏｎおよびＢａｒｂａｓ、「コンビナトリアルライブラリーからのヒト抗体（Ｈｕｍａｎ Ａｎｔｉｂｏｄｉｅｓ ｆｒｏｍ ｃｏｍｂｉｎａｔｏｒｉａｌ ｌｉｂｒａｒｉｅｓ）」、同書物、ｐｐ ６５〜８２）。完全ヒト２０Ｐ１Ｆ１２／ＴＭＰＲＳＳ２モノクローナル抗体はまた、クヘルラパティ（Ｋｕｃｈｅｒｌａｐａｔｉ）ら、１９９７年１２月３日公開のＰＣＴ特許出願国際公開公報第９８／２４８９３号に記載されているように、ヒト免疫グロブリン遺伝子座を含むように操作されたトランスジェニックマウスを使用して産生されうる（Ｊａｋｏｂｏｖｉｔｓ、１９９８、Ｅｘｐ． Ｏｐｉｎ． Ｉｎｖｅｓｔ． Ｄｒｕｇｓ ７（４）： ６０７〜６１４もまた参照）。この方法は、ファージディスプレー技術を必要とするインビトロでの操作が避けられ、高親和性の確証的なヒト抗体を効率的に産生する。
【００７７】
２０Ｐ１Ｆ１２／ＴＭＰＲＳＳ２抗体の２０Ｐ１Ｆ１２／ＴＭＰＲＳＳ２タンパク質との反応性は、適切に、２０Ｐ１Ｆ１２／ＴＭＰＲＳＳ２タンパク質、ペプチド、２０Ｐ１Ｆ１２／ＴＭＰＲＳＳ２発現細胞またはそれらの抽出物を用いて、ウエスタンブロット、免疫沈降、ＥＬＩＳＡ、およびＦＡＣＳ分析を含む、いくつかのよく知られている方法により立証されうる。
【００７８】
本発明の２０Ｐ１Ｆ１２／ＴＭＰＲＳＳ２抗体またはその断片は、検出可能なマーカーで標識される、または細胞障害性もしくは治療的薬剤のような第二の分子に結合される、および２０Ｐ１Ｆ１２／ＴＭＰＲＳＳ２陽性の細胞をターゲットするために使用されうる（Ｖｉｔｅｔｔａ， Ｅ． Ｓ．ら、１９９３、「免疫毒素治療（Ｉｍｍｕｎｏｔｏｘｉｎ ｔｈｅｒａｐｙ）」、ＤｅＶｉｔａ， Ｊｒ．， Ｖ． Ｔ．ら編、「癌：腫瘍学の原理と実践（Ｃａｎｃｅｒ： Ｐｒｉｎｃｉｐｌｅｓ ａｎｄ Ｐｒａｃｔｉｃｅ ｏｆ Ｏｎｃｏｌｏｇｙ）」、第４版、Ｊ． Ｂ． リピンコット社（Ｊ． Ｂ． Ｌｉｐｐｉｎｃｏｔｔ Ｃｏ．）、フィラデルフィア、２６２４〜２６３６）。様々な適する診断的および治療的複合体は、当技術分野においてよく知られており、限定されるものではないが、α放射体のような放射性同位元素、蛍光化合物、生物発光化合物、化学発光化合物、金属キレート化剤または酵素のようなポリペプチドを含む。典型的複合体は、例えば、「分子生物学の最新プロトコール（Ｃｕｒｒｅｎｔ Ｐｒｏｔｏｃｏｌｓ Ｉｎ Ｍｏｌｅｃｕｌａｒ Ｂｉｏｌｏｇｙ）」、ユニット１１および１７、フレデリック Ｍ． オースブル（Ｆｒｅｄｅｒｉｃｋ Ｍ． Ａｕｓｕｂｕｌ）ら編、１９９５に記載されている。本発明の好ましい態様において、診断的および治療的複合体は、主に細胞表面に結合する２０Ｐ１Ｆ１２／ＴＭＰＲＳＳ２エピトープを認識する抗体に結合されている。
【００７９】
本発明の抗体の典型的特定的態様は、下の実施例５に記載されている。実施例５に論議されているように、本明細書に記載される方法を用いて、１Ｆ９（ＩｇＧ１， Ｋ）、２Ｄ１０（ＩｇＧ１， Ｋ）、２Ｆ８（ＩｇＧ１， Ｋ）、６Ｂ１１（ＩｇＧ１， Ｋ）、３Ｇ３（ＩｇＧ， Ｋ）、８Ｃ６（ＩｇＧ１， Ｋ）および９Ｇ８（ＩｇＧ２ａ， Ｋ）と名付けられるモノクローナル抗体を産生するハイブリドーマが作製される。それゆえ、本発明の特定的抗体態様は、エピトープ結合部位が、ＡＴＣＣアクセッション番号：　のハイブリドーマそれぞれにより産生されるモノクローナル抗体１Ｆ９、２Ｄ１０、２Ｆ８、６Ｂ１１、３Ｇ３、８Ｃ６および／または９Ｇ８のエピトープ結合の本質的にすべてを競合的に阻害するモノクローナル抗体を含む。本発明の関連する特定的態様は、診断的または治療的薬剤に連結された１Ｆ９、２Ｄ１０、２Ｆ８、６Ｂ１１、３Ｇ３、８Ｃ６および／または９Ｇ８モノクローナル抗体（それぞれＡＴＣＣアクセッション番号：　）の抗原結合部位を含有する分子を含む免疫複合体を含む。
【００８０】
１Ｆ９、２Ｄ１０、２Ｆ８、６Ｂ１１、３Ｇ３、８Ｃ６および９Ｇ８と名付けられるモノクローナル抗体を利用する本発明のさらなる具体的態様は、哺乳動物からの試料にある２０Ｐ１Ｆ１２／ＴＭＰＲＳＳ２エピトープの存在を測定することによる癌のような無制御な細胞増殖を検出するための方法を含み、その方法は、試料中に存在する２０Ｐ１Ｆ１２／ＴＭＰＲＳＳ２エピトープと反応するモノクローナル抗体を使用することを含み、その抗体は２０Ｐ１Ｆ１２／ＴＭＰＲＳＳ２エピトープに免疫学的に結合することを特徴とし、該抗体は、１Ｆ９、２Ｄ１０、２Ｆ８、６Ｂ１１、３Ｇ３、８Ｃ６および／または９Ｇ８と名付けられかつそれぞれＡＴＣＣアクセッション番号：　からなる群より選択されるハイブリドーマにより産生される抗体の、その標的抗原への免疫特異的な結合を競合的に阻害する抗原結合部位を有する。１Ｆ９、２Ｄ１０、２Ｆ８、６Ｂ１１、３Ｇ３、８Ｃ６および９Ｇ８と名付けられるモノクローナル抗体を利用する本発明の他の特定的態様は、癌のような無制御な細胞増殖の進行を抑制するための方法を含み、その方法は、癌の進行が抑制されるように、モノクローナル抗体または抗原結合性断片に２０Ｐ１Ｆ１２／ＴＭＰＲＳＳ２エピトープを接触させることを含み、該モノクローナル抗体または抗原結合性断片は、ハイブリドーマＡＴＣＣアクセッション番号：　それぞれにより産生されるマウスモノクローナル抗体１Ｆ９、２Ｄ１０、２Ｆ８、６Ｂ１１、３Ｇ３、８Ｃ６および／または９Ｇ８の抗原結合部位を有する。
【００８１】
１Ｆ９、２Ｄ１０、２Ｆ８、６Ｂ１１、３Ｇ３、８Ｃ６および９Ｇ８と名付けられるモノクローナル抗体を利用する本発明のさらなる具体的態様は、生体試料において癌のような無制御な細胞増殖の存在を測定するための方法を含み、その方法は、モノクローナル抗体または抗原結合性断片がハイブリドーマＡＴＣＣアクセッション番号：　それぞれにより産生されるマウスモノクローナル抗体１Ｆ９、２Ｄ１０、２Ｆ８、６Ｂ１１、３Ｇ３、８Ｃ６および／または９Ｇ８の抗原結合部位を有する、２０Ｐ１Ｆ１２／ＴＭＰＲＳＳ２エピトープに特異的に結合するモノクローナル抗体またはそれの抗原結合性断片に該試料の検体を接触させること、および該抗体または断片の該生体試料への結合を検出することを含む。
【００８２】
下記に詳細に論議されているように、１Ｆ９、２Ｄ１０、２Ｆ８、６Ｂ１１、３Ｇ３、８Ｃ６および９Ｇ８と名付けられるモノクローナル抗体を利用する本発明の追加の特定的態様は、生体試料において癌のような無制御な細胞増殖を抑制するための方法を含み、その方法は、モノクローナル抗体または抗原結合性断片がハイブリドーマＡＴＣＣ番号：　それぞれにより産生されるマウスモノクローナル抗体１Ｆ９、２Ｄ１０、２Ｆ８、６Ｂ１１、３Ｇ３、８Ｃ６および／または９Ｇ８の抗原結合部位を有する、２０Ｐ１Ｆ１２／ＴＭＰＲＳＳ２エピトープに特異的に結合するモノクローナル抗体またはそれの抗原結合性断片に該試料の検体を無制御な細胞増殖が抑制されるように接触させることを含む。
【００８３】
図７Ｂおよび図３３に示されるデータは、２０Ｐ１Ｆ１２／ＴＭＰＲＳＳ２が正常な腎臓組織において発現されるが、たいていの腎臓癌組織においては、下方制御されるまたはより低いレベルで発現されることを示す。図３３に示される実験での一つの例では、腎臓癌における発現は、正常組織と比較して上方制御されている。このように、２０Ｐ１Ｆ１２／ＴＭＰＲＳＳ２の下方制御は、患者が腎臓癌を発生させやすい可能性がある。従って、腎臓癌の治療についての治療学的方法は、腎臓癌である患者に２０Ｐ１Ｆ１２／ＴＭＰＲＳＳ２またはそれの機能的断片を投与すること、または２０Ｐ１Ｆ１２／ＴＭＰＲＳＳ２を発現する遺伝子構築物で癌性細胞を形質移入すること（例えば、当業者に公知のウイルスもしくはリポソーム送達または他の送達方法による、遺伝子治療）を含む。
【００８４】
本発明のさらに別の例示としての治療的および診断的方法は、下記に提供されている。これらの方法は、単に、本明細書に記載される本発明の典型的態様を示すものであり、いずれの点においても本発明を限定しない。
【００８５】
例示としての本発明の治療的方法
２０Ｐ１Ｆ１２／ＴＭＰＲＳＳ２タンパク質は、分泌された形および細胞表面に結合した形の両方において見出されうるセリンプロテアーゼであり、前立腺癌、膀胱癌、卵巣癌、肺癌、大腸癌、および他の癌の浸潤および転移に関与している可能性がある。従って、２０Ｐ１Ｆ１２／ＴＭＰＲＳＳ２は、治療的処置にとっての理想的標的でありうる。本明細書で言及されているように、２０Ｐ１Ｆ１２／ＴＭＰＲＳＳ２は、分泌性種および膜結合性種を含む、様々な形または種で生じることが見出される。その分泌性プロテアーゼ種は、例えば、可能性のある薬剤および抗体標的であり、一方、膜結合性種は、例えば、治療的抗体標的である。それゆえ、本発明は、２０Ｐ１Ｆ１２／ＴＭＰＲＳＳ２に対応するポリヌクレオチドおよびポリペプチドならびに抗２０Ｐ１Ｆ１２／ＴＭＰＲＳＳ２抗体を利用する、抗体治療、インビボのワクチン、およびエクスビボの免疫治療的方法を含む、前立腺癌、大腸癌、膀胱癌、肺癌、および卵巣癌ならびに転移性癌を治療するための様々な免疫治療的組成物および方法を提供する。この事において本発明の典型的態様は、腫瘍性細胞の増殖が抑制されるように、有効量の抗２０Ｐ１Ｆ１２／ＴＭＰＲＳＳ２抗体に、腫瘍性細胞により発現された２０Ｐ１Ｆ１２／ＴＭＰＲＳＳ２を接触させることを含む、２０Ｐ１Ｆ１２／ＴＭＰＲＳＳ２を発現する腫瘍性細胞の増殖を抑制することの方法からなる。
【００８６】
一つの方法において、抗２０Ｐ１Ｆ１２／ＴＭＰＲＳＳ２抗体は、前立腺癌、膀胱癌、卵巣癌、肺癌および大腸癌ならびに転移性癌のような癌を治療するために使用されうる。例えば、抗２０Ｐ１Ｆ１２／ＴＭＰＲＳＳ２抗体は、患者へ導入され、その抗体が遊離の２０Ｐ１Ｆ１２／ＴＭＰＲＳＳ２に結合してその生物学的活性を調節し、それにより腫瘍の浸潤の抑制へと導きうる。または、抗２０Ｐ１Ｆ１２／ＴＭＰＲＳＳ２抗体は、患者へ導入され、その抗体が前立腺癌細胞、膀胱癌細胞、卵巣癌細胞、肺癌細胞もしくは大腸癌細胞または転移性癌細胞の２０Ｐ１Ｆ１２／ＴＭＰＲＳＳ２に結合して、細胞および腫瘍の破壊を媒介しうる。治療的作用機構は、補体媒介型細胞溶解、抗体依存性細胞障害、２０Ｐ１Ｆ１２／ＴＭＰＲＳＳ２の生理的機能を変化させること、および／またはリガンド結合もしくはシグナル伝達の経路の阻害を含んでいる可能性がある。リシンのような毒性剤、または治療的薬剤に抱合された抗２０Ｐ１Ｆ１２／ＴＭＰＲＳＳ２抗体はまた、その毒性剤または治療的薬剤を直接的に２０Ｐ１Ｆ１２／ＴＭＰＲＳＳ２を有する腫瘍細胞へ送達し、それにより腫瘍を破壊するために、治療的に使用されうる。
【００８７】
抗２０Ｐ１Ｆ１２／ＴＭＰＲＳＳ２抗体を使用する癌の免疫治療は、限定されるものではないが、大腸癌（Ａｒｌｅｎら、１９９８、Ｃｒｉｔ Ｒｅｖ Ｉｍｍｕｎｏｌ １８：１３３〜１３８）、多発性骨髄腫（Ｏｚａｋｉら、１９９７、Ｂｌｏｏｄ ９０：３１７９〜３１８６； Ｔｓｕｎｅｎａｒｉら、１９９７、Ｂｌｏｏｄ ９０：２４３７〜２４４４）、胃癌（Ｋａｓｐｒｚｙｋら、１９９２、Ｃａｎｃｅｒ Ｒｅｓ ５２：２７７１〜２７７６）、Ｂ細胞リンパ腫（Ｆｕｎａｋｏｓｈｉら、１９９６、Ｊ Ｉｍｍｕｎｔｈｅｒ Ｅｍｐｈａｓｉｓ Ｔｕｍｏｒ Ｉｍｍｕｎｏｌ １９：９３〜１０１）、白血病（Ｚｈｏｎｇら、１９９６、Ｌｅｕｋ Ｒｅｓ ２０：５８１〜５８９）、結腸直腸癌（Ｍｏｕｎら、１９９４、Ｃａｎｃｅｒ Ｒｅｓ ５４：６１６０〜６１６６； Ｖｅｌｄｅｒｓら、１９９５、Ｃａｎｃｅｒ Ｒｅｓ ５５：４３９８〜４４０３）、および乳癌（Ｓｈｅｐａｒｄら、１９９１、Ｊ Ｃｌｉｎ Ｉｍｍｕｎｏｌ １１：１１７〜１２７）を含む、癌の他の型に関して首尾よく用いられた様々な方法から得られる教えにしたがってもよい。
【００８８】
２０Ｐ１Ｆ１２／ＴＭＰＲＳＳ２抗体は、患者に導入されて、その抗体が癌細胞の２０Ｐ１Ｆ１２／ＴＭＰＲＳＳ２に結合し、細胞および腫瘍の破壊を媒介するならびに／または細胞および腫瘍の増殖を抑制しうる。そのような抗体が治療的効果を発揮する機構は、補体媒介型細胞溶解、抗体依存性細胞障害、２０Ｐ１Ｆ１２／ＴＭＰＲＳＳ２の生理的機能を調節すること、リガンド結合もしくはシグナル伝達の経路を阻害すること、腫瘍細胞分化を調節すること、腫瘍の血管形成誘導因子の性質を変化させること、および／またはアポトーシスを誘導することによることを含んでいる可能性がある。毒性剤または治療的薬剤に抱合された２０Ｐ１Ｆ１２／ＴＭＰＲＳＳ２抗体はまた、その毒性剤または治療的薬剤を直接的に２０Ｐ１Ｆ１２／ＴＭＰＲＳＳ２を有する腫瘍細胞へ送達するために治療的に使用されうる。
【００８９】
２０Ｐ１Ｆ１２／ＴＭＰＲＳＳ２抗体治療は、前述の癌のあらゆる時期にとって有用でありうるが、抗体治療は、特に、進行型もしくは転移性の前立腺癌、膀胱癌、卵巣癌、肺癌および大腸癌、ならびに／または他の転移性癌において適しうる。本発明の抗体治療での処置は、１つまたは複数の化学療法的処置を受けた患者に対して必要とされうるが、本発明の抗体治療法を化学療法またはホルモン療法と組み合わすことは、化学療法的処置を受け入れなかった患者において好ましいものとなりうる。さらに、抗体治療はまた、特に化学療法剤の毒性に対して十分に耐えられない患者において、併用のホルモンまたは化学療法の減らした投与量での使用を可能にしうる。
【００９０】
患者が２０Ｐ１Ｆ１２／ＴＭＰＲＳＳ２の存在およびレベルを評価されることは、望ましい場合があり、好ましくは、腫瘍組織の免疫組織化学的評価、定量的２０Ｐ１Ｆ１２／ＴＭＰＲＳＳ２画像診断、または発現の存在および程度を確実に示すことができる他の技術を用いる。腫瘍生検または外科的検体の免疫組織化学的分析は、この目的にとって好ましいものとなりうる。腫瘍組織の免疫組織化学的分析の方法は当技術分野においてよく知られている。
【００９１】
前立腺癌、膀胱癌、卵巣癌、肺癌および大腸癌ならびに他の癌を治療するにおいて有用な抗２０Ｐ１Ｆ１２／ＴＭＰＲＳＳ２抗体は、腫瘍に対して強力な免疫応答を惹起することができるもの、および直接的細胞障害性の能力があるものを含む。この点において、実施例５で論議されているもののような抗２０Ｐ１Ｆ１２／ＴＭＰＲＳＳ２モノクローナル抗体は、補体媒介型または抗体依存性細胞障害（ＡＤＣＣ）機構のいずれかにより腫瘍細胞溶解を誘発することができ、その機構のどちらも、効果細胞Ｆｃ受容体部位または補体タンパク質との相互作用のために免疫グロブリン分子の無傷のＦｃ部分を必要とする。さらに、腫瘍増殖に直接的生物学的効果を発揮する抗２０Ｐ１Ｆ１２／ＴＭＰＲＳＳ２モノクローナル抗体は、本発明の実施において有用である。そのような直接的細胞障害性モノクローナル抗体が作用する可能性のある機構は、細胞増殖の抑制、細胞分化の調節、腫瘍の血管形成誘導因子の性質の調節、およびアポトーシスの誘導を含む。特定の抗２０Ｐ１Ｆ１２／ＴＭＰＲＳＳ２モノクローナル抗体が抗腫瘍効果を発揮する機構は、当技術分野において一般的に知られているが、増殖抑制、アポトーシスの調節および分化の抑制、ならびに／または血管形成誘導の阻害と同様に、ＡＤＣＣおよび補体媒介型細胞溶解を決定するために設計されたインビトロのアッセイ法のいくつかを用いて評価されうる。
【００９２】
１Ｆ９、２Ｄ１０、２Ｆ８、６Ｂ１１、３Ｇ３、８Ｃ６および９Ｇ８のような抗体が前立腺癌、膀胱癌、卵巣癌、肺癌および大腸癌ならびに転移性癌のような癌の進行を抑制する、さらに別の可能性のある機構は、例えば、前立腺癌および大腸癌に罹っている個体の血清に見出される３２ ｋＤの２０Ｐ１Ｆ１２／ＴＭＰＲＳＳ２種のプロテアーゼ活性を調節することによる（例えば、図２３および図２５を参照）。２０Ｐ１Ｆ１２／ＴＭＰＲＳＳ２の分泌型が前立腺癌および大腸癌に罹っている個体の血清において見出されるという発見は、この分子を細胞外治療学が標的とすることができるという証拠を提供している。この事において、発癌過程に関与するプロテアーゼ機能を阻害する抗体の使用が、転移のような発癌過程を阻害することが示された（例えば、Ｍｕｅｌｌｅｒら、Ｐ． Ｎ． Ａ． Ｓ． ８９（２４）：１１８３２〜１１８３６（１９９２）； Ｗａｈｇｒａｙら、Ｃｌｉｎ． Ｃａｎｃｅｒ Ｒｅｓ． １（７）：７４７〜７５３（１９９５）を参照）。抗体に加えて、プロテアーゼ活性を調節する低分子もまた、発癌過程の進行を抑制することができ、例えば、様々な癌をもつ患者における抗転移治療として有用でありうる（例えば、ＭｃＭｉｌｌａｎら、Ｉｎｔ． Ｊ． Ｃａｎｃｅｒ ６７（４）：５２３〜５３１（１９９６）； Ｍｏｒｉｋａｗａら、Ｎｉｐｐｏｎ Ｉｋａ Ｄａｉｇａｋｕ Ｚａｓｓｈｉ ６２（４）：３２０〜３２８（１９９５）を参照）。プロテアーゼ阻害剤の合理的設計は、当技術分野において公知である（例えば、Ｗａｇｎｅｒら、Ｊ． Ｍｅｄ． Ｃｈｅｍ． ４１（１９）：３６６４〜３６７４（１９９８）； ＬａＬｏｎｄｅら、Ｊ． Ｍｅｄ． Ｃｈｅｍ． ４１（２３）：４５６７〜４５７６（１９９８）を参照）。さらに、観察される自己触媒的切断（下記の実施例１０を参照）は、２０Ｐ１Ｆ１２／ＴＭＰＲＳＳ２活性を阻害する低分子を同定するために利用されうる。特に、切断の阻害を明確に探すために、細胞を低分子阻害剤の存在または非存在において増殖させてもよい。さらに、２０Ｐ１Ｆ１２／ＴＭＰＲＳＳ２と相互作用しうる分子の同定は、下記に詳細に論議されている。
【００９３】
特定の抗２０Ｐ１Ｆ１２／ＴＭＰＲＳＳ２抗体、低分子、またはそのような分子の組合わせの抗腫瘍活性は、適する動物モデルを用いてインビボで評価されうる。例えば、ヒト前立腺癌外植片または継代異種移植組織がヌードマウスまたはＳＣＩＤマウスのような免疫易感染性動物へ導入される異種間の前立腺癌モデルは、前立腺癌の関連において適当であり、記載されている（Ｋｅｉｎら、１９９７、Ｎａｔｕｒｅ Ｍｅｄｉｃｉｎｅ ３：４０２〜４０８）。例えば、１９９８年４月２３日公開のＰＣＴ特許出願国際公開公報第９８／１６６２８号、ソーヤーズ（Ｓａｗｙｅｒｓ）らには、原発腫瘍の発生、微小転移、および末期の疾患に特有な造骨細胞転移の形成を反復することができるヒト前立腺癌の様々な異種移植モデルを記載している。効力は、腫瘍形成の抑制、腫瘍退縮、転移などを用いて予測されうる。
【００９４】
マウスまたは他の非ヒトのモノクローナル抗体、ヒト／マウスのキメラのモノクローナル抗体の使用は、いくらかの患者において中位から強度の免疫応答を誘導する可能性があることは留意されるべきである。最も重篤な場合では、そのような免疫応答は、腎機能不全を引き起こす可能性がある免疫複合体の広範な形成へ導きうる。従って、本発明の治療方法の実施において使用される好ましいモノクローナル抗体は、完全なヒト型またはヒト化のいずれかであり、かつ高親和性で標的２０Ｐ１Ｆ１２／ＴＭＰＲＳＳ２抗原に特異的に結合するが、患者において低抗原性であるまたは抗原性を示さないものである。
【００９５】
本発明の方法は、異なるモノクローナル抗体の組合わせ、つまり「カクテル」と同様に、単一の抗２０Ｐ１Ｆ１２／ＴＭＰＲＳＳ２モノクローナル抗体の投与を企図している。そのようなモノクローナル抗体カクテルは、異なるエピトープ特異性、異なるエフェクター機構を活用する、または免疫エフェクター機能性に頼るモノクローナル抗体と細胞障害性モノクローナル抗体を直接的に結合するモノクローナル抗体を含むことから、確かな利点を有しうる。そのような組合わせのモノクローナル抗体は、相乗的な治療効果を示しうる。さらに、抗２０Ｐ１Ｆ１２／ＴＭＰＲＳＳ２モノクローナル抗体の投与は、限定されるものではないが、様々な化学療法剤、アンドロゲン−ブロッカー、および免疫モジュレーター（例えば、ＩＬ−２、ＧＭ−ＣＳＦ）を含む、他の治療薬剤または放射線療法と併用されてもよい。抗２０Ｐ１Ｆ１２／ＴＭＰＲＳＳ２モノクローナル抗体は、「裸の（ｎａｋｅｄ）」型もしくは非抱合型で投与されてもよい、またはそれらに抱合された治療的薬剤もしくは毒性剤を有してもよい。
【００９６】
本発明の方法の実施において使用される抗２０Ｐ１Ｆ１２／ＴＭＰＲＳＳ２モノクローナル抗体は、所望の送達方法に適した担体を含む薬学的組成物へ処方されてもよい。適する担体は、抗２０Ｐ１Ｆ１２／ＴＭＰＲＳＳ２モノクローナル抗体と組み合わされた場合、その抗体の特異性および抗腫瘍機能を維持し、かつその対象の免疫系に反応しない任意の物質を含む。例には、限定されるものではないが、無菌のリン酸緩衝生理食塩水溶液、静菌性水などのような多数の標準的な薬学的担体のいずれかを含む。
【００９７】
抗２０Ｐ１Ｆ１２／ＴＭＰＲＳＳ２抗体製剤は、抗体を腫瘍部位へ送達することができる任意の経路により投与されうる。可能性がある効果的な投与経路は、限定されるものではないが、静脈内、腹腔内、筋肉内、腫瘍内、皮内などを含む。好ましい投与経路は静脈内注射による。静脈内注射のために好ましい処方は、保存静菌性水、滅菌非保存水の溶液中、および／または０．９ ％注射用無菌塩化ナトリウム、ＵＳＰを含有するポリ塩化ビニルもしくはポリエチレンバッグ中に希釈された抗２０Ｐ１Ｆ１２／ＴＭＰＲＳＳ２モノクローナル抗体を含む。抗２０Ｐ１Ｆ１２／ＴＭＰＲＳＳ２モノクローナル抗体調製は、凍結乾燥されて、好ましくは真空下で、無菌粉末として保存され、かつその後、例えばベンジルアルコール保存剤を含む静菌性水中、または注射前に滅菌水中で元に戻しうる。
【００９８】
治療は、一般的に、静脈内注射（ＩＶ）のような条件にあった投与経路による抗２０Ｐ１Ｆ１２／ＴＭＰＲＳＳ２抗体調製の、典型的には、約０．１ ｍｇ／ｋｇ体重〜約１０ ｍｇ／ｋｇ体重の範囲での投与量での、頻回の投与を含むものと思われる。週あたり１０ ｍｇ〜５００ ｍｇのモノクローナル抗体の範囲での投与量は、効果的かつ十分に許容されうる。転移性乳癌の治療におけるハーセプチン（Ｈｅｒｃｅｐｔｉｎ）モノクローナル抗体での臨床的経験に基づき、抗２０Ｐ１Ｆ１２／ＴＭＰＲＳＳ２モノクローナル抗体調製の約４ ｍｇ／ｋｇ患者体重ＩＶの初回負荷投与量、続いて毎週約２ ｍｇ／ｋｇ ＩＶの投与量が、許容できる投与計画を代表しうる。好ましくは、初回負荷投与量は、９０分またはそれ以上長い注入として投与される。定期的維持量は、その初回投与量が十分耐えられたという条件で、３０分またはそれ以上長い注入として投与されうる。しかしながら、当業者は理解しているだろうが、特別な場合において、様々な因子が理想的投与計画に影響を及ぼすものと思われる。そのような因子は、例えば、モノクローナル抗体の結合親和性および半減期、患者における２０Ｐ１Ｆ１２／ＴＭＰＲＳＳ２過剰発現の程度、循環脱落２０Ｐ１Ｆ１２／ＴＭＰＲＳＳ２抗原の範囲、所望の定常状態の抗体濃度レベル、治療頻度、および本発明の治療方法と組み合わせて使用される化学療法剤の影響を含む可能性がある。
【００９９】
最適には、最も効果的な投与計画および関連因子の決定に援助するために、患者は、血清中の循環脱落２０Ｐ１Ｆ１２／ＴＭＰＲＳＳ２抗原のレベルについて評価されるべきである。そのような評価はまた、治療を通してのモニタリング目的のために使用されうり、他のパラメーター（前立腺癌治療における血清ＰＳＡレベルのような）を評価することと合わせて、治療的成功度を測るために有用でありうる。
【０１００】
本発明はさらに、２０Ｐ１Ｆ１２／ＴＭＰＲＳＳ２タンパク質またはそれの断片を含む癌ワクチンを提供する。抗癌治療における用途として体液性および細胞性免疫を起こすためのワクチンにおいての腫瘍抗原の使用は、当技術分野においてよく知られており、ヒトＰＳＭＡおよび齧歯類ＰＡＰ免疫原を使用して、前立腺癌において用いられた（Ｈｏｄｇｅら、１９９５、Ｉｎｔ． Ｊ． Ｃａｎｃｅｒ ６３：２３１〜２３７； Ｆｏｎｇら、１９９７、Ｊ． Ｉｍｍｕｎｏｌ． １５９：３１１３〜３１１７）。そのような方法は、２０Ｐ１Ｆ１２／ＴＭＰＲＳＳ２タンパク質もしくはそれの断片、または２０Ｐ１Ｆ１２／ＴＭＰＲＳＳ２免疫原を発現かつ適切に提示することができる２０Ｐ１Ｆ１２／ＴＭＰＲＳＳ２コード核酸分子および組換えベクターを使用することにより、容易に実施されうる。この事において、特定のドメイン（３２ ｋＤの分泌性２０Ｐ１Ｆ１２／ＴＭＰＲＳＳ２種におけるプロテアーゼドメインのような）または上記で論議されている生物学的モチーフの一つをターゲットとするものを含む、様々な２０Ｐ１Ｆ１２／ＴＭＰＲＳＳ２ポリペプチドを免疫原として使用することができる。実施例５および表２に示されるように、２０Ｐ１Ｆ１２／ＴＭＰＲＳＳ２免疫原は、様々な２０Ｐ１Ｆ１２／ＴＭＰＲＳＳ２エピトープに対する免疫応答を起こすことができる。
【０１０１】
ウイルスの遺伝子送達系は、２０Ｐ１Ｆ１２／ＴＭＰＲＳＳ２コード核酸分子を送達するために使用されうる。本発明のこの局面の実施において使用されうる様々なウイルスの遺伝子送達系は、限定されるものではないが、ワクシニア、ニワトリポックス、カナリアポックス、アデノウイルス、インフルエンザ、ポリオウイルス、アデノ関連ウイルス、レンチウイルス、およびシンドビスウイルスを含む（Ｒｅｓｔｉｆｏ、１９９６、Ｃｕｒｒ． Ｏｐｉｎ． Ｉｍｍｕｎｏｌ． ８：６５８〜６６３）。非ウイルスの送達系もまた、抗腫瘍応答を引き起こすために患者へ導入される（例えば、筋肉内に）、２０Ｐ１Ｆ１２／ＴＭＰＲＳＳ２タンパク質またはそれの断片をコードする裸のＤＮＡを使用することにより用いられうる。一つの態様において、完全長ヒト２０Ｐ１Ｆ１２／ＴＭＰＲＳＳ２ ｃＤＮＡが使用されうる。もう一つの態様において、特定の細胞障害性Ｔリンパ球（ＣＴＬ）エピトープをコードする２０Ｐ１Ｆ１２／ＴＭＰＲＳＳ２核酸分子が使用されうる。ＣＴＬエピトープは、特定化されたＨＬＡ対立遺伝子に最適に結合することができる２０Ｐ１Ｆ１２／ＴＭＰＲＳＳ２タンパク質の範囲内のペプチドを同定するための特定のアルゴリズム（例えば、エピマー（Ｅｐｍｉｅｒ）、ブラウン大学（Ｂｒｏｗｎ Ｕｎｉｖｅｒｓｉｔｙ））を用いて決定が可能である。
【０１０２】
様々なエクスビボでのストラテジーもまた、使用されうる。一つの方法は、患者の免疫系に対して２０Ｐ１Ｆ１２／ＴＭＰＲＳＳ２抗原を提示する樹状細胞の使用を含む。樹状細胞は、ＭＨＣクラスＩおよびクラスＩＩ、Ｂ７補助刺激物質、ならびにＩＬ−１２を発現し、このように、高特定化抗原提示細胞である。前立腺癌において、前立腺特異的膜抗原（ＰＳＭＡ）のペプチドでパルスされた自己樹状細胞は、前立腺癌患者の免疫系を刺激するためにフェーズＩ臨床試験において使用されるものである（Ｔｊｏａら、１９９６、Ｐｒｏｓｔａｔｅ ２８：６５〜６９； Ｍｕｒｐｈｙら、１９９６、Ｐｒｏｓｔａｔｅ ２９：３７１〜３８０）。樹状細胞は、ＭＨＣクラスＩおよびクラスＩＩ分子の関係において、Ｔ細胞に２０Ｐ１Ｆ１２／ＴＭＰＲＳＳ２ペプチドを提示するために使用されうる。一つの態様において、自己樹状細胞は、ＭＨＣ分子に結合することができる２０Ｐ１Ｆ１２／ＴＭＰＲＳＳ２ペプチドでパルスされる。もう一つの態様において、樹状細胞は、完全２０Ｐ１Ｆ１２／ＴＭＰＲＳＳ２タンパク質でパルスされる。さらにもう一つの態様は、アデノウイルス（Ａｒｔｈｕｒら、１９９７、Ｃａｎｃｅｒ Ｇｅｎｅ Ｔｈｅｒ． ４：１７〜２５）、レトロウイルス（Ｈｅｎｄｅｒｓｏｎら、１９９６、Ｃａｎｃｅｒ Ｒｅｓ． ５６：３７６３〜３７７０）、レンチウイルス、アデノ関連ウイルス、ＤＮＡトランスフェクション（Ｒｉｂａｓら、１９９７、Ｃａｎｃｅｒ Ｒｅｓ． ５７：２８６５〜２８６９）、および腫瘍由来ＲＮＡトランスフェクション（Ａｓｈｌｅｙら、１９９７、Ｊ． Ｅｘｐ． Ｍｅｄ． １８６：１１７７〜１１８２）のような、当技術分野において公知の様々な実行ベクターを用いて、樹状細胞において２０Ｐ１Ｆ１２／ＴＭＰＲＳＳ２遺伝子の過剰発現を操作することを含む。
【０１０３】
抗−イディオタイプ抗−２０Ｐ１Ｆ１２／ＴＭＰＲＳＳ２抗体もまた、２０Ｐ１Ｆ１２／ＴＭＰＲＳＳ２タンパク質を発現する細胞に免疫応答を誘導するためのワクチンとして抗癌治療において使用されうる。特に、抗イディオタイプ抗体の産生は、当技術分野においてよく知られており、２０Ｐ１Ｆ１２／ＴＭＰＲＳＳ２タンパク質上のエピトープを模倣する抗−イディオタイプ抗−２０Ｐ１Ｆ１２／ＴＭＰＲＳＳ２抗体を産生するために容易に適合されうる（例えば、Ｗａｇｎｅｒら、１９９７、Ｈｙｂｒｉｄｏｍａ １６：３３〜４０； Ｆｏｏｎら、１９９５、Ｊ Ｃｌｉｎ Ｉｎｖｅｓｔ ９６：３３４〜３４２； Ｈｅｒｌｙｎら、１９９６、Ｃａｎｃｅｒ Ｉｍｍｕｎｏｌ Ｉｍｍｕｎｏｔｈｅｒ ４３：６５〜７６を参照）。そのような抗イディオタイプ抗体は、腫瘍抗原に対して向けられる他の抗イディオタイプ抗体で現在実施されているように、抗イディオタイプ治療において使用されうる。
【０１０４】
遺伝子免疫方法は、２０Ｐ１Ｆ１２／ＴＭＰＲＳＳ２を発現する癌細胞、特に、前立腺癌細胞、膀胱癌細胞、卵巣癌細胞、肺癌細胞および大腸癌細胞ならびに転移性癌細胞に対して向けられる予防的または治療的な体液性および細胞性免疫応答を起こすために使用されうる。２０Ｐ１Ｆ１２／ＴＭＰＲＳＳ２タンパク質／免疫原をコードするＤＮＡおよび適切な制御配列を含む構築物は、個体の筋肉または皮膚へ直接的に注射され、筋肉または皮膚の細胞がその構築物を取り上げてコードされる２０Ｐ１Ｆ１２／ＴＭＰＲＳＳ２タンパク質／免疫原を発現しうる。２０Ｐ１Ｆ１２／ＴＭＰＲＳＳ２タンパク質／免疫原は、細胞表面タンパク質として発現されるまたは分泌されうる。２０Ｐ１Ｆ１２／ＴＭＰＲＳＳ２タンパク質／免疫原の発現は、結果として、前立腺癌、膀胱癌、卵巣癌、肺癌および大腸癌ならびに転移性癌に対する予防的または治療的な体液性および細胞性免疫の誘発を生じる。当技術分野において公知の様々な予防的および治療的遺伝子免疫技術が使用されうる（概説として、インターネットアドレスｗｗｗ．ｇｅｎｗｅｂ．ｃｏｍで公開される情報および文献を参照）。
【０１０５】
本発明のこの局面の典型的態様は、２０Ｐ１Ｆ１２／ＴＭＰＲＳＳ２ポリペプチドの免疫原性部分および生理学的に許容される担体を含む、２０Ｐ１Ｆ１２／ＴＭＰＲＳＳ２を発現する癌の治療のためのワクチン組成物からなる。この発明の関連局面は、有効量のワクチンを患者に投与することを含む、患者において２０Ｐ１Ｆ１２／ＴＭＰＲＳＳ２を発現する細胞の増殖を調節することの方法からなる。
【０１０６】
本発明はさらに、２０Ｐ１Ｆ１２／ＴＭＰＲＳＳ２機能を阻害するための方法と同様に、２０Ｐ１Ｆ１２／ＴＭＰＲＳＳ２のそれの結合パートナーもしくはリガンドへの結合、またはそれの他のタンパク質との会合を阻害するための様々な方法および組成物を含む。一つの方法において、２０Ｐ１Ｆ１２／ＴＭＰＲＳＳ２に特異的に結合する単鎖抗体をコードする組換えベクターは、遺伝子導入技術により２０Ｐ１Ｆ１２／ＴＭＰＲＳＳ２発現細胞へ導入されうり、そのコードされる単鎖抗２０Ｐ１Ｆ１２／ＴＭＰＲＳＳ２抗体が細胞内で発現され、２０Ｐ１Ｆ１２／ＴＭＰＲＳＳ２タンパク質に結合し、かつそれによりその機能を阻害する。そのような細胞内単鎖抗体を操作する方法はよく知られている。「イントラボディ（ｉｎｔｒａｂｏｄｉｅｓ）」としても知られている、そのような細胞内抗体は、細胞内の特定の区画へ特異的にターゲットされうり、治療の抑制活性が集中されるような制御を与える。この技術は、当技術分野において首尾よく適用された（概説として、ＲｉｃｈａｒｄｓｏｎおよびＭａｒａｓｃｏ、１９９５、ＴＩＢＴＥＣＨ、１３巻を参照）。イントラボディは、その他に大量の細胞表面受容体の発現を事実上、排除することが示された。例えば、Ｒｉｃｈａｒｄｓｏｎら、１９９５、Ｐｒｏｃ． Ｎａｔｌ． Ａｃａｄ． Ｓｃｉ． ＵＳＡ ９２：３１３７〜３１４１； Ｂｅｅｒｌｉら、１９９４、Ｊ． Ｂｉｏｌ． Ｃｈｅｍ． ２８９：２３９３１〜２３９３６； Ｄｅｓｈａｎｅら、１９９４、Ｇｅｎｅ Ｔｈｅｒ． １：３３２〜３３７を参照。
【０１０７】
単鎖抗体は、屈曲性リンカーポリペプチドにより連結されている重鎖および軽鎖の可変ドメインを含み、単一ポリペプチドとして発現される。選択的には、単鎖抗体は、軽鎖定常部に連結されている単鎖可変部フラグメントとして発現されてもよい。よく知られている細胞内輸送シグナルは、発現されたイントラボディを所望の細胞内区画へ正確にターゲットするために、そのような単鎖抗体をコードする組換えポリヌクレオチドベクターへと操作されうる。例えば、小胞体（ＥＲ）へターゲットされるイントラボディは、リーダーペプチドおよび、選択的には、ＫＤＥＬアミノ酸モチーフのようなＣ末端ＥＲ保持シグナルを組み込むように操作されうる。核で活性を発揮することを意図されるイントラボディは、核局在化シグナルを含むように操作されうる。脂質部分は、イントラボディを原形質膜の細胞質ゾル側に繋ぎとめるために、イントラボディに連結されうる。イントラボディはまた、細胞質ゾル中で機能を発揮することも目標とされうる。例えば、細胞質ゾルのイントラボディは、細胞質ゾル内で因子を隔離するために使用されうり、それにより、それらが本来の細胞目的地へ輸送されるのを妨げる。
【０１０８】
一つの態様において、イントラボディは、核で２０Ｐ１Ｆ１２／ＴＭＰＲＳＳ２を捕獲するために使用されうり、それにより、核内でのそれの活性を妨げる。核ターゲティングシグナルは、所望のターゲティングを達成するために、そのような２０Ｐ１Ｆ１２／ＴＭＰＲＳＳ２イントラボディへと操作されうる。そのような２０Ｐ１Ｆ１２／ＴＭＰＲＳＳ２イントラボディは、特定の２０Ｐ１Ｆ１２／ＴＭＰＲＳＳ２ドメインへ特異的に結合するように設計されうる。もう一つの態様において、２０Ｐ１Ｆ１２／ＴＭＰＲＳＳ２タンパク質へ特異的に結合する細胞質ゲルのイントラボディは、２０Ｐ１Ｆ１２／ＴＭＰＲＳＳ２が核へ接近するのを妨げるために使用されうり、それにより、それが核内で任意の生物学的活性を発揮するのを妨げる（例えば、２０Ｐ１Ｆ１２／ＴＭＰＲＳＳ２が他の因子と転写複合体を形成するのを妨げること）。
【０１０９】
そのようなイントラボディの発現を特定の腫瘍細胞へ特異的に方向付けるために、イントラボディの転写は、適切な腫瘍特異的プロモーターおよび／またはエンハンサーの制御管理下へ置かれうる。イントラボディの発現を前立腺へ特異的にターゲットするために、例えば、ＰＳＡプロモーターおよび／またはプロモーター／エンハンサーが利用されうる（例えば、米国特許第５，９１９，６５２号を参照）。
【０１１０】
もう一つの方法において、２０Ｐ１Ｆ１２／ＴＭＰＲＳＳ２に結合して、それにより２０Ｐ１Ｆ１２／ＴＭＰＲＳＳ２がその結合パートナーに接近する／結合するまたは他のタンパク質と会合するのを妨げることができる組換え分子は、２０Ｐ１Ｆ１２／ＴＭＰＲＳＳ２機能を阻害するために使用される。そのような組換え分子は、例えば、２０Ｐ１Ｆ１２／ＴＭＰＲＳＳ２特異的抗体分子の反応性部分を含みうる。特別な態様において、２０Ｐ１Ｆ１２／ＴＭＰＲＳＳ２結合パートナーの２０Ｐ１Ｆ１２／ＴＭＰＲＳＳ２結合ドメインは、ヒトＩｇＧ１のような、ヒトＩｇＧのＦｃ部分に連結される２つの２０Ｐ１Ｆ１２／ＴＭＰＲＳＳ２リガンド結合ドメインを含む二量体の融合タンパク質へと操作されうる。そのようなＩｇＧ部分は、例えば、ＣＨ２およびＣＨ３ドメインならびにヒンジ部を含みうるが、ＣＨ１ドメインは含まない。そのような二量体融合タンパク質は、限定されるものではないが、前立腺癌、膀胱癌、卵巣癌、肺癌および大腸癌、ならびに転移性癌を含む、２０Ｐ１Ｆ１２／ＴＭＰＲＳＳ２の発現に関連する癌に罹っている患者へ可溶性の形で投与されうり、その二量体融合タンパク質は２０Ｐ１Ｆ１２／ＴＭＰＲＳＳ２へ特異的に結合し、それにより２０Ｐ１Ｆ１２／ＴＭＰＲＳＳ２の結合パートナーとの相互作用を妨害する。そのような二量体融合タンパク質は、さらに、公知の抗体連結技術を用いて、多量体タンパク質へと結合されうる。
【０１１１】
治療的方法のもう一つの部類内では、本発明は、２０Ｐ１Ｆ１２／ＴＭＰＲＳＳ２遺伝子の転写を阻害するための様々な方法および組成物を提供する。同様に、本発明はまた、２０Ｐ１Ｆ１２／ＴＭＰＲＳＳ２ ｍＲＮＡのタンパク質への翻訳を阻害するための方法および組成物を提供する。
【０１１２】
一つの方法において、２０Ｐ１Ｆ１２／ＴＭＰＲＳＳ２遺伝子の転写を阻害する方法は、実施例１４に示されるように、２０Ｐ１Ｆ１２／ＴＭＰＲＳＳ２遺伝子を２０Ｐ１Ｆ１２／ＴＭＰＲＳＳ２アンチセンスポリヌクレオチドに接触させることを含む。もう一つの方法において、２０Ｐ１Ｆ１２／ＴＭＰＲＳＳ２ ｍＲＮＡ翻訳を阻害する方法は、２０Ｐ１Ｆ１２／ＴＭＰＲＳＳ２ ｍＲＮＡをアンチセンスポリヌクレオチドに接触させることを含む。もう一つの方法において、２０Ｐ１Ｆ１２／ＴＭＰＲＳＳ２特異的リボザイムは、２０Ｐ１Ｆ１２／ＴＭＰＲＳＳ２メッセージを切断するために使用されうり、それにより翻訳を阻害する。そのようなアンチセンスおよびリボザイムに基づく方法はまた、２０Ｐ１Ｆ１２／ＴＭＰＲＳＳ２プロモーターおよび／またはエンハンサーエレメントのような、２０Ｐ１Ｆ１２／ＴＭＰＲＳＳ２遺伝子の制御領域へ向けられうる。同様に、２０Ｐ１Ｆ１２／ＴＭＰＲＳＳ２遺伝子転写因子を阻害することができるタンパク質は、２０Ｐ１Ｆ１２／ＴＭＰＲＳＳ２ ｍＲＮＡ転写を阻害するために使用されうる。前述の方法において有用な様々なポリヌクレオチドおよび組成物は、上に記載された。転写および翻訳を阻害するアンチセンスおよびリボザイム分子の使用は、当技術分野においてよく知られている。
【０１１３】
２０Ｐ１Ｆ１２／ＴＭＰＲＳＳ２転写活性化を妨害することを通して２０Ｐ１Ｆ１２／ＴＭＰＲＳＳ２の転写を阻害する他の因子はまた、２０Ｐ１Ｆ１２／ＴＭＰＲＳＳ２を発現する癌の治療にとって有用でありうる。同様に、２０Ｐ１Ｆ１２／ＴＭＰＲＳＳ２プロセシングを妨害することができる因子は、２０Ｐ１Ｆ１２／ＴＭＰＲＳＳ２を発現する癌の治療にとって有用でありうる。そのような因子を利用する癌治療方法はまた、本発明の範囲内である。
【０１１４】
遺伝子導入および遺伝子治療の技術は、治療的ポリヌクレオチド分子を２０Ｐ１Ｆ１２／ＴＭＰＲＳＳ２を合成する腫瘍細胞へ送達するために使用されうる（すなわち、アンチセンス、リボザイム、イントラボディをコードするポリヌクレオチドおよび他の２０Ｐ１Ｆ１２／ＴＭＰＲＳＳ２阻害性分子）。多数の遺伝子治療方法が当技術分野において知られている。２０Ｐ１Ｆ１２／ＴＭＰＲＳＳ２アンチセンスポリヌクレオチド、リボザイム、２０Ｐ１Ｆ１２／ＴＭＰＲＳＳ２転写を妨害することができる因子などをコードする組換えベクターは、そのような遺伝子治療方法を用いて、腫瘍細胞をターゲットするように送達されうる。
【０１１５】
上記治療的方法は、幅広く様々な化学療法または放射線治療のいずれか一つと併用されてもよい。これらの治療的方法はまた、化学療法の減らされた投与量および／またはより少ない投与回数での使用を、特に、化学療法剤の毒性に十分に耐えられない患者において、可能にしうる。
【０１１６】
特定の組成物（例えば、アンチセンス、リボザイム、イントラボディ）、またはそのような組成物の組合わせの抗腫瘍活性は、様々なインビトロおよびインビボのアッセイ系を用いて評価しうる。治療的可能性を評価するためのインビトロのアッセイ法は、細胞増殖アッセイ法、軟寒天アッセイ法、浸潤および血管形成誘導アッセイ法および腫瘍促進活性を指示する他のアッセイ法、治療的組成物が結合パートナーなどへの２０Ｐ１Ｆ１２／ＴＭＰＲＳＳ２の結合を阻害するであろうまでのその程度を測定することができる結合アッセイ法を含む。
【０１１７】
インビボでは、２０Ｐ１Ｆ１２／ＴＭＰＲＳＳ２治療的組成物の効果は、適する動物モデルにおいて評価されうる。例えば、ヒト前立腺癌外植片または継代異種移植組織がヌードマウスまたはＳＣＩＤマウスのような免疫易感染性動物へ導入される異種間の前立腺癌モデルは、前立腺癌の関連において適当であり、記載されている（Ｋｅｉｎら、１９９７、Ｎａｔｕｒｅ Ｍｅｄｉｃｉｎｅ ３：４０２〜４０８）。例えば、１９９８年４月２３日公開のＰＣＴ特許出願国際公開公報第９８／１６６２８号、ソーヤーズ（Ｓａｗｙｅｒｓ）らには、原発腫瘍の発生、微小転移、および末期の疾患に特有な造骨細胞転移の形成を反復することができるヒト前立腺癌の様々な異種移植モデルを記載している。効力は、腫瘍形成の抑制、腫瘍退縮または転移などを測定するアッセイ法を用いて予測されうる。下記の実施例も参照。
【０１１８】
アポトーシスの促進を認定するインビボのアッセイ法もまた、可能性のある治療的組成物を評価するにおいて有用でありうる。一つの態様において、その治療的組成物で処理された保有マウスからの異種移植片は、アポトーシスの病巣の存在を検査されて、未処理の対照の異種移植片保有マウスと比較されうる。アポトーシスの病巣が処理されたマウスの腫瘍において見出されるまでの程度が、その組成物の治療的効力を指示するものとなる。
【０１１９】
前記の方法の実施において使用される治療的組成物は、所望の送達方法に適した担体を含む薬学的組成物へ処方されてもよい。適する担体は、その治療的組成物と組み合わされた場合、その治療的組成物の抗腫瘍機能を維持し、かつ患者の免疫系に反応しない任意の物質を含む。例には、限定されるものではないが、無菌のリン酸緩衝生理食塩水溶液、静菌性水などのような多数の標準的な薬学的担体のいずれかを含む（一般的には、「レミントンの薬学（Ｒｅｍｉｎｇｔｏｎ’ｓ Ｐｈａｒｍａｃｅｕｔｉｃａｌ Ｓｃｉｅｎｃｅｓ）」、第１６版、Ａ． Ｏｓａｌ．編、１９８０を参照） 。
【０１２０】
治療的製剤は、可溶化され、治療的組成物を腫瘍側へ送達することができる任意の経路により投与されうる。可能性のある効果的な投与経路は、限定されるものではないが、静脈内、非経口、腹腔内、筋肉内、腫瘍内、皮内、器官内、同所になどを含む。静脈内注射のために好ましい処方は、保存静菌性水、滅菌非保存水の溶液中、および／または０．９ ％注射用無菌塩化ナトリウム、ＵＳＰを含有するポリ塩化ビニルもしくはポリエチレンバッグ中に希釈された治療的組成物を含む。治療的組成物調製は、凍結乾燥されて、好ましくは真空下で、無菌粉末として保存され、かつその後、例えばベンジルアルコール保存剤を含む静菌性水中、または注射前に滅菌水中で元に戻しうる。
【０１２１】
前記の方法を用いる癌治療についての投与量および投与プロトコールは、その方法および標的癌により変わってくるだろうし、かつ一般的に、当技術分野において認識されている多数の他の因子に依存するものと思われる。
【０１２２】
ペプチドモチーフおよびワクチン設計
２０Ｐ１Ｆ１２／ＴＭＰＲＳＳ２関連タンパク質の生物学的モチーフにおいてのような、「モチーフ」とは、タンパク質の一次配列のアミノ酸形成部分の任意のパターンを指し、特定の機能（例えば、タンパク質−タンパク質相互作用、タンパク質−ＤＮＡ相互作用など）もしくは修飾（例えば、それをリン酸化、グリコシル化またはアミド化する）に関連する、または局在化（例えば、分泌配列、核局在化配列など）もしくは体液性か細胞性かのいずれかの免疫原性であることに相互に関連する配列を指す。モチーフは、近接する、または一般的にある特定の機能もしくは性質に相互に関連している特定の位置に整列することができるかのいずれかでありうる。ＨＬＡモチーフ関連において、「モチーフ」は、限定された長さのペプチドにおける残基のパターンを指し、通常、クラスＩ ＨＬＡモチーフについて約８個から約１３個までのアミノ酸およびクラスＩＩ ＨＬＡモチーフについて約６個から約２５個までのアミノ酸のペプチドであり、特定のＨＬＡ分子により認識される。ＨＬＡ結合についてのペプチドモチーフは、各ヒトＨＬＡ対立遺伝子によりコードされる各タンパク質に対して典型的に異なり、第一および第二アンカー残基のパターンに違いがある。
【０１２３】
ＨＬＡ「第一アンカー残基」は、免疫原性ペプチドとＨＬＡ分子との間の接触点を提供すると理解されているペプチド配列に沿った特定の位置でのアミノ酸である。限定された長さのペプチド内の１個〜３個、通常２個の第一アンカー残基は、一般的に、免疫原性ペプチドについての「モチーフ」を限定する。これらの残基は、ＨＬＡ分子のペプチド結合性溝（ｇｒｏｏｖｅ）に密着してはまっているものと理解されており、その結合性溝の特定のポケットに埋まる側鎖を有する。一つの態様において、例えば、ＨＬＡクラスＩ分子についての第一アンカー残基は、本発明に従って、８、９、１０、１１、または１２の残基ペプチドエピトープの２位（アミノ末端位から）およびカルボキシ末端位に位置している。もう一つの態様において、例えば、ＨＬＡクラスＩＩ分子を結合すると思われるペプチドの第一アンカー残基は、ペプチドの末端へというよりも、お互いの割合で間隔がおかれ、そのペプチドは、一般的に長さが少なくとも９個のアミノ酸からなる。各モチーフおよびスーパーモチーフについての第一アンカーの位置は、表ＩＶに示されている。例えば、類似体ペプチドは、表ＩＶに示される第一および／または第二のアンカー位置における特定の残基の存在または非存在を変化させることにより作製されうる。そのような類似体は、特定のＨＬＡモチーフまたはスーパーモチーフを含むペプチドの結合親和性および／または個体群適用範囲を調節するために使用される。
【０１２４】
ＨＬＡ「スーパーモチーフ」は、２個またはそれ以上のＨＬＡ対立遺伝子によりコードされるＨＬＡ分子により共有されるペプチド結合特異性である。
【０１２５】
本明細書で用いられる、ＨＬＡまたは細胞性免疫応答「ワクチン」とは、本発明の１つまたは複数のペプチドを含むまたはコードする組成物である。１つまたは複数の個々のペプチドのカクテル；ポリエピトープのペプチドにより構成される本発明の１つまたは複数のペプチド；またはそのような個々のペプチドまたはポリペプチドをコードする核酸、例えば、ポリエピトープのペプチドをコードするミニ遺伝子のような、そのようなワクチンの多数の態様がある。「１つまたは複数のペプチド」とは、１〜１５０またはそれ以上からの任意の全単位整数を含みうり、例えば、少なくとも、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５５、６０、６５、７０、７５、８０、８５、９０、１００、１０５、１１０、１１５、１２０、１２５、１３０、１３５、１４０、１４５、もしくは１５０またはそれ以上の本発明のペプチド。ペプチドまたはポリペプチドは、選択的に、脂質化、ターゲティングまたは他の配列の付加によるような、修飾をされうる。本発明のＨＬＡクラスＩペプチドは、ＨＬＡクラスＩＩペプチドと混合、または連結され、細胞障害性Ｔリンパ球およびヘルパーＴリンパ球の両方の活性化を促進することができる。ＨＬＡワクチンはまた、ペプチドでパルスされた抗原提示細胞、例えば、樹状細胞を含みうる。
【０１２６】
本明細書で定義される、２０Ｐ１Ｆ１２／ＴＭＰＲＳＳ２変異体、類似体または相同体は、２０Ｐ１Ｆ１２／ＴＭＰＲＳＳ２タンパク質と「交差反応性」である少なくとも１つのエピトープを有するという顕著な特性をもつ。本文中で使用される「交差反応性」とは、２０Ｐ１Ｆ１２／ＴＭＰＲＳＳ２変異体に特異的に結合する抗体またはＴ細胞は、２０Ｐ１Ｆ１２／ＴＭＰＲＳＳ２タンパク質にもまた特異的に結合することを意味する。ペプチドが、２０Ｐ１Ｆ１２／ＴＭＰＲＳＳ２タンパク質に特異的に結合する抗体またはＴ細胞により認識されることができるいずれのエピトープももはや含まない場合、２０Ｐ１Ｆ１２／ＴＭＰＲＳＳ２タンパク質の変異体であることは終わる。タンパク質を認識する抗体は、様々なサイズのエピトープに結合し、かつ近接するまたはしていない、約４個または５個のアミノ酸のオーダーの群が最小限のエピトープにおけるアミノ酸の典型的な数として考えられていることを当業者は理解している。例えば、ナイル（Ｎａｉｒ）ら、Ｊ． Ｉｍｍｕｎｏｌ． （２０００）、１６５（１２）：６９４９〜６９５５；ヘッベス（Ｈｅｂｂｅｓ）ら、Ｍｏｌ． Ｉｍｍｕｎｏｌ． （１９８９）、２６（９）：８６５〜８７３；シュワルツ（Ｓｃｈｗａｒｔｚ）ら、Ｊ． Ｉｍｍｕｎｏｌ． （１９８５）、１３５（４）：２５９８〜２６０８を参照。
【０１２７】
本明細書に開示される本発明の更に別の例示的態様は、２０Ｐ１Ｆ１２／ＴＭＰＲＳＳ２ポリペプチド配列内に含まれる１つまたは複数の生物学的モチーフのアミノ酸残基を含む２０Ｐ１Ｆ１２／ＴＭＰＲＳＳ２ポリペプチドを含む。様々なモチーフが当技術分野において知られており、タンパク質は、多数の公的に入手可能なインターネットサイトにより、そのようなモチーフの存在について評価されうる（例えば、ＵＲＬアドレス：ｐｆａｍ．ｗｕｓｔｌ．ｅｄｕ／； ｓｅａｒｃｈｌａｕｎｃｈｅｒ．ｂｃｍ．ｔｍｃ．ｅｄｕ／ｓｅｑ−ｓｅａｒｃｈ／ｓｔｒｕｃ−ｐｒｅｄｉｃｔ．ｈｔｍｌ； ｐｓｏｒｔ．ｉｍｓ．ｕ−ｔｏｋｙｏ．ａｃ．ｊｐ／； ｗｗｗ．ｃｂｓ．ｄｔｕ．ｄｋ／； ｗｗｗ．ｅｂｉ．ａｃ．ｕｋ／ｉｎｔｅｒｐｒｏ／ｓｃａｎ．ｔｈｍｌ； ｗｗｗ．ｅｘｐａｓｙ．ｃｈ／ｔｏｏｌｓ／ｓｃｎｐｓｉｔ１．ｈｔｍｌ； エピマトリックス（Ｅｐｉｍａｔｒｉｘ）（商標）およびエピマー（Ｅｐｉｍｅｒ）（商標）、ブラウン大学（Ｂｒｏｗｎ Ｕｎｉｖｅｒｓｉｔｙ）、ｗｗｗ．ｂｒｏｗｎ．ｅｄｕ／Ｒｅｓｅａｒｃｈ／ＴＢ−ＨＩＶ＿Ｌａｂ／ｅｐｉｍａｔｒｉｘ／ｅｐｉｍａｔｒｉｘ．ｈｔｍｌ； およびＢＩＭＡＳ、ｂｉｍａｓ．ｄｃｒｔ．ｎｉｈ．ｇｏｖ／を参照）。
【０１２８】
上記で論議されている１つまたは複数の２０Ｐ１Ｆ１２／ＴＭＰＲＳＳ２モチーフを含むポリペプチドは、２０Ｐ１Ｆ１２／ＴＭＰＲＳＳ２制御が特定の癌において変化させられているという観察から考えて、悪性の表現型の固有の特性を解明することにおいて有用である。例えば、カゼインキナーゼＩＩ、ｃＡＭＰおよびｃＡＭＰ依存性プロテインキナーゼ、ならびにプロテインキナーゼＣは、悪性の表現型の発生に関与していることが知られている酵素である（例えば、Ｃｈｅｎら、Ｌａｂ Ｉｎｖｅｓｔ ７８（２）：１６５〜１７４（１９９８）； Ｇａｉｄｄｏｎら、Ｅｎｄｏｃｒｉｎｏｌｏｇｙ １３６（１０）：４３３１〜４３３８（１９９５）； Ｈａｌｌら、Ｎｕｃｌｅｉｃ Ａｃｉｄｓ Ｒｅｓｅａｒｃｈ ２４（６）： １１１９−１１２６（１９９６）； Ｐｅｔｅｒｚｉｅｌら、Ｏｎｃｏｇｅｎｅ １８（４６）：６３２２〜６３２９（１９９９）およびＯ’Ｂｒｉａｎ、Ｏｎｃｏｌ． Ｒｅｐ． ５（２）：３０５〜３０９（１９９８）を参照）。さらに、グリコシル化およびミリストイル化のどちらもまた癌および癌進行に関与するタンパク質修飾である（例えば、Ｄｅｎｎｉｓら、Ｂｉｏｃｈｅｍ． Ｂｉｏｐｈｙｓ． Ａｃｔａ １４７３（１）：２１〜３４（１９９９）； Ｒａｊｕら、Ｅｘｐ． Ｃｅｌｌ Ｒｅｓ． ２３５（１）：１４５〜１５４（１９９７）を参照）。アミド化も癌および癌進行に関与するもう一つのタンパク質修飾である（例えば、Ｔｒｅｓｔｏｎら、Ｊ． Ｎａｔｌ． Ｃａｎｃｅｒ Ｉｎｓｔ． Ｍｏｎｏｇｒ． （１３）：１６９〜１７５（１９９２）を参照）。
【０１２９】
もう一つの態様において、本発明のタンパク質は、技術分野容認の方法に従って同定された１つまたは複数の免疫反応性エピトープを含む。ＣＴＬエピトープは、特定されたＨＬＡ対立遺伝子に最適に結合することができる２０Ｐ１Ｆ１２／ＴＭＰＲＳＳ２タンパク質の範囲内のペプチドを同定するための特定のアルゴリズムを用いて決定されうる。（エピマトリックス（Ｅｐｉｍａｔｒｉｘ）（商標）およびエピマー（Ｅｐｉｍｅｒ）（商標）、ブラウン大学（Ｂｒｏｗｎ Ｕｎｉｖｅｒｓｉｔｙ）、ＵＲＬ ｗｗｗ．ｂｒｏｗｎ．ｅｄｕ／Ｒｅｓｅａｒｃｈ／ＴＢ−ＨＩＶ＿Ｌａｂ／ｅｐｉｍａｔｒｉｘ／ｅｐｉｍａｔｒｉｘ．ｈｔｍｌ；およびＢＩＭＡＳ、ＵＲＬ ｂｉｍａｓ．ｄｃｒｔ．ｎｉｈ．ｇｏｖ／）。また、ＨＬＡ分子に対する十分な結合親和性を有するペプチドを同定するための方法で、かつ免疫原性エピトープであることにそれが相互に関連しているところのことは、当技術分野においてよく知られており、不適当な実験なしに行われる。さらに、免疫原性エピトープであるペプチドを同定するための方法は、当技術分野においてよく知られており、インビトロまたはインビボでのいずれかで不適当な実験なしに行われる。
【０１３０】
免疫原性を調節するためにそのようなエピトープの類似体を作製するという原理もまた当技術分野において知られている。例えば、ＣＴＬまたはＨＴＬモチーフを有するエピトープで始める。（例えば、表ＩＶのＨＬＡクラスＩおよびＨＬＡクラスＩＩモチーフ／スーパーモチーフを参照）。そのエピトープは、特定された位置の１つのアミノ酸を取り換え出すこと、およびそれをその位置に特定された別のアミノ酸で置き換えることにより類似化する。
【０１３１】
様々な文献が、対象のタンパク質において、それの類似体と同様に、エピトープの同定および作製に関連する技術を表している。例えば、チェスナッツ（Ｃｈｅｓｎｕｔ）ら、国際公開公報第９７３３６０２号；セッテ（Ｓｅｔｔｅ）、Ｉｍｍｕｎｏｇｅｎｅｔｉｃｓ １９９９ ５０（３−４）：２０１〜２１２；セッテ（Ｓｅｔｔｅ）ら、Ｊ． Ｉｍｍｕｎｏｌ． ２００１ １６６（２）：１３８９〜１３９７；シドニー（Ｓｉｄｎｅｙ）ら、Ｈｕｍ． Ｉｍｍｕｎｏｌ． １９９７ ５８（１）：１２〜２０；コンドウ（Ｋｏｎｄｏ）ら、Ｉｍｍｕｎｏｇｅｎｅｔｉｃｓ １９９７ ４５（４）：２４９〜２５８；シドニー（Ｓｉｄｎｅｙ）ら、Ｊ． Ｉｍｍｕｎｏｌ． １９９６ １５７（８）：３４８０〜３４９０；およびファルク（Ｆａｌｋ）ら、Ｎａｔｕｒｅ ３５１：２９０〜２９６（１９９１）；ハント（Ｈｕｎｔ）ら、Ｓｃｉｅｎｃｅ ２５５：１２６１〜１２６３（１９９２）；パーカー（Ｐａｒｋｅｒ）ら、Ｊ． Ｉｍｍｕｎｏｌ． １４９：３５８０〜３５８７（１９９２）；パーカー（Ｐａｒｋｅｒ）ら、Ｊ． Ｉｍｍｕｎｏｌ． １５２：１６３〜１７５（１９９４）；カスト（Ｋａｓｔ）ら、１９９４、１５２（８）：３９０４〜３９１２；ボラス−クエスタ（Ｂｏｒｒａｓ−Ｃｕｅｓｔａ）ら、Ｈｕｍ． Ｉｍｍｕｎｏｌ． ２０００ ６１（３）：２６６〜２７８；アレキサンダー（Ａｌｅｘａｎｄｅｒ）ら、Ｊ． Ｉｍｍｕｎｏｌ． ２０００ １６４（３）；１６３（３）：１６２５〜１６３３；アレキサンダー（Ａｌｅｘａｎｄｅｒ）ら、ＰＭＩＤ： ７８９５１６４、ＵＩ： ９５２０２５８２；オーサリバン（Ｏ’Ｓｕｌｌｉｖａｎ）ら、Ｊ． Ｉｍｍｕｎｏｌ． １９９１ １４７（８）：２６６３〜２６６９；アレキサンダー（Ａｌｅｘａｎｄｅｒ）ら、Ｉｍｍｕｎｉｔｙ １９９４ １（９）：７５１〜７６１およびアレキサンダー（Ａｌｅｘａｎｄｅｒ）ら、Ｉｍｍｕｎｏｌ． Ｒｅｓ． １９９８ １８（２）：７９〜９２を参照。
【０１３２】
本発明の関連する態様は、上記参照の方法により決定される異なるモチーフの組合わせ、および／または上記参照の方法により決定される１つまたは複数の予測されるＣＴＬエピトープ、および／または当技術分野において公知の１つまたは複数のＴ細胞結合モチーフを含むポリペプチドを含む。好ましい態様は、そのポリペプチドのモチーフと介在配列のどちらにも挿入、欠失または置換を含まない。さらに、これらのモチーフのどちらか側にＮ末端および／またはＣ末端アミノ酸残基のいずれかのいくつかを含む態様が、望ましい場合がある（例えば、そのモチーフが位置するポリペプチド構築のより大きな部分を含むために）。典型的には、モチーフのどちらか側のＮ末端および／またはＣ末端アミノ酸残基の数は、約１〜約１００の間のアミノ酸残基、好ましくは、５〜約５０のアミノ酸残基である。
【０１３３】
２０Ｐ１Ｆ１２／ＴＭＰＲＳＳ２関連タンパク質は、多くの形、好ましくは単離された形で現される。精製された２０Ｐ１Ｆ１２／ＴＭＰＲＳＳ２タンパク質分子は、実質的に、抗体、Ｔ細胞または他のリガンドへの２０Ｐ１Ｆ１２／ＴＭＰＲＳＳ２の結合を損なう他のタンパク質または分子を含まないものと思われる。単離および精製の性質および程度は、その意図される用途に依存するものと思われる。２０Ｐ１Ｆ１２／ＴＭＰＲＳＳ２関連タンパク質の態様は、精製された２０Ｐ１Ｆ１２／ＴＭＰＲＳＳ２関連タンパク質および機能性のある、可溶性２０Ｐ１Ｆ１２／ＴＭＰＲＳＳ２関連タンパク質を含む。一つの態様において、機能性のある、可溶性２０Ｐ１Ｆ１２／ＴＭＰＲＳＳ２タンパク質またはそれの断片は抗体、Ｔ細胞または他のリガンドにより結合される能力を保持している。
【０１３４】
本発明はまた、２０Ｐ１Ｆ１２／ＴＭＰＲＳＳ２アミノ酸配列の生物学的活性断片を含む２０Ｐ１Ｆ１２／ＴＭＰＲＳＳ２タンパク質を提供する。そのようなタンパク質は、２０Ｐ１Ｆ１２／ＴＭＰＲＳＳ２タンパク質に関連するエピトープを特異的に結合する抗体の産生を導き出す；そのような抗体により結合される；ＨＴＬまたはＣＴＬの活性化を導き出す；および／またはＨＴＬまたはＣＴＬにより認識される能力のような、２０Ｐ１Ｆ１２／ＴＭＰＲＳＳ２タンパク質の性質を示す。
【０１３５】
特に興味深い構造を含む２０Ｐ１Ｆ１２／ＴＭＰＲＳＳ２関連タンパク質は、例えば、チョー−ファスマン（Ｃｈｏｕ−Ｆａｓｍａｎ）、ガルニエル−ロブソン（Ｇａｒｎｉｅｒ−Ｒｏｂｓｏｎ）、キート−ドーリトル（Ｋｙｔｅ−Ｄｏｏｌｉｔｔｌｅ）、アイゼンバーグ（Ｅｉｓｅｎｂｅｒｇ）、カルプラス−シュルツ（Ｋａｒｐｌｕｓ−Ｓｃｈｕｌｔｚ）もしくはジャメソン−ウルフ（Ｊａｍｅｓｏｎ−Ｗｏｌｆ）分析、または免疫原性に基づく方法を含む、当技術分野においてよく知られている様々な分析的技術を使用して予測および／または同定されうる。そのような構造を含む断片は、サブユニット特異性抗−２０Ｐ１Ｆ１２／ＴＭＰＲＳＳ２抗体もしくはＴ細胞を産生することにおいて、または２０Ｐ１Ｆ１２／ＴＭＰＲＳＳ２に結合する細胞因子を同定することにおいて、特に有用である。
【０１３６】
ＣＴＬエピトープは、特定されたＨＬＡ対立遺伝子に最適に結合することができる２０Ｐ１Ｆ１２／ＴＭＰＲＳＳ２タンパク質の範囲内のペプチドを同定するための特定のアルゴリズムを用いて決定されうる（例えば、ワールドワイドウェブ（Ｗｏｒｌｄ Ｗｉｄｅ Ｗｅｂ） ＵＲＬ ｓｙｆｐｅｉｔｈｉ．ｂｍｉ−ｈｅｉｄｅｌｖｅｒｇ．ｃｏｍ／でのＳＹＦＰＥＩＴＨＩ；エピマトリックス（Ｅｐｉｍａｔｒｉｘ）（商標）およびエピマー（Ｅｐｉｍｅｒ）（商標）、ブラウン大学（Ｂｒｏｗｎ Ｕｎｉｖｅｒｓｉｔｙ）、ＵＲＬ （ｗｗｗ．ｂｒｏｗｎ．ｅｄｕ／Ｒｅｓｅａｒｃｈ／ＴＢ−ＨＩＶ＿Ｌａｂ／ｅｐｉｍａｔｒｉｘ／ｅｐｉｍａｔｒｉｘ．ｈｔｍｌ）；およびＢＩＭＡＳ、ＵＲＬ ｂｉｍａｓ．ｄｃｒｔ．ｎｉｈ．ｇｏｖ／を使用することにより）。これを図示して、ヒトＭＨＣクラスＩ分子ＨＬＡ−Ａ１、Ａ２、Ａ３、Ａ１１、Ａ２４、Ｂ７およびＢ３５の関係において提示される２０Ｐ１Ｆ１２／ＴＭＰＲＳＳ２からのペプチドエピトープを予測することができる。特に、２０Ｐ１Ｆ１２／ＴＭＰＲＳＳ２タンパク質の完全アミノ酸配列は、上記に列挙されるバイオインフォマティックスとモレキュラーアナリシスセクション（Ｂｉｏｉｎｆｏｒｍａｔｉｃｓ ａｎｄ Ｍｏｌｅｃｕｌａｒ Ａｎａｌｙｓｉｓ Ｓｅｃｔｉｏｎ）（ＢＩＭＡＳ）のウェブサイトにあるＨＬＡペプチドモチーフサーチ（ＨＬＡ Ｐｅｐｔｉｄｅ Ｍｏｔｉｆ Ｓｅａｒｃｈ）アルゴリズムへ入力される。ＨＬＡペプチドモチーフサーチアルゴリズムは、ＨＬＡクラスＩ分子、特にＨＬＡ−Ａ２の溝においての特異的ペプチド配列の結合に基づきケン　パーカー（Ｋｅｎ Ｐａｒｋｅｒ）博士により開発された（例えば、Ｆａｌｋら、Ｎａｔｕｒｅ ３５１：２９０〜２９６（１９９１）； Ｈｕｎｔら、Ｓｃｉｅｎｃｅ ２５５：１２６１〜１２６３（１９９２）； Ｐａｒｋｅｒら、Ｊ． Ｉｍｍｕｎｏｌ． １４９：３５８０〜３５８７（１９９２）； Ｐａｒｋｅｒら、Ｊ． Ｉｍｍｕｎｏｌ． １５２：１６３〜１７５（１９９４）を参照）。このアルゴリズムは、多数の他のＨＬＡクラスＩ分子と同様に、予想されるＨＬＡ−Ａ２への結合について、完全なタンパク質配列からの８−ｍｅｒ、９−ｍｅｒ、１０−ｍｅｒまたは１１−ｍｅｒペプチドの位置および順位を割り当てる。多くのＨＬＡクラスＩ結合ペプチドは、８−ｍｅｒ、９−ｍｅｒ、１０−ｍｅｒまたは１１−ｍｅｒである。例えば、クラスＩ ＨＬＡ−Ａ２について、エピトープは、好ましくは、２位にロイシン（Ｌ）またはメチオニン（Ｍ）、およびＣ末端にバリン（Ｖ）またはロイシン（Ｌ）を含む（例えば、Ｐａｒｋｅｒら、Ｊ． Ｉｍｍｕｎｏｌ． １４９：３５８０〜３５８７（１９９２）を参照）。２０Ｐ１Ｆ１２／ＴＭＰＲＳＳ２予想される結合ペプチドの結果は、推定結合スコアにより分類されうる。結合スコアは、３７℃、ｐＨ ６．５でのそのペプチドを含む複合体の解離の推定半減期に対応する。高結合スコアをもつペプチドは、最も長い時間、細胞表面のＨＬＡクラスＩへ最も密接に結合されることが予想され、このようにして、Ｔ細胞認識のための最高の免疫原性標的を表す。
【０１３７】
ＨＬＡ対立遺伝子へのペプチドの実際の結合は、抗原処理欠損細胞株Ｔ２におけるＨＬＡ発現の安定化により評価されうる（例えば、Ｘｕｅら、Ｐｒｏｓｔａｔｅ ３０：７３〜７８（１９９７）およびＰｅｓｈｗａら、Ｐｒｏｓｔａｔｅ ３６：１２９〜１３８（１９９８）を参照）。特定のペプチドの免疫原性は、インビトロで、樹状細胞のような抗原提示細胞の存在下で、ＣＤ８＋細胞障害性Ｔリンパ球（ＣＴＬ）の刺激により評価されうる。
【０１３８】
ＢＩＭＡＳサイト、エピマー（Ｅｐｉｍｅｒ）（商標）およびエピマトリックス（Ｅｐｉｍａｔｒｉｘ）（商標）のサイトにより予測される、または当技術分野もしくは、ワールドワイドウェブ（Ｗｏｒｌｄ Ｗｉｄｅ Ｗｅｂ）サイト ＵＲＬ ｓｙｆｐｅｉｔｈｉ．ｂｍｉ−ｈｅｉｄｅｌｖｅｒｇ．ｃｏｍ／のような当技術分野の一部となるところにおいて、入手可能なＨＬＡクラスＩもしくはクラスＩＩモチーフにより特定される各エピトープは、２０Ｐ１Ｆ１２／ＴＭＰＲＳＳ２タンパク質に「適用される」ことができることは、真価を認められるべきである。このような関係において用いられる場合、「適用される」とは、当関連業者により真価を認められるように、２０Ｐ１Ｆ１２／ＴＭＰＲＳＳ２タンパク質が、例えば、視覚的にまたはコンピューターに基づくパターン発見方法により評価されることを意味する。ＨＬＡクラスＩモチーフを有する８個、９個、１０個または１１個のアミノ酸残基の２０Ｐ１Ｆ１２／ＴＭＰＲＳＳ２の各部分配列、またはＨＬＡクラスＩＩモチーフを有する９個またはそれ以上のアミノ酸残基の部分配列は、本発明の範囲内である。
【０１３９】
Ｔ細胞が抗原を認識する機構は、明確に示された。本発明の効力のあるペプチドエピトープワクチン組成物は、世界中の個体群の非常に広い区域において、治療的または予防的免疫応答を誘導する。細胞性免疫応答を誘導する本発明の組成物の価値および効力を理解するために、免疫学的関連技術の簡単な概説を提供する。
【０１４０】
ＨＬＡ分子およびペプチド性抗原の複合体は、ＨＬＡ制限性Ｔ細胞により認識されるリガンドとして作用する（Ｂｕｕｓ， Ｓら、Ｃｅｌｌ ４７：１０７１， １９８６； Ｂａｂｂｉｔｔ， Ｂ． Ｐ． ら、Ｎａｔｕｒｅ ３１７：３５９， １９８５； Ｔｏｗｎｓｅｎｄ， Ａ． およびＢｏｄｍｅｒ， Ｈ．、Ａｎｎｕ． Ｒｅｖ． Ｉｍｍｕｎｏｌ． ７：６０１， １９８９； Ｇｅｒｍａｉｎ， Ｒ． Ｎ．， Ａｎｎｕ． Ｒｅｖ． Ｉｍｍｕｎｏｌ． １１：４０３， １９９３）。１個のアミノ酸が置換された抗原類似体の研究および内因的に結合され、自然にプロセシングされるペプチドのシーケンシングにより、ＨＬＡ抗原分子への特異的結合に必要とされるモチーフに対応する重要な残基が同定され、表ＩＶに示されている（例えば、Ｓｏｕｔｈｗｏｏｄら、Ｊ． Ｉｍｍｕｎｏｌ． １６０：３３６３， １９９８； Ｒａｍｍｅｎｓｅｅら、Ｉｍｍｕｎｏｇｅｎｅｔｉｃｓ ４１：１７８， １９９５； Ｒａｍｍｅｎｓｅｅら、ＳＹＦＰＥＩＴＨＩ、ワールドワイドウェブ（Ｗｏｒｌｄ Ｗｉｄｅ Ｗｅｂ）サイトによる ＵＲＬ ｓｙｆｐｅｉｔｈｉ．ｂｍｉ−ｈｅｉｄｅｌｖｅｒｇ．ｃｏｍ／でアクセス； Ｓｅｔｔｅ， Ａ．およびＳｉｄｎｅｙ、Ｊ． Ｃｕｒｒ． Ｏｐｉｎ． Ｉｍｍｕｎｏｌ． １０：４７８， １９９８； Ｅｎｇｅｌｈａｒｄ， Ｖ． Ｈ．， Ｃｕｒｒ． Ｏｐｉｎ． Ｉｍｍｕｎｏｌ． ６：１３， １９９４； Ｓｅｔｔｅ， Ａ．およびＧｒｅｙ， Ｈ． Ｍ．、Ｃｕｒｒ． Ｏｐｉｎ． Ｉｍｍｕｎｏｌ． ４：７９， １９９２； Ｓｉｎｉｇａｇｌｉａ， Ｆ． およびＨａｍｍｅｒ、Ｊ． Ｃｕｒｒ． Ｂｉｏｌ． ６：５２， １９９４； Ｒｕｐｐｅｒｔら、Ｃｅｌｌ ７４：９２９〜９３７， １９９３； Ｋｏｎｄｏら、Ｊ． Ｉｍｍｕｎｏｌ． １５５：４３０７〜４３１２， １９９５； Ｓｉｄｎｅｙら、Ｊ． Ｉｍｍｕｎｏｌ． １５７：３４８０〜３４９０， １９９６； Ｓｉｄｎｅｙら、Ｈｕｍａｎ Ｉｍｍｕｎｏｌ． ４５：７９〜９３， １９９６； Ｓｅｔｔｅ， Ａ．およびＳｉｄｎｅｙ、Ｊ． Ｉｍｍｕｎｏｇｅｎｅｔｉｃｓ １９９９年１１月； ５０（３−４）：２０１〜２１２、概説）。
【０１４１】
さらにまた、ＨＬＡ−ペプチド複合体のＸ線結晶解析により、対立遺伝子特異的様式におけるペプチドリガンドが有する残基に適応するＨＬＡ分子のペプチド結合裂け目／溝内のポケットを明らかにした；これらの残基は、次には、それらが存在するペプチドのＨＬＡ結合能力を決定する（例えば、Ｍａｄｄｅｎ， Ｄ． Ｒ．， Ａｎｎｕ． Ｒｅｖ． Ｉｍｍｕｎｏｌ． １３：５８７， １９９５； Ｓｍｉｔｈら、Ｉｍｍｕｎｉｔｙ ４：２０３， １９９６； Ｆｒｅｍｏｎｔら、Ｉｍｍｕｎｉｔｙ ８：３０５， １９９８； Ｓｔｅｒｎら、Ｓｔｒｕｃｔｕｒｅ ２：２４５， １９９４； Ｊｏｎｅｓ， Ｅ． Ｙ．， Ｃｕｒｒ． Ｏｐｉｎ． Ｉｍｍｕｎｏｌ． ９：７５， １９９７； Ｂｒｏｗｎ， Ｊ． Ｈ．ら、Ｎａｔｕｒｅ ３６４：３３， １９９３； Ｇｕｏ， Ｈ． Ｃ．ら、Ｐｒｏｃ． Ｎａｔｌ． Ａｃａｄ． Ｓｃｉ． ＵＳＡ ９０：８０５３， １９９３； Ｇｕｏ， Ｈ． Ｃ．ら、Ｎａｔｕｒｅ ３６０：３６４， １９９２； Ｓｉｌｖｅｒ， Ｍ． Ｌ．ら、Ｎａｔｕｒｅ ３６０：３６７， １９９２； Ｍａｔｓｕｍｕｒａ， Ｍ．ら、Ｓｃｉｅｎｃｅ ２５７：９２７， １９９２； Ｍａｄｄｅｎら、Ｃｅｌｌ ７０：１０３５， １９９２； Ｆｒｅｍｏｎｔ， Ｄ． Ｈ．ら、Ｓｃｉｅｎｃｅ ２５７：９１９， １９９２； Ｓａｐｅｒ， Ｍ． Ａ．， Ｂｊｏｒｋｍａｎ， Ｐ． Ｊ． およびＷｉｌｅｙ， Ｄ． Ｃ．、Ｊ． Ｍｏｌ． Ｂｉｏｌ． ２１９：２７７， １９９１を参照）。
【０１４２】
従って、クラスＩおよびクラスＩＩ対立遺伝子特異的ＨＬＡ結合モチーフ、またはクラスＩもしくはクラスＩＩスーパーモチーフの決定は、特定のＨＬＡ抗原への結合に相互に関連しているタンパク質内の領域の同定を可能にする。
【０１４３】
このように、ＨＬＡモチーフ同定の過程により、エピトープに基づくワクチンについての候補が同定された；そのような候補は、さらに、結合親和性および／またはエピトープとその対応するＨＬＡ分子との結合の時間を測定するＨＬＡ−ペプチド結合アッセイ法により評価されうる。追加的確認作業は、個体群適用範囲および／または免疫原性に関して、好ましい特性をもつエピトープをこれらのワクチン候補の中から選択することが行われうる。
【０１４４】
様々なストラテジーが細胞性免疫原性を評価するために利用されうり、以下のものを含む：
【０１４５】
１）正常な個体由来の初代Ｔ細胞培養の評価（例えば、Ｗｅｎｔｗｏｒｔｈ， Ｐ． Ａ．ら、Ｍｏｌ． Ｉｍｍｕｎｏｌ． ３２：６０３， １９９５； Ｃｅｌｉｓ， Ｅ．ら、Ｐｒｏｃ． Ｎａｔｌ． Ａｃａｄ． Ｓｃｉ． ＵＳＡ ９１：２１０５， １９９４； Ｔｓａｉ， Ｖ．ら、Ｊ． Ｉｍｍｕｎｏｌ． １５８：１７９６， １９９７； Ｋａｗａｓｈｉｍａ， Ｉら、Ｈｕｍａｎ Ｉｍｍｕｎｏｌ． ５９：１， １９９８を参照）。この段階は、数週間の期間を通して、インビトロで、抗原提示細胞の存在下、試験ペプチドをもつ正常な被験者由来の末梢血リンパ球（ＰＢＬ）の刺激を含む。そのペプチドに特異的なＴ細胞は、この時間の間、活性化になり、例えば、リンホカイン放出アッセイ法、またはペプチド感作標的細胞を含む５１Ｃｒ放出アッセイ法を用いて検出される。
【０１４６】
２）ＨＬＡトランスジェニックマウスの免疫化（例えば、Ｗｅｎｔｗｏｒｔｈ， Ｐ． Ａ．ら、Ｊ． Ｉｍｍｕｎｏｌ． ２６：９７， １９９６； Ｗｅｎｔｗｏｒｔｈ， Ｐ． Ａ．ら、Ｉｎｔ． Ｉｍｍｕｎｏｌ． ８：６５１， １９９６； Ａｌｅｘａｎｄｅｒ， Ｊ．ら、Ｊ． Ｉｍｍｕｎｏｌ． １５９：４７５３， １９９７を参照）。例えば、そのような方法において、不完全フロイント（Ｆｒｅｕｎｄ）のアジュバント中のペプチドをＨＬＡトランスジェニックマウスへ皮下に投与する。免疫化後数週間で、脾細胞を取り除き、約１週間、試験ペプチドの存在下、インビトロで培養する。ペプチド特異的Ｔ細胞は、例えば、ペプチド感作標的細胞および内因的産生抗原を発現する標的細胞を含む５１Ｃｒ放出アッセイ法を用いて検出される。
【０１４７】
３）効果的にワクチン接種された免疫個体および／または慢性病患者のいずれかからの復活Ｔ細胞応答の実証（例えば、Ｒｅｈｅｒｍａｎｎ， Ｂ．ら、Ｊ． Ｅｘｐ． Ｍｅｄ． １８１：１０４７， １９９５； Ｄｏｏｌａｎ， Ｄ． Ｌ．ら、Ｉｍｍｕｎｉｔｙ ７：９７， １９９７； Ｂｅｒｔｏｎｉ， Ｒ．ら、Ｊ． Ｃｌｉｎ． Ｉｎｖｅｓｔ． １００：５０３， １９９７； Ｔｈｒｅｌｋｅｌｄ， Ｓ． Ｃ．ら、Ｊ． Ｉｍｍｕｎｏｌ． １５９：１６４８， １９９７； Ｄｉｅｐｏｌｄｅｒ， Ｈ． Ｍ．ら、Ｊ． Ｖｉｒｏｌ． ７１：６０１１， １９９７を参照）。従って、復活応答は、疾患による抗原に曝されて、「自然に」免疫応答を起こした被験者由来、または抗原に対してワクチン接種された患者由来のＰＢＬを培養することにより検出される。被験者由来のＰＢＬは、「ナイーブ（ｎａｉｖｅ）」Ｔ細胞と比較して、「メモリー」Ｔ細胞の活性化がなされるように、試験ペプチドと抗原提示細胞（ＡＰＣ）の存在下で、インビトロで、１〜２週間、培養される。培養期間の終わりに、Ｔ細胞活性が、ペプチド感作標的細胞を含む５１Ｃｒ放出、Ｔ細胞増殖、またはリンホカイン放出を含むアッセイ法を用いて検出される。
【０１４８】
本発明はさらに、２０Ｐ１Ｆ１２／ＴＭＰＲＳＳ２関連タンパク質または２０Ｐ１Ｆ１２／ＴＭＰＲＳＳ２関連核酸を含む癌ワクチンを提供する。２０Ｐ１Ｆ１２／ＴＭＰＲＳＳ２の発現から考えて、癌ワクチンは、非標的組織に最小の影響でまたは影響なしで、２０Ｐ１Ｆ１２／ＴＭＰＲＳＳ２発現癌を予防および／または治療する。抗癌治療として、体液性および／または細胞性免疫応答を起こすワクチンでの腫瘍抗原の使用は、当技術分野においてよく知られており、ヒトＰＳＭＡおよび齧歯類ＰＡＰ免疫原を使用して前立腺癌に用いられた（Ｈｏｄｇｅら、１９９５， Ｉｎｔ． Ｊ． Ｃａｎｃｅｒ ６３：２３１〜２３７； Ｆｏｎｇら、１９９７， Ｊ． Ｉｍｍｕｎｏｌ． １５９：３１１３〜３１１７）。
【０１４９】
そのような方法は、２０Ｐ１Ｆ１２／ＴＭＰＲＳＳ２関連タンパク質または２０Ｐ１Ｆ１２／ＴＭＰＲＳＳ２コード核酸分子および２０Ｐ１Ｆ１２／ＴＭＰＲＳＳ２免疫原（典型的には、いくつかの抗体またはＴ細胞エピトープを含む）を発現かつ提示することができる組換えベクターを使用することにより、容易に実施されうる。免疫反応性エピトープの送達のための広く様々なワクチン系が当技術分野において知られていることを当業者は理解している（例えば、Ｈｅｒｙｌｎら、Ａｎｎ Ｍｅｄ、１９９９年２月、３１（１）：６６〜７８； Ｍａｒｕｙａｍａら、Ｃａｎｃｅｒ Ｉｍｍｕｎｏｌ Ｉｍｍｕｎｏｔｈｅｒ、２０００年６月、４９（３）：１２３〜１３２を参照）。簡単には、哺乳動物において、免疫応答（例えば、体液性および／または細胞性）を起こすそのような方法は、段階：哺乳動物の免疫系を免疫反応性エピトープ（例えば、２０Ｐ１Ｆ１２／ＴＭＰＲＳＳ２タンパク質またはそれの類似体もしくは相同体に存在するエピトープ）に曝して、哺乳動物がそれのエピトープに特異的な免疫応答を起こすこと（例えば、それのエピトープを特異的に認識する抗体を産生する）を含む。好ましい方法において、２０Ｐ１Ｆ１２／ＴＭＰＲＳＳ２免疫原は、生物学的モチーフ（例えば、表Ｖ−ＸＶＩＩＩを参照）、または図１４、図１５、図１６、図１７および図１８に示される２０Ｐ１Ｆ１２／ＴＭＰＲＳＳ２からのサイズ範囲のペプチドを含む。
【０１５０】
全２０Ｐ１Ｆ１２／ＴＭＰＲＳＳ２タンパク質、それの免疫原性領域またはエピトープは、様々な手段により組み合わされ、送達されうる。そのようなワクチン組成物は、例えば、リポペプチド（例えば、Ｖｉｔｉｅｌｌｏ， Ａ．ら、Ｊ． Ｃｌｉｎ． Ｉｎｖｅｓｔ． ９５：３４１， １９９５）、ポリ（ＤＬ−ラクチド−コ−グリコリド）（ｐｏｌｙ（ＤＬ−ｌａｃｔｉｄｅ−ｃｏ−ｇｌｙｃｏｌｉｄｅ））（「ＰＬＧ」）微粒子中にカプセル化されたペプチド組成物（例えば、Ｅｌｄｒｉｄｇｅら、Ｍｏｌｅｃ． Ｉｍｍｕｎｏｌ． ２８：２８７〜２９４， １９９１； Ａｌｏｎｓｏら、Ｖａｃｃｉｎｅ １２：２９９〜３０６， １９９４； Ｊｏｎｅｓら、Ｖａｃｃｉｎｅ １３：６７５〜６８１， １９９５を参照）、免疫刺激複合体（ＩＳＣＯＭＳ）に含まれるペプチド組成物（例えば、Ｔａｋａｈａｓｈｉら、Ｎａｔｕｒｅ ３４４：８７３〜８７５， １９９０； Ｈｕら、Ｃｌｉｎ． Ｅｘｐ． Ｉｍｍｕｎｏｌ． １１３：２３５〜２４３， １９９８）、多抗原ペプチドシステム（ＭＡＰ）（例えば、Ｔａｍ， Ｊ． Ｐ．， Ｐｒｏｃ． Ｎａｔｌ． Ａｃａｄ． Ｓｃｉ． Ｕ．Ｓ．Ａ． ８５：５４０９〜５４１３， １９８８； Ｔａｍ， Ｊ． Ｐ．， Ｊ． Ｉｍｍｕｎｏｌ． Ｍｅｔｈｏｄｓ １９６：１７〜３２， １９９６）、多価ペプチドとして製剤されたペプチド；典型的には結晶化ペプチドで、弾道的送達系での使用のためのペプチド、ウイルス送達ベクター（Ｐｅｒｋｕｓ， Ｍ． Ｅ．ら、「ワクチン開発の概念（Ｃｏｎｃｅｐｔｓ ｉｎ ｖａｃｃｉｎｅ ｄｅｖｅｌｏｐｍｅｎｔ）」、Ｋａｕｆｍａｎｎ， Ｓ． Ｈ． Ｅ．編、ｐ． ３７９， １９９６； Ｃｈａｋｒａｂａｒｔｉ， Ｓ．ら、Ｎａｔｕｒｅ ３２０：５３５， １９８６； Ｈｕ， Ｓ． Ｌ．ら、Ｎａｔｕｒｅ ３２０：５３７， １９８６； Ｋｉｅｎｙ， Ｍ． −Ｐ．ら、ＡＩＤＳ Ｂｉｏ／Ｔｅｃｈｎｏｌｏｇｙ ４：７９０， １９８６； Ｔｏｐ， Ｆ． Ｈ．ら、Ｊ． Ｉｎｆｅｃｔ． Ｄｉｓ． １２４：１４８， １９７１； Ｃｈａｎｄａ， Ｐ． Ｋ．ら、Ｖｉｒｏｌｏｇｙ １７５：５３５， １９９０）、ウイルス製もしくは合成製粒子（例えば、Ｋｏｆｌｅｒ， Ｎ．ら、Ｊ． Ｉｍｍｕｎｏｌ． Ｍｅｔｈｏｄｓ １９２：２５， １９９６； Ｅｌｄｒｉｄｇｅ， Ｊ． Ｈ．ら、Ｓｅｍ． Ｈｅｍａｔｏｌ． ３０：１６， １９９３； Ｆａｌｏ， Ｌ． Ｄ．， Ｊｒ．ら、Ｎａｔｕｒｅ Ｍｅｄ． ７：６４９， １９９５）、アジュバント（Ｗａｒｒｅｎ， Ｈ． Ｓ．， Ｖｏｇｅｌ， Ｆ． Ｒ．およびＣｈｅｄｉｄ， Ｌ． Ａ．、Ａｎｎｕ． Ｒｅｖ． Ｉｍｍｕｎｏｌ． ４：３６９， １９８６； Ｇｕｐｔａ， Ｒ． Ｋ．ら、Ｖａｃｃｉｎｅ １１：２９３， １９９３）、リポソーム（Ｒｅｄｄｙ， Ｒ．ら、Ｊ． Ｉｍｍｕｎｏｌ． １４８：１５８５， １９９２； Ｒｏｃｋ， Ｋ． Ｌ．， Ｉｍｍｕｎｏｌ． Ｔｏｄａｙ １７：１３１， １９９６）、または裸のもしくは粒子吸収型ｃＤＮＡ（Ｕｌｍｅｒ， Ｊ． Ｂ．ら、Ｓｃｉｅｎｃｅ ２５９：１７４５， １９９３； Ｒｏｂｉｎｓｏｎ， Ｈ． Ｌ．， Ｈｕｎｔ， Ｌ． Ａ．およびＷｅｂｓｔｅｒ， Ｒ． Ｇ．、Ｖａｃｃｉｎｅ １１：９５７， １９９３； Ｓｈｉｖｅｒ， Ｊ． Ｗ．ら、「ワクチン開発の概念（Ｃｏｎｃｅｐｔｓ ｉｎ ｖａｃｃｉｎｅ ｄｅｖｅｌｏｐｍｅｎｔ）」、Ｋａｕｆｍａｎｎ， Ｓ． Ｈ． Ｅ．編、ｐ．４２３， １９９６； Ｃｅａｓｅ， Ｋ． Ｂ．およびＢｅｒｚｏｆｓｋｙ， Ｊ． Ａ．、Ａｎｎｕ． Ｒｅｖ． Ｉｍｍｕｎｏｌ． １２：９２３， １９９４およびＥｌｄｒｉｄｇｅ， Ｊ． Ｈ．ら、Ｓｅｍ． Ｈｅｍａｔｏｌ． ３０：１６， １９９３）を含むことができる。毒をターゲットさせる送達技術、アバントイミュノテラピューティクス社（Ａｖａｎｔ Ｉｍｍｕｎｏｔｈｅｒａｐｅｕｔｉｃｓ， Ｉｎｃ．）（ニーダム、マサチューセッツ）のような受容体媒介型ターゲティングとしても知られているが、これもまた使用されうる。
【０１５１】
２０Ｐ１Ｆ１２／ＴＭＰＲＳＳ２関連癌である患者において、本発明のワクチン組成物はまた、ＩＬ−２、ＩＬ−１２、ＧＭ−ＣＳＦなどのような免疫アジュバントとの組合わせでの使用を含む、癌のために用いられる他の治療、例えば、手術、化学療法、薬物治療、放射線治療などと共に使用されうる。
【０１５２】
細胞性ワクチン：ＣＴＬエピトープは、対応するＨＬＡ対立遺伝子に結合する２０Ｐ１Ｆ１２／ＴＭＰＲＳＳ２タンパク質の範囲内のペプチドを同定するための特定のアルゴリズムを用いて決定されうる（例えば、表ＩＶ； ；エピマー（Ｅｐｉｍｅｒ）（商標）およびエピマトリックス（Ｅｐｉｍａｔｒｉｘ）（商標）、ブラウン大学（Ｂｒｏｗｎ Ｕｎｉｖｅｒｓｉｔｙ）（ＵＲＬ ｗｗｗ．ｂｒｏｗｎ．ｅｄｕ／Ｒｅｓｅａｒｃｈ／ＴＢ−ＨＩＶ＿Ｌａｂ／ｅｐｉｍａｔｒｉｘ／ｅｐｉｍａｔｒｉｘ．ｈｔｍｌ）；およびＢＩＭＡＳ、（ＵＲＬ ｂｉｍａｓ．ｄｃｒｔ．ｎｉｈ．ｇｏｖ／； ＵＲＬ ｓｙｆｐｅｉｔｈｉ．ｂｍｉ−ｈｅｉｄｅｌｖｅｒｇ．ｃｏｍ／でのＳＹＦＰＥＩＴＨＩ）を参照）。好ましい態様において、２０Ｐ１Ｆ１２／ＴＭＰＲＳＳ２免疫原は、当技術分野においてよく知られている技術を用いて同定される１つまたは複数のアミノ酸配列、例えば、ＨＬＡクラスＩモチーフ／スーパーモチーフ（例えば、表ＩＶ（Ａ）、表ＩＶ（Ｄ）、または表ＩＶ（Ｅ））により特定される８個、９個、１０個、もしくは１１個のアミノ酸のペプチドおよび／またはＨＬＡクラスＩＩモチーフ／スーパーモチーフ（例えば、表ＩＶ（Ｂ）または表ＩＶ（Ｃ））を含む少なくとも９個のアミノ酸のペプチドを含む。当技術分野において認められていることだが、ＨＬＡクラスＩ結合溝は、特定のサイズ範囲のみのペプチドがその溝へはまり込みかつ結合されうるように、本質的に閉じて終わっており、一般的に、ＨＬＡクラスＩエピトープは、８個、９個、１０個または１１個のアミノ酸長である。対照的に、ＨＬＡクラスＩＩ結合溝は本質的に開いて終わっている；それゆえ、約９個またはそれ以上のアミノ酸のペプチドがＨＬＡクラスＩＩ分子により結合されうる。ＨＬＡクラスＩとクラスＩＩとの結合溝の違いのため、ＨＬＡクラスＩモチーフは長さ特異的である；すなわち、クラスＩモチーフの２位が、そのペプチドのアミノからカルボキシ方向における２番目のアミノ酸である。クラスＩＩモチーフにおけるアミノ酸の位置は、お互いにのみ関係して、ペプチド全体に関係しない、すなわち、付加的アミノ酸をモチーフ所有配列のアミノ末端および／またはカルボキシ末端に付着することができる。ＨＬＡクラスＩＩエピトープは、しばしば、９個、１０個、１１個、１２個、１３個、１４個、１５個、１６個、１７個、１８個、１９個、２０個、２１個、２２個、２３個、２４個もしくは２５個のアミノ酸長、または２５個のアミノ酸より長い。
【０１５３】
抗体に基づくワクチン：哺乳動物において免疫応答を起こすための広く様々な方法は、当技術分野において知られている（例えば、第一段階として、ハイブリドーマの作製において）。哺乳動物において免疫応答を起こすための方法は、その哺乳動物の免疫系をタンパク質（例えば、２０Ｐ１Ｆ１２／ＴＭＰＲＳＳ２タンパク質）の免疫原性エピトープに曝し、免疫応答が起こされることを含む。典型的態様は、宿主を、２０Ｐ１Ｆ１２／ＴＭＰＲＳＳ２ Ｂ細胞もしくは細胞障害性Ｔ細胞エピトープまたはそれの類似体の少なくとも１つの十分な量に接触させる；およびその後は少なくとも１回の定期的間隔で、その宿主を２０Ｐ１Ｆ１２／ＴＭＰＲＳＳ２ Ｂ細胞もしくは細胞障害性Ｔ細胞エピトープまたはそれの類似体に再接触させることにより、宿主に２０Ｐ１Ｆ１２／ＴＭＰＲＳＳ２への免疫応答を起こすための方法からなる。特定的態様は、２０Ｐ１Ｆ１２／ＴＭＰＲＳＳ２関連タンパク質または人工の多エピトープのペプチドに対して免疫応答を起こすための方法からなり、以下のことを含む：ヒトまたは別の哺乳動物へのワクチン調製における２０Ｐ１Ｆ１２／ＴＭＰＲＳＳ２免疫原（例えば、２０Ｐ１Ｆ１２／ＴＭＰＲＳＳ２タンパク質もしくはそれのペプチド断片、２０Ｐ１Ｆ１２／ＴＭＰＲＳＳ２融合タンパク質または類似体など）を投与する。典型的には、そのようなワクチン調製は、さらに、適するアジュバント（例えば、米国特許第６，１４６，６３５号を参照）またはＰＡＤＲＥ（商標）ペプチド（エピムネ社（Ｅｐｉｍｍｕｎｅ Ｉｎｃ．）、サンジエゴ、ＣＡ；例えば、Ａｌｅｘａｎｄｅｒら、Ｊ． Ｉｍｍｕｎｏｌ． ２０００ １６４（３）：１６２５〜１６３３； Ａｌｅｘａｎｄｅｒら、Ｉｍｍｕｎｉｔｙ １９９４ １（９）：７５１〜７６１およびＡｌｅｘａｎｄｅｒら、Ｉｍｍｕｎｏｌ． Ｒｅｓ． １９９８ １８（２）：７９〜９２を参照）のような普遍的なヘルパーエピトープを含む。別の方法は、以下のことにより、２０Ｐ１Ｆ１２／ＴＭＰＲＳＳ２免疫原に対して個体に免疫応答を起こすことを含む：２０Ｐ１Ｆ１２／ＴＭＰＲＳＳ２免疫原をコードするＤＮＡ配列を含み、そのＤＮＡ配列がそのＤＮＡ配列の発現を制御する制御配列に利用可能に連結されているＤＮＡ分子を、個体の身体の筋肉または皮膚へ、インビボで投与する；そのＤＮＡ分子は細胞に取り上げられ、そのＤＮＡ配列がその細胞で発現され、その免疫原に対して免疫応答が起こされる（例えば、米国特許第５，９６２，４２８号を参照）。選択的には、陰イオン性脂質；サポニン；レクチン；エストロゲン化合物；ヒドロキシル化低級アルキル；ジメチルスルホキシド；および尿素のような遺伝子ワクチン促進剤もまた投与される。
【０１５４】
核酸ワクチン：本発明のワクチン組成物は、核酸媒介型様式を含む。本発明のタンパク質をコードするＤＮＡまたはＲＮＡは、患者に投与されうる。遺伝子免疫化方法は、２０Ｐ１Ｆ１２／ＴＭＰＲＳＳ２を発現する癌細胞に対して向けられる予防的または治療的な体液性および細胞性免疫応答を起こすために使用されうる。２０Ｐ１Ｆ１２／ＴＭＰＲＳＳ２関連タンパク質／免疫原をコードするＤＮＡおよび適切な制御配列を含む構築物は、個体の筋肉または皮膚へ直接的に注射されうり、筋肉または皮膚の細胞がその構築物を取り上げて、そのコードされる２０Ｐ１Ｆ１２／ＴＭＰＲＳＳ２タンパク質／免疫原を発現する。または、ワクチンは、２０Ｐ１Ｆ１２／ＴＭＰＲＳＳ２関連タンパク質を含む。２０Ｐ１Ｆ１２／ＴＭＰＲＳＳ２関連タンパク質免疫原の発現が、結果として、２０Ｐ１Ｆ１２／ＴＭＰＲＳＳ２タンパク質を有する細胞に対して予防的または治療的な体液性および細胞性免疫の発生を生じる。当技術分野において公知の様々な予防的または治療的な遺伝子免疫化技術を使用されうる（概説として、インターネットアドレスｗｗｗ．ｇｅｎｗｅｂ．ｃｏｍで公開される情報および文献を参照）。核酸に基づく送達は、例えば、米国特許第５，５８０，８５９号；５，５８９，４６６号；５，８０４，５６６号；５，７３９，１１８号；５，７３６，５２４号；５，６７９，６４７号；国際公開公報第９８／０４７２０号と同様に、ウォルフ（Ｗｏｌｆｆ）ら、Ｓｃｉｅｎｃｅ ２４７：１４６５（１９９０）に記載されている。ＤＮＡに基づく送達技術の例には、「裸のＤＮＡ（ｎａｋｅｄ ＤＮＡ）」、促進性（ブピバカイン、ポリマー、ペプチド媒介型）送達、陽イオン性脂質複合体、および粒子媒介型（「遺伝子銃」）または圧力媒介型送達を含む（例えば、米国特許第５，９２２，６８７号を参照）。
【０１５５】
治療的または予防的な免疫化の目的のために、本発明のタンパク質は、ウイルスまたは細菌のベクターにより発現されうる。本発明の実施において用いられうる様々なウイルスの遺伝子送達系は、限定されるものではないが、ワクシニア、ニワトリポックス、カナリアポックス、アデノウイルス、インフルエンザ、ポリオウイルス、アデノ関連ウイルス、レンチウイルス、およびシンドビスウイルスを含む（Ｒｅｓｔｉｆｏ、１９９６、Ｃｕｒｒ． Ｏｐｉｎ． Ｉｍｍｕｎｏｌ． ８：６５８〜６６３； Ｔｓａｎｇら、Ｊ． Ｎａｔｌ． Ｃａｎｃｅｒ Ｉｎｓｔ． ８７：９８２〜９９０（１９９５）を参照）。非ウイルスの送達系もまた、抗腫瘍応答を引き起こすために、２０Ｐ１Ｆ１２／ＴＭＰＲＳＳ２関連タンパク質をコードする裸のＤＮＡを患者へ導入する（例えば、筋肉内または皮内に）ことにより用いられうる。
【０１５６】
例えば、ワクシニアウイルスが、本発明のペプチドをコードするヌクレオチド配列を発現するためのベクターとして使用される。宿主への導入と同時に、その組換えワクシニアウイルスは、そのタンパク質免疫原性ペプチドを発現し、それにより宿主免疫応答を誘発する。免疫化プロトコールに有用なワクシニアウイルスおよび方法は、例えば、米国特許第４，７２２，８４８号に記載されている。もう一つのベクターは、ＢＣＧ（Ｂａｃｉｌｌｅ Ｃａｌｍｅｔｔｅ Ｇｕｅｒｉｎ）である。ＢＣＧベクターは、ストーバー（Ｓｔｏｖｅｒ）ら、Ｎａｔｕｒｅ ３５１：４５６〜４６０（１９９１）に記載されている。本発明のペプチドの治療的投与または免疫化に有用な広く様々な他のベクター、例えば、アデノおよびアデノ関連ウイルスベクター、レトロウイルスベクター、サルモネラチフィ（Ｓａｌｍｏｎｅｌｌａ ｔｙｐｈｉ）ベクター、解毒化炭疽毒素ベクターなどは、本明細書の記述から、当業者にとって明らかであると思われる。
【０１５７】
このように、遺伝子送達系は、２０Ｐ１Ｆ１２／ＴＭＰＲＳＳ２関連核酸分子を送達するために用いられる。一つの態様において、完全長ヒト２０Ｐ１Ｆ１２／ＴＭＰＲＳＳ２ ｃＤＮＡが使用される。もう一つの態様において、特定の細胞障害性Ｔリンパ球（ＣＴＬ）および／または抗体エピトープをコードする２０Ｐ１Ｆ１２／ＴＭＰＲＳＳ２核酸分子が使用される。
【０１５８】
エクスビボのワクチン：様々なエクスビボのストラテジーもまた、免疫応答を起こすために用いられうる。一つの方法は、２０Ｐ１Ｆ１２／ＴＭＰＲＳＳ２抗原を患者の免疫系に提示するために樹状細胞（ＤＣ）のような抗原提示細胞（ＡＰＣ）の使用を含む。樹状細胞は、ＭＨＣクラスＩおよびクラスＩＩ分子、Ｂ７補助刺激物質、ならびにＩＬ−１２を発現し、このように高度に分化された抗原提示細胞である。前立腺癌において、前立腺特異的膜抗原（ＰＳＭＡ）のペプチドでパルスされる自己樹状細胞は、前立腺癌患者の免疫系を刺激するために、フェーズＩ臨床試験において使用される（Ｔｊｏａら、１９９６， Ｐｒｏｓｔａｔｅ ２８：６５〜６９； Ｍｕｒｐｈｙら、１９９６， Ｐｒｏｓｔａｔｅ ２９：３７１〜３８０）。このように、樹状細胞は、ＭＨＣクラスＩまたはクラスＩＩ分子の関係において、２０Ｐ１Ｆ１２／ＴＭＰＲＳＳ２ペプチドをＴ細胞へ提示するために使用されうる。一つの態様において、自己樹状細胞は、ＭＨＣクラスＩおよび／またはクラスＩＩ分子に結合することができる２０Ｐ１Ｆ１２／ＴＭＰＲＳＳ２ペプチドでパルスされる。もう一つの態様において、樹状細胞は、完全２０Ｐ１Ｆ１２／ＴＭＰＲＳＳ２タンパク質でパルスされる。さらにもう一つの態様は、アデノウイルス（Ａｒｔｈｕｒら、１９９７， Ｃａｎｃｅｒ Ｇｅｎｅ Ｔｈｅｒ． ４：１７〜２５）、レトロウイルス（Ｈｅｎｄｅｒｓｏｎら、１９９６， Ｃａｎｃｅｒ Ｒｅｓ． ５６：３７６３〜３７７０）、レンチウイルス、アデノ関連ウイルス、ＤＮＡトランスフェクション（Ｒｉｂａｓら、１９９７， Ｃａｎｃｅｒ Ｒｅｓ． ５７：２８６５〜２８６９）、または腫瘍由来ＲＮＡトランスフェクション（Ａｓｈｌｅｙら、１９９７， Ｊ． Ｅｘｐ． Ｍｅｄ． １８６：１１７７〜１１８２）のような、当技術分野において公知の様々な実行ベクターを使用して、樹状細胞において２０Ｐ１Ｆ１２／ＴＭＰＲＳＳ２遺伝子の過剰発現を操作することを含む。２０Ｐ１Ｆ１２／ＴＭＰＲＳＳ２を発現する細胞はまた、ＧＭ−ＣＳＦのような免疫モジュレーターを発現するように操作されうり、かつ免疫化剤として使用されうる。
【０１５９】
抗原性の特性は、エキソパシー（ＥｘＰａｓｙ）分子生物学サーバー上のプロットスケール（ＰｒｏｔＳｃａｌｅ）ウェブサイト（ＵＲＬ ｗｗｗ．ｅｘｐａｓｙ．ｃｈ／ｃｇｉ−ｂｉｎ／ｐｒｏｔｓｃａｌｅ．ｐｌ）を用いて決定されうる。親水性（Ｈｏｐｐ Ｔ． Ｐ．， Ｗｏｏｄｓ Ｋ． Ｒ．， １９８１， Ｐｒｏｃ． Ｎａｔｌ． Ａｃａｄ． Ｓｃｉ． Ｕ．Ｓ．Ａ． ７８：３８２４〜３８２８）、水治療性（Ｈｙｄｒｏｐａｔｈｉｃｉｔｙ）（Ｋｙｔｅ Ｊ．， Ｄｏｏｌｉｔｔｌｅ Ｒ． Ｆ．， １９８２， Ｊ． Ｍｏｌ． Ｂｉｏｌ． １５７：１０５〜１３２）；接近しやすい残基の割合（Ｊａｎｉｎ Ｊ．， １９７９， Ｎａｔｕｒｅ ２７７：４９１〜４９２）、平均柔軟性（Ｆｌｅｘｉｂｉｌｉｔｙ）（Ｂｈａｓｋａｒａｎ Ｒ．およびＰｏｎｎｕｓｗａｍｙ Ｐ． Ｋ．， １９８８， Ｉｎｔ． Ｊ． Ｐｅｐｔ． Ｐｒｏｔｅｉｎ Ｒｅｓ． ３２：２４２〜２５５）；βターン（Ｂｅｔａ−ｔｕｒｎ）（Ｄｅｌｅａｇｅ， Ｇ．， Ｒｏｕｘ Ｂ．， １９８７， Ｐｒｏｔｅｉｎ Ｅｎｇｉｎｅｅｒｉｎｇ １：２８９〜２９４）；および選択的に、プロットスケールウェブサイト上のような当技術分野において入手可能な他の方法が、２０Ｐ１Ｆ１２／ＴＭＰＲＳＳ２タンパク質の抗原性領域を同定するために用いられうる。分析のためのプロットスケールパラメーターの無制限の例：１）９のウィンドウサイズ；２）ウィンドウ中心と比較してウィンドウ端の１００ ％重量；および３）０と１の間に位置するように標準化されたアミノ酸プロフィール値である。
【０１６０】
これらの方法により決定される領域は、タンパク質上で露出される可能性がより高く、このため抗体によるような免疫認識に近づきやすい。このように示される２０Ｐ１Ｆ１２／ＴＭＰＲＳＳ２タンパク質の抗原性配列は、治療的および診断的抗２０Ｐ１Ｆ１２／ＴＭＰＲＳＳ２抗体を産生するために、免疫原、ペプチドまたはそれらをコードする核酸のいずれかを調製するために使用される。免疫原は、２０Ｐ１Ｆ１２／ＴＭＰＲＳＳ２タンパク質からの、５個、６個、７個、８個、９個、１０個、１１個、１２個、１３個、１４個、１５個、１６個、１７個、１８個、１９個、２０個、２１個、２２個、２３個、２４個、２５個、３０個、３５個、４０個、４５個、５０個もしくは５０個以上の近接するアミノ酸のいずれか、またはそれらをコードする対応する核酸でありうる。
【０１６１】
２０Ｐ１Ｆ１２／ＴＭＰＲＳＳ２による浸潤の調節
上記で言及されているように、ＰＳＡおよび２０Ｐ１Ｆ１２／ＴＭＰＲＳＳ２は、いくつかの関連する特徴を共有しており、この発見は、これら２つの分子がインビボで同様の生理的役割をもっている可能性があることの証拠を提供する。この事において、ＰＳＡの生物学上の観察により、２０Ｐ１Ｆ１２／ＴＭＰＲＳＳ２の生物学への洞察が提供されうる。興味深いことに、ＰＳＡの血清レベルの測定が前立腺癌のためのスクリーニング手段として広く用いられている一方で、ＩＧＦＢＰ−３プロテアーゼとしての可能性のある役割を示すデータを除外しており（Ｃｏｈｅｎら、Ｊ． Ｅｎｄｏｃｒｉｎｏｌ． １４２：４０７〜４１５（１９９４））、驚くべきことに、癌におけるＰＳＡのその役割についてほとんど知られていない。
【０１６２】
最近、内皮細胞の増殖、遊走および浸潤におけるＰＳＡの効果を体系的に評価した研究より、ＰＳＡがインビボで抗浸潤性／抗血管形成の性質をもっていることが見出された（Ｆｏｒｔｉｅｒら、Ｊ． Ｎａｔ． Ｃａｎｃｅｒ Ｉｎｓｔ． ９１（１９）：１６３５〜１６４０（１９９９））。これらの発見は、抗血管形成薬剤サリドマイドおよびＴＮＰ４７０が、インビトロで、前立腺細胞株により産生されるＰＳＡに統計的に有意な増加を引き起こすこと（Ｈｏｒｔｉら、Ｂｒ． Ｊ． Ｃａｎｃｅｒ ７９：１５８８〜１５９３（１９９９））、および乳癌でかつ高レベルのＰＳＡをもつ患者は、癌がより低いＰＳＡレベルをもつ患者より予後が良かったこと（Ｙｕら、Ｃｌｉｎ． Ｃａｎｃｅｒ Ｒｅｓｅａｒｃｈ， ４：１４８９〜１４９７（１９９８））を示した、より初期の研究と一致する。フォルティア（Ｆｏｒｔｉｅｒ）らに記載されるＰＳＡの抗腫瘍効果は、セリンプロテアーゼとしてのその作用から生じている可能性があり、というのは、ＡＣＴがインビトロで、その酵素活性およびその抗血管形成活性の両方を妨害したからである。さらに、これらの発見は、ＰＳＡがＬｙｓ−プラスミノーゲンを生物学的活性のあるアンジオスタチン様断片へ変換することができること、およびこれらの断片が、アンジオスタチンと同じ効力で、ヒト臍静脈内皮細胞の増殖および尿細管の形成を阻害したことの観察より支持される（Ｈｅｉｄｔｍａｎｎら、Ｂｒ． Ｊ． Ｃａｎｃｅｒ ８１（８）：１２６９〜１２７３（１９９９））。全体として、これらのデータは、様々な悪性におけるＰＳＡの上昇は、癌進行と戦うための正常な恒常性の過程の一部であること、および内因性濃度を増強するための薬剤としてのＰＳＡの投与により、癌治療において合理的な治療的方法が提供されえたことの証拠を提供している。さらには、ＰＳＡについてのこれらの研究と同様に、図３５および図３６に示される、ならびに下記の実施例で提出される２０Ｐ１Ｆ１２／ＴＭＰＲＳＳ２データは、２０Ｐ１Ｆ１２／ＴＭＰＲＳＳ２もまたそのような抗浸潤活性を示すことを実証する。図３５はＴＭＰＲＳＳ２による管形成の阻害を示す。ＨＵＶＥＣ細胞をマトリゲル（ｍａｔｒｉｇｅｌ）に播種し、１０％ＦＢＳ、１ μｇ／ｍｌ 精製された組換えＧＳＴ−２０Ｐ１Ｆ１２／ＴＭＰＲＳＳ２（アミノ酸２５５位〜４９２位）、０．３ μｇ／ｍｌ 精製されたＰＳＡまたは１ μｇ／ｍｌ 精製されたＧＳＴタンパク質の存在下で、インキュベートする。組換えＶＥＧＦでの処理は、管形成についての対照として使用された。精製ＧＳＴ−２０Ｐ１Ｆ１２／ＴＭＰＲＳＳ２での処理は、ＦＢＳにより誘導される管形成を阻害した。同様の阻害は、公知の血管形成誘導の阻害剤であるＰＳＡについても観察された（Ｊ． Ｎａｔｌ． Ｃａｎｃｅｒ Ｉｎｓｔ．， １９９９， ９１：１６３５）。図３６は、ＴＭＰＲＳＳ２によるＨＵＶＥＣ増殖の阻害を示す。ＨＵＶＥＣ細胞を１０％ＦＢＳ、１０ μｇ／ｍｌ 組換えＧＳＴ−２０Ｐ１Ｆ１２／ＴＭＰＲＳＳ２（アミノ酸２５５位〜４９２位）または精製ＰＳＡの存在または非存在下において、９６ウェルプレートに播種した。細胞を７２時間増殖し、読み出しとしてアラマーブルー（Ａｌａｍａｒ Ｂｌｕｅ）の還���を用いて増殖についてアッセイした。実験は３連で行なわれた。精製ＧＳＴ−２０Ｐ１Ｆ１２／ＴＭＰＲＳＳ２での処理は、ＦＢＳの低および高投与量によるＨＵＶＥＣの増殖を阻害した。同様の阻害はＰＳＡについても観察された。
【０１６３】
癌において、腫瘍の増殖は、新しい血管の血管形成的増殖に依存している。血管形成誘導は、内皮細胞の増殖、遊走および浸潤を制御する血管形成の刺激剤と阻害剤との動力学的相互作用により調節される、しっかりと統制されたプロセスである。この概念は、線維芽細胞増殖因子（ＦＧＦ）および血管内皮増殖因子（ＶＥＧＦ）のような血管形成誘導の内因性刺激剤のより初期の発見、およびさらに最近の、アンジオスタチン（Ａｎｇｉｏｓｔａｔｉｎ）（登録商標）およびエンドスタチン（Ｅｎｄｏｓｔａｔｉｎ）（商標）のタンパク質を含む、血管形成誘導の内因性阻害剤の発見により強化される（Ｏ’Ｒｅｉｌｌｙら、Ｃｅｌｌ ７９：３１５〜３２８（１９９４）； Ｏ’Ｒｅｉｌｌｙら、Ｃｅｌｌ ８８：２７７〜２８５（１９９７）； Ｓｉｍ， Ａｎｇｉｏｇｅｎｅｓｉｓ ２：３７〜４８（１９９８））。予備的な結果より、抗血管形成のエンドスタチン（商標）タンパク質の濃度の増加が、血管形成誘導が起こっていることを示唆しうる増殖する腫瘍をもつ動物および患者において生じる可能性があることが示されている（Ｐａｃｉｏｔｔｉら、Ｐｒｏｃ． Ａｍ． Ａｓｓｏｃ． Ｃａｎｃｅｒ Ｒｅｓ． ４０：６６（１９９９））。ＰＳＡについての観察と同様に、これらの発見は、増加する２０Ｐ１Ｆ１２／ＴＭＰＲＳＳ２濃度は、悪い知らせおよび癌進行の前兆ではありえず、むしろ身体がその自分の抗血管形成のタンパク質を産生することによりがんと戦おうとしていることを示している可能性があることの証拠を提供する、実施例１３に開示される研究を推進した。
【０１６４】
図２７〜図３０に示されるように、ＰＳＡのように、２０Ｐ１Ｆ１２／ＴＭＰＲＳＳ２は、腫瘍の増殖および浸潤を調節することができるプロテアーゼである。図２７Ａ〜図２７Ｃは、２０Ｐ１Ｆ１２／ＴＭＰＲＳＳ２で安定的にトランスフェクションされたＰＣ３細胞と比較してのＰＣ３細胞の浸潤性の潜在能力における違いを示す。図２７Ａ〜図２７Ｃのデータは、２０Ｐ１Ｆ１２／ＴＭＰＲＳＳ２を発現する細胞が浸潤性能力の低下したことを示し、２０Ｐ１Ｆ１２／ＴＭＰＲＳＳ２発現がインビボで腫瘍の浸潤を阻害することの証拠を提供している。さらに、これらの図は、ウロキナーゼ−プラスミノーゲンアクチベーターとの比較データを提供している（例えば、Ｒａｂｂａｎｉら、Ｉｎ Ｖｉｖｏ， １９９８年１月−２月， １２（１）：１３５〜１４２； Ｅｖａｎｓら、Ｃａｎｃｅｒ Ｒｅｓ． １９９７年８月１５日， ５７（１６）：３５９４〜３５９９およびＷｉｌｓｏｎら、Ａｎａｔ Ｒｅｃ．， １９９７年９月， ２４９（１）：６３〜７３を参照）。図２８は、２０Ｐ１Ｆ１２／ＴＭＰＲＳＳ２のタンパク分解活性を示す。特に、図２８は２０Ｐ１Ｆ１２／ＴＭＰＲＳＳ２断片（ＧＳＴ−２０Ｐ１Ｆ１２／ＴＭＰＲＳＳ２（アミノ酸２５５位〜４９２位））のカゼインを分解する能力を示す。図２９は、精製２０Ｐ１Ｆ１２／ＴＭＰＲＳＳ２プロテアーゼ断片のＰＣ３浸潤への効果を示す。図２９のデータは、２０Ｐ１Ｆ１２／ＴＭＰＲＳＳ２プロテアーゼ断片がいかに、マトリゲル（Ｍａｔｒｉｇｅｌ）（商標）基底膜マトリックスを通してのＰＣ３細胞の浸潤を低下させるかを実証し、２０Ｐ１Ｆ１２／ＴＭＰＲＳＳ２のプロテアーゼドメインが、インビボで、腫瘍の浸潤を阻害することができるという証拠を提供している。図３０は、いかに、精製２０Ｐ１Ｆ１２／ＴＭＰＲＳＳ２プロテアーゼ断片のＰＣ３浸潤への効果が抗２０Ｐ１Ｆ１２／ＴＭＰＲＳＳ２モノクローナル抗体１Ｆ９により調節されるかを示している。図３０のデータは、いかに、抗２０Ｐ１Ｆ１２／ＴＭＰＲＳＳ２抗体が２０Ｐ１Ｆ１２／ＴＭＰＲＳＳ２の浸潤阻害活性を抑制することができるかを実証し、この分子が、インビボの経過と相関することが知られているインビトロのモデルにおいて腫瘍の浸潤を阻害することができるという確証的証拠を提供している。
【０１６５】
図２７〜図３０に提供されるデータは、２０Ｐ１Ｆ１２／ＴＭＰＲＳＳ２はプロテアーゼであること、およびこのプロテアーゼは細胞外マトリックスを通してのＰＣ３細胞の浸潤を低下させること、およびそのプロテアーゼドメインへの抗体は腫瘍浸潤を促進することを示す。このように、このデータは、２０Ｐ１Ｆ１２／ＴＭＰＲＳＳ２が転移性形成と同様に原発腫瘍の増殖の調節に関与するプロテアーゼであることの証拠を提供している。特別な科学的理論に結びつけられることなく、本明細書に提示されるデータは、２０Ｐ１Ｆ１２／ＴＭＰＲＳＳ２が、腫瘍増殖、浸潤もしくは血管形成誘導に関与する因子のタンパク分解を引き起こすことができる、または腫瘍もしくはその環境（例えば、内皮細胞）に直接的に作用することができるという証拠を提供している。
【０１６６】
本明細書に提示されるデータは、ＰＳＡのように、２０Ｐ１Ｆ１２／ＴＭＰＲＳＳ２が、腫瘍増殖および浸潤のモジュレーターと同様に、前立腺癌のような癌の指標として両方の役割を果たすことができるという証拠を提供する。さらには、浸潤は転移性形成における初期段階の一つであるが、このデータはさらに、２０Ｐ１Ｆ１２／ＴＭＰＲＳＳ２が血管形成誘導に影響を及ぼすことができるという証拠を提供する。従って、２０Ｐ１Ｆ１２／ＴＭＰＲＳＳ２を利用する方法は、腫瘍増殖および浸潤を阻害するために用いられうる。この事において、２０Ｐ１Ｆ１２／ＴＭＰＲＳＳ２の生理的効果は、その状態、例えば、それが遊離しているか、または例えば図２４に示される免疫反応性複合体に見られるような１つまたは複数のその結合パートナーと複合化されているかどうかに依存しうる。
【０１６７】
細胞の浸潤および／または血管形成の活性を調節する分子の活性を用いることおよび評価することのための様々な方法は、当技術分野においてよく知られている。例えば、米国特許第６，０６０，４４９号は、活性成分として組織因子経路阻害剤（Ｔｉｓｓｕｅ Ｆａｃｔｏｒ Ｐａｔｈｗａｙ Ｉｎｈｉｂｉｔｏｒ）（ＴＦＰＩ）を含む、血管内皮細胞の増殖により引き起こされる血管形成誘導の阻害剤を開示する。米国特許第６，０５７，１２２号は、哺乳動物のクリングル（ｋｒｉｎｇｌｅ）５断片およびクリングル５融合タンパク質が血管形成疾患を治療するための化合物として明らかにされることを開示している。米国特許第６，０２５，３３１号は、異常血管形成誘導を伴う疾患または障害の治療のための、治療的有効量のトロポニンＣ、ＩもしくはＴ、サブユニット、断片、または類似体を含む薬学的組成物を開示している。米国特許第６，０２４，６８８号は、プラスミノーゲン由来の内皮細胞増殖阻害剤の断片、特にアンジオスタチン断片を使用するための方法を開示している。さらに、米国特許第５，９８１，４８４号は、血管形成誘導を阻害し、かつ血管形成誘導が役割を果たしている癌、関節炎、黄斑変性症および糖尿病性網膜症のような疾患状態の治療において有用である様々なペプチドを開示している。米国特許第６，０６０，４４９号、６，０５７，１２２号、６，０２５，３３１号、６，０２４，６８８号および５，９８１，４８４号の開示は、本明細書に参照として組み入れられている。
【０１６８】
本発明の２０Ｐ１Ｆ１２／ＴＭＰＲＳＳ２ポリペプチドは、さらに、腫瘍転移または炎症反応における浸潤、血管形成誘導に阻害的効果を生じることとして特徴付けられうる。２０Ｐ１Ｆ１２／ＴＭＰＲＳＳ２ポリペプチドは、特に、腫瘍を有する哺乳動物宿主、好ましくはヒトにおいて、浸潤を阻害するために有用である。用語「浸潤」は、当技術分野が容認する意味に従って、腫瘍細胞のような細胞が細胞外マトリックスまたは基底膜を通して移動する生理学的過程として用いられる。浸潤は、腫瘍細胞が転移の間それを通して散在するところの細胞外マトリックスを模倣するために特別に設計された再構成の基底膜を使用するインビトロでのアッセイ法と同様に、ＳＣＩＤマウスを使用するインビボでの横隔膜浸潤アッセイ法のような様々な特定の情況において観察される（例えば、Ｓｔｅａｒｎｓら、Ｃａｎｃｅｒ Ｒｅｓ． １９９２， ５２（１３）：３７７６〜３７８１およびＫｎｏｘら、Ｐｒｏｓｔａｔｅ １９９８， ３５（４）：２４８〜２５４を参照）。さらに、浸潤は、実施例１３に記載されるトランスウェルインサートシステム（Ｔｒａｎｓｗｅｌｌ Ｉｎｓｅｒｔ Ｓｙｔｅｍ）（ベクトンディッキンソン（Ｂｅｃｔｏｎ Ｄｉｃｋｉｎｓｏｎ））を使用するような当技術分野において公知の様々な方法により定量されうる。
【０１６９】
前述の抗浸潤および／または抗血管形成の組成物および治療方法は、望まない細胞の浸潤、遊走誘導性増殖、血管形成誘導または転移に関連する疾患または状態を有する対象において、細胞の遊走および浸潤または遊走誘導性細胞増殖を阻害するために有用である。そのような疾患または状態は、初期増殖もしくは固形癌または白血病およびリンパ種、腫瘍転移の転移、浸潤および／もしくは増殖、アテローム性動脈硬化症、心筋血管形成誘導、バルーン血管形成術後血管狭窄、血管外傷後新内膜形成、血管移植再狭窄、冠動脈側枝形成、深部静脈血栓、虚血性肢血管形成誘導、末梢血管拡張、化膿性肉芽腫、角膜疾患、ルベオーシス、新生血管性緑内障、糖尿病性および他の網膜症、水晶体後繊維増殖症、糖尿病性新血管新生、黄斑変性症、子宮内膜症、関節炎、乾癬強皮症を含む慢性的炎症関連線維症、肺線維症、化学療法誘導性線維症、瘢痕および線維症を伴う創傷治癒；消化性潰瘍、骨折、ケロイド、ならびに血管形成、造血、排卵、月経、妊娠および胎盤形成の障害、または浸潤もしくは血管形成誘導が病原性である任意の他の疾患もしくは状態を含みうる。
【０１７０】
従って、本発明のこの特定的局面は、対象において、主として腫瘍細胞による細胞浸潤、または第一に腫瘍細胞により引き起こされる血管形成誘導を阻害するための方法を含む。細胞による浸潤または血管形成誘導を阻害することにより、その方法は、結果として、腫瘍転移の阻害を生じる。この方法において、脊椎動物の対象、好ましくは哺乳動物、より好ましくはヒトに、配列番号：２に示されるアミノ酸配列を有するポリペプチドを典型的に含む２０Ｐ１Ｆ１２／ＴＭＰＲＳＳ２分子またはそれの生物学的活性のある断片のある量を投与する。２０Ｐ１Ｆ１２／ＴＭＰＲＳＳ２ポリペプチドは、好ましくは、上記のような薬学的組成物の形で投与される。
【０１７１】
２０Ｐ１Ｆ１２／ＴＭＰＲＳＳ２分子の投与量は、好ましくは、２０Ｐ１Ｆ１２／ＴＭＰＲＳＳ２ポリペプチドの有効量を含む薬学的投与量単位を含む。有効量とは、結果として、原発もしくは転移性腫瘍の浸潤および／もしくは増殖、炎症反応性の容認された任意の指標を含みうる疾患の関連する任意のパラメーターにおいて測定可能な低下、または疾患のない間隔もしくは生存の測定可能な延長を生じる、インビボでの定常状態濃度を達成するために十分な量を意味する。例えば、２０ ％の患者における腫瘍増殖の低下は、効力があるものとみなされる（Ｆｒｅｉ ＩＩ， Ｅ．， Ｃａｎｃｅｒ Ｊｏｕｒｎａｌ ３：１２７〜１３６（１９９７））。しかしながら、この大きさの効果が、本発明に従って効果的であるための投与量にとって最小限の必要条件とはみなされない。効果的投与量および最適の投与量の範囲は、本明細書に記載されるものを含め当技術分野において公知の方法を用いて決定されうる。
【０１７２】
または、当技術分野において公知の広く様々な遺伝子導入および遺伝子治療は、治療的ポリヌクレオチド分子を細胞へ送達するために有用でありうる（例えば、配列番号：２に示されるアミノ酸配列をコードする２０Ｐ１Ｆ１２／ＴＭＰＲＳＳ２ポリヌクレオチドまたはそれの抗増殖性断片）。多数の遺伝子治療方法が当技術分野において知られており、例えば、米国特許第５，８３０，８８０号、６，０７１，８９０号および５，７９２，４５３号に記載される。そのようなよく知られた方法を用いて、そのような２０Ｐ１Ｆ１２／ＴＭＰＲＳＳ２分子をコードする組換えベクターは、標的細胞（例えば、腫瘍および内皮細胞）送達されうり、その後、細胞増殖、浸潤および／または転移を調節する手段として２０Ｐ１Ｆ１２／ＴＭＰＲＳＳ２を発現するであろう。
【０１７３】
細胞増殖、浸潤および／または転移を調節するために２０Ｐ１Ｆ１２／ＴＭＰＲＳＳ２を使用するいくつかの代表的方法が、本明細書に提供されている。これらの方法において、２０Ｐ１Ｆ１２／ＴＭＰＲＳＳ２分子は、典型的には配列番号：２に示されるアミノ酸配列を有するポリペプチドを含む、またはそれの生物学的活性のある断片である。本発明の典型的態様は、インビボで抗浸潤性活性を有する２０Ｐ１Ｆ１２／ＴＭＰＲＳＳ２分子の細胞浸潤阻害量を哺乳動物へ投与することを含む、哺乳動物において細胞浸潤を阻害することの方法を含む。本発明のもう一つの関連する態様は、抗浸潤性活性を有する２０Ｐ１Ｆ１２／ＴＭＰＲＳＳ２分子の浸潤性阻害量を哺乳動物へ投与することを含む、哺乳動物において細胞浸潤および／または血管形成誘導を阻害することの方法からなり、該断片は、配列番号：２に示される配列のアミノ酸の置換および／または欠失、および／または付加を含むが、抗浸潤性活性を保持している（例えば、配列番号：２に示される配列のアミノ酸２５５位〜４９２位を含むＧＳＴ断片）。
【０１７４】
本発明の典型的態様は、配列番号：２に示されるアミノ酸配列を含むポリペプチドまたはそれの抗浸潤性断片を細胞の環境へ導入し、それにより浸潤が阻害されることを含む、腫瘍細胞による浸潤を阻害するための方法からなる。細胞の環境へ導入することとは、ポリペプチドを細胞の環境へ配置して、それがその細胞の生理学的プロセスに、直接的にまたは間接的にかのいずれかで効果をもたらすことができることを意味する。ポリペプチドのような治療を細胞の環境へ導入するための様々な方法は、当技術分野においてよく知られており、典型的方法には静脈内または部位特異的注射を含む。
【０１７５】
典型的には、２０Ｐ１Ｆ１２／ＴＭＰＲＳＳ２ポリペプチドの抗浸潤性断片は、例えば図２３に示される３２ ｋＤのプロテアーゼ断片のプロテアーゼドメインを含む。そのような断片のもう一つの例示的態様は、配列番号：２に示される配列のアミノ酸２５５位〜４９２位を含むポリペプチドであり、実施例１３に示される抗浸潤性アッセイ法において利用される。この方法の好ましい態様は、ポリペプチドが細胞の環境へ非経口的に導入される。典型的態様において、ポリペプチドは、細胞の環境へ静脈内注射により導入される。
【０１７６】
本発明の一つの具体的態様は、配列番号：２のポリペプチドを細胞の環境へ導入して、それにより基底膜浸潤が阻害されることを含む、腫瘍細胞による基底膜浸潤を阻害するための方法からなる。好ましくは、この方法における腫瘍細胞は、２０Ｐ１Ｆ１２／ＴＭＰＲＳＳ２の発現または分泌の増加を示す。本発明の関連する特定的態様は、配列番号：２のポリペプチドを投与して、それにより腫瘍細胞浸潤が阻害されることを含む、腫瘍細胞が２０Ｐ１Ｆ１２／ＴＭＰＲＳＳ２の合成または分泌の増加を示す、腫瘍細胞の浸潤を阻害するための方法からなる。これらの方法の好ましい態様において、配列番号：２のポリペプチドは、２０Ｐ１Ｆ１２／ＴＭＰＲＳＳ２プロテアーゼドメインを含む３２ ｋＤ断片からなる。
【０１７７】
本発明の関連する態様は、前立腺癌、膀胱癌、卵巣癌、肺癌、腎臓癌もしくは大腸癌、または転移性癌の増殖のような腫瘍細胞増殖を阻害するために２０Ｐ１Ｆ１２／ＴＭＰＲＳＳ２分子の十分な量を哺乳動物へ投与することを含む哺乳動物において腫瘍細胞増殖を阻害することの方法からなり、その２０Ｐ１Ｆ１２／ＴＭＰＲＳＳ２分子は、配列番号：２に示されるアミノ酸配列を含むアミノ酸配列を有する、またはそれの抗増殖性断片である。
【０１７８】
ポリペプチドの修飾により、様々な情況においてそれらの使用が促進されうることは、当業者は理解している。従って、異種構造のポリペプチドについての修飾に加え（例えば、上記で論議される免疫グロブリン融合ポリペプチドを参照）、本発明はさらに、１つまたは複数の化学基に共有結合的に付着される（以下「抱合される（ｃｏｎｊｕｇａｔｅｄ）」）２０Ｐ１Ｆ１２／ＴＭＰＲＳＳ２変異体を提供する。そのような変異体は、特に、インビボでの使用に有用である。本発明の２０Ｐ１Ｆ１２／ＴＭＰＲＳＳ２変異抱合体において使用に適する化学基は、好ましくは、有意に毒性または免疫原性ではない、すなわち、２０Ｐ１Ｆ１２／ＴＭＰＲＳＳ２変異抱合体について観察されるどの毒性または免疫原性も、対応する非修飾型２０Ｐ１Ｆ１２／ＴＭＰＲＳＳ２変異体について観察されるどの毒性または免疫原性より、有意に強くない（すなわち、５０ ％未満）。典型的には、非修飾型２０Ｐ１Ｆ１２／ＴＭＰＲＳＳ２変異体に関連する毒性および／または免疫原性を低下させる化学基が選択される。さらに、化学基は、非修飾型２０Ｐ１Ｆ１２／ＴＭＰＲＳＳ２変異体の保存および使用に適した条件下で保存されかつ使用されうる２０Ｐ１Ｆ１２／ＴＭＰＲＳＳ２変異抱合体を作製するために都合よく選択される。模範的な化学基は、例えば、糖タンパク質に属して天然に存在するそれらの炭水化物のような炭水化物、およびポリオールのような非タンパク質のポリマーを含む。
【０１７９】
例えば、ポリオールは、国際公開公報第９３／００１０９号に開示されるように、２０Ｐ１Ｆ１２／ＴＭＰＲＳＳ２変異体分子にリシン残基を含む１つまたは複数のアミノ酸残基で抱合されうる。使用されるポリオールは、任意の水溶性ポリ（アルキレンオキシド）ポリマーでありえ、かつ直鎖状または側鎖をもつことができる。適するポリオールは、１個と４個の間の炭素を有するアルキル基のような化学基で１つまたは複数のヒドロキシルの位置で置換されたポリオールを含む。典型的には、ポリオールは、ポリ（エチレングリコール）（ＰＥＧ）のようなポリ（アルキレングリコール）であり、そしてこのように、記述の簡便さのために、論議の残りは模範的態様に関連し、使用されるポリオールはＰＥＧであり、およびポリオールを２０Ｐ１Ｆ１２／ＴＭＰＲＳＳ２変異体に抱合することの段階は「ペジル化（ｐｅｇｙｌａｔｉｏｎ）」と呼ぶ。しかしながら、例えば、ポリ（プロピレングリコール）およびポリエチレン−ポリプロピレングリコールコポリマーのような他のポリオールが、ＰＥＧについて本明細書に記載される抱合のための技術を用いて使用されうることを当業者は認識している。本発明の２０Ｐ１Ｆ１２／ＴＭＰＲＳＳ２変異体のペジル化の程度は、対応する非ペジル化タンパク質と比較して、インビボでの半減期（以下、「半減期」）が望ましく増加されるように調整されうる。
【０１８０】
タンパク質をペジル化するための様々な方法が記載されてきた。例えば、生理的活性のある非免疫原性組成物を作製するために、いくつかのホルモンおよび酵素のＰＥＧおよびポリプロピレングリコールへの抱合を開示する、米国特許第４，１７９，３３７号（Ｄａｖｉｓらへ発行）を参照のこと。一般的に、少なくとも１つの末端ヒドロキシ基を有するＰＥＧは、カップリング剤と反応させて、末端反応基を有する活性化ＰＥＧを形成する。この反応基は、その後、タンパク質のαアミンおよびεアミンと反応して共有結合を形成することができる。都合のよいことには、ＰＥＧ分子の他方の末端をメトキシ基のような非反応性化学基で「ブロック」して、タンパク質分子のＰＥＧ架橋された複合体の形成を低下させることができる。
【０１８１】
本発明の診断方法の詳細な説明
上記のように、個体における２０Ｐ１Ｆ１２／ＴＭＰＲＳＳ２の状態を評価するアッセイ法（例えば、２０Ｐ１Ｆ１２／ＴＭＰＲＳＳ２遺伝子、及びｍＲＮＡ、タンパク質等の遺伝子産物の状態）は、その個体からの細胞の増殖あるいは発癌能に関する情報を得る為に利用できる。具体的には、前立腺及び大腸癌細胞系において２０Ｐ１Ｆ１２／ＴＭＰＲＳＳ２ｍＲＮＡがこれほど高発現しているという知見により、この遺伝子、及びその産物は、２０Ｐ１Ｆ１２／ＴＭＰＲＳＳ２の状態の変化に関連する疾患に侵されている可能性のある個体から得られた生体試料を評価する為に当業者が利用できる標的として認められる。
【０１８２】
２０Ｐ１Ｆ１２／ＴＭＰＲＳＳ２は様々な前立腺癌異種移植組織及び細胞系において発現しており、一部の大腸癌細胞系においても発現している為、２０Ｐ１Ｆ１２／ＴＭＰＲＳＳ２の発現状態は、形成異常細胞、前癌性細胞及び癌細胞の存在、状態、及び位置を含む情報の特定、並びに疾患の様々な時期に対する感受性の予測、及び／または腫瘍の活動度を見積るために有用な情報を提供できる。更に、２０Ｐ１Ｆ１２／ＴＭＰＲＳＳ２の発現プロフィール、及び細胞表面における位置から、これは転移した疾患の造影剤となる可能性がある。その結果、癌等のように無制御細胞増殖により特徴付けられる病態に苦しんでいる、または、そのように予測される個体等から得られる生体試料における２０Ｐ１Ｆ１２／ＴＭＰＲＳＳ２の状態を検査する為の様々な分子予診及び診断法に本発明の重要な局面が向けられている。
【０１８３】
癌の発生は、多段階工程であることが公知であり、細胞増殖は次第に無制御になり、細胞は正常な生理状態から前癌性状態、その後、癌性状態へと進行する（Ａｌｅｒｓら、Ｌａｂ Ｉｎｖｅｓｔ． ７７（５）： ４３７−４３８ （１９９７）； Ｉｓａａｃｓら、Ｃａｎｃｅｒ Ｓｕｒｖ． ２３： １９−３２ （１９９５）参照）。これに関連して、無制御細胞増殖（例えば、前立腺癌、膀胱癌、卵巣癌、肺癌、腎臓癌、または大腸癌、あるいは転移癌における異常な２０Ｐ１Ｆ１２／ＴＭＰＲＳＳ２発現）の証拠を得るための生体試料の検査は、癌などの病態が、治療の選択肢が限られてしまう状態にまで進行する以前の段階における異常な細胞生理の早期発見を可能にし得る。この様な検査では、目的の生体試料における２０Ｐ１Ｆ１２／ＴＭＰＲＳＳ２の状態（例えば、無制御細胞増殖を示すと思われるもの）を、例えば、それに相当する正常な試料（例えば、その個体（もしくは、他の個体）からの試料で、病態によりもたらされたものではない試料であり、例えば、無制御の細胞増殖の可能性の無いもの）における２０Ｐ１Ｆ１２／ＴＭＰＲＳＳ２の状態と比較することが可能であり、目的の生体試料における２０Ｐ１Ｆ１２／ＴＭＰＲＳＳ２の状態の（正常な試料と比較した場合の）変化が無制御細胞増殖の証拠となる。正常対被験試料において２０Ｐ１Ｆ１２／ＴＭＰＲＳＳ２を比較する場合、正常な試料として病態によりもたらされたものではない生体試料を使用するのに加え、あらかじめ定めた正常なｍＲＮＡ発現レベル等のあらかじめ定めた規範値（例えば、Ｇｒｅｖｅｒら、Ｊ． Ｃｏｍｐ． Ｎｅｕｒｏｌ． １９９６ Ｄｅｃ ９； ３７６（２）：３０６−１４、及び米国特許第５，８３７，５０１号参照）も使用できる。
【０１８４】
ここで「状態」とは、技術上認められた意味に従って使用され、遺伝子及びその産物の状態または様子を意味する。ここに具体的に説明されているとおり、２０Ｐ１Ｆ１２／ＴＭＰＲＳＳ２の状態は、当業者に知られた多数のパラメーターにより評価することができる。例えば、図３に示し、実施例１に記載のとおり、生体試料における２０Ｐ１Ｆ１２／ＴＭＰＲＳＳ２の状態は、２０Ｐ１Ｆ１２／ＴＭＰＲＳＳ２ポリヌクレオチドの配列、及び／また、その生体試料におけるポリペプチドを調べることにより評価できる。または、図５〜７に示し、実施例３及び４に記載のとおり、生体試料における２０Ｐ１Ｆ１２／ＴＭＰＲＳＳ２の状態は、その生体試料に含まれる２０Ｐ１Ｆ１２／ＴＭＰＲＳＳ２遺伝子産物（例えば、ｍＲＮＡ、及び／またはタンパク質）の量を調べることにより評価できる。または、図１７及び表１に示すとおり、生体試料における２０Ｐ１Ｆ１２／ＴＭＰＲＳＳ２の状態は、正常な生体試料における２０Ｐ１Ｆ１２／ＴＭＰＲＳＳ２の位置を観察し、それを無制御細胞増殖の証拠を有する可能性のある生体試料における２０Ｐ１Ｆ１２／ＴＭＰＲＳＳ２の位置と比較することにより評価できる。または、図１８に示し、実施例１０に記載のとおり、生体試料における２０Ｐ１Ｆ１２／ＴＭＰＲＳＳ２の状態は、翻訳後自己触媒分解の結果得られる３２ｋＤプロテアーゼ断片等の特定の２０Ｐ１Ｆ１２／ＴＭＰＲＳＳ２種の有無を観察することにより評価できる。または、図２０〜２３に示し、実施例１１に記載のとおり、生体試料における２０Ｐ１Ｆ１２／ＴＭＰＲＳＳ２の状態は、生体試料内の特定の２０Ｐ１Ｆ１２／ＴＭＰＲＳＳ２免疫反応性複合体の有無を調べることにより評価できる。
【０１８５】
一般的に、遺伝子及びその産物の状態または様子を評価する為に当業者は、多くのパラメーターを使用する。それらは、遺伝子とその制御配列を含む完全性及び／またはメチル化パターン、発現した遺伝子産物の位置（２０Ｐ１Ｆ１２／ＴＭＰＲＳＳ２発現細胞の位置を含む）、発現された遺伝子産物の存在、量、及び生物活性（２０Ｐ１Ｆ１２／ＴＭＰＲＳＳ２ｍＲＮＡポリヌクレオチド、及びポリペプチド等）、発現された遺伝子産物への転写及び翻訳修飾の有無、並びに、発現された遺伝子産物とタンパク質結合相手等の他の生体分子との会合（例えば、図２１に示したようなタンパク質−タンパク質複合体）を含むが、これらに限定されない。
【０１８６】
２０Ｐ１Ｆ１２／ＴＭＰＲＳＳ２の状態の改変は、一般的に以下に記載したような、当技術分野において公知の多様な方法論により評価できる。一般的に、２０Ｐ１Ｆ１２／ＴＭＰＲＳＳ２の状態の変化は、２０Ｐ１Ｆ１２／ＴＭＰＲＳＳ２及び／または２０Ｐ１Ｆ１２／ＴＭＰＲＳＳ２発現細胞の位置の変化、２０Ｐ１Ｆ１２／ＴＭＰＲＳＳ２ｍＲＮＡ及び／またはタンパク質発現の上昇、及び／または２０Ｐ１Ｆ１２／ＴＭＰＲＳＳ２の結合相手との会合または解離からなる。ここに表すデータは、腺構造の崩壊により２０Ｐ１Ｆ１２／ＴＭＰＲＳＳ２タンパク質が血清に分泌される証拠を示すものであり（例えば、図１７及び表１参照）、具体的に、代表的な２０Ｐ１Ｆ１２／ＴＭＰＲＳＳ２の状態の変化は、血清における分泌された２０Ｐ１Ｆ１２／ＴＭＰＲＳＳ２タンパク質の量の変化を含む。
【０１８７】
ここに具体的に記載するように、無制御細胞増殖に関連する状態あるいは現象を特定するためには、生体試料における２０Ｐ１Ｆ１２／ＴＭＰＲＳＳ２の状態は、サザン分析（例えば、２０Ｐ１Ｆ１２／ＴＭＰＲＳＳ２遺伝子における摂動（ｐｅｒｔｕｒｂａｔｉｏｎ）を調べるため）、２０Ｐ１Ｆ１２／ＴＭＰＲＳＳ２ｍＲＮＡのノーザン及び／またはＰＣＲ分析（例えば、２０Ｐ１Ｆ１２／ＴＭＰＲＳＳ２ｍＲＮＡのポリヌクレオチド配列あるいは発現量の変化を調べるため）、ウエスタン及び／または免疫組織化学分析（例えば、ポリペプチド配列における改変、試料内におけるポリペプチドの位置の改変、２０Ｐ１Ｆ１２／ＴＭＰＲＳＳ２タンパク質の発現レベルの変化、及び／または、２０Ｐ１Ｆ１２／ＴＭＰＲＳＳ２タンパク質とポリペプチド結合相手の会合を調べるため）を含む当業者により利用されている多数の方法により評価し得るが、これらに限定されない。検出可能な２０Ｐ１Ｆ１２／ＴＭＰＲＳＳ２ポリヌクレオチドは、例えば、２０Ｐ１Ｆ１２／ＴＭＰＲＳＳ２遺伝子またはその断片、２０Ｐ１Ｆ１２／ＴＭＰＲＳＳ２ｍＲＮＡ、別のスプライス変異型２０Ｐ１Ｆ１２／ＴＭＰＲＳＳ２ｍＲＮＡ、及び２０Ｐ１Ｆ１２／ＴＭＰＲＳＳ２ポリヌクレオチドを有する組換ＤＮＡまたはＲＮＡ等を含む。
【０１８８】
実施例６、８、９、及び１１に記載し、例えば、図２０、２２、２３、２４、及び２６に示すように、多数の異なる２０Ｐ１Ｆ１２／ＴＭＰＲＳＳ２種が様々な生体試料において観察されている。この状況において、検出可能な２０Ｐ１Ｆ１２／ＴＭＰＲＳＳ２ポリペプチドの有無及び／または量を調べることにより、試料の状態に関する情報を得ることが可能である。検出可能な２０Ｐ１Ｆ１２／ＴＭＰＲＳＳ２ポリペプチドは、例えば、３２ｋＤのプロテアーゼ領域ポリペプチド、７０ｋＤの全長２０Ｐ１Ｆ１２／ＴＭＰＲＳＳ２タンパク質、並びに、２０Ｐ１Ｆ１２／ＴＭＰＲＳＳ２ポリペプチドと第二番目の生体分子（例えば、ＰＳＡにおいて見られる）の複合体を表す可能性のある９０ｋＤ及び１０３ｋＤ種を含む。さらに、当業者は、同様のポリペプチド及び／またはタンパク質複合体やその比率が、例えば、前立腺癌、膀胱癌、卵巣癌、肺癌、または大腸癌の患者の診断に応用可能であることを、認識している（例えば、以下に記す５，６７２，４８０、５，９３９，５３３、５，８４０，５０１参照）。これは、２０Ｐ１Ｆ１２／ＴＭＰＲＳＳ２の状況において特に実質的な価値があり、例えば、図２３に示すとおり、事故被害者である２８歳の正常な男性の前立腺全組織可溶化物（パネルＣ）における７０ｋＤ対３２ｋＤ種の２０Ｐ１Ｆ１２／ＴＭＰＲＳＳ２の比率は、癌患者の前立腺より得た全組織可溶化物（パネルＢ）において見られる比率と異なっている。
【０１８９】
診断方法と関連して多くの２０Ｐ１Ｆ１２／ＴＭＰＲＳＳ２種、及びその比率を調べる様々な知見が熟慮されている。例えば、３２ｋＤ種対７０ｋＤ種、９０ｋＤ種、及び／または１０３ｋＤ種の比率、７０ｋＤ種対３２ｋＤ種、９０ｋＤ種、及び／または１０３ｋＤ種の比率、９０ｋＤ種対３２ｋＤ種、７０ｋＤ種、及び／または１０３ｋＤ種の比率、１０３ｋＤ種対３２ｋＤ種、７０ｋＤ種、及び／または９０ｋＤ種の比率等を調べることができる。また、２０Ｐ１Ｆ１２／ＴＭＰＲＳＳ２種の部分集合の比率、並びに、他の特定の２０Ｐ１Ｆ１２／ＴＭＰＲＳＳ２種の有無を調べることが可能である。例えば、３２ｋＤ種対７０ｋＤ種の比率と９０ｋＤ種及び／または１０３ｋＤ種の有無、７０ｋＤ種対９０ｋＤ種の比率と３２ｋＤ種及び／または１０３ｋＤ種の有無、１０３ｋＤ種対３２ｋＤ種の比率と７０ｋＤ種及び／または９０ｋＤ種の有無等を調べることができる。また、２０Ｐ１Ｆ１２／ＴＭＰＲＳＳ２種のある一つの部分集合の比率、並びに、２０Ｐ１Ｆ１２／ＴＭＰＲＳＳ２種の別の部分集合の比率を調べることが可能である。例えば、３２ｋＤ種対７０ｋＤ種の比率と３２ｋＤ種対９０ｋＤ種の比率、７０ｋＤ種対１０３ｋＤ種の比率と９０ｋＤ種対３２ｋＤ種の比率、７０ｋＤ種対９０ｋＤ種の比率と１０３ｋＤ種対３２ｋＤ種の比率等を調べることができる。
【０１９０】
診断方法に関連して様々な２０Ｐ１Ｆ１２／ＴＭＰＲＳＳ２種及びその比率を検査する場合、検査されている特定の生体組織における正常な状態（例えば、図１７に示す組織、図２０に示す精液、及び図２３に示す血清、を参照）等のその他の要素も合わせて考慮することが可能である。例えば、２０Ｐ１Ｆ１２／ＴＭＰＲＳＳ２タンパク質と複合できる様々な結合相手は異なる量で種々の組織系に存在し得る。その結果、２０Ｐ１Ｆ１２／ＴＭＰＲＳＳ２タンパク質と複合できる結合相手の相対量のアッセイを行うことが可能である。ある２０Ｐ１Ｆ１２／ＴＭＰＲＳＳ２種が主に前立腺由来ではなく、大腸由来の試料に見られるという証拠を提供することにより、図２６のレーン５〜７は、異なる試料におけるこの様な結合相手の見掛け上異なる量を表す（例えば、約４５〜５０ｋＤのバンド参照）。更に、この４５〜５０ｋＤのバンドは、主に正常な大腸サンプルに発現していると見られるため（例えば、レーン１及び２参照）、試料の状態に関する診断情報を提供するために一つ以上の２０Ｐ１Ｆ１２／ＴＭＰＲＳＳ２種及び／または２０Ｐ１Ｆ１２／ＴＭＰＲＳＳ２結合相手の有無または相対量を利用する方法論は更に支持される。
【０１９１】
診断方法に関連して様々な２０Ｐ１Ｆ１２／ＴＭＰＲＳＳ２種、及びその比率を検査する場合、２０Ｐ１Ｆ１２／ＴＭＰＲＳＳ２種の細胞内（例えば、図１７に示す細胞関連２０Ｐ１Ｆ１２／ＴＭＰＲＳＳ２種参照）あるいは細胞外（例えば、図２２及び２３に示す分泌２０Ｐ１Ｆ１２／ＴＭＰＲＳＳ２種参照）における局在等の要素を考慮することも可能である。これらの知見は、当技術分野において公知であり、分泌種内の領域（例えば、プロテアーゼ領域）に特異的な指向性を持つ抗体、あるいは、細胞表面に関連する領域に特異的な指向性を持つ抗体を利用することにより行うことが可能である。
【０１９２】
以下に詳しく説明するとおり、２０Ｐ１Ｆ１２／ＴＭＰＲＳＳ２の分析は、ここに示す目的に用いられる多様な手法の内のいずれかにより行うことができ、（ｉ）免疫組織化学分析、（ｉｉ）インサイチュハイブリダイゼーション、（ｉｉｉ）ＲＴ−ＰＣＲ分析、（ｉｖ）臨床試料及び細胞系のウエスタンブロット分析、（ｖ）組織アレイ分析、及び（ｖｉ）ｉｎ ｖｉｖｏ画像法を含む。遺伝子及びその産物の状態の評価の典型的なプロトコールの具体例は、例えば、「分子生物学の最新プロトコール（Ｃｕｒｒｅｎｔ Ｐｒｏｔｏｃｏｌｓ Ｉｎ Ｍｏｌｅｃｕｌａｒ Ｂｉｏｌｏｇｙ）」、第２章 ［ノーザンブロット法］、第４章［サザンブロット法］、第１５章［イムノブロット法］、第１８章［ＰＣＲ分析］、Ｆｒｅｄｅｒｉｃｋ Ｍ． Ａｕｓｕｂｅｌら編、１９９５に記載されている。２０Ｐ１Ｆ１２／ＴＭＰＲＳＳ２タンパク質の検出に有用な様々な特異的免疫アッセイ法は、種々の放射線免疫検定法、酵素結合イムノソルベント検定法（ＥＬＩＳＡ）、酵素結合免疫蛍光検定法（ＥＬＩＦＡ）、免疫細胞化学法等を含むが、これらに限定されない。例えば、２０Ｐ１Ｆ１２／ＴＭＰＲＳＳ２抗体は、標識されていてもよく、前立腺癌、膀胱癌、卵巣癌、肺癌、腎臓癌、または大腸癌細胞、あるいは、転移癌細胞を（例えば、放射線シンチグラフィー画像法において）検出できる免疫造影剤として使用してもよい。生体内放射線シンチグラフィー画像法においては、分泌された２０Ｐ１Ｆ１２／ＴＭＰＲＳＳ２エピトープと特異的反応性を有する放射線標識された２０Ｐ１Ｆ１２／ＴＭＰＲＳＳ２抗体が好ましい。
【０１９３】
前立腺癌、膀胱癌、卵巣癌、肺癌、腎臓癌、または大腸癌、あるいは、転移癌において起きる細胞増殖の無制御に関連する疾患を特定するアッセイ法は、病態を評価するために使用する多様な生体試料、例えば、尿、便、精液、並びに癌が転移した際に発生し得る組織から得た細胞標本等のいずれかにおいて２０Ｐ１Ｆ１２／ＴＭＰＲＳＳ２ポリペプチドまたはポリヌクレオチドの量を検出する工程を含んでもよい。典型的な試料は、２０Ｐ１Ｆ１２／ＴＭＰＲＳＳ２タンパク質、または前立腺癌、膀胱癌、卵巣癌、肺癌、腎臓癌、または大腸癌、あるいは転移癌を含むがこれらに限定されない癌細胞の有無を好都合に検定することが可能な末梢血及び／または血清を含む。これに関連して、組織（例えば、図１７参照）、血清（例えば、図２３参照）、及び精漿（例えば、図２４参照）を含む種々の生体試料における様々な２０Ｐ１Ｆ１２／ＴＭＰＲＳＳ２種がここに記載されている。
【０１９４】
２０Ｐ１Ｆ１２／ＴＭＰＲＳＳ２の検出に、例えば、免疫学的、ノーザンまたはＲＴ−ＰＣＲ分析を利用することにより、２０Ｐ１Ｆ１２／ＴＭＰＲＳＳ２タンパク質、及び／または、前立腺癌、膀胱癌、卵巣癌、肺癌、腎臓癌、または大腸癌の細胞、あるいは、転移癌細胞の有無について、末梢血及び血清を好都合に検定することができる。末梢血液内の腫瘍細胞に対するＲＴ−ＰＣＲ検出アッセイ法は、多数のヒト固形腫瘍の診断及び管理への利用が現在検討中である。前立腺癌の分野では、これらは、ＰＳＡ及びＰＳＭを発現する細胞を検出するためのＲＴ−ＰＣＲアッセイ法を含む（Ｖｅｒｋａｉｋら、１９９７， Ｕｒｏｌ． Ｒｅｓ． ２５：３７３−３８４； Ｇｈｏｓｓｅｉｎら、１９９５， Ｊ． Ｃｌｉｎ． Ｏｎｃｏｌ． １３： １１９５−２０００； Ｈｅｓｔｏｎら、１９９５， Ｃｌｉｎ． Ｃｈｅｍ． ４１： １６８７−１６８８）。また、別の方法において、最近報告された、血液内の癌細胞を検出及び特定する敏感なアッセイ法を利用してもよい（Ｒａｃｉｌａら、１９９８， Ｐｒｏｃ． Ｎａｔｌ． Ａｃａｄ． Ｓｃｉ． ＵＳＡ ９５：４５８９−４５９４）。このアッセイ法は、免疫磁気濃縮を多パラメーターの流動細胞計測、及び免疫組織化学的分析と組合せたものであり、血液中の癌細胞を高感度で検出でき、１ｍｌの末梢血から１個の上皮細胞を検出することが可能であると報告されている。
【０１９５】
２０Ｐ１Ｆ１２／ＴＭＰＲＳＳ２は、アンドロゲン制御、類似する機能性領域、血清における存在、一つ以上のタンパク質と複合体を形成する能力、及び癌に関連した発現量の上昇等を含む前立腺特異的抗原と似た多くの性質を共有する。その結果、ＰＳＡを評価するための当技術分野において公知の様々なアッセイ法は、２０Ｐ１Ｆ１２／ＴＭＰＲＳＳ２の評価にも利用できる典型的な方法を表す。２０Ｐ１Ｆ１２／ＴＭＰＲＳＳ２と共に使用可能と考えられるＰＳＡを調べる工程を含む多数の代表的なアッセイ法を以下に記す。このようなアッセイ法は、２０Ｐ１Ｆ１２／ＴＭＰＲＳＳ２の状態を評価するアッセイ法と組合せて使用してもよい。
【０１９６】
ここに参考文献として含まれる米国特許第５，８４０，５０１号は、血液試料中の免疫学的に測定可能なＰＳＡを検査する典型的な方法を提供する。ここに示す公知のアッセイ法を変化させたものでは、血液試料を処理することにより遊離ＰＳＡ（ｆＰＳＡ）が免疫学的に測定できないよう変化させ、ＰＳＡを二部位免疫測定法により検査する。この状況における血中ｃＰＳＡ値の測定により、前立腺癌の診断及び監視を補助する非常に敏感かつ特異的な方法を提供することが見出され、多くの患者において不要な前立腺生検を受ける必要性が無くなった。米国特許第５，８４０，５０１号に記載の特に好ましい免疫測定法は、三つの抗ＰＳＡ抗体を利用する。第一番目の抗体は、ｃＰＳＡ及びｆＰＳＡの両方に結合し（抗ｔＰＳＡ）、第二の抗体は、ｆＰＳＡ特異的抗体と結合することによりｆＰＳＡへの結合が阻害されるという固有の性質に特徴付けられる抗ｔＰＳＡ抗体、また、第三の抗体は、ｆＰＳＡ特異的抗体である。そのため、試料においてｆＰＳＡ特異的抗体がＰＳＡに結合することにより、ｃＰＳＡのみが免疫測定法において測定されることを可能とする。米国特許第５，８４０，５０１号に記載の方法に従い、当業者は、例えば三つの抗２０Ｐ１Ｆ１２／ＴＭＰＲＳＳ２抗体を使用した類似の方法を利用することができる。第一の抗体は、ｃ２０Ｐ１Ｆ１２／ＴＭＰＲＳＳ２とｆ２０Ｐ１Ｆ１２／ＴＭＰＲＳＳ２の両方に結合し（抗ｔ２０Ｐ１Ｆ１２／ＴＭＰＲＳＳ２）、第二の抗体は、ｆ２０Ｐ１Ｆ１２／ＴＭＰＲＳＳ２特異的抗体と結合することによりｆ２０Ｐ１Ｆ１２／ＴＭＰＲＳＳ２への結合が阻害されるという固有の性質に特徴付けられる抗ｔ２０Ｐ１Ｆ１２／ＴＭＰＲＳＳ２抗体、そして、第三の抗体は、ｆ２０Ｐ１Ｆ１２／ＴＭＰＲＳＳ２特異的抗体である。そのため、試料においてｆ２０Ｐ１Ｆ１２／ＴＭＰＲＳＳ２特異的抗体が２０Ｐ１Ｆ１２／ＴＭＰＲＳＳ２に結合することにより、ｃ２０Ｐ１Ｆ１２／ＴＭＰＲＳＳ２のみが免疫測定法において測定されることを可能とする。
【０１９７】
ここに参考文献として含まれる米国特許第５，９３９，５３３号は、さらに遊離ＰＳＡ、並びに、プロテイナーゼ阻害剤複合体を測定するための典型的な免疫検定法を提供する。米国特許第５，９３９，５３３号に記載の方法において、遊離ＰＳＡ及びＰＳＡ複合体は、少なくとも二つの異なるモノクローナル抗体を利用した非競合免疫検定法により測定される。本発明は、さらに目的のＰＳＡプロテイナーゼ阻害剤複合体がα１抗キモトリプシン、α１プロテアーゼ阻害剤（ＡＰＩ）、またはα１マクログロブリンと形成されることにより、特徴付けられる。その上、第５，９３９，５３３号に記載の発明は、遊離ＰＳＡ、ＰＳＡ−プロテイナーゼ阻害剤複合体、及びその比率が前立腺癌患者の診断に応用できることを見出したという特徴を有する。米国特許第５，９３９，５３３号に記載の方法に従い、当業者は、例えば、図２３、２４、及び２６に示した２０Ｐ１Ｆ１２／ＴＭＰＲＳＳ２タンパク質種を観察するために類似の方法を利用できる。これに関連して、遊離２０Ｐ１Ｆ１２／ＴＭＰＲＳＳ２、及び／または、２０Ｐ１Ｆ１２／ＴＭＰＲＳＳ２−タンパク質複合体、及びその比率の観測は、例えば、前立腺癌、膀胱癌、卵巣癌、肺癌、腎臓癌または大腸癌、あるいは、転移癌の患者の診断に応用できると考えられる。
【０１９８】
ここに参考文献として含まれる米国特許第５，６７２，４８０号は、更に前立腺特異的抗原（ＰＳＡ）のための典型的な免疫検定法を提供する。また、ＰＳＡの免疫検定法に検定標準あるいは対照として利用できるＰＳＡ及びα１抗キモトリプシン（ＡＣＴ）の複合体に似た複合体が５，６７２，４８０に記載の方法に記されている。更に、５，６７２，４８０には、ポリクローナル抗体をＰＳＡ、ＰＳＡがＡＣＴに結合することにより遮蔽されたエピトープを結合するもの、及びエピトープに結合しないものを分画する方法が記載されている。５，６７２，４８０に記載の方法に従い、当業者は、２０Ｐ１Ｆ１２／ＴＭＰＲＳＳ２の免疫検定において検定標準あるいは対照として利用できる２０Ｐ１Ｆ１２／ＴＭＰＲＳＳ２とその結合相手の複合体に似た複合体を発生させる類似の方法を利用することができる。また、当業者は、５，６７２，４８０に記載のポリクローナル抗体を２０Ｐ１Ｆ１２／ＴＭＰＲＳＳ２、２０Ｐ１Ｆ１２／ＴＭＰＲＳＳ２がその結合相手との結合により遮蔽されたエピトープに結合するものと結合しないものに分画する方法を利用することができる。
【０１９９】
ここに参考文献として含まれる米国特許第５，６１４，３７２号は、全ＰＳＡ濃度（ＰＳＡ−Ｔ）、遊離状態のＰＳＡの濃度（ＰＳＡ−Ｆ）、またはα１抗キモトリプシンに複合したＰＳＡの濃度（ＰＳＡ−ＡＣＴ）のいずれかの測定からなる前立腺特異的抗原（ＰＳＡ）の典型的なバイオアフィニティーアッセイ法を記し、ＰＳＡ−ＴはＰＳＡ−Ｆ及びＰＳＡ−ＡＣＴの和である。米国特許第５，６１４，３７２号の開示によると、別の分子であるヒト腺カリクレイン（ｈＧＫ−１）の濃度も合わせて測定する。ＰＳＡ−Ｔ及びｈＧＫ−１の濃度は、単独のアッセイ法、または別々のアッセイ法により測定することができ、ａ）ＰＳＡ−Ｆ／（ＰＳＡ−Ｔ＋ｈＧＫ−１）及び／またはｂ）ＰＳＡ−ＡＣＴ／（ＰＳＡ−Ｔ＋ｈＧＫ−１）の比率を求めるためにＰＳＡ−Ｔ及びｈＧＫ−１の濃度の和を使用する。米国特許第５，６１４，３７２号の公開において、この両方の比率が前立腺癌と良性前立腺肥大症を区別するために臨床上有用であることが示されている。第５，６１４，３７２号に記載の方法に従い、当業者は、類似の方法を利用し、２０Ｐ１Ｆ１２／ＴＭＰＲＳＳ２を分析することができ、この方法は、全２０Ｐ１Ｆ１２／ＴＭＰＲＳＳ２の濃度（２０Ｐ１Ｆ１２／ＴＭＰＲＳＳ２−Ｔ）、遊離２０Ｐ１Ｆ１２／ＴＭＰＲＳＳ２の濃度（２０Ｐ１Ｆ１２／ＴＭＰＲＳＳ２−Ｆ）、または結合相手と複合した２０Ｐ１Ｆ１２／ＴＭＰＲＳＳ２の濃度（２０Ｐ１Ｆ１２／ＴＭＰＲＳＳ２−ＢＰ）の測定からなり、２０Ｐ１Ｆ１２／ＴＭＰＲＳＳ２−Ｔは２０Ｐ１Ｆ１２／ＴＭＰＲＳＳ２−Ｆと２０Ｐ１Ｆ１２／ＴＭＰＲＳＳ２−ＢＰの和である。更に、ヒト腺カリクレイン（ｈＧＫ−１）の濃度を測定し、それを利用することにより、ａ）２０Ｐ１Ｆ１２／ＴＭＰＲＳＳ２−Ｆ／（２０Ｐ１Ｆ１２／ＴＭＰＲＳＳ２−Ｔ＋ｈＧＫ−１）及び／またはｂ）２０Ｐ１Ｆ１２／ＴＭＰＲＳＳ２−ＡＣＴ／（２０Ｐ１Ｆ１２／ＴＭＰＲＳＳ２−Ｔ＋ｈＧＫ−１）の比率を求めることができる。米国特許第５，６１４，３７２号に開示されているとおり、これらの比率は、臨床上の利用に役立てることができる。
【０２００】
ここに参考文献として含まれる米国特許第５，９３９，２５８号は、前立腺微小転移を診断する典型的な方法を提供し、その方法においては、患者からの組織試料より核酸を単離、組織試料より得た前立腺癌に特異的な核酸を増幅、あるいは、前立腺癌特異的核酸に特異的なプローブがハイブリッドを形成することにより発生したシグナルを増幅し、増幅した核酸の検出が前立腺癌の微小転移を指示する。以下に具体的に説明するように２０Ｐ１Ｆ１２／ＴＭＰＲＳＳ２核酸に特異的なプローブは同様に増幅でき、増幅された核酸の検出は、前立腺または大腸癌の微小転移の証拠を提供する。
【０２０１】
ここに参考文献として含まれる米国特許第５，９７２，６１５号は、ヒト前立腺疾患を検出する別の典型的な診断技術を提供する。特に、本発明は、正常なヒト前立腺、良性前立腺肥大症、及び非転移性前立腺癌と比較して転移性前立腺癌において異なった発現を示すＲＮＡ種が存在するかを評価するプローブ、及び方法に関連する。また、本発明は、健常者と比較して疾患に侵された患者の末梢血において異なった発現を示すＲＮＡ種が存在するかを評価するプローブ、及び方法にも関連する。転移性前立腺癌において異なった発現を示す遺伝子の治療的使用方法、及び前立腺癌の治療に有効な医薬品のスクリーニング方法が記載されている。同様に、米国特許第５，９７２，６１５号は、被験者における前立腺癌の進行を測定する場合において、別のスプライシングを受けた前立腺特異的膜（ＰＳＭ）抗原をコードする単離された哺乳類の核酸分子、前立腺特異的膜抗原プロモーター配列をコードする単離された核酸分子、及び被験者の血行性微小転移腫瘍細胞を検出する方法を提供する。以下に詳しく説明するように、被験者における前立腺癌、膀胱癌、卵巣癌、肺癌、及び／または、大腸癌、及び／または、転移癌を含む他の癌の進行を測定する場合において、２０Ｐ１Ｆ１２／ＴＭＰＲＳＳ２に特異的な分子は、被験者の血行性微小転移腫瘍細胞を検出するために利用することが可能である。
【０２０２】
下記の様々な典型的な態様に説明するとおり、予診的、及び／または、診断的情報を提供するために、個体における２０Ｐ１Ｆ１２／ＴＭＰＲＳＳ２の状態を明らかにする多様な方法を利用することができる。このような、２０Ｐ１Ｆ１２／ＴＭＰＲＳＳ２の状態を明らかにする方法は、特定の疾患に対する感受性、疾患の段階及び進行、及び／または、腫瘍の活動度の予測に有用な情報を提供し得る。これに関連して、本発明の様々な詳細な説明として２０Ｐ１Ｆ１２／ＴＭＰＲＳＳ２の状態を解明し、細胞増殖の無制御に関係する症候群を評価する典型的な方法及びアッセイ法を以下に記す。
【０２０３】
本発明の特に好ましい態様は、目的の生体試料における無制御細胞増殖の証拠を検定、あるいは、検査する方法から構成され、生体試料における２０Ｐ１Ｆ１２／ＴＭＰＲＳＳ２の状態をそれに相当する正常な試料における２０Ｐ１Ｆ１２／ＴＭＰＲＳＳ２の状態と比較する工程からなり、生体試料における２０Ｐ１Ｆ１２／ＴＭＰＲＳＳ２の状態の変化が無制御細胞増殖に関連する。細胞増殖の無制御（即ち、過形成細胞、前癌性細胞、及び癌細胞等において起こる正常な細胞増殖の崩壊）は、複雑で多段階な工程を含む癌発生及び腫瘍の進行の重要な要素であるため、無制御細胞増殖を示唆する状態、または、現象を特定する方法（即ち、２０Ｐ１Ｆ１２／ＴＭＰＲＳＳ２の正常な生態の変化）は、医療従事者にとって特に興味深いものである。これは、癌等の病態の早期発見が病状及び死亡率に多大な影響を及ぼすためである。
【０２０４】
例えば、図５及び図７に示すように、２０Ｐ１Ｆ１２／ＴＭＰＲＳＳ２は前立腺癌、大腸癌、膀胱癌、肺癌、及び卵巣癌の組織または細胞系、並びに、転移癌組織のプールにおいて過剰発現していることが見出されているが、腎臓癌組織においては、低発現している（ほとんどの腫瘍組織サンプルにおいてＴＭＰＲＳＳ２は低発現しているが、一つのサンプルにおいて過剰発現していることを示す図３３も参照）。更に、以下に詳しく説明するとおり、２０Ｐ１Ｆ１２／ＴＭＰＲＳＳ２は、確固たる証拠となる多数の特徴を示すことからそれが発癌の過程に関与すると考えられる。即ち、被験試料とそれに相当する正常な試料、例えば、影響の無い近い位置（例えば、正常な大腸または前立腺組織）または影響されていない個体から得た試料、とを比較した場合の被験試料における２０Ｐ１Ｆ１２／ＴＭＰＲＳＳ２の状態の変化（例えば、ｍＲＮＡ発現の上昇）の確認は、無制御細胞増殖の証拠を提供する。
【０２０５】
上記の詳しい説明のとおり、生体試料における２０Ｐ１Ｆ１２／ＴＭＰＲＳＳ２の状態は、当技術分野において公知の数々の操作により検査することができる。例えば、生体試料における２０Ｐ１Ｆ１２／ＴＭＰＲＳＳ２の状態は、例えば、２０Ｐ１Ｆ１２／ＴＭＰＲＳＳ２ポリヌクレオチドの値、または、癌ではない試料において起こることが知られているポリペプチド発現と前癌性、または、癌の試料（無制御細胞増殖の証拠となる２０Ｐ１Ｆ１２／ＴＭＰＲＳＳ２ポリヌクレオチドまたはポリペプチドの過剰発現を示すもの）を比較することにより調べることができる。このような状況から、評価の可能な２０Ｐ１Ｆ１２／ＴＭＰＲＳＳ２は、配列番号：１に示す２０Ｐ１Ｆ１２／ＴＭＰＲＳＳ２ポリヌクレオチド配列、並びに、配列番号：２に示す２０Ｐ１Ｆ１２／ＴＭＰＲＳＳ２ポリペプチド配列を含む。
【０２０６】
体内の特定の位置より採取した生体試料は、その試料における２０Ｐ１Ｆ１２／ＴＭＰＲＳＳ２を発現する細胞（例えば、２０Ｐ１Ｆ１２／ＴＭＰＲＳＳ２ｍＲＮＡまたはタンパク質を発現するもの）の有無の評価により検査することができる。例えば、２０Ｐ１Ｆ１２／ＴＭＰＲＳＳ２発現細胞が、通常このような細胞を含まない体の部分（例えば、リンパ節、骨、または、肝臓等）から得られた生体試料において発見された場合、この検査は、無制御細胞増殖の証拠を提供することができる。このような生体試料における２０Ｐ１Ｆ１２／ＴＭＰＲＳＳ２の状態の変化は、無制御細胞増殖に関係することが多い。具体的に、無制御細胞増殖の一つの指標としては、元となる臓器（例えば、前立腺、または、大腸等）から体内の違う場所（例えば、リンパ節等）への癌細胞の転移である。このような無制御細胞増殖の証拠は、大腸癌において重要であり、それは、例えば、大腸癌における節転移の分布の理解が、早期再発性節疾患の発見を可能にするからである（例えば、ＡＪＲ Ａｍ Ｊ Ｒｏｅｎｔｇｅｎｏｌ １９９２ Ｏｃｔ； １５９（４）： ７５７−６１参照）。このような無制御細胞増殖の証拠は、前立腺癌において重要であり、それは、例えば、潜在リンパ節転移が、かなりの割合の前立腺癌患者において検出でき、このような転移は、疾患の進行を予測する公知の物質に関係しているからである（例えば、Ｊ． Ｕｒｏｌ． １９９５ Ａｕｇ； １５４ （２ Ｐｔ １）： ４７４−８参照）。
【０２０７】
本発明の特定の態様において、目的の生体試料（典型的には、多数の指標の内一つが上昇した２０Ｐ１Ｆ１２／ＴＭＰＲＳＳ２の発現であり、それらを示す病理的症候群に侵されている可能性のある患者から得られたもの）における２０Ｐ１Ｆ１２／ＴＭＰＲＳＳ２ｍＲＮＡの状態の変化を検出する方法は、少なくとも一個のプライマーを使った逆転写により試料からｃＤＮＡを作る工程、２０Ｐ１Ｆ１２／ＴＭＰＲＳＳ２ポリヌクレオチドをセンス及びアンチセンスプライマーとして使用し、このように作られたｃＤＮＡを増幅することにより、そこに含まれる２０Ｐ１Ｆ１２／ＴＭＰＲＳＳ２ｃＤＮＡを増幅する工程、及び増幅された２０Ｐ１Ｆ１２／ＴＭＰＲＳＳ２ｃＤＮＡの存在を検出する工程からなる。典型的な態様において、生体試料における２０Ｐ１Ｆ１２／ＴＭＰＲＳＳ２遺伝子を検出する方法は、まずゲノムＤＮＡを試料から単離する工程、２０Ｐ１Ｆ１２／ＴＭＰＲＳＳ２ポリヌクレオチドをセンス及びアンチセンスプライマーとし、単離したゲノムＤＮＡを増幅することによりそこに含まれる２０Ｐ１Ｆ１２／ＴＭＰＲＳＳ２遺伝子を増幅する工程、及び増幅された２０Ｐ１Ｆ１２／ＴＭＰＲＳＳ２遺伝子の存在を検出する工程からなる。適当なセンス及びアンチセンスプローブの組合せは、２０Ｐ１Ｆ１２／ＴＭＰＲＳＳ２の塩基配列（図１、配列番号：１）から幾つでも設計でき、この目的の為に使用してもよい。また、別の態様において、生体試料における２０Ｐ１Ｆ１２／ＴＭＰＲＳＳ２タンパク質の存在を検出する方法は、まず、試料を２０Ｐ１Ｆ１２／ＴＭＰＲＳＳ２抗体、その２０Ｐ１Ｆ１２／ＴＭＰＲＳＳ２反応性断片、または、２０Ｐ１Ｆ１２／ＴＭＰＲＳＳ２抗体の抗原結合部位を含む組換えタンパクに接触させる工程、及び次に、それと２０Ｐ１Ｆ１２／ＴＭＰＲＳＳ２タンパク質の結合を試料において検出する工程からなる。
【０２０８】
２０Ｐ１Ｆ１２／ＴＭＰＲＳＳ２を発現、及び／または、異常な発現を示す細胞を確認する方法も提供される。一つの態様において、２０Ｐ１Ｆ１２／ＴＭＰＲＳＳ２遺伝子を発現する細胞を特定するアッセイ法は、細胞における２０Ｐ１Ｆ１２／ＴＭＰＲＳＳ２ｍＲＮＡの存在を検出する工程からなる。細胞内の特定のｍＲＮＡを検出する方法は、公知であり、例えば、相補的ＤＮＡプローブを用いたハイブリダイゼーションアッセイ法（標識された２０Ｐ１Ｆ１２／ＴＭＰＲＳＳ２リボプローブ、ノーザンブロット、及び関連した技術を使ったインサイチュハイブリダイゼーション等）、及び様々な核酸増幅アッセイ法（２０Ｐ１Ｆ１２／ＴＭＰＲＳＳ２に特異的な相補的プライマーを使用したＲＴ−ＰＣＲ、及び他の増幅型検出法、例えば、分岐ＤＮＡ、ＳＩＳＢＡ、ＴＭＡ等）を含む。また、２０Ｐ１Ｆ１２／ＴＭＰＲＳＳ２遺伝子を発現する細胞を確認するアッセイ法は、細胞内の、あるいは、細胞から分泌される２０Ｐ１Ｆ１２／ＴＭＰＲＳＳ２タンパク質の有無を検出する工程からなる。様々なタンパク質検出方法が当技術分野において公知であり、２０Ｐ１Ｆ１２／ＴＭＰＲＳＳ２タンパク質、及び２０Ｐ１Ｆ１２／ＴＭＰＲＳＳ２発現細胞の検出に利用できる。
【０２０９】
本発明の典型的な態様は、無制御細胞増殖（例えば、異形成、過形成、または癌）に関係する疾患を持つ可能性のある個体に由来する生体試料における２０Ｐ１Ｆ１２／ＴＭＰＲＳＳ２遺伝子産物の状態を決定し、このように決定した状態とそれに相当する正常な生体試料における２０Ｐ１Ｆ１２／ＴＭＰＲＳＳ２遺伝子産物の状態を比較することにより２０Ｐ１Ｆ１２／ＴＭＰＲＳＳ２遺伝子産物を観察あるいは評価する方法を提供し、生体試料における、正常な生体試料と比較して異常な２０Ｐ１Ｆ１２／ＴＭＰＲＳＳ２遺伝子産物の存在が、個体における無制御細胞増殖の存在を示す。
【０２１０】
本発明の典型的な態様は、生体試料における２０Ｐ１Ｆ１２／ＴＭＰＲＳＳ２ｍＲＮＡ、あるいは、タンパク質発現をそれに相当する正常な試料における発現量と比較した場合の有意な増加、または、減少からなる個体における癌の有無を確認するために有用なアッセイ法を提供する。２０Ｐ１Ｆ１２／ＴＭＰＲＳＳ２ｍＲＮＡの有無は、例えば、前立腺、大腸、膀胱、腎臓、卵巣や、肺等、及び転移部位由来の血液、血清、並びに、組織サンプルを含む生体試料において評価し得るが、それらに限定されない。その上、癌転移に関係する組織及び部位由来の生体試料も評価し得る。また、相当する正常組織が２０Ｐ１Ｆ１２／ＴＭＰＲＳＳ２ｍＲＮＡまたはタンパク質を発現しないか、あるいは、低レベルで発現するため、これらの組織のどれにおいても、有意なレベルの２０Ｐ１Ｆ１２／ＴＭＰＲＳＳ２発現、及び／または、２０Ｐ１Ｆ１２／ＴＭＰＲＳＳ２の変化の存在は、これらの癌の発生、存在、転移、及び／または、重症度を示すのに有用となり得る。
【０２１１】
本発明の典型的態様は、被験細胞、または組織サンプルにおける２０Ｐ１Ｆ１２／ＴＭＰＲＳＳ２ｍＲＮＡ、あるいは、タンパク質発現をそれに相当する正常な細胞、または組織における発現量と比較した場合の有意な増加の検出からなる個体における無制御細胞増殖（例えば、癌において起こるようなもの）の有無を確認するために有用なアッセイ法を提供する。大腸のサンプルにおける２０Ｐ１Ｆ１２／ＴＭＰＲＳＳ２ｍＲＮＡの存在は、例えば、大腸癌の発生、存在、及び／または重症度を示し得る。また、関連する態様において、２０Ｐ１Ｆ１２／ＴＭＰＲＳＳ２遺伝子産物の状態は、核酸レベルではなく、タンパク質レベルで確認し得る。例えば、そのような方法あるいはアッセイ法は、被験組織試料内の細胞により発現される２０Ｐ１Ｆ１２／ＴＭＰＲＳＳ２タンパク質の量を確認する工程、及びこのように確認された量とそれに相当する正常な試料において発現している２０Ｐ１Ｆ１２／ＴＭＰＲＳＳ２の量を比較する工程からなる。２０Ｐ１Ｆ１２／ＴＭＰＲＳＳ２タンパク質の有無は、例えば、免疫組織化学的方法により評価し得る。２０Ｐ１Ｆ１２／ＴＭＰＲＳＳ２抗体、または２０Ｐ１Ｆ１２／ＴＭＰＲＳＳ２タンパク質を検出できる結合相手は、当技術分野で公知なこの目的のための様々なアッセイ形式に利用してもよい。
【０２１２】
上記のように、ここに説明する２０Ｐ１Ｆ１２／ＴＭＰＲＳＳ２ｍＲＮＡ、またはタンパク質の発現を検出、及び定量する方法は、当技術分野において公知である様々な標準的な核酸及びタンパク質の検出及び定量技術のどれも利用できる。２０Ｐ１Ｆ１２／ＴＭＰＲＳＳ２ｍＲＮＡを検出、及び定量する標準的な方法は、標識された２０Ｐ１Ｆ１２／ＴＭＰＲＳＳ２リボプローブを使用したインサイチュハイブリダイゼーション、２０Ｐ１Ｆ１２／ＴＭＰＲＳＳ２ポリヌクレオチドプローブを使用したノーザンブロット及び関連技術、２０Ｐ１Ｆ１２／ＴＭＰＲＳＳ２に特異的なプライマーを使用したＲＴ−ＰＣＲ分析、及び増幅系検出方法、例えば、分岐ＤＮＡ、ＳＩＳＢＡ、ＴＭＡ等を含む。以下に記載の実施例で説明するように、特定の態様において、２０Ｐ１Ｆ１２／ＴＭＰＲＳＳ２ｍＲＮＡ発現を検出及び定量するために、半定量的ＲＴ−ＰＣＲを使用してもよい。この目的のためには、２０Ｐ１Ｆ１２／ＴＭＰＲＳＳ２を増幅できるプライマーを幾つでも使用してよく、ここに具体的に説明する様々なプライマーセットが含まれるが、それらに限定されない。タンパク質の標準的な検出及び定量方法をこの目的の為に使用できる。特定の態様において、２０Ｐ１Ｆ１２／ＴＭＰＲＳＳ２タンパク質と特異的に反応するポリクローナル、またはモノクローナル抗体は、生検組織の免疫組織化学的アッセイ法において使用し得る。
【０２１３】
上記の方法に関連する態様においては、生体試料における２０Ｐ１Ｆ１２／ＴＭＰＲＳＳ２塩基配列、及びアミノ酸配列の完全性を評価することにより、これらの分子の構造における摂動、例えば、挿入、欠失、置換等を確認できる。塩基配列及びアミノ酸配列における摂動は、増殖無制御の表現型に関連する多くのタンパク質において見られるため（例えば、Ｍａｒｒｏｇｉら、Ｊ． Ｃｕｔａｎ． Ｐａｔｈｏｌ． ２６（８）：３６９−３７８ （１９９９）参照）、このような態様は、有用である。これに関連して、塩基配列、及びアミノ酸配列における摂動を確認する多種のアッセイ法が当技術分野において公知である。例えば、２０Ｐ１Ｆ１２／ＴＭＰＲＳＳ２遺伝子産物の核酸、あるいは、アミノ酸配列の大きさ、及び構造は、ここに説明するノーザン、サザン、ウエスタン、ＰＣＲ、及びＤＮＡ配列決定プロトコルにより観察してもよい。更に、塩基配列、及びアミノ酸配列における摂動を観察する他の方法、例えば、一本鎖立体配座多形性分析は、当技術分野において公知である（例えば、米国特許第５，３８２，５１０号、及び５，９５２，１７０号参照）。
【０２１４】
また、別の態様においては、生体試料における２０Ｐ１Ｆ１２／ＴＭＰＲＳＳ２遺伝子のメチル化状態が検査できる。遺伝子の５’制御領域におけるＣｐＧ島の異常な脱メチル化、及び／または、高メチル化は、不死化、及び形質転換した細胞において頻繁に起こり、様々な遺伝子の変化した発現が起こる結果となる。例えば、πクラスグルタチオン−Ｓ−トランスフェラーゼのプロモーターの高メチル化（正常な前立腺において発現するタンパク質だが、＞９０％の前立腺癌種においては発現しない）は、この遺伝子の転写を永久的に抑えると見られ、また、前立腺癌種において最も頻繁に検出される遺伝子の改変である（Ｄｅ Ｍａｒｚｏら、Ａｍ． Ｊ． Ｐａｔｈｏｌ． １５５（６）： １９８５−１９９２ （１９９９））。更に、この改変は、少なくとも７０％の高度前立腺上皮内異常増殖（ｐｒｏｓｔａｔｉｃ ｉｎｔｒａｅｐｉｔｈｅｌｉａｌ ｎｅｏｐｌａｓｉａ； ＰＩＮ）において存在する（Ｂｒｏｏｋｓら、Ｃａｎｃｅｒ Ｅｐｉｄｅｍｉｏｌ． Ｂｉｏｍｅｒｋｅｒｓ Ｐｒｅｖ．， １９９８， ７：５３１−５３６）。また、別の例において、ＬＡＧＥ−Ｉ腫瘍特異的遺伝子の発現（正常な前立腺においては発現しないが、２０〜２５％の前立腺癌において発現する）は、リンパ芽球腫細胞においてデオキシアザシチジンにより誘導され、発現が脱メチル化に起因することを示唆する（Ｌｅｔｈｅら、Ｉｎｔ． Ｊ． Ｃａｎｃｅｒ ７６ （６）： ９０３−９０８ （１９９８））。これに関連して、遺伝子のメチル化状態を検査する様々なアッセイ法が当技術分野において公知である。例えば、サザンハイブリダイゼーション手法において、メチル化されたＣｐＧサイトを含む配列を切断することのできないメチル化感受性制限酵素を利用することにより、ＣｐＧ島全体のメチル化状態を評価できる。その上、ＭＳＰ（メチル化特異的ＰＣＲ）は、特定の遺伝子のＣｐＧ島に存在する全部のＣｐＧサイトのメチル化状態を迅速に概観すことができる。この手順は、初めに亜硫酸水素ナトリウムによるＤＮＡの修飾（全てのメチル化されていないシトシンをウラシルに変換する）、その後、メチル化、対、非メチル化ＤＮＡに特異的なプライマ−を使用した増幅を伴う。メチル化阻害を伴うプロトコールも、例えば、「分子生物学の最新プロトコール（Ｃｕｒｒｅｎｔ Ｐｒｏｔｏｃｏｌｓ Ｉｎ Ｍｏｌｅｃｕｌａｒ Ｂｉｏｌｏｇｙ）」第１２章、Ｆｒｅｄｅｒｉｃｋ Ｍ． Ａｕｓｕｂｅｌら編、１９９５に記されている。
【０２１５】
遺伝子増幅の検査は、２０Ｐ１Ｆ１２／ＴＭＰＲＳＳ２の状態を評価する更なる方法を提供する。例えば、一般的なサザンブロット法やノーザンブロット法によるｍＲＮＡの転写の定量（Ｔｈｏｍａｓ， Ｐｒｏｃ． Ｎａｔｌ． Ａｃａｄ． Ｓｃｉ． ＵＳＡ， ７７：５２０１−５２０５ （１９８０））、ドットブロット法（ＤＮＡ分析）、またはここに示した配列に基づき、適当に標識されたプローブを用いたインサイチュハイブリダイゼーション等により、試料において遺伝子増幅を直接測定してもよい。また、二重らせんＤＮＡ、二重らせんＲＮＡ、及び二重らせんＤＮＡ−ＲＮＡハイブリッド、またはＤＮＡ−タンパク質二重鎖（ｄｕｐｌｅｘ）を含む、特定の二重鎖を認識できる抗体を利用してもよい。次に、その抗体を標識することができ、また、二重鎖が表面に形成された後に二重鎖に結合した抗体の存在を検出し、二重鎖が表面に結合しているところでアッセイ法を行うことができる。
【０２１６】
本発明に関連する局面は、無制御の２０Ｐ１Ｆ１２／ＴＭＰＲＳＳ２発現に関係する症候群（癌など）の発症に対する個体の感受性の予測に向けられている。一つの態様において、癌に対する感受性を予測する方法は、生体試料において２０Ｐ１Ｆ１２／ＴＭＰＲＳＳ２ｍＲＮＡ、または２０Ｐ１Ｆ１２／ＴＭＰＲＳＳ２タンパク質を検出する工程を含み、その存在が癌に対する感受性を示し、存在する２０Ｐ１Ｆ１２／ＴＭＰＲＳＳ２ｍＲＮＡ発現の度合いが、感受性の度合いに比例する。また、特定の態様においては、血清、または前立腺、膀胱、卵巣、肺、または大腸の組織における２０Ｐ１Ｆ１２／ＴＭＰＲＳＳ２の有無、または量を検査し、試料における２０Ｐ１Ｆ１２／ＴＭＰＲＳＳ２の存在が癌に対する感受性（腫瘍の発生あるいは存在）の指標を提供する。また、別の態様においては、血清、または腎臓における２０Ｐ１Ｆ１２／ＴＭＰＲＳＳ２の有無あるいは量を検査し、正常値と比較した場合の試料における２０Ｐ１Ｆ１２／ＴＭＰＲＳＳ２の量の低下が癌に対する感受性（腫瘍の発生あるいは存在）の指標を提供する。密接に関係した態様では、これらの分子の構造における摂動、例えば、挿入、欠失、置換等を確認するために生体試料における２０Ｐ１Ｆ１２／ＴＭＰＲＳＳ２塩基配列、及びアミノ酸配列の完全性を評価することができ、試料内の２０Ｐ１Ｆ１２／ＴＭＰＲＳＳ２遺伝子産物における一つ以上の摂動の存在が癌に対する感受性の指標（腫瘍の発生、存在、または転移）を提供する。
【０２１７】
また、別の本発明に関連する局面は、腫瘍の活動度を評価する方法に向けられている。一つの態様において、腫瘍の活動度を評価する方法は、血清、精液、尿、便等において、または腫瘍のサンプル内の細胞が発現している２０Ｐ１Ｆ１２／ＴＭＰＲＳＳ２ｍＲＮＡまたは２０Ｐ１Ｆ１２／ＴＭＰＲＳＳ２タンパク質の量を決定する工程、及びこのように決定された量を、同じ個体、または正常組織の対照標準試料から得たそれに相当する正常な試料において発現している２０Ｐ１Ｆ１２／ＴＭＰＲＳＳ２ｍＲＮＡ、または２０Ｐ１Ｆ１２／ＴＭＰＲＳＳ２タンパク質の量と比較する工程からなり、正常な試料と比較した場合の被験試料における２０Ｐ１Ｆ１２／ＴＭＰＲＳＳ２ｍＲＮＡ、または２０Ｐ１Ｆ１２／ＴＭＰＲＳＳ２タンパク質の発現の度合いが活動度の指標となる。特定の態様において、前立腺、膀胱、卵巣、肺、または大腸の腫瘍、あるいは、転移性腫瘍の活動度は、個体からの試料において２０Ｐ１Ｆ１２／ＴＭＰＲＳＳ２が発現している程度を決定することにより評価され、より高い発現レベルはより活発な腫瘍を示す。密接に関係した態様では、これらの分子の構造における摂動、例えば、挿入、欠失、置換等を確認するために、生体試料における２０Ｐ１Ｆ１２／ＴＭＰＲＳＳ２塩基配列、及びアミノ酸配列の完全性を評価することができ、一つ以上の摂動の存在が、より活発な腫瘍を示す。
【０２１８】
また、本発明に関係する別の局面は、経時的に個体における悪性度の進行を観察する方法に向けられている。ひとつの態様において、経時的に個体における悪性度の進行を観察する方法は、生体試料において発現される２０Ｐ１Ｆ１２／ＴＭＰＲＳＳ２ｍＲＮＡ、または２０Ｐ１Ｆ１２／ＴＭＰＲＳＳ２タンパク質の量を決定する工程、及びこのように決定された量を、同一の個体から異なる時期に採取した同等の生体試料において発現している２０Ｐ１Ｆ１２／ＴＭＰＲＳＳ２ｍＲＮＡ、または２０Ｐ１Ｆ１２／ＴＭＰＲＳＳ２タンパク質の量と比較する工程からなり、試料における２０Ｐ１Ｆ１２／ＴＭＰＲＳＳ２ｍＲＮＡ、または２０Ｐ１Ｆ１２／ＴＭＰＲＳＳ２タンパク質の経時的な発現の程度が癌の進行度の情報を提供する。特定の態様において、癌の進行は、腫瘍細胞における２０Ｐ１Ｆ１２／ＴＭＰＲＳＳ２発現の経時的変化の度合いを決定することにより評価し、より高い発現レベルは癌の進行を示す。別の態様において、癌の進行は、血清における２０Ｐ１Ｆ１２／ＴＭＰＲＳＳ２発現の経時的変化の度合いを決定することにより評価し、より高い濃度は癌の進行を示す。また、密接に関連した態様において、これらの分子の構造における摂動、例えば、挿入、欠失、置換等を確認するために生体試料における２０Ｐ１Ｆ１２／ＴＭＰＲＳＳ２塩基配列、及びアミノ酸配列の完全性を評価でき、一つ以上の摂動の存在が、癌の進行を示す。
【０２１９】
上記の診断方法は、当技術分野において公知の多様な予診、及び診断プロトコールのいずれかと組合せてもよい。例えば、ここに開示した本発明の別の態様は、組織サンプルの状態を診断及び予診する手段として、２０Ｐ１Ｆ１２／ＴＭＰＲＳＳ２遺伝子の発現及び２０Ｐ１Ｆ１２／ＴＭＰＲＳＳ２遺伝子産物間の同所共存（または、２０Ｐ１Ｆ１２／ＴＭＰＲＳＳ２遺伝子、及び２０Ｐ１Ｆ１２／ＴＭＰＲＳＳ２遺伝子産物における摂動）、及び悪性度に関係する因子を観察する方法に向けられている。これに関連して、悪性度に関係する多様な因子は、例えば、その他の点で悪性度に関係する遺伝子の発現（ＰＳＡ、ＰＳＣＡ、ＰＳＭ、及びヒト腺状カリクレインの発現を含む）、並びに、総細胞学的観測（例えば、Ｂｏｃｋｉｎｇら、Ａｎａｌ Ｑｕａｎｔ Ｃｙｔｏｌ． ６（２）： ７４−８８ （１９８４）、Ｅｐｔｓｅｉｎ， Ｈｕｍ Ｐａｔｈｏｌ． １９９５ Ｆｅｂ； ２６（２）： ２２３−９ （１９９５）、Ｔｈｏｒｓｏｎら、Ｍｏｄ Ｐａｔｈｏｌ． １９９８ Ｊｕｎ； １１（６）：５４３−５１； Ｂａｉｓｄｅｎら、Ａｍ Ｊ Ｓｕｒｇ Ｐａｔｈｏｌ． ２３（８）：９１８−２４ （１９９９）参照）等に利用することが可能である。２０Ｐ１Ｆ１２／ＴＭＰＲＳＳ２遺伝子及び２０Ｐ１Ｆ１２／ＴＭＰＲＳＳ２遺伝子産物間の同所共存（または、２０Ｐ１Ｆ１２／ＴＭＰＲＳＳ２遺伝子、及び２０Ｐ１Ｆ１２／ＴＭＰＲＳＳ２遺伝子産物における摂動）を観察する方法、及び悪性度に関係する追加の因子は、例えば、同時に起こる多数の特異的な因子、あるいはそのセットの存在が、組織サンプルの状態の診断及び予診に必須の情報を提供するため有用である。
【０２２０】
典型的な態様において、２０Ｐ１Ｆ１２／ＴＭＰＲＳＳ２遺伝子と２０Ｐ１Ｆ１２／ＴＭＰＲＳＳ２遺伝子産物間の同所共存（または２０Ｐ１Ｆ１２／ＴＭＰＲＳＳ２遺伝子、及び２０Ｐ１Ｆ１２／ＴＭＰＲＳＳ２遺伝子産物における摂動）を観察する方法、及び悪性度に関係する因子は、生体試料における２０Ｐ１Ｆ１２／ＴＭＰＲＳＳ２ｍＲＮＡ、またはタンパク質の過剰発現を検出する工程、生体試料におけるＰＳＡｍＲＮＡ、またはタンパク質の過剰発現を検出する工程、並びに、２０Ｐ１Ｆ１２／ＴＭＰＲＳＳ２ｍＲＮＡまたはタンパク質、及びＰＳＡｍＲＮＡまたはタンパク質の過剰発現の同時発生を観察する工程を伴う。特定の態様においては、血清、あるいは、前立腺、膀胱、卵巣、肺、腎臓、または大腸の組織における２０Ｐ１Ｆ１２／ＴＭＰＲＳＳ２及びＰＳＡｍＲＮＡの発現を検査する。また、好ましい態様において、試料における２０Ｐ１Ｆ１２／ＴＭＰＲＳＳ２及びＰＳＡｍＲＮＡの過剰発現の同時発生は、前立腺癌、膀胱癌、卵巣癌、肺癌、あるいは、大腸癌の徴候、前立腺癌、膀胱癌、卵巣癌、肺癌、あるいは、大腸癌に対する感受性、またはそのような腫瘍の発生、存在、あるいは、転移を示し、腎臓癌においては、その逆を示す。
【０２２１】
これらの方法では、２０Ｐ１Ｆ１２／ＴＭＰＲＳＳ２の状態の検査が多数の生体試料、例えば、尿、便、精液、並びに、前立腺、膀胱、卵巣、腎臓、肺、大腸、及び例えば、癌が転移する際にもたらす他の組織由来の細胞標本において可能である。これらの試料に加え、末梢血、及び／または、血清における２０Ｐ１Ｆ１２／ＴＭＰＲＳＳ２タンパク質、または、例えば、前立腺癌、膀胱癌、卵巣癌、肺癌、腎臓癌や大腸癌、及び転移癌を含むが、それらに制限されない癌細胞の存在は、簡単にアッセイできる。生体試料における２０Ｐ１Ｆ１２／ＴＭＰＲＳＳ２の状態は、当技術分野において許容される方法、例えば、サザン分析、ノーザン分析、ポリメラーゼ連鎖反応分析、及び免疫検定のいずれかにより評価される。生体試料は、好ましくは、２０Ｐ１Ｆ１２／ＴＭＰＲＳＳ２ｍＲＮＡ発現、あるいは、２０Ｐ１Ｆ１２／ＴＭＰＲＳＳ２タンパク質発現の量を検査することにより評価される。本発明の特に好ましい方法において、無制御細胞増殖は癌の徴候である。また、別の好ましい方法において、無制御細胞増殖は大腸癌の徴候である。好ましくは、生体試料において評価される２０Ｐ１Ｆ１２／ＴＭＰＲＳＳ２は、無制御増殖を示す細胞より分泌される。
【０２２２】
本発明の別の態様は、個体から得た被験生体試料における２０Ｐ１Ｆ１２／ＴＭＰＲＳＳ２遺伝子の発現量を検査し、個体から得た生体試料における２０Ｐ１Ｆ１２／ＴＭＰＲＳＳ２遺伝子発現量（例えば、病態の証拠を有すると思われるもの）を類似の正常な生体試料に見られる２０Ｐ１Ｆ１２／ＴＭＰＲＳＳ２遺伝子発現量（例えば、病態の証拠を有すると思われないもの）と比較することにより個体における新生物の証拠を確認する方法からなり、被験生体試料と正常な生体試料における２０Ｐ１Ｆ１２／ＴＭＰＲＳＳ２遺伝子産物の量を比較した場合の差が新生物に関係する方法である。好ましくは、被験生体試料は２０Ｐ１Ｆ１２／ＴＭＰＲＳＳ２ｍＲＮＡ発現、または２０Ｐ１Ｆ１２／ＴＭＰＲＳＳ２タンパク質発現の量を検査することにより評価される。本発明の特に好ましい方法において、新生物は、前立腺癌、膀胱癌、卵巣癌、肺癌、腎臓癌、または大腸癌である。また、別の好ましい方法において、新生物は、転移癌である。
【０２２３】
本発明の典型的な好ましい態様は、個体から得た生体試料における２０Ｐ１Ｆ１２／ＴＭＰＲＳＳ２遺伝子発現を検査し、次に、無制御細胞増殖に関連する因子の存在を確認するために個体を検査することにより、個体において癌を検出する方法からなり、個体から得た被験生体試料における２０Ｐ１Ｆ１２／ＴＭＰＲＳＳ２遺伝子発現、及び無制御細胞増殖に関連する因子の存在の同時発生が癌の徴候である。これに関連して、無制御細胞増殖に関係する多数の因子を、その他の点において無制御細胞増殖に関連する遺伝子の発現（ムチン、ラミニン−５、ＰＳＡ、ＰＳＣＡ、及びＰＳＭの発現を含む）、並びに、全体の細胞学的観測等に関係する因子としても利用することができる（例えば、Ｐｙｋｅら、Ｃａｎｃｅｒ Ｒｅｓ． １９９５ Ｓｅｐ １５； ５５（１８）： ４１３２−９、Ｂｏｃｋｉｎｇら、Ａｎａｌ Ｑｕａｎｔ Ｃｙｔｏｌ． ６（２）：７４−８８ （１９８４）、Ｅｐｔｓｅｉｎ， Ｈｕｍ Ｐａｔｈｏｌ． １９９５ Ｆｅｂ； ２６（２）：２２３−９ （１９９５）、Ｔｈｏｒｓｏｎら、Ｍｏｄ Ｐａｔｈｏｌ． １９９８ Ｊｕｎ； １１（６）：５４３−５１、Ｂａｉｓｄｅｎら、Ａｍ Ｊ Ｓｕｒｇ Ｐａｔｈｏｌ． ２３（８）：９１８−２４ （１９９９）参照）。本発明の特に好ましい方法において、癌は前立腺癌、膀胱癌、卵巣癌、肺癌、腎臓癌、または大腸癌である。また、別の好ましい方法において、新生物は転移癌である。この方法の特定の態様においては、サザン分析、ノーザン分析、ポリメラーゼ連鎖反応分析、または免疫検定法を使用することにより２０Ｐ１Ｆ１２／ＴＭＰＲＳＳ２ｍＲＮＡ発現量、または２０Ｐ１Ｆ１２／ＴＭＰＲＳＳ２タンパク質発現量を検査する。被験生体試料において評価される２０Ｐ１Ｆ１２／ＴＭＰＲＳＳ２は、前立腺癌、膀胱癌、卵巣癌、肺癌、または大腸癌細胞、あるいは、転移癌細胞より分泌されてもよい。
【０２２４】
２０Ｐ１Ｆ１２／ＴＭＰＲＳＳ２と相互作用する分子の同定
ここに開示する２０Ｐ１Ｆ１２／ＴＭＰＲＳＳ２タンパク質の配列は、当技術分野において許可される様々なプロトコールのいずれかにより当業者がこれらと相互作用する分子を同定することを可能にする。例えば、いわゆる相互作用トラップシステム類の一つを利用することができる（「２ハイブリッド法」とも呼ばれる）。このようなシステムでは、相互作用する分子は、転写因子及びレポーター遺伝子の直接発現を再構成し、その発現をアッセイする。典型的なシステムは、真核転写アクチベーターの再構成により生体内におけるタンパク質−タンパク質相互作用を確認し、これらは、米国特許第５，９５５，２８０号、第５，９２５，５２３号、第５，８４６，７２２号、及び第６，００４，７４６号に開示されている。
【０２２５】
実施例１２に記載のとおり、２０Ｐ１Ｆ１２／ＴＭＰＲＳＳ２と相互作用しそうな（類似の分子、例えばＰＳＡとの観察に基づいた）公知の分子群、例えば、血清及び精液セリンプロテアーゼ阻害剤を検査することにより、２０Ｐ１Ｆ１２／ＴＭＰＲＳＳ２タンパク質配列と相互作用する分子のスクリーニングが可能となる。また、ペプチドライブラリーをスクリーニングすることにより２０Ｐ１Ｆ１２／ＴＭＰＲＳＳ２タンパク質配列と相互作用する分子を同定できる。このような方法において、選択された受容体分子と結合するペプチド、例えば、２０Ｐ１Ｆ１２／ＴＭＰＲＳＳ２は、無作為あるいは調製したアミノ酸の集まりをコードするライブラリーをスクリーニングすることにより同定される。ライブラリーによりコードされるペプチドは、バクテリオファージコートタンパク質の融合タンパク質として発現しており、次に、目的のレセプターに対してバクテリオファージ粒子をスクリーニングする。従って、多数の利用法、例えば、治療または診断薬としての利用法のあるペプチドは、予想されるリガンド、または受容体分子の構造について何の予備情報が無くても同定できる。２０Ｐ１Ｆ１２／ＴＭＰＲＳＳ２タンパク質配列と相互作用する分子を同定するために用いることのできる典型的なペプチドライブラリー、及びスクリーニング方法は、例えば、米国特許第５，７２３，２８６号、及び第５，７３３，７３１号に開示されている。
【０２２６】
また、２０Ｐ１Ｆ１２／ＴＭＰＲＳＳ２を発現する細胞系は、２０Ｐ１Ｆ１２／ＴＭＰＲＳＳ２を介するタンパク質−タンパク質相互作用を確認するために使用できる。この可能性は、当技術分野において公知である免疫沈降技術を利用することにより検査が可能であり、図２２に示すデータをもたらすと説明されているものを含む（Ｈａｍｉｌｔｏｎ， Ｂ． Ｊ．ら、１９９９， Ｂｉｏｃｈｅｍ． Ｂｉｏｐｈｙｓ． Ｒｅｓ． Ｃｏｍｍｕｎ． ２６１：６４６−５１も参照）。一般的に２０Ｐ１Ｆ１２／ＴＭＰＲＳＳ２タンパク質は、抗２０Ｐ１Ｆ１２／ＴＭＰＲＳＳ２抗体を使用することにより、２０Ｐ１Ｆ１２／ＴＭＰＲＳＳ２を発現する癌細胞系より免疫沈降することができる。また、２０Ｐ１Ｆ１２／ＴＭＰＲＳＳ２を発現するよう設計された細胞系においてＨｉｓタグに対する抗体を使用できる（ベクターは上に説明されている）。ウエスタンブロット法、タンパク質の３５Ｓメチオニン標識、タンパク質のミクロシークエンシング、銀染色、及び二次元ゲル電気泳動等の手順により、免疫沈降した複合体におけるタンパク質会合を検査できる。
【０２２７】
このようなスクリーニングアッセイ法に関連する態様は、２０Ｐ１Ｆ１２／ＴＭＰＲＳＳ２と相互作用する低分子を同定する方法を含む。典型的な方法は、米国特許第５，９２８，８６８号に記載され、少なくとも一つのリガンドが低分子であるハイブリッドリガンド形成の方法を含む。例示的態様において、このハイブリッドリガンドは、細胞内に導入され、その細胞は、一次及び二次発現ベクターを有する。それぞれの発現ベクターは、転写モジュールのためのコード配列にリンクした標的タンパク質をコードするハイブリッドタンパク質を発現するためのＤＮＡを含む。この細胞はさらにレポーター遺伝子を含み、その発現は、第一番及び第二番目のハイブリッドタンパク質の互いの近接度によって調節されるが、これは、ハイブリッドリガンドが両方のハイブリッドタンパク質の標的部位に結合した場合にのみ起こる出来事である。レポーター遺伝子を発現する細胞が選択され、未知の低分子、または未知のハイブリッドタンパク質が同定される。
【０２２８】
本発明の典型的な態様は、分子を２０Ｐ１Ｆ１２／ＴＭＰＲＳＳ２アミノ酸配列に接触させる工程、相互作用を促す条件下で分子群と２０Ｐ１Ｆ１２／ＴＭＰＲＳＳ２アミノ酸配列を相互作用させる工程、及び２０Ｐ１Ｆ１２／ＴＭＰＲＳＳ２アミノ酸配列と相互作用する分子の存在を確認し、次に２０Ｐ１Ｆ１２／ＴＭＰＲＳＳ２アミノ酸配列と相互作用しない分子と２０Ｐ１Ｆ１２／ＴＭＰＲＳＳ２アミノ酸配列と相互作用する分子を分離する工程からならる、図１に示す２０Ｐ１Ｆ１２／ＴＭＰＲＳＳ２アミノ酸配列と相互作用する分子をスクリーニングする方法を含む。特定の態様において、更にこの方法は、２０Ｐ１Ｆ１２／ＴＭＰＲＳＳ２アミノ酸配列と相互作用する分子を精製する工程を含む。また、好ましい態様においては、２０Ｐ１Ｆ１２／ＴＭＰＲＳＳ２アミノ酸配列をペプチドのライブラリーと接触させる。
【０２２９】
キット
本発明は、更に上に記載または提案した診断的及び治療的応用のためのキットを提供する。このようなキットは、閉ざされた場所に一つ以上の容器の手段、例えば、バイアル、チューブ等を受け入るための区画化された収容手段からなってもよく、それぞれの容器の手段がこの方法において使用される別々の要素の内のいずれかを含む。例えば、容器の手段の内の一つは、２０Ｐ１Ｆ１２／ＴＭＰＲＳＳ２タンパク質をコードするベクターを含んでもよい。また、容器の手段の内の一つは、検出可能なように標識した、あるいは、標識できるプローブを含んでもよい。このようなプローブは、２０Ｐ１Ｆ１２／ＴＭＰＲＳＳ２タンパク質に特異的な抗体（例えば、ＥＬＩＳＡアッセイ法に使用するもの）、または２０Ｐ１Ｆ１２／ＴＭＰＲＳＳ２タンパク質または遺伝子／ｍＲＮＡに特異的なポリヌクレオチドであってよい。このキットが核酸ハイブリダイゼーションを利用して標的核酸を検出する場合、そのキットは、標的核酸配列の増幅のためのヌクレオチドの入っている容器、及び／またはレポーターの手段、例えば、アビジンまたはストレプトアビジン等のビオチン結合タンパク質が、酵素、蛍光、または放射性同位元素標識等のレポーター分子に結合したものを含む容器も有してよい。
【０２３０】
本発明のキットの特徴としては、上記の容器、及び商業的及び使用者の立場において望ましい物質、例えば、緩衝液、希釈剤、フィルター、針、注射器、及び添付の使用説明書を含む一つ以上の他の容器を含む。組成物が特定の治療的、または非治療的用途に使用されることを表示するため、更に、生体内または生体外における使用方法、例えば上記のようなものを表示するためにラベルが容器に存在してもよい。
【０２３１】
実施例
実施例１：ＳＳＨクローン化および発現解析による、２０Ｐ１Ｆ１２／ＴＭＰＲＳＳ２遺伝子に相当するｃＤＮＡの単離
材料および方法
細胞株およびヒト組織
本研究において使用される全てのヒト癌細胞株はＡＴＣＣから取得した。全ての細胞株は１０％ウシ胎児血清を有するＤＭＥＭ中で維持した。ＰｒＥＣ（初代前立腺表皮細胞）はクロンティクス（Ｃｌｏｎｅｔｉｃｓ）から取得し、そして増殖因子（クロンティクス）を補ったＰｒＥＢＭ培地中で増殖させた。
【０２３２】
全てのヒト前立腺癌異種移植片は元々はＣｈａｒｌｅｓ Ｓａｗｙｅｒｓ（ＵＣＬＡ）（Ｋｌｅｉｎら、１９９７；Ｃｒａｆｔら、Ｃａｎｃｅｒ Ｒｅｓ．１９９９ Ｏｃｔ １；５９（１９）：５０３０〜６）により提供された。ＬＡＰＣ−４ ＡＤおよびＬＡＰＣ−９ ＡＤ異種移植片は、宿主ＳＣＩＤ雄中で小さな組織塊として定型的に継代した。ＬＡＰＣ−４ ＡＩおよびＬＡＰＣ−９ ＡＩ異種移植片は以前に記載されているように由来しており（Ｋｌｅｉｎら、１９９７；Ｃｒａｆｔら、Ｃａｎｃｅｒ Ｒｅｓ．１９９９ Ｏｃｔ １；５９（１９）：５０３０〜６）、そして去勢雌または雌ＳＣＩＤマウス中で継代した。
【０２３３】
ＲＮＡおよびタンパク質解析のためのヒト組織は、ＵＣＬＡ（ロサンジェルス、カリフォルニア州）ヒト組織資源センター（ＨＴＲＣ）から、およびクオルテック社（ＱｕａｌＴｅｋ， Ｉｎｃ）（サンタバーバラ、カリフォルニア州）から取得した。良性前立腺肥大組織試料は患者由来であった。
【０２３４】
ＲＮＡ単離
腫瘍組織および細胞株は、総ＲＮＡを単離するために、１０ｍｌ／ｇ組織または１０ｍｌ／１０８細胞を用いて、トリゾール（Ｔｒｉｚｏｌ）試薬（ライフテクノロジー（Ｌｉｆｅ Ｔｅｃｈｎｏｌｏｇｉｅｓ）、ギブコＢＲＬ）中でホモジナイズした。ポリＡ ＲＮＡは、キアゲンのオリゴテックス（Ｏｌｉｇｏｔｅｘ）ｍＲＮＡミニおよびミディ（Ｍｉｄｉ）キットを用いて総ＲＮＡから精製した。総およびｍＲＮＡは分光光度計解析（Ｏ．Ｄ．２６０／２８０ｎｍ）により定量し、そしてゲル電気泳動により解析した。
【０２３５】
オリゴヌクレオチド
以下のＨＰＬＣ精製オリゴヌクレオチドを使用した。
2004511219.tif 000002
【０２３６】
サプレッションサブトラクティブハイブリダイゼーション（Ｓｕｐｐｒｅｓｓｉｏｎ Ｓｕｂｔｒａｃｔｉｖｅ Ｈｙｂｒｉｄｉｚａｔｉｏｎ）
サプレッションサブトラクティブハイブリダイゼーション（ＳＳＨ）は、良性前立腺肥大と比較してアンドロゲン依存性前立腺癌において増加調節されうる遺伝子に相当するｃＤＮＡを同定するために使用された。
【０２３７】
ＬＡＰＣ−４ ＡＤ異種移植片（テスター）およびＢＰＨ組織（テスター）に相当する二本鎖ｃＤＮＡは、クロンテック（Ｃｌｏｎｔｅｃｈ）のＰＣＲセレクトｃＤＮＡサブトラクションキットおよび１ｎｇのオリゴヌクレオチドＲＳＡＣＤＮをプライマーとして用いて、上述のように、異種移植片およびＢＰＨ組織から単離した２μｇのポリ（Ａ）＋ＲＮＡから合成した。第一および第二鎖合成はキットの使用者マニュアルプロトコール（クロンテックプロトコール番号第ＰＴ１１１７−１、カタログ番号Ｋ１８０４−１）に記載されているように実施した。結果として生じるｃＤＮＡはＲｓａＩを用いて３７℃で３時間消化した。消化されたｃＤＮＡはフェノール／クロロフォルム（１：１）を用いて抽出し、そしてエタノール沈殿した。
【０２３８】
ドライバーｃＤＮＡ（ＢＰＨ）は、マウス遺伝子がテスターｃＤＮＡ（ＬＡＰＣ−４ ＡＤ）からサブトラクションされることを確実にするために、ＲｓａＩ消化ＢＰＨ ｃＤＮＡをマウス肝臓由来の消化されたｃＤＮＡと４：１の比で組み合わせることにより生成した。
【０２３９】
テスターｃＤＮＡ（ＬＡＰＣ−４ ＡＤ）は、１μｌのＲｓａＩ消化ＬＡＰＣ−４ ＡＤ ｃＤＮＡ（４００ｎｇ）を５μｌの水中に希釈することにより生成した。消化ｃＤＮＡ（２μｌ、１６０ｎｇ）はその後、４００単位のＴ４ＤＮＡリガーゼ（クロンテック）を用いて総容量１０μｌ中で１６℃にて一晩、２μｌのアダプター１およびアダプター２（１０μＭ）の別々のライゲーション反応においてライゲーションした。ライゲーションは１μｌの０．２Ｍ ＥＤＴＡおよび７２℃５分間の加熱を用いて終了した。
【０２４０】
最初のハイブリダイゼーションは、１．５μｌ（２０ｎｇ）のアダプター１およびアダプター２がライゲーションしたテスターｃＤＮＡを含む２個のチューブの各々に、１．５μｌ（６００ｎｇ）のドライバーｃＤＮＡを添加することにより実施した。最終容量４μｌ中において、試料は鉱物油で重層し、ＭＪリサーチサーマルサイクラーにおいて９８℃で１．５分間変性し、そしてその後６８℃８時間ハイブリダイゼーションした。２個のハイブリダイゼーションはその後、付加的な１μｌの新たに変性したドライバーｃＤＮＡと共に混合し、そして６８℃一晩ハイブリダイゼーションした。２番目のハイブリダイゼーションはその後、２０ｍＭヘペスｐＨ８．３、５０ｍＭ ＮａＣｌ、０．２ｍＭ ＥＤＴＡの２００μｌ中に希釈し、７０℃で７分間加熱し、そして−２０℃にて保存した。
【０２４１】
ＳＳＨから生成された遺伝子断片のＰＣＲ増幅、クローン化および配列決定
ＳＳＨ反応から生じる遺伝子断片を増幅するために、２個のＰＣＲ増幅を実施した。最初のＰＣＲ反応においては、希釈した最終ハイブリダイゼーション混合物１μｌを、ＰＣＲプライマー１（１０μＭ）、０．５μｌのｄＮＴＰ混合物（１０μＭ）、２．５μｌの１０ｘ反応緩衝液（クロンテック）および０．５μｌの５０ｘアドバンテージｃＤＮＡポリメラーゼ混合物（クロンテック）１μｌに添加し、最終容量を２５μｌとした。ＰＣＲ１は以下の条件を用いて実施した：７５℃で５分間、９４℃で２５秒間、その後９４℃で１０秒、６６℃で３０秒、７２℃で１．５分を２７サイクル。５個の別々の一次ＰＣＲ反応を各実験に関して実施した。産物はプールし、そして水で１：１０に希釈した。２番目のＰＣＲ反応に関しては、プールされて希釈された一次ＰＣＲ反応に由来する１μｌを、ＰＣＲプライマー１の代わりにプライマーＮＰ１およびＮＰ２（１０μＭ）が使用される以外はＰＣＲ１で使用したのと同一の反応混合物に添加した。ＰＣＲ２は９４℃で１０秒、６８℃で３０秒、７２℃で１．５分を１０〜１２サイクル用いて実施した。ＰＣＲ産物は２％アガロースゲル電気泳動を用いて解析した。
【０２４２】
ＰＣＲ産物はＴ／Ａベクタークローニングキット（インビトロゲン）を用いてｐＣＲ２．１に挿入した。形質転換された大腸菌は青／白およびアンピシリン選択に供した。白色コロニーを選択し、そして９６ウェルプレート中に配置し、そして液体培養中で一晩増殖した。インサートを同定するために、ＰＣＲ１の条件および、プライマーとしてＮＰ１およびＮＰ２を用いて、細菌培養物１ｍｌに関してＰＣＲを実施した。ＰＣＲ産物は２％アガロースゲル電気泳動を用いて解析した。
【０２４３】
細菌クローンは９６ウェル形式において２０％グリセロール中に保存した。プラスミドＤＮＡは調製し、配列決定し、そしてゲンバンク、ｄＢｅｓｔおよびＮＣＩ−ＣＧＡＰデータベースの核酸相同性検索に供した。
【０２４４】
ＲＴ−ＰＣＲ発現解析
第一鎖ｃＤＮＡは、ギブコＢＲＬスーパースクリプト前増幅（Ｐｒｅａｍｐｌｉｆｉｃａｔｉｏｎ）システムを用いるオリゴ（ｄＴ）１２−１８プライミングを使用して、１μｇのｍＲＮＡから生成した。製造元のプロトコールを使用し、そして逆転写酵素を用いる４２℃での５０分間のインキュベーション、および続けて３７℃での２０分間のＲＮＡｓｅＨ処理が含まれた。反応完了後、標準化の前に水を用いて容量を２００μｌに増加した。１６個の異なる正常ヒト組織由来の第一鎖ｃＤＮＡはクロンテックから取得した。
【０２４５】
多数の組織由来の第一鎖ｃＤＮＡの標準化は、βアクチンを増幅するためのプライマー
2004511219.tif 000003
を用いて実施した。第一鎖ｃＤＮＡ（５μｌ）は、０．４μＭプライマー、０．２μＭの各ｄＮＴＰ、１ＸＰＣＲ緩衝液（クロンテック、１０ｍＭトリス塩酸、１．５ｍＭのＭｇＣｌ２、５０ｍＭのＫＣｌ、ｐＨ８．３）および１Ｘクレンタック（Ｋｌｅｎｔａｑ）ＤＮＡポリメラーゼ（クロンテック）を含む総容量５０μｌ中で増幅した。５μｌのＰＣＲ反応物を１８、２０および２２サイクル時において採取し、そしてアガロースゲル電気泳動に使用した。ＰＣＲはＭＪリサーチサーマルサイクラーを用いて以下の条件下で実施した：最初の変性は９４℃で１５秒間、続いて９４℃で１５秒、６５℃で２分、７２℃で５秒を１８、２０および２２サイクル。７２℃での最終の伸長は２分間実施した。アガロースゲル電気泳動後、多数の組織由来の２８３ｂｐのβアクチンバンドのバンド強度を目視検査により比較した。第一鎖ｃＤＮＡの希釈係数は、２２サイクルのＰＣＲ後に全ての組織において同一のβアクチンバンド強度を結果生じるように計算された。２２サイクルのＰＣＲ後に全ての組織において同一のバンド強度を達成するためには３ラウンドの標準化が必要とされた。
【０２４６】
２０Ｐ１Ｆ１２遺伝子の発現レベルを決定するために、５μｌの標準化第一鎖ｃＤＮＡが、ＭＩＴの支援を受けて設計された（詳細は、ｗｗｗ．ｇｅｎｏｍｅ．ｗｉ．ｍｉｔ．ｅｄｕを参照）。以下のプライマーを用いて２５、３０および３５サイクルの増幅のＰＣＲにより解析した。
2004511219.tif 000004
【０２４７】
半定量発現解析は、薄いバンド強度を与えるサイクル数においてＰＣＲ産物を比較することにより達成された。
【０２４８】
結果
いくつかのＳＳＨ実験が、材料および方法、前記において記載されているように実施され、そして多数の候補遺伝子断片クローンの単離につながった。全ての候補クローンは、相当する遺伝子の同一性に関する情報を提供する、および差異的発現に関して特定の遺伝子を解析する決定を導き出すことを支援するために、配列決定され、そして主要な公共遺伝子およびＥＳＴデータベース中の全配列に対して相同性解析に供された。
【０２４９】
２０Ｐ１Ｆ１２と名づけられた、ｃＤＮＡクローンの１つは、最近記載されたセリンプロテアーゼＴＭＰＲＳＳ２と同一性を示した（Ｐａｏｌｏｎｉ−Ｇｉａｃｏｂｉｎｏら、１９９７、Ｇｅｎｏｍｉｃｓ ４４：３０９〜３２０）。単離された２０Ｐ１Ｆ１２のｃＤＮＡ断片は３８８ｂｐの長さであり、そして図４に示されるヌクレオチド配列を有している。ＲＴ−ＰＣＲによる差異的発現解析は、２０Ｐ１Ｆ１２遺伝子が正常前立腺およびＬＡＰＣ−４およびＬＡＰＣ−９異種移植片においておよそ同レベルで発現していることを示した（図５、パネルＡ）。１６個の正常組織由来の第一鎖ｃＤＮＡのさらなるＲＴ−ＰＣＲ発現解析は前立腺において最大レベルの２０Ｐ１Ｆ１２発現を示した。かなり低いレベルの発現がいくつかの他の正常組織において観察された（すなわち、大腸、膵臓、腎臓、肝臓および肺）（図５、パネルＢおよびＣ）。
【０２５０】
実施例２：２０Ｐ１Ｆ１２／ＴＭＰＲＳＳ２遺伝子発現のノーザンブロット分析
標識化２０Ｐ１Ｆ１２／ＴＭＰＲＳＳ２プローブ（図４の２０Ｐ１Ｆ１２ ＳＳＨ ｃＤＮＡに相当する）を用いた１６個の正常ヒト組織パネルのノーザンブロット分析を、最初にＲＴ−ＰＣＲ発現解析により確立された２０Ｐ１Ｆ１２／ＴＭＰＲＳＳ２発現の前立腺特異性を確認するために実施した。図６に示されている結果は、ＲＴ−ＰＣＲ解析を確認および発展させ、そして前立腺における発現が、肺、腎臓、膵臓または大腸における発現よりも大きいので、相対的に前立腺特異的であることを示している。このパネルにおいて使用される他の１１個の正常組織の任意のものにおいて検出可能な発現は観察されなかった。
【０２５１】
加えて、ＬＡＰＣ−４およびＬＡＰＣ−９異種移植片における２０Ｐ１Ｆ１２／ＴＭＰＲＳＳ２発現レベルもまたノーザンブロット分析により検討した。ノーザンブロッティングは、ランダムヘキサマー（ベーリンガーマンハイム）標識された２０Ｐ１Ｆ１２／ＴＭＰＲＳＳ２ ｃＤＮＡを用いて、細胞株およびＬＡＰＣ異種移植片から調製した１０μｇの総ＲＮＡに関して実施した。図６および７に示されている結果は、ＬＡＰＣ−９ ＡＩ異種移植片においてより低いレベルの発現が見られ、異種移植片および正常組織においては類似の発現レベルを示す。癌細胞の大きなパネルの２０Ｐ１Ｆ１２／ＴＭＰＲＳＳ２発現の更なるノーザンブロット分析は以下の実施例４に記載されている。
【０２５２】
実施例３：全長２０Ｐ１Ｆ１２ ｃＤＮＡのクローン化
２０Ｐ１Ｆ１２／ＴＭＰＲＳＳ２遺伝子をコードする全長ｃＤＮＡがヒト前立腺ライブラリーから単離され、そして２０Ｐ１Ｆ１２−ＧＴＣ１と名づけられた。２０Ｐ１Ｆ１２−ＧＴＣ１のヌクレオチドおよびアミノ酸配列は図１に示されている。プラスミド２０Ｐ１Ｆ１２−ＧＴＣ１（２０Ｐ１Ｆ１２−ＧＴＣ１ ｃＤＮＡを保持している）は１９９９年２月１２日にＡＴＣＣ（マナッサス（Ｍａｎａｓｓａｓ）、バージニア州）に寄託され、そしてＡＴＣＣ命名番号２０７０９７が与えられた。約３．５ｋｂの２０Ｐ１Ｆ１２−ＧＴＣ１ ｃＤＮＡは、完全にではないが、以前に記載された配列とほとんど同一の４９２アミノ酸のタンパク質をコードする（図２）。発表されているＴＭＰＲＳＳ２配列と比較して、２０Ｐ１Ｆ１２−ＧＴＣ１ ｃＤＮＡのヌクレオチド配列にはいくつかの差異が存在し、図３のアミノ酸アライメントに示されているように、その中の６個は異なるアミノ酸をコードする結果となる。具体的には、アミノ酸差異の４個はプロテアーゼドメインに存在し、そのうちの３個はプロテアーゼ機能および／または特異性に影響を与える可能性がある非保存的アミノ酸差異である。配列の詳細な検査は、以前に発表された配列と比較して、１６０位、２４２位、３２９位、４４９位、４８９位および４９１位の部位において６個のアミノ酸差異を生じる結果となるヌクレオチド配列における８個の差異を示す。６個の差異全ては、付加的な２０Ｐ１Ｆ１２／ＴＭＰＲＳＳ２ ｃＤＮＡクローン、および正常前立腺、ＬＡＰＣ−４およびＬＡＰＣ−９ ｃＤＮＡライブラリーに由来する遺伝子断片を配列決定することにより確認した。これらの差異は全て膜関連ドメインに生じており、そのうちの２個（１６０位および２４２位のアミノ酸）はスカベンジャー受容体システインリッチ（ＳＲＣＲ）ドメインに存在し、一方他のものは全てプロテアーゼドメイン内に存在する。これらのアミノ酸配列差異が生物学的活性にどのように影響を与えるかは不明である。しかしながら、２０Ｐ１Ｆ１２／ＴＭＰＲＳＳ２およびＴＭＰＲＳＳ２が、正常ヒト組織における発散したｍＲＮＡ発現パターンを示す申請者のデータの見地からは差異的に発現している可能性はある。
【０２５３】
実施例４：前立腺および大腸癌における２０Ｐ１Ｆ１２／ＴＭＰＲＳＳ２の発現
癌組織および細胞株における２０Ｐ１Ｆ１２／ＴＭＰＲＳＳ２の発現を解析するために、ノーザンブロッティングをＬＡＰＣ異種移植片および前立腺および非前立腺癌細胞株のパネルに由来するＲＮＡに関して実施した。結果は、全てのＬＡＰＣ異種移植片および大腸癌細胞株において２０Ｐ１Ｆ１２／ＴＭＰＲＳＳ２の高い発現レベルを示す（図７）。類似した発現レベルは、前立腺、ＬＡＰＣ−４ ＡＤ、ＬＡＰＣ−４ ＡＩ、ＬＡＰＣ−９ ＡＤおよびＬＮＣａＰにおいて検出された。より低いレベルの２０Ｐ１Ｆ１２／ＴＭＰＲＳＳ２がＬＡＰＣ−９ ＡＩおよびＡＩ ＰＣ−３細胞で見られ、ＤＵ１４５においては発現が見られなかった。高いレベルの２０Ｐ１Ｆ１２／ＴＭＰＲＳＳ２発現はまた、ＬｏＶｏ、Ｔ８４およびＣｏｌｏ−２０５を含む４個の大腸癌細胞株のうち３個においても検出された。
【０２５４】
上記のように、２０Ｐ１Ｆ１２／ＴＭＰＲＳＳ２に関する最初の報告（Ｐａｏｌｏｎｉ−Ｇｉａｃｏｂｉｎｏら、１９９７、Ｇｅｎｏｍｉｃｓ ４４：３０９〜３２０）は本明細書において開示されている２０Ｐ１Ｆ１２／ＴＭＰＲＳＳ２に非常に関連しているが、しかし構造的に異なるタンパク質をコードするｃＤＮＡを同定した。さらに、Ｐａｏｌｏｎｉ−Ｇｉａｃｏｂｉｎｏらにより開示されたＴＭＰＲＳＳ２遺伝子はまた、２０Ｐ１Ｆ１２／ＴＭＰＲＳＳ２の発現プロファイルと比較して非常に異なる発現パターンを示した。しかしながら、最近、２０Ｐ１Ｆ１２／ＴＭＰＲＳＳ２配列および様々な組織における発現パターンの両方に関してこのデータを確認する２番目の報告が刊行された（Ｌｉｎら、１９９９ Ｃａｎｃｅｒ Ｒｅｓ．Ｓｅｐ １；５９（１７）：４１８０〜４）。
【０２５５】
実施例５：２０Ｐ１Ｆ１２／ＴＭＰＲＳＳ２タンパク質の特性化
２０Ｐ１Ｆ１２／ＴＭＰＲＳＳ２モノクロナール抗体の生成
ＴＭＰＲＳＳ２は前立腺および大腸癌の潜在的な治療標的を表している。分泌型プロテアーゼ断片ならびに細胞表面関連抗原として、それは抗体治療の特に良い標的でありうる。この可能性を探索し、そしてさらに２０Ｐ１Ｆ１２／ＴＭＰＲＳＳ２タンパク質を特性化するために、ＧＳＴ−２０Ｐ１Ｆ１２／ＴＭＰＲＳＳ２融合タンパク質に対するモノクロナール抗体が生成された。具体的にはマウスＭＡｂは、細菌グルタチオン−Ｓ−トランスフェラーゼ（ＧＳＴ）に融合したプロテアーゼのカルボキシル末端領域（残基３６２〜４４０）に対して生成された。ＧＳＴ融合タンパク質は、２０Ｐ１Ｆ１２／ＴＭＰＲＳＳ２配列を増幅するために以下のプライマーを用いてＰＣＲにより生成された。
2004511219.tif 000005
ＰＣＲ産物はＥｃｏＲＩおよびＸｈｏＩクローン化部位を用いてｐＧＥＸ−４Ｔ−３に挿入した。ＧＳＴ融合タンパク質は精製し、そしてマウスを免疫するために使用した。免疫原はプロテアーゼドメイン内の約８ｋＤ領域、具体的には３６２位から４４０位のアミノ酸残基を含んでいた（図１を参照）。
【０２５６】
マウスは精製されたＧＳＴ−ＴＭＰＲＳＳ２を用いて免疫され、そしてハイブリドーマが生成された。ハイブリドーマ上清は、２０Ｐ１Ｆ１２／ＴＭＰＲＳＳ２をトランスフェクションした２９３Ｔ細胞由来の溶解物を用いてウエスタンブロッティングにより、特異的抗体に関してスクリーニングされた。１，２０５ウェルが３〜５ウェルのプールおよびマルチレーンウエスタン器具を用いたウエスタンブロットによりスクリーニングされた（全てのレーンは、ＧＳＴ融合タンパク質および切断産物に関してＥＬＩＳＡにより陽性であった）。サブクローンは限界希釈クローン化およびウエスタンブロットによるスクリーニングにより導き出した。７個のハイブリドーマがウエスタンブロッティングにより２０Ｐ１Ｆ１２／ＴＭＰＲＳＳ２を特異的に認識することが同定され、そして１Ｆ９（ＩｇＧ１、Ｋ）、２Ｄ１０（ＩｇＧ１、Ｋ）、２Ｆ８（ＩｇＧ１、Ｋ）、６Ｂ１１（ＩｇＧ１、Ｋ）、３Ｇ３（ＩｇＧ１、Ｋ）、８Ｃ６（ＩｇＧ１、Ｋ）および９Ｇ８（ＩｇＧ２ａ、Ｋ）と名づけられた。ある一つのクローン１Ｆ９を全ての研究において引き続き使用した。組織、異種移植片および癌細胞株の溶解物のウエスタンブロッティングを２０μｇの細胞溶解物タンパク質に関して実施した。抽出物の標準化は、細胞溶解物を抗ＧＲＢ−２抗体（トランスダクションラボラトリーズ）を用いて調査することにより、または膜のポンソーＳ染色によりレーンの総タンパク質量を可視化することにより達成された。
【０２５７】
抗ＴＭＰＲＳＳ２ ｍＡｂのエピトープマッピング
エピトープマッピング研究に関して、抗ＴＭＰＲＳＳ２ ｍＡｂの１Ｆ９、２Ｆ８および８Ｃ６が、製造元のプロトコールにしたがって「ＥＺ−ｌｉｎｋ」スルフォ−ＮＨＳ−ＬＣ−ビオチン化キット（ピアス、ロックフォード、イリノイ州）を用いて抗体分子当り約４〜７分子のビオチンで、ビオチン化された。これらのビオチン化抗体は、標的抗原としてＧＳＴ−ＴＭＰＲＳＳ２プロテアーゼドメイン（アミノ酸２５５〜４９２）を用いて、他の７個の非標識抗ＴＭＰＲＳＳ２抗体（１Ｆ９、２Ｄ１０、２Ｆ８、３Ｇ３、６Ｂ１１、８Ｃ６、および９Ｇ８）の各々の５０倍過剰の存在および非存在下で、競合ＥＬＩＳＡにおいて使用した。ＥＬＩＳＡプレートは１００ｎｇ／ウェルのＧＳＴ−ＴＭＰＲＳＳ２プロテアーゼドメインを用いてコーティングし、そして３％ミルクを含むＰＢＳを用いてブロッキングした。プレートはその後過剰の非標識ｍＡｂ（１２．５μｇ／ｍｌ）存在または非存在で室温（ＲＴ）にて１時間インキュベーションした。プレートは洗浄し、そしてその後２５０ｎｇ／ｍｌのビオチン下２Ｆ８または８Ｃ６ ｍＡｂのいずれか、または１００ｎｇ／ｍｌの１Ｆ９ ｍＡｂとともにＲＴで１．５時間インキュベーションした。プレートは洗浄し、そしてその後１：２０００希釈のアビジン−ＨＲＰ結合物（ニュートラライト、フィッシャーサイエンティフィック）とともに１時間インキュベーションした。プレートは洗浄し、ＴＭＢ基質を用いて現像し、１ＭのＨ２ＳＯ４を用いて中和し、そしてウェルのＯＤを４５０ｎｍにおいて取得した。
【０２５８】
下の表２はこれらのエピトープマッピング研究の結果を提供する。表２のデータは２回の決定の平均±範囲である。１Ｆ９−Ｂ、２Ｆ８−Ｂ、８Ｃ６−ＢはｍＡｂのビオチン化型である。表２において、ビオチン化Ａｂの結合に関して競合する非標識ｍＡｂは太字で示されている。
【０２５９】
上記の抗体は２０Ｐ１Ｆ１２／ＴＭＰＲＳＳ２ポリペプチドを解析および特性化するために有用である。約５４（２０Ｐ１Ｆ１２／ＴＭＰＲＳＳ２の予測分子量（ＭＷ））および約３２キロダルトンの２個の主要なタンパク質バンドが、２０Ｐ１Ｆ１２／ＴＭＰＲＳＳ２ ｃＤＮＡおよび１Ｆ９を用いたインビトロ翻訳アッセイにおいて同定されている。ＬＮＣａＰ、ＬＡＰＣ−４およびＬＡＰＣ−９の細胞溶解物のウエスタンブロッティングは約７０および３２キロダルトン（ｋＤ）の２個の主要なタンパク質バンドを同定する（図８ｂ）。ウエスタンブロットタンパク質バンドの分子量は、目盛りとしての前染色分子量マーカー（バイオラッド）とともにアルファイース（ＡｌｐｈａＥａｓｅ）イメージ解析ソフトウェア（アルファイノテック（Ａｌｐｈａ Ｉｎｎｏｔｅｃｈ）社、サンレアンドロ、カリフォルニア州）の分子量計算機能を用いて決定された。２０Ｐ１Ｆ１２／ＴＭＰＲＳＳ２の予測分子量（ＭＷ）が５４ｋＤであるので、このデータは７０ｋＤアイソフォームは、おそらくはグリコシル化により修飾されていることを示唆する。３２ｋＤ型は、抗体により認識されるカルボキシル末端エピトープを含む、タンパク質分解により切断された断片である。
【０２６０】
付加的な２０Ｐ１Ｆ１２／ＴＭＰＲＳＳ２ ｍＡｂを、細胞ベースのＥＬＩＳＡ用のスクリーニング薬剤として２０Ｐ１Ｆ１２／ＴＭＰＲＳＳ２を発現するＬＡＰＣ−９細胞を用いて細胞ベースで免疫することにより生成してもよい。加えて、２０Ｐ１Ｆ１２／ＴＭＰＲＳＳ２ ｍＡｂは、分泌型プロテアーゼドメイン断片などの精製された２０Ｐ１Ｆ１２／ＴＭＰＲＳＳ２タンパク質を免疫原として用いて生成してもよい。例えば、アミノ末端にＨｉｓタグを有する組換え２０Ｐ１Ｆ１２／ＴＭＰＲＳＳ２をｐＢｌｕｅＢａｃ４．５（インビトロゲン）を用いてバキュロウイルスシステム中で発現させてもよい。Ｈｉｓタグ付き２０Ｐ１Ｆ１２／ＴＭＰＲＳＳ２はその後、ニッケルカラムを用いて精製し、定量し、そして免疫原として使用してもよい。または２０Ｐ１Ｆ１２／ＴＭＰＲＳＳ２プロテアーゼドメインは、本明細書に記載されている１Ｆ９抗体などの抗２０Ｐ１Ｆ１２／ＴＭＰＲＳＳ２抗体を用いた免疫親和性クロマトグラフィーを用いて生物学的試料（例えば精漿）から精製してもよい。モノクロナールのスクリーニングは、例えば、ＬＮＣａＰおよびＰＣ−３／ＴＭＰＲＳＳ２細胞などの細胞ベースのＥＬＩＳＡを用いて実施してもよい。
【０２６１】
組織染色
ホルマリン固定、パラフィン包埋組織の１Ｆ９ ＭＡｂを用いた免疫組織化学解析を４ミクロンの組織切片に関して実施した。クエン酸ナトリウム（１０ｍＭ、ｐＨ６．０）中での水蒸気処理の後、スライドは１０μｇ／ｍｌの１Ｆ９ ＭＡｂとともにインキュベーションし、続いてビオチン化ウサギ抗マウスＩｇＧとともにインキュベーションした。競合的阻害研究は５０μｇ／ｍｌのＧＳＴまたはＧＳＴ−２０Ｐ１Ｆ１２／ＴＭＰＲＳＳ２融合タンパク質存在下で実施した。反応物はアビジン結合ホースラディッシュペルオキシダーゼ（ベクターラボ（Ｖｅｃｔｏｒ Ｌａｂｓ）、バーリンガム（Ｂｕｒｌｉｎｇａｍｅ）、カリフォルニア州）を用いて可視化された。
【０２６２】
細胞局在
２０Ｐ１Ｆ１２／ＴＭＰＲＳＳ２タンパク質の特性を研究するために、２０Ｐ１Ｆ１２ ｃＤＮＡ（図１）を、カルボキシル末端に６−Ｈｉｓタグを提供するｐｃＤＮＡ３．１ Ｍｙｃ−Ｈｉｓ（インビトロゲン）にクローン化した。構築物は２９３Ｔ細胞にトランスフェクションし、そして細胞表面ビオチン化により解析した。ビオチン化細胞表面タンパク質はストレプトアビジンセファロースを用いて親和性精製した。ストレプトアビジン親和性精製されたタンパク質の抗Ｈｉｓ抗体を用いたウエスタンブロット分析により、様々な生物学的試料中に２０Ｐ１Ｆ１２／ＴＭＰＲＳＳ２タンパク質が存在することが証明された（例えば、図９Ａおよび図２３を参照）。したがって、２０Ｐ１Ｆ１２／ＴＭＰＲＳＳ２は、分泌型細胞ならびに細胞表面の両方において見出されうる。
【０２６３】
ＬＮＣａＰおよびＰＣ−３前立腺癌細胞における表面局在型の内在性２０Ｐ１Ｆ１２／ＴＭＰＲＳＳ２を検討するために、ビオチン化細胞表面タンパク質をストレプトアビジンセファロースを用いて親和性精製し、そして抗２０Ｐ１Ｆ１２／ＴＭＰＲＳＳ２抗体を用いて検査した。ストレプトアビジン精製されたタンパク質のウエスタンブロッティングは、３２および７０ｋＤタンパク質バンドとして現れる、ＬＮＣａＰおよびＰＣ−３両細胞中の内在性２０Ｐ１Ｆ１２／ＴＭＰＲＳＳ２の細胞表面ビオチン化を示唆する（図９ｂ）。付加的な対照においては、２０Ｐ１Ｆ１２／ＴＭＰＲＳＳ２タンパク質は非ビオチン化細胞由来のストレプトアビジン沈殿物においては検出されなかった（図８ｂ）。
【０２６４】
興味深いことに、カルボキシル末端Ｈｉｓタグ付きの２０Ｐ１Ｆ１２／ＴＭＰＲＳＳ２をトランスフェクションした２９３Ｔ細胞は主に７０ｋＤのタンパク質を発現する（図９ａ）。２０Ｐ１Ｆ１２／ＴＭＰＲＳＳ２プロテアーゼドメインはカルボキシル末端に位置するので、３２ｋＤは自己触媒切断の結果であり（以下の実施例１０を参照）、Ｈｉｓタグにより阻害されている可能性が高い。関連分子ヘプシン（ｈｅｐｓｉｎ）（ＴＭＰＲＳＳ１）は濃度依存性様式において自己活性化能を有するようである（Ｖｕら、１９９７、ｊ．Ｂｉｏｌ．Ｃｈｅｍ．２７２：３１３１５〜３１３２０）。この自己触媒切断は２０Ｐ１Ｆ１２／ＴＭＰＲＳＳ２活性を阻害する低分子を同定するために利用されてもよい。切断阻害を特異的にみるために細胞は低分子阻害剤の存在または非存在で増殖させてもよい。上記で議論されているように、そのような低分子は癌治療薬として利用されうる。
【０２６５】
２０Ｐ１Ｆ１２／ＴＭＰＲＳＳ２のグリコシル化
２０Ｐ１Ｆ１２／ＴＭＰＲＳＳ２の予測ＭＷはウエスタンブロッティングにより検出される見かけのＭＷより有意に小さい。これは２０Ｐ１Ｆ１２／ＴＭＰＲＳＳ２がグリコシル化されている可能性を示唆する。ＧＴＣ１配列は、コンセンサス配列ＮＸＳ／Ｔを有する３個の潜在的なグリコシル化部位が存在することを示している（１２８、２１３、２４９位の残基）。２０Ｐ１Ｆ１２／ＴＭＰＲＳＳ２がグリコシル化されている可能性を探索するために、Ｈｉｓタグ付き２０Ｐ１Ｆ１２／ＴＭＰＲＳＳ２を２９３Ｔ細胞にトランスフェクションし、そしてニッケルアガロース（インビトロゲン）を用いて精製した。親和性精製タンパク質は５０ｍＭ ＥＤＴＡ、ｐＨ８．０を用いて溶出し、そして製造元のプロトコールにしたがってＮ−グリコシダーゼ−Ｆ（ベーリンガーマンハイム）を用いて、脱グリコシル化した。非処理および脱グリコシル化されたタンパク質は抗Ｈｉｓ抗体を用いたウエスタンブロッティングにより解析した。結果は、Ｎ−グリコシダーゼ−Ｆ処理を用いて２０Ｐ１Ｆ１２／ＴＭＰＲＳＳ２の５〜８ｋＤのＭＷシフトを示す、これは２０Ｐ１Ｆ１２／ＴＭＰＲＳＳ２が実際にグリコシル化されたタンパク質であることを示している。脱グリコシル化された２０Ｐ１Ｆ１２／ＴＭＰＲＳＳ２は依然として予測サイズよりも少なくとも５〜１０ｋＤ大きいＭＷを示しており、これは脱グリコシル化反応が完全ではないか（またはそのグリコシル化がＯ結合型である）、または２０Ｐ１Ｆ１２／ＴＭＰＲＳＳ２が付加的な翻訳後修飾（例えばリン酸化、硫酸化など）を示すかもしれないかのいずれかを示している。
【０２６６】
アンドロゲン制御
ノーザンブロッティングは、２０Ｐ１Ｆ１２／ＴＭＰＲＳＳ２の発現が、アンドロゲン非依存性ＬＡＰＣ−９異種移植片およびアンドロゲン非依存性細胞株ＰＣ−３およびＤＵ１４５において減少しているように示しており（図６）、これは２０Ｐ１Ｆ１２／ＴＭＰＲＳＳ２がアンドロゲン制御される遺伝子である可能性を示している。この可能性を探索するために、アンドロゲン依存性の十分なレベルの２０Ｐ１Ｆ１２／ＴＭＰＲＳＳ２を発現するＬＮＣａＰ細胞を、２％のチャコール除去したウシ胎児血清（ＦＢＳ）を含む培地中でそれらを増殖させることにより、１週間アンドロゲンを欠乏させた。細胞はその後、様々な時間点で、合成アンドロゲン類似体であるミボレロンを用いて刺激した。細胞はＲＮＡおよびノーザンブロッティングのために回収した。ローティング対照として、同一ブロットをβアクチンを用いて検査した。結果（図１１）は、アンドロゲン欠乏の間の２０Ｐ１Ｆ１２／ＴＭＰＲＳＳ２の明確な発現減少を示す（図１１）。ミボレロン添加は２０Ｐ１Ｆ１２／ＴＭＰＲＳＳ２発現を有意に増加させ、それがアンドロゲン応答性遺伝子であることを示している。同一試料中の前立腺特異的抗原（ＰＳＡ）の発現を、アンドロゲン制御の陽性対照としてモニターした（図１１）。
【０２６７】
２０Ｐ１Ｆ１２／ＴＭＰＲＳＳ２誘導の最適時間を決定するために、アンドロゲン欠乏細胞は様々な時間点でミボレロンを用いて刺激した。ノーザンおよびウエスタンブロッティングを実施するために、それぞれＲＮＡおよびタンパク質単離用に細胞を回収した。結果（図１２）は、２０Ｐ１Ｆ１２／ＴＭＰＲＳＳ２メッセージの誘導は刺激３時間以内であり、そしてホルモン添加後２４時間を通じて増加したことを示した。加えて、２０Ｐ１Ｆ１２／ＴＭＰＲＳＳ２発現はＬＡＰＣ−４異種移植片においてはわずかに減少するようである。
【０２６８】
タンパク質レベルを解析するために、１Ｆ９ ｍＡｂを用いた細胞溶解物のウエスタンブロッティングを実施した。２０Ｐ１Ｆ１２／ＴＭＰＲＳＳ２発現の付加的対照は、ｎｅｏまたは２０Ｐ１Ｆ１２／ＴＭＰＲＳＳ２のいずれかをコードするレトロウイルスを感染させたＰＣ−３細胞を含んだ。感染ＰＣ−３細胞はＧ４１８中で２〜３週間選択し、そしてウエスタンブロッティングのために回収した。結果は、２０Ｐ１Ｆ１２／ＴＭＰＲＳＳ２ウイルス感染細胞においては２０Ｐ１Ｆ１２／ＴＭＰＲＳＳ２の発現を示し、そしてｎｅｏ細胞においては２０Ｐ１Ｆ１２／ＴＭＰＲＳＳ２の検出可能な発現を示さなかった。
【０２６９】
アンドロゲン欠乏ＬＮＣａＰ細胞を見ると、２０Ｐ１Ｆ１２／ＴＭＰＲＳＳ２の発現は依然として検出可能であるが、アンドロゲン刺激細胞と比較すると、明らかに減少していた。しかしながら、誘導された発現の最初の時間点は刺激９時間後に現れており、２０Ｐ１Ｆ１２／ＴＭＰＲＳＳ２のタンパク質発現はＲＮＡ誘導に遅れることを示している（図１２）。さらに、図２１は、アンドロゲン誘導および３２ｋＤ自己タンパク質分解断片のＬＡＰＣ−４およびＬＮＣａＰ細胞上清への放出、および新規の１０３ｋＤ抗ＴＭＰＲＳＳ２免疫応答性タンパク質複合体の出現を示している。
【０２７０】
これらの結果は、２０Ｐ１Ｆ１２／ＴＭＰＲＳＳ２が、ＰＳＡおよびｈＫ２（Ｙｏｕｎｇら、１９９５、Ｊ．Ａｎｄｒｏｌ．１６：９７）などの他の前立腺特異的プロテアーゼと類似して、アンドロゲン制御される遺伝子であることを証明している。
【０２７１】
ＮＩＨ３Ｔ３の形態に与える２０Ｐ１Ｆ１２／ＴＭＰＲＳＳ２の効果
２０Ｐ１Ｆ１２／ＴＭＰＲＳＳ２は前立腺特異的発現を示し、そしてアンドロゲンにより制御されるようである。異所性の非前立腺癌細胞株に２０Ｐ１Ｆ１２／ＴＭＰＲＳＳ２を発現させる効果を決定するために、２０Ｐ１Ｆ１２／ＴＭＰＲＳＳ２レトロウイルスがＮＩＨ３Ｔ３細胞感染のために使用された。２０Ｐ１Ｆ１２／ＴＭＰＲＳＳ２レトロウイルスを感染された細胞の形態は、対照（ｎｅｏ）ウイルス感染細胞の形態と比較した。感染細胞の集団は、対照細胞と比較して、別個の空胞性の様態を示した（図１３）、これは高レベルの発現と相関しているようである。この感染細胞集団を継代すると、２０Ｐ１Ｆ１２／ＴＭＰＲＳＳ２の明らかな発現減少と共に空胞保持細胞は徐々に減少した。
【０２７２】
２０Ｐ１Ｆ１２／ＴＭＰＲＳＳ２機能の評価
２０Ｐ１Ｆ１２／ＴＭＰＲＳＳ２機能は、２０Ｐ１Ｆ１２／ＴＭＰＲＳＳ２を発現するように設計された哺乳類細胞において評価した。この目的に関しては、２０Ｐ１Ｆ１２／ＴＭＰＲＳＳ２はｐｃＤＮＡ３．１ ｍｙｃ−Ｈｉｓタグ（インビトロゲン）、レトロウイルスベクターｐＳＲαｔｋｎｅｏ（Ｍｕｌｌｅｒら、１９９１、ＭＣＢ １１：１７８５）およびエクジソン誘導可能発現系であるｐＩＮＤ（インビトロゲン）を含むいくつかのベクターにクローン化した。これらの発現ベクターを用いて、２０Ｐ１Ｆ１２／ＴＭＰＲＳＳ２はＰＣ−３を含むいくつかの細胞株において発現された。２０Ｐ１Ｆ１２／ＴＭＰＲＳＳ２の発現は、抗２０Ｐ１Ｆ１２／ＴＭＰＲＳＳ２抗体を用いてウエスタンおよびＦＡＣＳ解析によりモニターした。精製された２０Ｐ１Ｆ１２／ＴＭＰＲＳＳ２は基質を同定するために使用される。
【０２７３】
２０Ｐ１Ｆ１２／ＴＭＰＲＳＳ２を発現するそのような哺乳類細胞株は、その後、細胞増殖、細胞接着、組織培養中の膜浸潤培養系（ＭＩＣＳ）（Ｗｅｌｃｈら、Ｉｎｔ．Ｊ．Ｃａｎｃｅｒ ４３：４４９〜４５７）を用いての細胞膜浸を含むいくつかのインビトロ、およびＳＣＩＤマウスにおける腫瘍形成を含むインビボアッセイにおいて試験することが可能である。２０Ｐ１Ｆ１２／ＴＭＰＲＳＳ２細胞表現型は、２０Ｐ１Ｆ１２／ＴＭＰＲＳＳ２を発現しない細胞の表現型と比較される。
【０２７４】
２０Ｐ１Ｆ１２／ＴＭＰＲＳＳ２の異なるドメインの機能的役割を評価するために、以下の欠失変異体および点突然変異体で生成される：（ｉ）ΔＳＲＣＲ（９３アミノ酸の欠失）；（ｉｉ）ΔＬＤＬＲＡ（３５アミノ酸の欠失）；および（ｉｉｉ）触媒三つ組の変異体：Ｈ２９６Ｑ、Ｄ３４５ＮおよびＳ４４１Ａ（単一点突然変異体）。２０Ｐ１Ｆ１２／ＴＭＰＲＳＳ２変異体は哺乳類細胞における発現のためにレトロウイルスベクターｐＳＲαｔｋｎｅｏにクローン化した。結果として生じる変異体は異なるドメインおよび残基の重要性を導き出すために有用である（例えば下の実施例１０を参照）。加えて、これらの変異体は、そのような変異体がドミナントネガティブ分子として機能するかを決定するために有用である。ドミナントネガティブ活性が、ＬＮＣａＰなどの内在性２０Ｐ１Ｆ１２／ＴＭＰＲＳＳ２を発現する細胞において顕著であるかもしれない。ドミナントネガティブ活性は、プロテアーゼドメインを介する、またはタンパク質−タンパク質相互作用ドメイン介する、基質との相互作用のためであるかもしれない。変異体２０Ｐ１Ｆ１２／ＴＭＰＲＳＳ２分子は、野生型２０Ｐ１Ｆ１２／ＴＭＰＲＳＳ２と同一のインビトロおよびインビボアッセイ法において試験される（上を参照）。そのようなドミナントネガティブ２０Ｐ１Ｆ１２／ＴＭＰＲＳＳ２分子は治療上も有用であるかもしれない。例えばドミナントネガティブ２０Ｐ１Ｆ１２／ＴＭＰＲＳＳ２は癌細胞（膀胱、卵巣、肺、腎臓、または大腸癌細胞、または転移性癌細胞など）に、相当するコード配列を前立腺腫瘍細胞に送達および発現する能力がある遺伝子治療ベクターを介して導入されてもよい。
【０２７５】
正常マウス組織およびトランスジェニックマウスにおける２０Ｐ１Ｆ１２／ＴＭＰＲＳＳ２の発現特性を決定することは、２０Ｐ１Ｆ１２／ＴＭＰＲＳＳ２機能に関するさらなる情報を提供する。本明細書において提供されている２０Ｐ１Ｆ１２／ＴＭＰＲＳＳ２配列から設計されたプローブを用いたノーザンブロットは、マウス２０Ｐ１Ｆ１２／ＴＭＰＲＳＳ２の発現パターンを規定するために使用されてもよい。加えて、マウス胚の発生中の２０Ｐ１Ｆ１２／ＴＭＰＲＳＳ２の発現が解析されうる。結果として生じるデータはマウス遺伝子をクローン化するための組織原料を同定する、およびトランスジェニックマウスノックアウト研究においてどの組織が影響をうけるであろうかを予測するであろう。
【０２７６】
インビボ環境における２０Ｐ１Ｆ１２／ＴＭＰＲＳＳ２の生物学的役割を規定するためにトランスジェニックマウスが生成され、そして使用されてもよい。ある一つの方法においては、ヒトまたはマウス２０Ｐ１Ｆ１２／ＴＭＰＲＳＳ２遺伝子がトランスジェニックマウスを生成するために使用される。マウスにおける自然発生的な腫瘍形成の過剰発現が、トランスジェニックマウスを用いた研究であってもよい。別の方法においては、２０Ｐ１Ｆ１２／ＴＭＰＲＳＳ２遺伝子ノックアウトがマウスにおいて生成されてもよい。そのようなマウスはまた、前立腺癌の侵攻性および転移に対する影響を研究するため、そして疾患進展における変化を観察するために、ＴＲＡＭＰモデル（Ｇｒｅｅｎｂｅｒｇら、１９９５、ＰＮＡＳ ９２：３４３９）などの他の前立腺癌マウスモデルと交配してもよい。
【０２７７】
セリンプロテアーゼ阻害剤との２０Ｐ１Ｆ１２／ＴＭＰＲＳＳ２機能的相互作用を試験する実験はまた、２０Ｐ１Ｆ１２／ＴＭＰＲＳＳ２機能に関する情報を提供するであろう。この目的に関しては、低分子阻害剤または生物学的阻害剤を用いて阻害が達成される。
【０２７８】
実施例６：２０Ｐ１Ｆ１２／ＴＭＰＲＳＳ２タンパク質は組織および細胞株においてタンパク質分解により切断される
マウスＭＡｂが２０Ｐ１Ｆ１２／ＴＭＰＲＳＳ２のプロテアーゼドメインに対して生成された。１Ｆ９ ＭＡｂを用いた２９３Ｔ細胞由来タンパク質抽出物のウエスタンブロッティングは、２０Ｐ１Ｆ１２／ＴＭＰＲＳＳ２トランスフェクション細胞においてのみ、７０および３２キロダルトン（ｋｄ）の見かけ上の分子量を有する２個のタンパク質種の等しい発現を示したが、対照ベクタートランスフェクション細胞においては示さなかった（図１５）。２０Ｐ１Ｆ１２／ＴＭＰＲＳＳ２の予測分子量（ＭＷ）は５４ｋｄであり、７０ｋＤアイソフォームがおそらくはグリコシル化により修飾されていることを示唆する。２０Ｐ１Ｆ１２／ＴＭＰＲＳＳ２タンパク質配列は、１２８、２１３、および２４９位の残基に可能性のある３つのＮ結合型グリコシル化部位を含んでいる。エンドグリコシダーゼＦ処理した２０Ｐ１Ｆ１２／ＴＭＰＲＳＳ２タンパク質を用いた予備研究は、タンパク質が実際にグリコシル化されていることを示している。３２ｋｄ型は、抗体により認識されるカルボキシル末端エピトープを含む、タンパク質分解により切断された断片であるかもしれない。
【０２７９】
ノーザンブロッティングにより様々なレベルの２０Ｐ１Ｆ１２／ＴＭＰＲＳＳ２を発現するヒト組織および細胞株の解析は、２０Ｐ１Ｆ１２／ＴＭＰＲＳＳ２トランスフェクション２９３Ｔ細胞におけるのと同一のタンパク質発現パターンを示した。２０Ｐ１Ｆ１２／ＴＭＰＲＳＳ２発現は、ＬＡＰＣ−４ ＡＤ、ＬＡＰＣ−９ ＡＤおよびＬＮＣａＰ細胞由来のタンパク質溶解物において検出されたが、しかしアンドロゲン非依存性のＰＣ−３およびＤＵ１４５細胞においては検出されなかった。マッチングした正常隣接組織を有する３個の前立腺癌標本の解析は、正常前立腺組織を含む全ての試料における２０Ｐ１Ｆ１２／ＴＭＰＲＳＳ２タンパク質の有意な発現を示した。高い発現は大腸癌細胞株Ｃｏｌｏ−２０５においても検出された（図１４）。
【０２８０】
興味深いことに、図２３に示されているように、２８歳の事故犠牲者である男性の正常前立腺由来の全組織溶解物（パネルＣ）においては、２０Ｐ１Ｆ１２／ＴＭＰＲＳＳ２の７０ｋＤおよび３２ｋＤ種の間の比は、癌に罹患している個人の前立腺由来の全組織溶解物（パネルＢ）において観察されるものと異なっているようであり、タンパク質分解の誘導が疾患と相関しうる証拠を提供する。
【０２８１】
実施例７：２０Ｐ１Ｆ１２／ＴＭＰＲＳＳ２タンパク質発現はアンドロゲン受容体シグナル依存性である
我々の解析は、２０Ｐ１Ｆ１２／ＴＭＰＲＳＳ２の発現が、アンドロゲン依存性異種移植片および細胞株と比較して、アンドロゲン非依存性ＬＡＰＣ−９異種移植片およびアンドロゲン非依存性細胞株ＰＣ−３およびＤＵ１４５においてより低いことを示している。アンドロゲン依存性ＬＡＰＣ−９腫瘍を有する雄マウスは去勢により、２０Ｐ１Ｆ１２／ＴＭＰＲＳＳ２発現が劇的に減少する。これらの発見を発展するために、アンドロゲン依存性であり、そして十分なレベルの２０Ｐ１Ｆ１２／ＴＭＰＲＳＳ２を発現するＬＮＣａＰ細胞を、１週間アンドロゲンを欠乏させた。アンドロゲン欠乏細胞における２０Ｐ１Ｆ１２／ＴＭＰＲＳＳ２タンパク質発現を、ミボレロン処理細胞における発現と比較した。結果は、アンドロゲン欠乏の間２０Ｐ１Ｆ１２／ＴＭＰＲＳＳ２発現が有意に減少したことを示す（図１６Ａ）。ミボレロンを用いたアンドロゲン欠乏ＬＮＣａＰ細胞の９時間および２４時間の刺激により、非処理ＬＮＣａＰ細胞においてみられるのと同程度の２０Ｐ１Ｆ１２／ＴＭＰＲＳＳ２発現の増加が生じた。ＰＳＡタンパク質レベルも平行して測定され、類似の制御が示された。
【０２８２】
通常はアンドロゲン受容体を発現せず（Ｔｉｌｌｅｙら、１９９０、Ｃａｎｃｅｒ Ｒｅｓ．１９９０、５０：５３８２〜５３８６）、そしてアンドロゲン非依存性様式で増殖する、ＰＣ−３細胞は、２０Ｐ１Ｆ１２／ＴＭＰＲＳＳ２をほとんど発現しないか、全く発現していない。しかしながら、野生型アンドロゲン受容体を発現するように設計されたＰＣ−３細胞は、ミボレロン処理した時、低いレベルの２０Ｐ１Ｆ１２／ＴＭＰＲＳＳ２発現を示す（図１６Ａ）。これは前立腺癌細胞における２０Ｐ１Ｆ１２／ＴＭＰＲＳＳ２発現はアンドロゲン受容体シグナル依存性であり、そしてアンドロゲン非依存性前立腺癌細胞においてこの経路を回復することは２０Ｐ１Ｆ１２／ＴＭＰＲＳＳ２発現を再活性化することを示す。ＰＣ−３細胞におけるＰＳＡ発現もまた、アンドロゲン受容体の異所性発現および髄伴的アンドロゲン刺激により誘導されうる（Ｄａｉら、１９９６、Ｓｔｅｒｏｉｄｓ ６１：５３１〜５３９）。これらの研究は、ＰＳＡに類似して、２０Ｐ１Ｆ１２／ＴＭＰＲＳＳ２タンパク質発現はアンドロゲン受容体経路に決定的に依存していることを証明する。
【０２８３】
実施例８：２０Ｐ１Ｆ１２／ＴＭＰＲＳＳ２プロテアーゼは前立腺癌細胞の培地に放出される
２０Ｐ１Ｆ１２／ＴＭＰＲＳＳ２の構造予測は、それがプロテアーゼドメインを有するタイプ２膜貫通タンパク質であることを示唆している。切断された３２ＫＤの２０Ｐ１Ｆ１２／ＴＭＰＲＳＳ２断片の大きさは、それが全プロテアーゼ領域を含むことを示唆する。このドメインの切断はしたがって、細胞外空間へのプロテアーゼの放出を結果として生じる。この仮説を試験するために、培地をアンドロゲン欠乏およびアンドロゲン刺激ＬＮＣａＰおよびＬＡＰＣ−４細胞から回収した。培地はその後、抗２０Ｐ１Ｆ１２／ＴＭＰＲＳＳ２ ＭＡｂを用いた免疫沈降法およびウエスタンブロッティングにより、２０Ｐ１Ｆ１２／ＴＭＰＲＳＳ２タンパク質の存在が解析された。結果は、アンドロゲン刺激細胞の培地において、しかしアンドロゲン欠乏細胞においてはそうではない、切断された２０Ｐ１Ｆ１２／ＴＭＰＲＳＳ２タンパク質の明らかな検出を示す（図１６Ｂ）。培地中に存在するプロテアーゼの量は、細胞抽出物中に存在する２０Ｐ１Ｆ１２／ＴＭＰＲＳＳ２タンパク質の量に直接的に相関しており、ミボレロンの用量増加と共に増加する（図１６Ｂ）。分泌された２０Ｐ１Ｆ１２／ＴＭＰＲＳＳ２プロテアーゼはＬＮＣａＰ細胞を保持するマウスの血清においてもまた検出される。
【０２８４】
実施例９：２０Ｐ１Ｆ１２／ＴＭＰＲＳＳ２は前立腺および大腸癌細胞の分泌表皮において発現している
前立腺癌生検および手術試料における２０Ｐ１Ｆ１２／ＴＭＰＲＳＳ２の発現が免疫組織化学解析により検討された。２０Ｐ１Ｆ１２／ＴＭＰＲＳＳ２タンパク質の特異的染色は、１週間アンドロゲンを欠乏させ、そしてその後非処理で放置させたか、またはミボレロンで９時間刺激させたかのいずれかのＬＮＣａＰ細胞を用いて確認された。細胞はその後固定し、パラフィン中に包埋し、そして１Ｆ９抗２０Ｐ１Ｆ１２／ＴＭＰＲＳＳ２抗体を用いて染色した。アンドロゲン欠乏ＬＮＣａＰの２０Ｐ１Ｆ１２／ＴＭＰＲＳＳ２染色では、ほとんど染色されない細胞が示された。対照的に、アンドロゲン刺激細胞の大部分では、強い細胞内染色が示された（図１７Ａ、Ｂ）。定常培地において増殖するＬＮＣａＰ細胞はアンドロゲン刺激細胞と類似した染色を示した。出現した染色の大部分は細胞内の顆粒状構造に局在した。
【０２８５】
２０個の臨床標本の解析は、試験した全ての正常前立腺、ＰＩＮおよび前立腺癌試料の腺上皮において中度から強度の染色を示した（以下の図１７ＣおよびＤ、および表１）。シグナルは分泌細胞の頂点側において最強のようであり、そしていくつかの事例においてはＬＮＣａＰ細胞において観察されたように顆粒状染色が見られた。ＧＳＴ単独ではできなかったが、ＧＳＴ−２０Ｐ１Ｆ１２／ＴＭＰＲＳＳ２免疫原が競合的に前立腺癌組織の染色を阻害することができたので、前立腺組織染色は特異的であった。ＰＳＡに類似して、２０Ｐ１Ｆ１２／ＴＭＰＲＳＳ２タンパク質は表皮腺の内腔内に集積していることが見出され（図１７Ｅ、Ｆ）、２０Ｐ１Ｆ１２／ＴＭＰＲＳＳ２タンパク質が分泌上皮により分泌されていることを示している。
【０２８６】
検査された正常前立腺試料の基底細胞層においてはタンパク質発現は検出されなかった。この染色パターンは、主に正常前立腺の腺の基底細胞層における２０Ｐ１Ｆ１２／ＴＭＰＲＳＳ２ ＲＮＡの発現を示した、ＲＮＡインサイチューハイブリダイゼーション解析とは対照的である（Ｌｉｎら、１９９９）。
【０２８７】
いくつかの非前立腺組織の解析は、いくらかの２０Ｐ１Ｆ１２／ＴＭＰＲＳＳ２メッセージを発現する腎臓、肺を含む、ほとんどの組織において染色を示さなかった（表１）。タンパク質発現は、正常膵臓試料、正常大腸組織および大腸癌組織において検出された（表１）。膵臓での染色は錐体外分泌腺房細胞に限局されていた。ランゲルハンス島には染色は検出されなかった。正常大腸における染色は主として粘膜ライニングに現れた（図１７Ｇ）。大腸癌における染色は一般的には正常大腸組織よりも顕著であった。２０Ｐ１Ｆ１２／ＴＭＰＲＳＳ２のかなりの蓄積がまた内腔側領域にも検出され（図１７Ｈ）（プロテアーゼドメインに対する抗体を用いた染色により示されているように）、抗原分泌の証拠を提供している。さらに、例えば、図１７Ｈにおいて図解されているように、癌においては、組織構築は破壊されており、それがＰＳＡと類似の様式において、２０Ｐ１Ｆ１２／ＴＭＰＲＳＳ２の血流への漏出の結果となる可能性が高い。
【０２８８】
実施例１０：２０Ｐ１Ｆ１２／ＴＭＰＲＳＳ２切断は自己触媒活性の結果である
２０Ｐ１Ｆ１２／ＴＭＰＲＳＳ２の単一点突然変異体が２段階ＰＣＲ法を用いて生成された。アルギニン残基２４０、２５２および２５５はグルタミンに変異され、セリン４４１はアラニンに変異された。全長ｃＤＮＡクローンを鋳型として用いて、５’−２０Ｐ１Ｆ１２／ＴＭＰＲＳＳ２ ＰＣＲ断片が、一つの変異導入プライマー（Ｓ４４１Ａ変異体に対しては
2004511219.tif 000006
、Ｒ２４０Ｑに対しては
2004511219.tif 000007
、Ｒ２５２Ｑに対しては
2004511219.tif 000008
、およびＲ２５５Ｑに対しては
2004511219.tif 000009
）および開始コドン、コザック配列、およびクローン化用のＥｃｏＲＩ部位を含む一つの５’特異的２０Ｐ１Ｆ１２／ＴＭＰＲＳＳ２プライマー
2004511219.tif 000010
を用いて生成された。３’断片は変異導入プライマーの逆向き相補体（Ｓ４４１Ａに対しては
2004511219.tif 000011
、Ｒ２４０Ｑに対しては
2004511219.tif 000012
、Ｒ２５２Ｑに対しては
2004511219.tif 000013
、およびＲ２５５Ｑに対しては
2004511219.tif 000014
）および、終始コドンおよびクローン化用のＸｈｏＩ部位を含む３’特異的２０Ｐ１Ｆ１２／ＴＭＰＲＳＳ２プライマー
2004511219.tif 000015
を用いてＰＣＲにより生成された。第２ラウンドのＰＣＲに関しては、３’および５’断片が鋳型として使用された。最終ＰＣＲ産物はＥｃｏＲＩおよびＸｂａＩを用いて消化し、そしてｐＳＲαＭＳＶ−ｔｋＮｅｏにクローン化した。タンパク質発現は２９３Ｔ細胞へのトランスフェクションの後、解析された。
【０２８９】
２０Ｐ１Ｆ１２／ＴＭＰＲＳＳ２は、優勢的に、タンパク質分解による切断の結果である可能性が最も高い３２ＫＤタンパク質として発現している。この切断が２０Ｐ１Ｆ１２／ＴＭＰＲＳＳ２の触媒活性のためかを決定するために、プロテアーゼドメインの触媒トライアドのセリン残基４４１がアラニンに変異された（Ｓ４４１Ａ）。２０Ｐ１Ｆ１２／ＴＭＰＲＳＳ２変異体ｃＤＮＡは２９３Ｔ細胞における発現のためにレトロウイルスベクターにクローン化した。野生型またはＳ４４１Ａ変異体２０Ｐ１Ｆ１２／ＴＭＰＲＳＳ２のいずれかをトランスフェクションした２９３Ｔ細胞の細胞抽出物のウエスタンブロット分析は、野生型タンパク質とは対照的に、２０Ｐ１Ｆ１２／ＴＭＰＲＳＳ２ Ｓ４４１Ａは見かけ上の分子量が７０ＫＤを有する単一のタンパク質種として出現したことを示した。興味深いことにカルボキシル末端にｍｙｃ−Ｈｉｓタグを有する２０Ｐ１Ｆ１２／ＴＭＰＲＳＳ２もまた、いくつかの切断産物が検出されるけれども、優勢的には、全長タグ付きタンパク質の発現を示した。これは、プロテアーゼドメインのカルボキシル末端のｍｙｃ−Ｈｉｓタグが、タンパク質分解による切断にいくらかの阻害活性を発揮することを示唆している（図１８）。これらの実験のこれらの結果は、細胞および組織内における２０Ｐ１Ｆ１２／ＴＭＰＲＳＳ２のタンパク質分解による切断は自己触媒活性の結果であることを証明している。
【０２９０】
２０Ｐ１Ｆ１２／ＴＭＰＲＳＳ２のプロテアーゼドメインはアルギニンまたはリジン残基の後に切断活性を有するセリンプロテアーゼＳ１ファミリーに属する。タンパク質配列の検討は、２０Ｐ１Ｆ１２／ＴＭＰＲＳＳ２のプロテアーゼドメインのアミノ末端領域近くの３個のアルギニン残基の存在を明らかにする（２４０、２５２、２５５位のアミノ酸）。プロテアーゼドメインの実際の切断部位を同定するために、３個のアルギニン残基がグルタミン残基に変異された。変異体は一過性トランスフェクションにより２９３Ｔ細胞において発現され、そしてウエスタンブロッティングにより解析された。Ｒ２５５Ｑ変異のみが自己触媒切断を消失する結果となり、アルギニン２５５−イソロイシン２５６結合がタンパク質分解による切断部位であるとして同定された。これらの結果は図３４に示されている。
【０２９１】
実施例１１：異なる生物学的試料における異なる２０Ｐ１Ｆ１２／ＴＭＰＲＳＳ２種の観察
２０Ｐ１Ｆ１２／ＴＭＰＲＳＳ２タンパク質の自己触媒および３２ｋＤ断片の生成が、前立腺および大腸癌において生物学的および臨床的意義を有しうることを決定するために、２０Ｐ１Ｆ１２／ＴＭＰＲＳＳ２タンパク質発現は、ヒト臨床大腸および前立腺癌血清試料およびＬＮＣａＰ前立腺癌異種移植片を保持するマウス由来の血清中でモニターされた。これらの血清試料の、抗２０Ｐ１Ｆ１２／ＴＭＰＲＳＳ２ １Ｆ９ ｍＡｂを用いた免疫沈降法／ウエスタン分析は、ＬＮＣａＰマウス血清および前立腺および大腸癌試料において３２ｋＤ切断断片の発現を証明したが、しかし解析された２個の正常男性血清試料においてはそうではなかった（図２３ＡおよびＢ）。ヒト血清試料において３２ｋＤ断片を表すバンドは、免疫沈降法において残る同分子量のヒト軽鎖免疫グロブリンの優勢な存在のために、ＬＮＣａＰ上清中の断片よりも低い分子量に泳動する。２０Ｐ１Ｆ１２／ＴＭＰＲＳＳ２のタンパク質分解による断片が癌には存在するが、正常血清試料には存在しないことは、２０Ｐ１Ｆ１２／ＴＭＰＲＳＳ２が膀胱、卵巣および肺癌および転移性癌ならびに、前立腺および大腸癌の血清診断マーカーでありうることを示唆する。ＬＮＣａＰ細胞の組織培養上清においてそうであるように、３２ｋＤ断片が発現している血清試料において、１０３ｋＤの抗２０Ｐ１Ｆ１２／ＴＭＰＲＳＳ２免疫応答性複合体が検出された。本明細書において提供されている開示により、３２ｋＤ断片が生物学的に活性のあるセリンプロテアーゼをコードすること、および１０３ｋＤの新規バンドが２０Ｐ１Ｆ１２／ＴＭＰＲＳＳ２の３２ｋＤプロテアーゼドメインおよび血清セリンプロテアーゼ阻害剤（セルピン（ｓｅｒｐｉｎ））の複合体を表しうることの証拠が提供される。そのような血清複合体は、各々が血清中に、遊離型およびセルピンα１抗キモトリプシンとの複合体として存在する前立腺特異的カリクレインＰＳＡおよびｈＫ２に関してよく記載されている（例えば、Ｇｒａｕｅｒ，ＬＳら、「前立腺癌血清におけるその前駆体型およびプロテアーゼ阻害剤との複合体としてのヒト腺カリドレイン、ｈＫ２の検出（Ｄｅｔｅｃｔｉｏｎ ｏｆ ｈｕｍａｎ ｇｒａｎｄｕｌａｒ ｋａｌｌｉｄｒｅｉｎ、ｈＫ２、ａｓ ｉｔｓ ｐｒｅｃｕｒｓｏｒ ｆｏｒｍ ａｎｄ ｉｎ ｃｏｍｐｌｅｘ ｗｉｔｈ ｐｒｏｔｅａｓｅ ｉｎｈｉｂｉｔｏｒｓ ｉｎ ｐｒｏｓｔａｔｅ ｃａｒｃｉｎｏｍａ ｓｅｒｕｍ）」Ｊ．Ａｎｄｒｏｌ．１９：４０７〜４１１，１９９８；Ｃｈｒｉｓｔｅｎｓｓｏｎ Ａら、「前立腺癌の指標としての、α１抗キモトリプシンと複合体形成した血清前立腺特異的抗原（Ｓｅｒｕｍ ｐｒｏｓｔａｔｅ ｓｐｅｃｉｆｉｃ ａｎｔｉｇｅｎ ｃｏｍｐｌｅｘｅｄ ｔｏ ａｒｐｈａ １−ａｎｔｉｃｈｙｍｏｔｒｙｐｓｉｎ ａｓ ａｎ ｉｎｄｉｃａｔｏｒ ｏｆ ｐｒｏｓｔａｔｅ ｃａｎｃｅｒ）」Ｊ．Ｕｒｏｌ．１５０：１００〜１０５、１９９３；Ｃｌｅｍｅｎｔｓ ＪＡ．「ヒトカリクレイン遺伝子ファミリー：発現および機能の多様性（Ｔｈｅ ｈｕｍａｎ ｋａｌｌｉｋｒｅｉｎ ｇｅｎｅ ｆａｍｉｌｙ：ａ ｄｉｖｅｒｓｉｔｙ ｏｆ ｅｘｐｒｅｓｓｉｏｎ ａｎｄ ｆｕｎｃｔｉｏｎ）」Ｍｏｌ．Ｃｅｌｌ．Ｅｎｄｒｏｃｒｉｎｏｌ．���９：Ｃ１〜Ｃ６、１９９４を参照）。興味深いことに、若い正常男性（２８歳）由来の前立腺組織の２０Ｐ１Ｆ１２／ＴＭＰＲＳＳ２発現解析は、前立腺癌患者および細胞株由来の試料と比較して全長２０Ｐ１Ｆ１２／ＴＭＰＲＳＳ２の優勢な発現を示す（図２３Ｃ）。この観察により、切断断片の全長２０Ｐ１Ｆ１２／ＴＭＰＲＳＳ２に対する相対比が、健康な前立腺および大腸組織に対して疾患では増加するかもしれないとの証拠が提供される。
【０２９２】
前立腺特異的アンドロゲン制御セリンプロテアーゼであるＰＳＡおよび２０Ｐ１Ｆ１２／ＴＭＰＲＳＳ２の類似性のために、ＰＳＡのように２０Ｐ１Ｆ１２／ＴＭＰＲＳＳ２の本来の機能が、精液中の分泌型セリンプロテアーゼでありうるか否かを調査した。正常精漿のウエスタン分析は、若干小さな３０ｋＤ断片ならびに２０Ｐ１Ｆ１２／ＴＭＰＲＳＳ２の３２ｋＤ切断断片の高レベルの発現を証明する（図２４Ａ）。組織溶解物中で見られるような、全長７０ｋＤの２０Ｐ１Ｆ１２／ＴＭＰＲＳＳ２タンパク質の検出可能な発現は精漿中には見られなかった、しかしながら２０Ｐ１Ｆ１２／ＴＭＰＲＳＳ２プロテアーゼドメインおよび精漿セルピンの共有結合複合体を表すかもしれない９０ｋＤの新規のより高分子量の免疫応答性バンドが見られる。ＬＮＣａＰ上清および精漿中の２０Ｐ１Ｆ１２／ＴＭＰＲＳＳ２の免疫沈降法／ウエスタン分析により、両者において３２ｋＤ断片の、しかし精漿（９０ｋＤ）と比較して、上清を含む血清中においては異なるより高分子量の複合体の発現が証明される。ＰＳＡは血清中でα１抗キモトリプシンと、しかし精漿中ではプロテインＣ阻害剤と複合体形成することが発見されている（Ｅｓｐａｎａら、Ｔｈｒｏｍｂ．Ｒｅｓ．６４：３０９〜３２０、１９９１；Ｃｈｒｉｓｔｅｎｓｓｏｎら、Ｅｕｒ．Ｊ．Ｂｉｏｃｈｅｍ．２２０：４５〜５３、１９９４）。１０３ｋＤ血清バンドおよび９０ｋＤ精漿バンドが異なるセルピンとの複合体を表す、およびこれらの液体中のセルピンの相対的濃度が複合体形成を支配するかもしれない点で、類似の状況が２０Ｐ１Ｆ１２／ＴＭＰＲＳＳ２に関しても存在するかもしれない。興味深いことに、９０ｋＤのより小さなバンドはＬＮＣａＰ上清免疫沈降物においてもまた見られる（図２４Ｂ）。
【０２９３】
加えて、図２６に示されているように、２０Ｐ１Ｆ１２／ＴＭＰＲＳＳ２の３２ｋＤ切断断片の高レベルの発現が、正常大腸組織と比較して、大腸癌細胞株および大腸癌組織試料において見られる。具体的には、マッチングされた大腸癌組織または正常隣接組織（ブロットの左側）を表す臨床標本の、および大腸癌細胞株（ブロットの右側）、およびＬＡＰＣ４およびＬＡＰＣ９前立腺癌異種移植片の溶解物が１Ｆ９ ｍＡｂを用いた抗ＴＭＰＲＳＳ２ウエスタンブロットに供された。矢印は、３２ｋＤ自己触媒断片および７０ｋＤ全長２０Ｐ１Ｆ１２／ＴＭＰＲＳＳ２タンパク質の位置を示す。３２ｋＤ断片のより高い発現が、マッチングさせた正常隣接組織におけるものよりも、大腸癌組織において見られる。同様に、大腸癌細胞株に存在する優勢な免疫応答性種はまた３２ｋＤ断片である。興味深いことに、大腸試料においては全長２０Ｐ１Ｆ１２／ＴＭＰＲＳＳ２タンパク質の非常に低い発現しかないが、しかし３２ｋＤ断片の複合体を表しうる〜９０ｋＤおよび〜５０ｋＤの抗ＴＭＰＲＳＳ２免疫応答性バンドの強い発現が大腸組織において存在する。
【０２９４】
実施例１２：前立腺、膀胱、卵巣、肺、腎臓または大腸癌の診断および／または治療標的として２０Ｐ１Ｆ１２／ＴＭＰＲＳＳ２の使用を決定するための方法論
当技術分野においてよく知られている多様な方法論が、前立腺および大腸癌の診断および／または治療標的として２０Ｐ１Ｆ１２／ＴＭＰＲＳＳ２の使用を検討するため、および前立腺および大腸癌患者の臨床液体において２０Ｐ１Ｆ１２／ＴＭＰＲＳＳ２タンパク質を特性化および定量するために使用されうる。例えば、上記の実施例５において記載されているようにｍＡｂの既存のパネル（６個のＩｇＧ１、１個のＩｇＧ２ａ）を用いて、高感度補足ＥＬＩＳＡをさらに開発することが可能である。そのようなＥＬＩＳＡのプロトコールは例えば、「分子生物学の最新プロトコール（Ｃｕｒｒｅｎｔ Ｐｒｏｔｏｃｏｌｓ ｉｎ Ｍｏｌｅｃｕｌａｒ Ｂｉｏｌｏｇｙ）」第１１章、Ｆｒｅｄｅｒｉｃｋ Ｍ Ａｕｓｕｂｅｌら編、１９９５に見出すことが可能である。付加的には、上記で説明のように、例えばウエスタン戦略を用いて、異なる状況における２０Ｐ１Ｆ１２／ＴＭＰＲＳＳ２の発現および複合体形成を評価するために、当業者は臨床試料のスペクトルを解析することが可能である。そのようなウエスタン戦略は、例えば、「分子生物学の最新プロトコール（Ｃｕｒｒｅｎｔ Ｐｒｏｔｏｃｏｌｓ ｉｎ Ｍｏｌｅｃｕｌａｒ Ｂｉｏｌｏｇｙ）」、第１０章、Ｆｒｅｄｅｒｉｃｋ Ｍ Ａｕｓｕｂｅｌら編、１９９５に記載されている。付加的には、当業者はＥＬＩＳＡ開発において、２０Ｐ１Ｆ１２／ＴＭＰＲＳＳ２結合相手と複合体を形成する抗体の潜在的な使用法（ＰＳＡおよび抗セルピン抗体に関して観察されるものと類似の方法）を決定することが可能である。さらには、プロテアーゼ以外のドメイン（ＳＲＣＲ、ＬＤＬ、細胞内など）ならびにプロテアーゼドメインに対するｍＡｂのパネルを生成することが可能である。
【０２９５】
加えて、当技術分野においてよく知られている多様な方法論が、血清（１０３ｋＤ）および精液（９０ｋＤ）中の新規の高分子量２０Ｐ１Ｆ１２／ＴＭＰＲＳＳ２免疫応答性バンドを同定および特性化するために使用されうる。例えば、当業者は、２０Ｐ１Ｆ１２／ＴＭＰＲＳＳ２複合体形成を同定するために、血清および精液セルピンなどの２０Ｐ１Ｆ１２／ＴＭＰＲＳＳ２と相互作用する可能性が高い（ＰＳＡなどの類似分子の観察に基づいて）分子の既知のパネルをスクリーニングすることが可能である。そのような候補分子はまた、α１抗キモトリプシン（血清中のＰＳＡおよびｈＫ２の複合体）、プロテインＣ阻害剤（精液中のＰＳＡおよびｈＫ２の複合体）、α２マクログロブリン、α１抗トリプシン、α２抗プラスミン、抗トロンビンＩＩＩおよび他のセルピンもまた含む。または、既知のタンパク質精製（親和性カラムなど）および配列決定技術を用いて結合相手を単離し、そして配列決定することができる。
【０２９６】
加えて、当技術分野においてよく知られている多様な方法論が、２０Ｐ１Ｆ１２／ＴＭＰＲＳＳ２のタンパク質分解活性および基質特異性を同定および特性化するために使用されうる。特に、例えば２０Ｐ１Ｆ１２／ＴＭＰＲＳＳ２ポリペプチドのインビトロおよびインビボ腫瘍増殖に与える効果を検討するために、精製または組換え２０Ｐ１Ｆ１２／ＴＭＰＲＳＳ２（プロテアーセドメイン断片ならびに全長分子の両方）を用いてプロテアーセアッセイ法を活用することが可能である。加えて、セメノゲリン（ｓｅｍｅｎｏｇｅｌｉｎ）ＩおよびＩＩ（ＰＳＡおよびｈＫ２に標的される）、フィブロネクチン（ＰＳＡおよびｈＫ２に標的される）、ＰＳＡ（ｈＫ２に標的される）、高分子量キニノーゲン（ｈＫ１、ｈＫ２に標的される）などの潜在的なインビボ基質（それは精液中の天然標的であってもよい）、ブラジキニン放出および自己触媒をアッセイすることが可能である。加えて、当技術分野における既知の方法は、蛍光ペプチド基質が切断特異性を決定するために使用することができる。
【０２９７】
加えて、当技術分野においてよく知られている多様な方法論が、抗２０Ｐ１Ｆ１２／ＴＭＰＲＳＳ２ ｍＡｂの腫瘍増殖に与えるインビボおよびインビトロの効果を検討するために使用されうる。例えば、ＳＣＩＤモデルにおける腫瘍生着および転移に対するそのような分子の効果を検討することが可能である（例えば、Ｓａｔｏら、Ｃａｎｃｅｒ Ｒｅｓ．１９９７ Ａｐｒ １５；５７（８）：１５８４〜９）。
【０２９８】
または、例えば、癌システムモデルを提供する下記および当技術分野において既知のマトリゲルアッセイ法を用いて、インビトロの増殖／浸潤／コロニー増殖に与えるそのような分子の効果を検討することが可能である（たとえば、Ｂａｅら、Ｂｒｅａｓｔ Ｃａｎｃｅｒ Ｒｅｓ．Ｔｒｅｔ．２４（３）：２４１〜５５（１９９３）を参照）。
【０２９９】
実施例１３：２０Ｐ１Ｆ１２／ＴＭＰＲＳＳ２による浸潤の調節
この実施例において提供されているデータにおいて開示されているように、２０Ｐ１Ｆ１２／ＴＭＰＲＳＳ２はＰＳＡにおいて観察されたものと類似の抗浸潤活性を示すプロテアーゼである。
【０３００】
様々なコンテクストで２０Ｐ１Ｆ１２／ＴＭＰＲＳＳ２に暴露された腫瘍細胞の浸潤能を比較するために、これらの集団がトランスウェルインサートシステム（ベクトンディッキンソン）を用いてそれらの浸潤能に関してアッセイした。製造元の指示書にしたがって、細胞に蛍光色素、すなわちカルセイン（Ｃａｌｃｅｉｎ）をロードし、そしてトランスウェルインサートの上部ウェルに播種した。浸潤はその後、全細胞集団の蛍光に対する、低部チャンバー内の細胞の蛍光を測定することにより決定した。すべてのアッセイは３回実施した。
【０３０１】
これらの実験においては、記載されたアッセイの性能を容易にするために、浸潤チャンバーおよびアッセイを記載したベクトンディッキンソン技術要覧が当てにされた。２個の適切な要覧は（ｉ）技術要覧４２７：「改良型マトリゲル浸潤チャンバー（ａｎ ｉｍｐｒｏｖｅｄ ＭＡＴＲＩＧＥＬ Ｉｎｖａｓｉｏｎ Ｃｈａｍｂｅｒ）」、および（ｉｉ）技術要覧４２８：「蛍光阻止膜インサートが細胞運動能アッセイの解析を増強する（Ａｎ Ｆｌｕｏｒｅｓｃｅｎｃｅ Ｂｌｏｃｋｉｎｇ Ｍｅｍｂｒａｎｅ Ｉｎｓｅｒｔ Ｅｎｈａｎｃｅｓ Ａｎａｌｙｓｉｓ ｏｆ Ｃｅｌｌ Ｍｏｔｉｌｉｔｙ Ａｓｓａｙｓ）」であり、そして両要覧からの情報が我々のアッセイシステムを最適化するために使用された。購入した材料は（ｉ）８ミクロン蛍光ブロック（ＦｌｕｏｒｏＢｌｏｃｋ）インサート、および（ｉｉ）マトリゲルであった。インサートをマトリゲルを用いてコーティングし、一晩乾燥し、そして最短でも２時間再水和した。その後例えば図２７において示されているように、親および設計されたＰＣ３細胞を蛍光指示薬、カルセインを用いて標識し、そしてマトリゲルコーティングされたインサート中にてインキュベーションした。浸潤は、上部チャンバーからマトリゲルコーティングされたインサートを通じて、下部チャンバーに移動した細胞の蛍光を測定することにより、検出した。「総細胞数」または「総浸潤」の対照として、細胞は直接下部チャンバーに播種した。浸潤パーセントは以下の公式により計算した：（下部ウェルに移動した細胞の蛍光／総細胞の蛍光）ｘ１００。Ｃａｎｃｅｒ Ｒｅｓ．１９９９ Ｄｅｃ １；５９（２３）６０１０〜４；Ｃｌｉｎ Ｅｘｐ Ｍｅｔａｓｔａｓｉｓ．１９９８ Ａｕｇ；１６（６）５１３〜２８およびＪ Ｕｒｏｌ．２０００ Ｍａｒ；１６３（３）９８５〜９２において議論されている処理もまた参照のこと。
【０３０２】
本明細書において使用されているインビトロマトリゲルアッセイ法は、前立腺、膀胱、卵巣、肺、腎臓、および大腸癌を含む病理において生じる癌細胞浸潤の特異的条件（例えば、前立腺からリンパ節への前立腺癌細胞の移動）に相関するとして認識されている癌細胞浸潤の研究のためのよく知られたモデルである。結果としてこのモデルは基底膜への腫瘍および内皮細胞浸潤に関与する機構を同定するための、および抗浸潤薬剤をスクリーニングするための特別に有用なツールを提供する（例えばＡｌｂｉｎｉ、Ｐａｔｈｏｌ．Ｏｎｃｏｌ．Ｒｅｓ．１９９８、４（３）：２３０〜２４１ページ；Ｈａｚａｎら、Ｊ Ｃｅｌｌ．Ｂｉｏｌ．２０００ Ｆｅｂ ２１：１４８（４）：７７９〜９０ページ、およびＸｉｎｇら、Ｅｎｄｏｃｒｉｎｏｌｏｇｙ １９９９ Ｓｅｐ；１４０（９）：４０５６〜６４ページを参照）。結果としてこのシステムは広範囲な癌の治療薬を評価するために広く使用される（例えばＦｅｓｔｕｃｃｉａら、Ｃｌｉｎ．Ｅｘｐ．Ｍｅｔａｓｔａｓｉｓ １９９８、１６（６）、５１３〜５２８ページ、Ｆｅｓｔｕｃｃｉａら、Ｏｎｃｏｌ．Ｒｅｓ．１９９９、１１（１）：１７〜３１ページ、Ｈｉｓｃｏｘら、Ｃｌｉｎ．Ｅｘｐ．Ｍｅｔａｓｔａｓｉｓ １９９５、１３（５）：３９６〜４０４ページ、およびＲａｏらＪ．Ｎｅｕｒｏｏｎｃｏｌ．１９９４、１８（２）：１２９〜１３８ページを参照）。
【０３０３】
図２７Ａ〜２７Ｃにおいて示されている結果においては、親ＰＣ３細胞および２０Ｐ１Ｆ１２／ＴＭＰＲＳＳ２を安定的に発現しているＰＣ３細胞を、トランスウェルインサートシステム（ベクトンディッキンソン）を用いて、それらの浸潤能に関してアッセイした。細胞には蛍光色素、すなわちカルセインをロードし、そしてトランスウェルインサートの上部ウェルに播種した。浸潤は、全細胞集団の蛍光に対する、低部チャンバー内の細胞の蛍光を測定することにより決定した。図２７Ａ〜２７Ｃのデータは、２０Ｐ１Ｆ１２／ＴＭＰＲＳＳ２を発現している細胞が浸潤能が減少していることを示し、かつ２０Ｐ１Ｆ１２／ＴＭＰＲＳＳ２発現がインビボにおいて腫瘍浸潤を抑制することの証拠を提供することを示す。
【０３０４】
図２８に示されている結果においては、２０Ｐ１Ｆ１２／ＴＭＰＲＳＳ２がタンパク質分解活性を有することが示されている。特に、精製組換えＧＳＴ−２０Ｐ１Ｆ１２／ＴＭＰＲＳＳ２は普遍的な基質、すなわちカゼインを用量依存的方法で切断することが可能である。モリキュラープローブ（Ｍｏｌｅｃｕｌａｒ Ｐｒｏｂｅｓ）社から購入したキットを用いて（エンズチエック（ＥｎｚＣｈｅｋ）プロテアーゼアッセイ法、カタログ＃Ｅ−６６３８）、および製造元のプロトコールにしたがって、精製組換えＧＳＴ−２０Ｐ１Ｆ１２／ＴＭＰＲＳＳ２（２５５〜４９２位のアミノ酸）が、フルオレセイン−チオカルバモイル標識（ＦＴＣ）カゼイン（モリキュラープローブ）を基質として用いて、プロテアーゼ活性に関してアッセイされた。異なる用量のＧＳＴ−２０Ｐ１Ｆ１２／ＴＭＰＲＳＳ２をＦＴＣ−カゼインとともに３７℃にて、全体で６時間インキュベーションした。蛍光は蛍光光度計を用いて１０分間隔で測定した。２０Ｐ１Ｆ１２／ＴＭＰＲＳＳ２によるカゼインの切断は蛍光の増加により検出される。アッセイ法は３回実施し、そして６時間の間に渡り、各１０分ごとに読取りを実施しながら行った。
【０３０５】
図２９に示されている結果においては、精製組換え２０Ｐ１Ｆ１２／ＴＭＰＲＳＳ２融合タンパク質の浸潤に対する効果が証明される。カルセインロードされたＰＣ３細胞は、培地のみ、または精製組換え２０Ｐ１Ｆ１２／ＴＭＰＲＳＳ２融合タンパク質、すなわちＧＳＴ−ＴＭＰＲＳＳ２（２５５〜４９２位のアミノ酸）存在下において、浸潤チャンバー内に播種した。精製ＧＳＴを対照として使用した。浸潤は、全細胞集団の蛍光に対する、低部チャンバー内の細胞の蛍光を測定することにより決定した。図２９のデータは、２０Ｐ１Ｆ１２／ＴＭＰＲＳＳ２プロテアーゼ断片が細胞外基質を介してどのようにＰＣ３細胞の浸潤を減少させるかを証明しており、そして２０Ｐ１Ｆ１２／ＴＭＰＲＳＳ２プロテアーゼドメインが腫瘍形成をインビボにおいて阻害可能であることの証拠を提供する。
【０３０６】
図３０に示されている結果においては、カルセインロードされたＰＣ３細胞を、培地のみ、または１ｎｇ／ｍｌの精製組換え２０Ｐ１Ｆ１２／ＴＭＰＲＳＳ２融合タンパク質、すなわちＧＳＴ−２０Ｐ１Ｆ１２／ＴＭＰＲＳＳ２（２５５〜４９２位のアミノ酸）存在下において、浸潤チャンバー内に播種した。対照または抗２０Ｐ１Ｆ１２／ＴＭＰＲＳＳ２（１Ｆ９）ｍＡｂは指示された試料に添加した。浸潤は、全細胞集団の蛍光に対する、低部チャンバー内の細胞の蛍光を測定することにより決定した。アッセイ法は３回実施した。図３０のデータは、抗２０Ｐ１Ｆ１２／ＴＭＰＲＳＳ２抗体がどのようにして２０Ｐ１Ｆ１２／ＴＭＰＲＳＳ２の浸潤阻害活性を除去できるかを証明し、そしてこの分子がインビボにおける腫瘍形成を阻害することができる確証的証拠を提供する。
【０３０７】
実施例１４：２０Ｐ１Ｆ１２／ＴＭＰＲＳＳ２発現に対するアンチセンスオリゴヌクレオチドの効果
上記のように、当業者はインビトロノックアウト細胞を生成することが可能であり、かつ腫瘍進行、浸潤および血管新生における２０Ｐ１Ｆ１２／ＴＭＰＲＳＳ２の役割を確認するために２０Ｐ１Ｆ１２／ＴＭＰＲＳＳ２タンパク質を発現するまたは欠失する細胞を比較することが可能である。ＬＮＣａＰ細胞は内在性に十分な量の２０Ｐ１Ｆ１２／ＴＭＰＲＳＳ２タンパク質を発現および分泌するので、この株はアンチセンスモルフォリノオリゴヌクレオチドを用いた予備試験的な確認研究の実験モデルとして選択された。
【０３０８】
最初の確認研究においては、モルフォリノオリゴヌクレオチドに暴露された細胞の１００％がロード後２４時間においてこれらオリゴヌクレオチドを保持していることを証明する（図３１）。２番目の確認研究においては、これらのアンチセンスモルフォリノオリゴヌクレオチドを用いて、ＬＮＣａＰ細胞における全長２０Ｐ１Ｆ１２／ＴＭＰＲＳＳ２の発現を特異的に消滅させる能力を証明する（図３２、レーン３および４）。
【０３０９】
このインビトロＫＯシステムは機能的アッセイ法を用いて、アンチセンスＫＯおよび親ＬＮＣａＰ細胞を直接比較することを可能にする、そして他のモデルシステムを用いて生成された結果を確認することを可能にする。特に親およびアンチセンス２０Ｐ１Ｆ１２／ＴＭＰＲＳＳ２ ＫＯ ＬＮＣａＰ細胞は、それらのマトリゲル浸潤能に関してよく記載されているトランスウェルシステムを用いて比較されてもよい。平行してこれらの細胞はＳＣＩＤマウスにおいて腫瘍を形成する能力に関して比較されてもよい。それらはまた内皮細胞増殖および管形成を測定するインビトロ血管新生アッセイ法を用いて評価されうる。
【０３１０】
実施例１５：ＰＣ３細胞におけるＴＭＰＲＳＳ２の恒常的発現は皮下腫瘍形成の増強を結果として生じる
方法：ＰＣ３細胞は、標準的なレトロウイルス遺伝子送達を用いる感染により、ＴＭＰＲＳＳ２ ｃＤＮＡを発現するように設計した。対照として、ＰＣ３細胞の別の集団がネオマイシン耐性遺伝子のみを含む空のレトロウイルス構築物を用いて感染された。ネオマイシン類似体Ｇ４１８を用いて、薬剤耐性に関してこれらの細胞集団を選択し、そして、それぞれＰＣ３−ＴＭＰＲＳＳ２およびＰＣ３−ｎｅｏと称する。ＰＣ３−ＴＭＰＲＳＳ２細胞におけるＴＭＰＲＳＳ２タンパク質の発現はウエスタンブロット分析により確認された。
【０３１１】
細胞注射に関しては、両集団を対数増殖期まで培養中で増殖させ、トリプシン処理により回収し、そして培地およびマトリゲルの１：１希釈物に、１ｘ１０７細胞／ｍｌの密度にて再懸濁した。雄ＳＣＩＤマウスは２群に分割し（各群ｎ＝７）そして、いずれかの細胞集団１００μｌ（１ｘ１０６）を用いて右皮下側腹部に注射した。腫瘍が明らかになった時に、長さＸ幅Ｘ高さ（ｍｍ３）からなる測径器測定を週２回実施した。
【０３１２】
結果および結論：腫瘍測定は２１日に開始し、そして続く３．５週間において週２回実施した（図３７を参照）。最初の時間点（２１および２４日）において、ＰＣ３−ＴＭＰＲＳＳ２およびＰＣ３−ｎｅｏ腫瘍間に増殖の差はなかった。しかしながら、２８日から始って、平均腫瘍容積はＰＣ３−ＴＭＰＲＳＳ２注射マウスにおいてより大きく、そして実験終了（４５日）まで速度が増加しながら増殖しつづけた。ＰＣ３−ＴＭＰＲＳＳ２注射マウスの増殖における増加は、ＰＣ３−ｎｅｏ注射マウスと比較して、２８日、３１日、３５日、３８日、４２日および４５日において、それぞれ２５％、７６％、８１％、１００％、１５６％および１０２％であった。
【０３１３】
増加パーセントが各時間点において徐々により大きくなった事実は、ＴＭＰＲＳＳ２発現腫瘍の成長率が増大したことを表す。この実験は繰り返し行った結果、そしてＰＣ３−ｎｅｏ腫瘍と比較してＰＣ３−ＴＭＰＲＳＳ２では、より大きな腫瘍および増殖率の増大の両方を再び生じた。
【０３１４】
これは、ＴＭＰＲＳＳ２の恒常的発現により増殖が増強し、そして前立腺癌患者の腫瘍形成にＴＭＰＲＳＳ２の恒常的発現が関与しうることを証明する。プロテアーゼとして機能するＴＭＰＲＳＳ２は、それら全てが潜在的に腫瘍増殖を刺激しうる細胞表面タンパク質、細胞外基質因子または増殖因子を、タンパク質分解により活性化できる可能性がある。また、ＬＤＬＲＡ／ＳＲＣＲドメインを含む細胞表面上に残るＴＭＰＲＳＳ２の一部が、自分自身または細胞外リガンドのいずれかに直接結合した後、正の増殖シグナルを送達する可能性もある。もしＴＭＰＲＳＳ２セリンプロテアーゼ断片が腫瘍形成または腫瘍増殖を促進するならば、セリンプロテアーゼ阻害剤の投与は治療に活用されてもよい。
【０３１５】
実施例１６ １Ｆ９抗ＴＭＰＲＳＳ２ＭＡｂによるＬＡＰＣ−９皮下腫瘍形成の増強
方法：ＬＡＰＣ−９異種移植片は、ノーザンおよびウエスタンブロット分析により、それぞれＴＭＰＲＳＳ２ ＲＮＡおよびタンパク質を発現することが以前に示されている。ＬＡＰＣ−９腫瘍細胞をＳＣＩＤマウスに注射する前に、以前に記載されているように（Ｃｒａｆｔら、Ｃａｎｃｅｒ Ｒｅｓｅａｒｃｈ １９９９）単一細胞懸濁物を調製した。腫瘍はＳＣＩＤマウスから回収し、はさみおよび鉗子を使って非常に小さな断片に刻み、イスコベ（Ｉｓｃｏｖｅ’ｓ）培地中で一度洗浄し、プロナーゼの１％溶液中で室温にて２０分間消化した。消化後、細胞懸濁液は１０％ＦＢＳを含むイスコベ培地中で二度洗浄し、その後ＰｒＥＧＭ培地（クロネティクス（Ｃｌｏｎｅｔｉｃｓ）、ウオーカーズビル（Ｗａｌｋｅｒｓｖｉｌｌｅ）、メリーランド州）に再懸濁した。一晩インキュベーションした後、細胞を回収し、ＰｒＥＧＭ中で一度洗浄し、そしてその後大きな塊および残骸を除去するために１００ミクロンのナイロンフィルターを通過させた。フィルターを通過した細胞は収集し、遠心分離し、ＰｒＥＧＭ培地に再懸濁し、そして注射前に計数した。
【０３１６】
皮下注射に関しては、ＬＡＰＣ−９腫瘍は上記のように単一細胞に調製し、そしてマトリゲルを用いて１：１希釈で混合した（コラボレイテイブリサーチ、ベッドフォード、マサチューセッツ州）。雄ＳＣＩＤマウスは、１００μｌ容積中の０．５ｘ１０６細胞の単回皮下注射を右側腹部にうけた。腫瘍形成に対する抗ＴＭＰＲＳＳ２ ＭＡｂ １Ｆ９の効果を試験するために、５００μｇの精製抗体を、腫瘍細胞注射と同じ日（０日）に開始した腹腔内注射および３、５、７、９および１２日の処置により投与した。対照として腫瘍注射マウスはＰＢＳを用いて注射した（ＰＢＳ群に関してｎ＝８；１Ｆ９群に関してｎ＝６）。腫瘍サイズは明白な腫瘍に関して、ノギス測定により計測し、そして平均腫瘍容積は長さＸ幅Ｘ高さとして計算した。腫瘍容積測定は１週間に１〜２回日常的に記録した。マウスは結果の節において示されている時間点において採血し、そして平均循環ＰＳＡレベルをＰＳＡ ＥＬＩＳＡキットを用いて血清中において決定した（アノゲン（Ａｎｏｇｅｎ）、トロント、カナダ）。
【０３１７】
結果および結論：ＬＡＰＣ−９腫瘍細胞および５００μｇの１Ｆ９を注射した雄ＳＣＩＤマウスにおける、抗ＴＭＰＲＳＳ２ ＭＡｂ １Ｆ９のＬＡＰＣ−９腫瘍形成に対する効果は図３８において示されている。腫瘍増殖率およびＬＡＰＣ−９腫瘍サイズは、ＰＢＳを用いて処理した対照マウスと比較して、１Ｆ９抗体を用いて処理したマウスにおいて増大していた（図３８Ａ）。腫瘍増殖の独立した相関物として、循環ＰＳＡレベルが処理および非処理マウスにおいて決定された。有意に高いレベルの循環ＰＳＡが、ＰＢＳ処理マウスに対して１Ｆ９処理マウスにおいて観察された（図３８Ｂ）。この実験は、類似の結果を持ってさらに２回繰り返した、実験により、１Ｆ９処理はＳＣＩＤマウスにおいてＬＡＰＣ−９腫瘍形成を増大することが示唆された。
【０３１８】
腫瘍増殖の抗体媒介性増強の機構は、制限することなく、以下の可能性を含むことができる。第一には、抗体はＴＭＰＲＳＳ２のセリンプロテアーゼドメインに結合し、そしてその触媒活性を活性化する可能性があり、その結果腫瘍増殖を促進する。第二に、ＴＭＰＲＳＳ２のセリンプロテアーゼドメインに結合することにより、抗体はセリンプロテアーゼ阻害剤（例えばセルピン）との潜在的な相互作用を阻害することができ、それによりＴＭＰＲＳＳ２を恒常的に活性にする。三番目には、抗体はＴＭＰＲＳＳ２プロテアーゼドメインを腫瘍細胞表面の上または近くに隔離する可能性があり、そしてそれにより、その後腫瘍増殖を刺激するその基質（例えば増殖因子）を触媒させる。
【０３１９】
実施例１７：マウスポリクロナール抗体によるＬＮＣａＰ細胞上のＴＭＰＲＳＳ２ ＬＤＬＲＡ／ＳＲＣＲドメインの認識
タグ５ ＴＭＰＲＳＳ２ ＬＤＬＲＡ／ＳＲＣＲドメインタンパク質（１１１〜２５５のアミノ酸）を用いて免疫した３匹のマウス由来の血清を、ＴＭＰＲＳＳ２を発現するＬＮＣａＰ細胞、およびＴＭＰＲＳＳ２発現を欠失する２９３Ｔ細胞を染色するために使用した。ＬＮＣａＰおよび２９３Ｔ細胞を、免疫前マウス血清（薄い線）または抗ＬＤＬＲＡ／ＳＲＣＲ血清（濃い線）のいずれかの１：５０希釈物とともにインキュベーションし、洗浄し、そしてその後ヤギ抗マウスＩｇＧ ＦＩＴＣ結合型二次抗体の１：２００希釈物とともにインキュベーションした。洗浄に続いて、５，０００細胞をコールターエピックスＸＬフローサイトメーター上で蛍光染色に関して解析した。免疫前血清と比較して、２９３Ｔ細胞ではそうではない、ＬＮＣａＰ細胞中の抗ＬＤＬＲＡ／ＳＲＣＲ染色集団の特異的な蛍光シフトが矢印で示されている。
【０３２０】
これらのデータは２つの発見を示す：１）ＬＤＬＲＡ／ＳＲＣＲドメインがＬＮＣａＰ細胞表面に発現している；および２）抗ＴＭＰＲＳＳ２ ＬＤＬＲＡ／ＳＲＣＲ ｐＡｂは特異的に、これらの細胞表面のこのドメインを認識する。
【０３２１】
実施例１８：ヒト血清における抗ＴＭＰＲＳＳ２ ＬＤＬＲＡ／ＳＲＣＲ抗体の相対的力価
２８人の正常個人および４０人の前立腺癌患者由来の臨床血清試料が、ＥＬＩＳＡによりＴＭＰＲＳＳ２のＬＤＬＲＡ／ＳＲＣＲドメインに応答する抗体の存在に関して解析された。簡単には、ＬＤＬＲＡおよびＳＲＣＲドメインを含む、ＴＭＰＲＳＳ２の１１１〜２５５位のアミノ酸をコードする精製タグ５タンパク質が５０ｍＭ炭酸塩緩衝液（ｐＨ９．６）中に希釈され、そして１００ｎｇ／ウェルにて一晩ＥＬＩＳＡプレートをコートするために使用された。ウェルはその後２％ＢＳＡを含むＰＢＳを用いて３７℃２時間ブロッキングされた。１％ＢＳＡを含むＰＢＳ中で１：１００に希釈された血清５０μｌは、その後コーティングされていないＢＳＡブロッキングウェルならびにタグ５タンパク質コーティングされたウェルに３箇所ずつ添加した。そして室温で１時間インキュベーションした。ウェルは０．２％ツィーン（Ｔｗｅｅｎ）２０を含むＰＢＳ（ＰＢＳ−Ｔ）を用いて４回洗浄し、そして１％ＢＳＡを含むＰＢＳ−Ｔ中のヤギ抗ヒトＩｇ ＨＲＰ標識二次抗体の１：５，０００希釈物５０μｌを用いてインキュベーションした。ウェルは再度４回洗浄し、そしてＴＭＢ基質（２００μｌ／ウェル）を用いて現像した。反応は５０μｌの１Ｍ（Ｈ２ＳＯ４）を添加することにより停止させ、そしてウェルの光学密度（ＯＤ）を４５０ｎＭにて決定した。血清試料の相対的力価（図４０Ａ）が、タグ５タンパク質コーティングされたウェルからコーティングされていないウェル（バックグラウンド）の平均ＯＤを引き、そしてその後、ＬＤＬＲＡ／ＳＲＣＲドメインに対するマウスｐＡｂの様々な希釈物を用いて、由来するプレートの標準曲線に対してＯＤを標準化することにより決定された。
【０３２２】
図４０Ｂに描写されているように、前立腺癌血清集団の平均力価は４．２７ｘ１０−５±２．８０ｘ１０−５（平均±標準偏差）であり、正常集団のそれ２．５８ｘ１０−５±３．０８ｘ１０−５とは有意に異なった（＊Ｐ＝０．０１５２、両側ｔ検定）。注記事項として、負の力価値は、標準曲線のｙ切片が０より大きく、そして実験試料のＯＤよりも大きいという事実から生じた。
【０３２３】
これらのデータはＴＭＰＲＳＳ２タンパク質が免疫原性であることを示している。さらに、前立腺癌患者は正常の人々に比べて増加したレベルの抗ＬＤＬＲＡ／ＳＲＣＲドメイン抗体を発現する。したがって、前立腺癌患者は癌性組織中に発現しているＴＭＰＲＳＳ２タンパク質に対する液性免疫応答が上昇している可能性がある。したがって、ＬＤＬＲＡ／ＳＲＣＲドメインは、前立腺癌などのＴＭＰＲＳＳ２を発現する癌に関する治療および／または診断標的として使用される。さらに、抗ＬＤＬＲＡ／ＳＲＣＲドメイン抗体の血清力価は前立腺癌などのＴＭＰＲＳＳ２を発現する癌に関する診断方式として使用される。
【０３２４】
【表１】抗ＴＭＰＲＳＳ２モノクロナール抗体を用いたヒト組織の免疫組織化学染色
2004511219.tif 000016
【０３２５】
【表２】抗ＴＭＰＲＳＳ２ ｍＡｂのエピトープマッピング
2004511219.tif 000017
【０３２６】
過剰の非標識抗体の存在下でのビオチン化抗体のシグナル強度の減少は、ｍＡｂが同一のまたは重複する結合部位に関して競合することを示している（太字で示されている）。表２において示されているように、ビオチン化１Ｆ９（１Ｆ９−Ｂ）のシグナル強度の減少が、ｍＡｂ ２Ｄ１０、３Ｇ３、および６Ｂ１１および自分自身の存在下においては見られるが、しかし２Ｆ８、８Ｃ６および９Ｇ８によっては見られない。これらの結果は、ｍＡｂ １Ｆ９、２Ｄ１０、３Ｇ３、６Ｂ１１は、２Ｆ８、８Ｃ６および９Ｇ８のそれらとは異なる同一の（または重複する）エピトープを共有することを示す。ＭＡｂ ２Ｆ８−Ｂは自分自身により、およびｍＡｂ ８Ｃ６および９Ｇ８により競合され、これらのｍＡｂが同一のまたは重複するエピトープを共有することを示している。ＭＡｂ ８Ｃ６−Ｂは自分自身により、および中度にｍＡｂ ２Ｆ８により競合される。総合すると、これらの結果は、抗ＴＭＰＲＳＳ２抗体のパネルがＴＭＰＲＳＳ２プロテアーゼドメイン内の異なるエピトープを認識することを示す。
【０３２７】
【表３】アミノ酸略語
2004511219.tif 000018
【０３２８】
【表４Ａ】
2004511219.tif 000019
太字残基は好ましい、斜体字残基はあまり好ましくない：上記表において特定されているように、モチーフまたはスーパーモチーフに関して、各一次アンカー位置に一次アンカーを有するならば、ペプチドはモチーフを有すると考えられる。
【０３２９】
【表４Ｂ】ＨＬＡクラスＩＩスーパーモチーフ
2004511219.tif 000020
【０３３０】
【表４Ｃ】
2004511219.tif 000021
【０３３１】
【表４Ｄ】
2004511219.tif 000022
【０３３２】
【表４Ｅ】
2004511219.tif 000023
2004511219.tif 000024
2004511219.tif 000025
2004511219.tif 000026
2004511219.tif 000027
【０３３３】
この出願を通じて、様々な刊行物、ウェブサイト、特許および特許出願が参照される。これらの刊行物、ウェブサイト、特許および特許出願の開示は、その全体が参照として本明細書に組み入れられる（ウェブサイトはワールドワイドウェブのアドレスである、それらのユニフォームリソースロケーターすなわちＵＲＬにより参照される）。
【０３３４】
本発明は、本発明の個々の局面の１つの説明であるとして意図され、本明細書に開示されている実施態様により、範囲を制限されるものではなく、そして機能的に同等ないかなるものが本発明の範囲内である。本明細書において記載されているものに加えて、本発明のモデルおよび方法に対する様々な修飾は、前述の記載および開示から当業者には明らかであると思われ、かつ本発明の範囲内に入ることが同様に意図される。そのような修飾または他の実施態様は本発明の真の範囲および精神から逸脱することなく実施されうる。
【図面の簡単な説明】
本特許出願は有色で作製した少なくとも１つの図画を含む。有色図画を有する本特許のコピーは、要請および必要経費の支払いに応じて特許商標局により提供されると思われる。
【図１】ｃＤＮＡクローン２０Ｐ１Ｆ１２−ＧＴＣの１ヌクレオチド（配列番号：１）および推定アミノ酸（配列番号：２）配列（実施例３）（ＡＴＣＣに登録されているように；アクセション番号２０７０９７）。
【図２】Ｐａｏｌｏｎｉ−Ｇｉａｃｏｂｉｎｏら、１９９７、Ｇｅｎｏｍｉｃｓ ４４：３０９〜３２０に刊行されたＴＭＰＲＳＳ２遺伝子配列のヌクレオチド（配列番号：３）および推定アミノ酸（配列番号：４）配列。
【図３Ａから３Ｂ】図３Ａは２０Ｐ１Ｆ１２−ＧＴＣ１ ｃＤＮＡ（実施例３）をＴＭＰＲＳＳ２の以前に刊行された配列（Ｐａｏｌｏｎｉ−Ｇｉａｃｏｂｉｎｏら、１９９７、Ｇｅｎｏｍｉｃｓ ４４：３０９〜３２０）と比較するアミノ酸配列アライメントを示す。アミノ酸差異は太字で示されている。図３Ｂは２０Ｐ１Ｆ１２／ＴＭＰＲＳＳ２のドメイン構造の概略的説明を示す。
【図４】最初に単離したＳＳＨクローン２０Ｐ１Ｆ１２のヌクレオチド配列（配列番号：５）。
【図５Ａから５Ｄ】正常前立腺および３個の前立腺癌異種移植片においてほほ等しいレベルの発現を示す（図５Ａ）；および、大腸、膵臓、腎臓および肺（図５ＢおよびＣ）における有意に低い発現レベルが検出可能である、正常ヒト組織における概して前立腺特異的な発現を示す、前立腺癌異種移植片、正常前立腺および他の組織および細胞株における２０Ｐ１Ｆ１２／ＴＭＰＲＳＳ２遺伝子発現のＲＴ−ＰＣＲ分析。２０Ｐ１Ｆ１２はまた膀胱癌組織においても発現していることが示されている（図５Ｄ）。
【図６】標識化クローン２０Ｐ１Ｆ１２ ｃＤＮＡプローブを用いた、正常ヒト組織および前立腺癌異種移植片における２０Ｐ１Ｆ１２／ＴＭＰＲＳＳ２遺伝子発現のノーザンブロット分析。１６個の正常組織における発現は、腎臓、膵臓および肺で１０〜２０倍低い発現レベルを示し、概して前立腺に限局されている。
【図７Ａおよび７Ｂ】前立腺および大腸癌細胞株における２０Ｐ１Ｆ１２／ＴＭＰＲＳＳ２の発現（図７Ａ）。異種移植片および細胞株のフィルターはレーン当り１０μｇ総ＲＮＡを用いて調製した。ブロットは２０Ｐ１Ｆ１２／ＴＭＰＲＳＳ２由来遺伝子断片プローブを用いて解析された。全てのＲＮＡ試料はエチジウムブロマイド染色により標準化された。キロベース＝Ｋｂ。ＬＡＰＣ−９ ＡＩを除いて、異種移植片における２０Ｐ１Ｆ１２／ＴＭＰＲＳＳ２の発現は、正常前立腺試料において観察されたレベルと同等であった。加えて、扁平上皮癌細胞株Ａ４３１における、より低いレベルの発現が観察された。２０Ｐ１Ｆ１２／ＴＭＰＲＳＳ２はまた、転移性癌のプール（大腸から肺、大腸から肝臓、卵巣からファロピウス管）ならびに膀胱、肺および卵巣癌組織においても発現している（図７Ｂ）。しかしながら発現パターンは正常腎臓／腎臓癌において逆転している：２０Ｐ１Ｆ１２は正常腎臓において発現しているが、しかし、腎臓癌においてはずっと低いレベルで発現している（図７Ｂ）（腎臓癌プールは２個のグレード２腎臓癌および１個のグレード３腎臓癌に由来している）。
【図８】２０Ｐ１Ｆ１２／ＴＭＰＲＳＳ２に対するモノクロナール抗体の特性化。２０Ｐ１Ｆ１２／ＴＭＰＲＳＳ２に対するモノクロナール抗体は、実施例５に記載されているように精製ＧＳＴ−２０Ｐ１Ｆ１２／ＴＭＰＲＳＳ２融合タンパク質を用いて生成された。モノクロナール抗体は、ｍｙｃ Ｈｉｓ−２０Ｐ１Ｆ１２／ＴＭＰＲＳＳ２をコードするＰｃＤＮＡ３．１ベクターをトランスフェクションした２９３Ｔ細胞由来の溶解物に対してウエスタンブロッティングによりスクリーニングした。（Ａ）特異的に２０Ｐ１Ｆ１２／ＴＭＰＲＳＳ２を認識する６個のｍＡｂ：１Ｆ９（ＩｇＧ１、Ｋ）、２Ｄ１０（ＩｇＧ１、Ｋ）、２Ｆ８（ＩｇＧ１、Ｋ）、６Ｂ１１（ＩｇＧ１、Ｋ）、８Ｃ６（ＩｇＧ１、Ｋ）および９Ｇ８（ＩｇＧ２ａ、Ｋ）が、２０Ｐ１Ｆ１２／ＴＭＰＲＳＳ２（レーン１）またはｎｅｏ（対照として、レーン２）をトランスフェクションした２９３Ｔ細胞由来の細胞溶解物由来のウエスタンブロットを検査するために使用された。（Ｂ）２０Ｐ１Ｆ１２／ＴＭＰＲＳＳ２（レーン１）またはｎｅｏ（対照として、レーン２）のいずれかをトランスフェクションした２９３Ｔ細胞、ＬＡＰＣ−９ ＡＤおよびＬＮＣａＰ由来の細胞溶解物が、１Ｆ９抗ＴＭＰＲＳＳ２ ｍＡｂを用いて検査された。分子量標準はキロダルトン（ＫＤ）にて横に示されている。
【図９】２０Ｐ１Ｆ１２／ＴＭＰＲＳＳ２のビオチン化。（Ａ）ヒスタグ付き２０Ｐ１Ｆ１２／ＴＭＰＲＳＳ２またはｎｅｏ（対照として）を２９３Ｔ細胞にトランスフェクションした。細胞タンパク質をビオチン化するために、無傷細胞はビオチンとともにインキュベーションした。細胞溶解物はウエスタンブロッティングにより直接解析するか（レーン１および２）、または全ての標識細胞タンパク質を親和性精製するためにストレプトアビジンとともにインキュベーションするかのいずれかであった。ストレプトアビジン精製した細胞タンパク質は抗Ｈｉｓ抗体を用いたウエスタンブロッティングにより解析された（レーン３および４）。ビオチン化タンパク質は２０Ｐ１Ｆ１２／ＴＭＰＲＳＳ２をトランスフェクションした細胞においてのみ検出された。（Ｂ）ビオチン化ＰＣ−３（レーン２）およびＬＮＣａＰ（レーン４）および非標識ＰＣ−３（レーン１）およびＬＮＣａＰ（レーン３）はストレプトアビジンゲルとともにインキュベーションし、そしてその後１Ｆ９ ｍＡｂを用いたウエスタンブロッティングにより解析した。２０Ｐ１Ｆ１２／ＴＭＰＲＳＳ２はビオチン化試料においてのみ検出された。分子量標準はキロダルトン（ＫＤ）にて横に示されている。
【図１０】トランスフェクションした２９３Ｔ細胞における２０Ｐ１Ｆ１２／ＴＭＰＲＳＳ２の脱グリコシル化。２９３Ｔ細胞にトランスフェクションされたＨｉｓタグ付き２０Ｐ１Ｆ１２／ＴＭＰＲＳＳ２はニッケル−アガロースを用いて精製した。２０Ｐ１Ｆ１２／ＴＭＰＲＳＳ２タンパク質はその後、Ｎ−グリコシダーゼＦを用いて、脱グリコシル化した。非処理２０Ｐ１Ｆ１２／ＴＭＰＲＳＳ２（レーン１）および脱グリコシル化されたタンパク質（レーン２）は抗Ｈｉｓ抗体を用いたウエスタンブロッティングにより解析した。分子量シフトが脱グリコシル化を用いて観察された。分子量標準は横にキロダルトン（ＫＤ）で示されている。
【図１１】２０Ｐ１Ｆ１２／ＴＭＰＲＳＳ２細胞表面プロテアーゼのアンドロゲン制御。ＬＮＣａＰ細胞は、２％チャコール除去したウシ胎児血清中で細胞を増殖させることにより、１週間の間（レーン１）または２４時間（レーン３）アンドロゲンを欠乏させた。アンドロゲン制御は１０ｎＭミボレロン（アンドロゲン類似体）を用いて９時間の間、２４時間欠乏細胞を刺激することにより決定された（レーン４）。２０Ｐ１Ｆ１２／ＴＭＰＲＳＳ２の発現は、２０Ｐ１Ｆ１２／ＴＭＰＲＳＳ２プローブを用いて検査する１０μｇのＲＮＡ／レーンのノーザンブロッティングにより、完全培地中で増殖するＬＮＣａＰ細胞における２０Ｐ１Ｆ１２／ＴＭＰＲＳＳ２発現レベル（レーン２）と比較された。等量のＲＮＡロードがエチジウムブロマイド染色および引き続くβアクチンプローブを用いた検査により決定された。ＰＳＡレベルはアンドロゲン制御の対照として決定された。分子量標準は横にキロベース（Ｋｂ）で示されている。
【図１２】ＬＮＣａＰにおける２０Ｐ１Ｆ１２／ＴＭＰＲＳＳ２のアンドロゲン制御。ＬＮＣａＰ細胞は、２％チャコール除去したウシ胎児血清中でそれらを増殖させることにより、１週間の間アンドロゲンを欠乏させた。アンドロゲン制御はミボレロン（Ｍｉｂ）を用いて様々な時間点に関して細胞を刺激することにより決定された。２０Ｐ１Ｆ１２／ＴＭＰＲＳＳ２の発現は、抗１Ｆ９ｍＡｂを用いた細胞溶解物のウエスタンブロッティングにより決定された。付加的な対照として、ｎｅｏ（対照として）または２０Ｐ１Ｆ１２／ＴＭＰＲＳＳ２のいずれかを用いて感染させたＰＣ−３細胞由来の細胞溶解物を使用した。抗Ｇｒｂ２抗体（トランスダクションラボラトリーズ）を用いてウエスタンブロットを検査することにより、等しいタンパク質ローディングが決定された。２０Ｐ１Ｆ１２／ＴＭＰＲＳＳ２のタンパク質発現は、２０Ｐ１Ｆ１２／ＴＭＰＲＳＳ２プローブを用いて検査する１０μｇのＲＮＡ／レーンのノーザンブロッティングにより、ＲＮＡレベルと比較された。等量のＲＮＡロードがノーザンブロットをβアクチンプローブを用いて検査することにより決定された。
【図１３】ＮＩＨ−３Ｔ３細胞における２０Ｐ１Ｆ１２／ＴＭＰＲＳＳ２発現の効果。ＮＩＨ３Ｔ３細胞は、ｎｅｏ（対照として）または２０Ｐ１Ｆ１２／ＴＭＰＲＳＳ２のいずれかをコードするレトロウイルスを用いて感染させた。感染４８時間後、細胞は光学顕微鏡により解析した。多数の液胞を蓄積するようにみえた細胞は矢印で示した。
【図１４】前立腺、前立腺癌および大腸癌細胞における２０Ｐ１Ｆ１２／ＴＭＰＲＳＳ２の高レベルの発現。正常組織、前立腺癌異種移植片および細胞株および大腸癌細胞株由来のＲＮＡを含むノーザンブロットが２０Ｐ１Ｆ１２／ＴＭＰＲＳＳ２ ｃＤＮＡ断片を用いて検査された。試料は、１．前立腺、２．ＬＡＰＣ−４ ＡＤ、３．ＬＡＰＣ−４ ＡＩ、４．ＬＡＰＣ−９ ＡＤ、５．ＬＡＰＣ−９ ＡＩ、６．ＬＮＣａＰ、７．ＰＣ−３、８．ＤＵ１４５、９．ＣａＣｏ−２、１０．ＬｏＶｏ、１１．Ｔ８４、１２．Ｃｏｌｏ−２０５である。全てのＲＮＡ試料はβアクチンプローブを用いて標準化された。キロベース（ｋｂ）でのサイズ標準は横に示されている。
【図１５】２０Ｐ１Ｆ１２／ＴＭＰＲＳＳ２タンパク質は、組織および細胞株において、全長およびタンパク質分解により切断された形として発現する。細胞および組織溶解物（タンパク質２０μｇ）を試料緩衝液中で調製し、そして１Ｆ９抗２０Ｐ１Ｆ１２／ＴＭＰＲＳＳ２ ＭＡｂを用いてウエスタンブロット上で検査した。マッチングさせた隣接組織（Ｎ）を有する前立腺腫瘍組織（Ｔ）は、それぞれグリーソン（Ｇｌｅａｓｏｎ）スコア７、９および７を有する患者に由来した。対照ベクターまたは２０Ｐ１Ｆ１２／ＴＭＰＲＳＳ２発現ベクターのいずれかを用いてトランスフェクションした２９３Ｔ細胞由来の溶解物を、それぞれ陰性および陽性対照として使用した。
【図１６】２０Ｐ１Ｆ１２／ＴＭＰＲＳＳ２プロテアーゼはアンドロゲン制御されており、そして前立腺癌細胞培地中に分泌される。（Ａ）ＬＮＣａＰ細胞は１０％ウシ胎児血清（ＮＴ）または２％チャコール除去した血清（ＣＳＳ）いずれかを含む培地中において１週間増殖させた。ＣＳＳ中で増殖した細胞は、９または２４時間の間、非処理（−）で放置されたか、またはミボレロン（１０ｎＭ）を用いて刺激された（＋）。ＰＣ−３細胞およびアンドロゲン受容体（ＡＲ）発現ＰＣ−３細胞はミボレロンを用いて９時間刺激された。溶解物は１Ｆ９ ＭＡｂを用いて検査した。（Ｂ）ＬＮＣａＰ細胞はアンドロゲン除去され（−）、そしてその後１ｎＭまたは１０ｎＭのミボレロンのいずれかをを用いて３６時間処理された。細胞抽出物および細胞培地を抗１Ｆ９ウエスタンブロッティング用に収集した。培地は１Ｆ９ ＭＡｂを用いた免疫沈降法後（ｉ．ｐ．）またはニート（２０μｌ）のいずれかで解析した。分子量標準はキロダルトン（ＫＤ）にて横に示されている。
【図１７】抗２０Ｐ１Ｆ１２／ＴＭＰＲＳＳ２ ＭＡｂを用いた前立腺および大腸癌患者試料の免疫組織化学解析。試料は（ａ）２％ ＣＳＳを含む培地中で１週間増殖させたＬＮＣａＰ細胞、（ｂ）２％ ＣＳＳを含む培地中で１週間増殖させ、そしてミボレロン（１０ｎＭ）を用いて９時間刺激されたＬＮＣａＰ細胞、（ｃ）正常前立腺組織、（ｄ）グレード３前立腺癌、（ｅ）１Ｆ９を用いて染色した正常前立腺組織（１０００ｘ拡大）、（ｆ）抗ＰＳＡ抗体を用いて染色した正常前立腺組織（１０００ｘ拡大）、（ｇ）正常大腸、（ｈ）大腸癌。前立腺の腺内腔内に分泌されたタンパク質の染色が矢印で示されている。異なる指摘があるところを除いて、全ての写真は４００ｘ拡大である。例えば、正常大腸および大腸癌における２０Ｐ１Ｆ１２／ＴＭＰＲＳＳ２の染色局在の比較観察は、２０Ｐ１Ｆ１２／ＴＭＰＲＳＳ２の蓄積に関して異なる差異を示し、その発見により、診断および治療標的としての２０Ｐ１Ｆ１２／ＴＭＰＲＳＳ２使用の確定的証拠が提供される。
【図１８】２０Ｐ１Ｆ１２／ＴＭＰＲＳＳ２の変異導入解析は自己触媒活性およびタンパク質分解による切断の部位を明らかにする。実施例１０において記載されているように異なる２０Ｐ１Ｆ１２／ＴＭＰＲＳＳ２点突然変異体を用いて２９３Ｔ細胞をトランスフェクションした。細胞溶解物（２０μｇタンパク質）は１Ｆ９ ＭＡｂを用いて検査した。分子量標準はキロダルトン（ＫＤ）にて横に示されている。
【図１９】アンドロゲン刺激によるＬＡＰＣ４細胞における２０Ｐ１Ｆ１２／ＴＭＰＲＳＳ２および３２ｋＤ自己タンパク質分解による切断産物の発現増加。１０ｃｍディッシュにおいて７０％集密のＬＡＰＣ４細胞は、２％チャコール−デキストラン処理したＦＢＳ（ＣＤ−ＦＢＳ）を含むＲＰＭＩ培地中で４日間インキュベーションすることによりアンドロゲンを欠乏させた。培地はその後吸引除去し、そして５ｎＭのアンドロゲン類似体ミボレロンの存在または非存在において、新しい２％ ＣＤ−ＦＢＳ ＲＰＭＩを用いて置換した。示された時間において、細胞を回収し、そしてプロテアーゼ阻害剤を含むＲＩＰＡ緩衝液中に溶解した。比較のために、ＲＰＭＩ＋５％ ＦＢＳ中で増殖させたＬＮＣａＰおよびＬＡＰＣ４細胞の溶解物、およびＬＡＰＣ４ ＳＣＩＤマウス異種移植片の全組織溶解物を解析に含めた。示された細胞溶解物２５μｇ／レーンを１０〜２０％勾配のＳＤＳ−ＰＡＧＥにより分離し、ニトロセルロースに転写し、そして、以下のように抗ＴＭＰＲＳＳ２ ｍＡｂ １Ｆ９を用いたウエスタン分析に供した。ブロットは、最初に、３％脱脂ミルクを含む２５ｍＭトリスｐＨ７．５および１５０ｍＭ ＮａＣｌ（ＴＢＳ）中で２時間ブロッキングした。ブロットはその後、１％ミルクを含む高塩ＴＢＳ（５００ｍＭ ＮａＣｌ＋０．１５％ツィーン２０（ｈＴＢＳ−Ｔ））中で２μｇ／ｍｌの１Ｆ９ ｍＡｂを用いて４℃で一晩インキュベーションした。ブロットはｈＴＢＳ−Ｔを用いて洗浄し、そしてその後、ｈＴＢＳ−Ｔ＋１％ミルク中で、１：４０００希釈のヤギ抗マウスＩｇＧ１−ＨＲＰ結合二次抗体（サザン バイオテクノロジー）を用いて室温にて１時間インキュベーションした。洗浄に続いて、抗ＴＭＰＲＳＳ２免疫応答性バンドは増強化学発光およびオートラジオグラフィーフィルムに露光することにより可視化した。矢印は７０ｋＤの全長２０Ｐ１Ｆ１２／ＴＭＰＲＳＳ２タンパク質および自己タンパク質分解による３２ｋＤ切断産物を示す。
【図２０】２０Ｐ１Ｆ１２／ＴＭＰＲＳＳ２は前立腺癌異種移植片、前立腺癌細胞株、正常精液および臨床組織において発現している。２０Ｐ１Ｆ１２／ＴＭＰＲＳＳ２タンパク質発現解析は図１９に示されているように、抗ＴＭＰＲＳＳ２ ｍＡｂ １Ｆ９を用いてウエスタンブロットにより実施した。２９３Ｔ試料は、空ベクターまたは、野生型２０Ｐ１Ｆ１２／ＴＭＰＲＳＳ２または２０Ｐ１Ｆ１２／ＴＭＰＲＳＳ２のプロテアーゼ欠損点突然変異体のいずれかをコードするレトロウイルス発現プラスミドのいずれかを用いて一過性にトランスフェクションされた細胞に由来する。ＬＡＰＣ４細胞株（ＬＡＰＣ４ＣＬ）、ＬＮＣａＰ細胞、ＬＡＰＣ４およびＬＡＰＣ９異種移植片、およびマッチングさせた臨床組織のタンパク質溶解物は、細胞沈殿物、異種移植片および組織を２ＸＳＤＳ−ＰＡＧＥ試料緩衝液に溶解し、および加熱により取得した。溶解物ロードの標準化は、転写後のニトロセルロース膜のポンソーＳ染色により確認した。正常男性提供者の精液は、細胞および凝固物を沈殿するために５分間１４、０００Ｇで回転し、そして上清はＲＩＰＡ緩衝液中で４倍に希釈した。この液体２μｌをＳＤＳ−ＰＡＧＥ試料緩衝液と混合し、そして指示されたレーンで泳動した。矢印は、正常精漿中の７０ｋＤの全長２０Ｐ１Ｆ１２／ＴＭＰＲＳＳ２タンパク質、３２ｋＤの切断産物、および新規の９０ｋＤの抗ＴＭＰＲＳＳ２免疫応答性バンドを示す。
【図２１】アンドロゲン誘導、および３２ｋＤ自己タンパク質分解による断片のＬＡＰＣ４およびＬＮＣａＰ細胞上清への放出、および新規の１０３ｋＤの抗ＴＭＰＲＳＳ２免疫応答性タンパク質複合体の出現。ＬＡＰＣ４およびＬＮＣａＰ細胞（１０ｃｍディッシュで７０％集密）は、２％ ＣＤ−ＦＢＳを含むＲＰＭＩ培地で５日間インキュベーションすることによりアンドロゲンを欠乏させた。培地は吸引除去し、そして１または１０ｎＭのいずれかのミボレロンが存在するかまたは非存在の新しいＲＰＭＩ＋２％ ＣＤ−ＦＢＳ培地４ｍｌを用いて置換し、そしてさらに４８時間インキュベーションした。全細胞溶解物（「ＷＣＬ」、２５μｇ／レーン）または調整組織培養上清（２５μｌ、０．２２μＭ滅菌濾過）を、図１９に示されているように、ＳＤＳ−ＰＡＧＥおよび１Ｆ９ ｍＡｂを用いた抗ＴＭＰＲＳＳ２ウエスタン分析に供した。矢印は調整培地中の３２ｋＤの自己タンパク質分解による断片および１０３ｋＤの抗ＴＭＰＲＳＳ２免疫応答性複合体を示す。商業的に利用可能なＥＬＩＳＡ（アノゲン）により決定される、上清のＰＳＡ濃度が、既知のアンドロゲン誘導性分泌タンパク質との比較のために示される。
【図２２】２０Ｐ１Ｆ１２／ＴＭＰＲＳＳ２タンパク質のタンパク質分解断片の、ＬＮＣａＰ細胞培養上清への放出、およびＬＮＣａＰ異種移植片保持ＳＣＩＤマウス血清への放出。図２１に記載されているように処理した、またはＲＰＭＩ＋５％ ＦＢＳ中で増殖させたＬＮＣａＰ細胞のＲＩＰＡ緩衝液全細胞溶解物および調整組織培養上清、またはＬＮＣａＰ異種移植片保持ＳＣＩＤマウス由来の血清は、以下のようにプロテインＧビーズに共有結合された抗ＴＭＰＲＳＳ２ ｍＡｂを用いて免疫沈降させた。１ｍｌのＲＩＰＡ全細胞溶解物（総タンパク質６００μｇ）、等量のＲＩＰＡ緩衝液を用いて希釈した調整物、およびＲＩＰＡ緩衝液を用いて１ｍｌに希釈したＳＣＩＤ血清３４０μｌ（総タンパク質１５ｍｇ）を、ＲＩＰＡ緩衝液中で５０％プロテインＧビーズ懸濁物５０μｌとともにインキュベーションすることにより、４℃にて３時間、まず事前に精製（ｐｒｅｃｌｅａｒ）した。１Ｆ９抗ＴＭＰＲＳＳ２ ｍＡｂは、「抗体の使用、実験マニュアル（Ｕｓｉｎｇ Ａｎｔｉｂｏｄｙ、ａ Ｌａｂｏｒａｔｏｒｙ Ｍａｎｕａｌ）」、ＨａｒｌｏｗおよびＬａｎｅ、１９９９．３２３ページ、に記載されているように、ホモ二官能性クロスリンキング試薬ジメチルピメリミデート（ＤＭＰ）を用いてプロテインＧビーズに共有結合させた。その後、５０μｌの１Ｆ９／プロテインＧビーズの５０％懸濁物（〜５０μｇのｍＡｂ）を各試料に添加し、そして４℃で一晩インキュベーションした。免疫沈降物はＲＩＰＡ緩衝液中で４回洗浄し、そして免疫複合体は３５μｌの３ｘＳＤＳ−ＰＡＧＥ試料緩衝液の添加および加熱により解離させた。２５μｌの各試料はその後、図１９において記載されているように、ＳＤＳ−ＰＡＧＥおよび１Ｆ９ ｍＡｂを用いたウエスタンブロッティングに供した。２９３Ｔ細胞のＲＩＰＡ緩衝液溶解物（２９３Ｔ ｗｃｌ）および２％ ＣＤ−ＦＢＳ ＲＰＭＩ（培地）を陰性対照としてＩＰ／ウエスタンプロトコールに供した。矢印は、アンドロゲン刺激上清およびＳＣＩＤ血清における全長７０ｋＤの２０Ｐ１Ｆ１２／ＴＭＰＲＳＳ２タンパク質、３２ｋＤの切断断片および新規の１０３ｋＤの抗２０Ｐ１Ｆ１２／ＴＭＰＲＳＳ２免疫応答性複合体を示す。
【図２３】前立腺および大腸癌患者およびＬＮＣａＰ腫瘍を保持するＳＣＩＤマウス血清試料における、２０Ｐ１Ｆ１２／ＴＭＰＲＳＳ２の３２ｋＤ切断断片、および１０３ｋＤの新規の２０Ｐ１Ｆ１２／ＴＭＰＲＳＳ２免疫応答性複合体の発現。ナイーブまたはＬＮＣａＰ腫瘍保持ＳＣＩＤマウスのいずれか由来の血清１００μｌ（Ａ）または指示されたヒト臨床血清試料１ｍｌ（Ｂ）が、以下のように共有結合された１Ｆ９抗ＴＭＰＲＳＳ２モノクロナール抗体／プロテインＧアガロースビーズを用いて免疫沈降された。ＳＣＩＤマウス血清およびヒト血清を、ＲＩＰＡ緩衝液（２５ｍＭトリス、ｐＨ７．５、１５０ｍＭ ＮａＣｌ、１％トライトン−Ｘ−１００、０．５％ソジウムデオキシコレート、０．１％ ＳＤＳ、０．５ｍＭ ＥＤＴＡ）を用いてそれぞれ１ｍｌおよび２ｍｌに調節し、そしてプロテインＧアガロースビーズを用いて４℃にて３時間、事前に精製した。１Ｆ９抗ＴＭＰＲＳＳ２ ｍＡｂは、「抗体の使用、実験マニュアル」、ＨａｒｌｏｗおよびＬａｎｅ、１９９９．ｐｇ３２３、に記載されているように、ホモ二官能性クロスリンキング試薬ジメチルピメリミデート（ＤＭＰ）を用いてプロテインＧビーズに共有結合された。その後、５０μｌの１Ｆ９／プロテインＧビーズの５０％懸濁物（〜５０μｇのｍＡｂ）を各試料に添加し、そして４℃で一晩インキュベーションした。免疫沈降物はＲＩＰＡ緩衝液中で４回洗浄し、そして免疫複合体は４０μｌの３ｘＳＤＳ−ＰＡＧＥ試料緩衝液の添加および加熱により解離させた。２５μｌ／レーンの指定された免疫沈降物またはＬＮＣａＰ調整組織培養培地、または（Ｃ）２８歳の事故犠牲者である男性の正常前立腺由来の指定された量の全組織溶解物は、ＳＤＳ−ＰＡＧＥにより分離し、ニトロセルロースに転写し、そして図１９に記載されているように、１Ｆ９ ｍＡｂを用いた抗ＴＭＰＲＳＳ２ウエスタン分析に供した。矢印は３２ｋＤの２０Ｐ１Ｆ１２／ＴＭＰＲＳＳ２切断断片および１０３ｋＤの新規の抗ＴＭＰＲＳＳ２免疫応答性バンドを示す。パネルＡの下部のより強い露光は、ＬＮＣａＰ腫瘍保持マウス血清中の３２ｋＤ断片をよりよく可視化するために提示されている。
【図２４】正常精漿中の２０Ｐ１Ｆ１２／ＴＭＰＲＳＳ２の３２ｋＤ切断断片および新規の９０ｋＤの２０Ｐ１Ｆ１２／ＴＭＰＲＳＳ２免疫応答性複合体の発現。パネルＡ：ＬＡＰＣ−４およびＬＡＰＣ−９ ＳＣＩＤマウス異種移植片およびＬＮＣａＰおよびＬＡＰＣ−４細胞株培養、または正常精漿の組織溶解物を、抗ＴＭＰＲＳＳ２ ｍＡｂ１Ｆ９を用いたウエスタン分析に供した。パネルＢ：正常精漿または、チャコール／デキストラン除去した２％ＦＢＳ中で４日間インキュベーションし、そしてその後１０ｎＭのミボレロンの存在（＋）または非存在（−）において４８時間インキュベーションしたＬＮＣａＰ細胞の細胞溶解物および調整上清が、１Ｆ９ ｍＡｂを用いた免疫沈降法およびウエスタン分析に供された。矢印は、３２ｋＤの切断断片、全長７０ｋＤの２０Ｐ１Ｆ１２／ＴＭＰＲＳＳ２タンパク質、および、それぞれ調整ＬＮＣａＰ上清および精漿中に存在する新規の１０３ｋＤおよび９０ｋＤの２０Ｐ１Ｆ１２／ＴＭＰＲＳＳ２免疫応答性複合体を示す。
【図２５】７個の抗ＴＭＰＲＳＳ２モノクロナール抗体によるＬＡＰＣ−９前立腺癌異種移植片、ＬＮＣａＰ前立腺癌細胞株、および正常精液における２０Ｐ１Ｆ１２／ＴＭＰＲＳＳ２タンパク質発現の検出。ＬＡＰＣ−９ ＳＣＩＤマウス異種移植片、ミボレロン刺激ＬＮＣａＰ細胞（１０ｎＭで４８時間）および正常ヒト精漿の組織溶解物は１０〜２０％のＳＤＳ−ＰＡＧＥ勾配ゲルにより分離し、ニトロセルロースに転写し、そして以下のように７個の抗ＴＭＰＲＳＳ２モノクロナール抗体ハイブリドーマの調整無血清培養上清を用いたウエスタン分析に供した。ブロットは、最初に、ＴＢＳ（２５ｍＭトリスｐＨ７．５、１５０ｍＭ ＮａＣｌ）＋３％脱脂ミルクを用いて、室温で２時間ブロッキングした。ブロットはその後、０．１５％ツィーン２０を含む高塩ＴＢＳ（ｈＴＢＳ；２５ｍＭトリスｐＨ７．５、５００ｍＭ ＮａＣｌ）（ｈＴＢＳ−Ｔ）および１％脱脂ミルク中で、１：６希釈の調整無血清ハイブリドーマ上清を用いて４℃で一晩インキュベーションした。ブロットはｈＴＢＳ−Ｔを用いて３回洗浄し、そしてその後、ｈＴＢＳ−Ｔ＋１％ミルク中で、１：４０００希釈のヤギ抗マウスＩｇＧ−ＨＲＰ結合物を用いて室温にて１時間インキュベーションした。ブロットはその後ｈＴＢＳ−Ｔを用いて３回洗浄した。抗ＴＭＰＲＳＳ２免疫応答性バンドは、その後増強化学発光およびオートラジオグラフィーフィルムに露光することにより可視化した。矢印は７０ｋＤの全長２０Ｐ１Ｆ１２／ＴＭＰＲＳＳ２タンパク質および自己タンパク質分解による３２ｋＤ切断断片および９０ｋＤの精漿バンドを示す。
【図２６】正常大腸組織と比較しての、大腸癌細胞株および大腸癌組織試料における２０Ｐ１Ｆ１２／ＴＭＰＲＳＳ２の３２ｋＤ切断断片の高発現。マッチングされた大腸癌組織または正常隣接組織（ブロットの左サイド）を表す臨床標本の溶解物、および大腸癌細胞株（ブロットの右サイド）、およびＬＡＰＣ４およびＬＡＰＣ９前立腺癌異種移植片の溶解物が１Ｆ９ ｍＡｂを用いた抗ＴＭＰＲＳＳ２ウエスタンブロット分析に供された。矢印は、３２ｋＤ自己触媒断片および７０ｋＤ全長２０Ｐ１Ｆ１２／ＴＭＰＲＳＳ２タンパク質の位置を示す。３２ｋＤ断片の、マッチングされた正常隣接組織における発現よりも高い発現が、大腸癌組織において見られる。同様に、大腸癌細胞株に存在する優勢な免疫応答性種はまた３２ｋＤ断片である。興味深いことに、大腸試料においては全長２０Ｐ１Ｆ１２／ＴＭＰＲＳＳ２タンパク質の非常に低い発現しかないが、しかし３２ｋＤ断片の複合体を表しうる〜９０ｋＤの抗ＴＭＰＲＳＳ２免疫応答性バンドの強い発現が大腸組織において存在する。
【図２７Ａから２７Ｃ】親ＰＣ３細胞および２０Ｐ１Ｆ１２／ＴＭＰＲＳＳ２を安定的に発現しているＰＣ３細胞を、トランスウェルインサートシステム（ベクトンディッキンソン）を用いて、それらの浸潤能に関してアッセイした。細胞に蛍光色素、すなわちカルセインをロードし、そしてトランスウェルインサートの上部ウェルに播種した。浸潤は、全細胞集団の蛍光に対する、低部チャンバー内の細胞の蛍光を測定することにより決定した。アッセイ法は３回実施した。
【図２８】２０Ｐ１Ｆ１２／ＴＭＰＲＳＳ２のプロテアーゼ活性。精製組換えＧＳＴ−２０Ｐ１Ｆ１２／ＴＭＰＲＳＳ２（２５５〜４９２位のアミノ酸）が、フルオレセイン−チオカルバモイル標識（ＦＴＣ）カゼイン（モリキュラープローブ）を基質として用いて、プロテアーゼ活性に関してアッセイされた。異なる用量のＧＳＴ−２０Ｐ１Ｆ１２／ＴＭＰＲＳＳ２をＦＴＣ−カゼインとともに３７℃にて、全体で６時間インキュベーションした。蛍光は蛍光光度計を用いて１０分間隔で測定した。２０Ｐ１Ｆ１２／ＴＭＰＲＳＳ２によるカゼインの切断は蛍光の増加により検出される。アッセイは３回実施した。
【図２９】精製組換え２０Ｐ１Ｆ１２／ＴＭＰＲＳＳ２融合タンパク質の浸潤に対する効果。カルセインロードされたＰＣ３細胞を、培地のみ、または２０Ｐ１Ｆ１２／ＴＭＰＲＳＳ２プロテアーゼドメインを含む精製組換え融合タンパク質、すなわちＧＳＴ−ＴＭＰＲＳＳ２（２５５〜４９２位のアミノ酸）存在下において、浸潤チャンバー内に播種した。精製ＧＳＴが対照として使用された。浸潤は、全細胞集団の蛍光に対する、低部チャンバー内の細胞の蛍光を測定することにより決定された。アッセイ法は３回実施した。
【図３０】カルセインロードされたＰＣ３細胞を、培地のみ、または１ｎｇ／ｍｌの精製組換え２０Ｐ１Ｆ１２／ＴＭＰＲＳＳ２融合タンパク質、すなわちＧＳＴ−ＴＭＰＲＳＳ２（２５５〜４９２位のアミノ酸）存在下において、浸潤チャンバー内に播種した。対照または抗ＴＭＰＲＳＳ２（１Ｆ９）ｍＡｂを指示された試料に添加した。浸潤は、全細胞集団の蛍光に対する、低部チャンバー内の細胞の蛍光を測定することにより決定した。アッセイ法は３回実施した。
【図３１】２０Ｐ１Ｆ１２／ＴＭＰＲＳＳ２アンチセンスオリゴヌクレオチド。ＬＮＣａＰ細胞は１０または３０μＭのＦＩＴＣ標識モルフォリノオリゴヌクレオチドのいずれかを用いてスクレイプロードした。細胞は２４時間増殖させ、フローサイトメトリーを用いて蛍光に関して評価した。このヒストグラムはモルフォリノオリゴヌクレオチドに暴露した細胞の１００％がロード後２４時間においてこれらオリゴヌクレオチドを保持していることを示す。
【図３２】２０Ｐ１Ｆ１２／ＴＭＰＲＳＳ２アンチセンスオリゴヌクレオチドは２０Ｐ１Ｆ１２／ＴＭＰＲＳＳ２タンパク質レベルを減少させる。ＬＮＣａＰ細胞は１０または３０μＭのモルフォリノオリゴヌクレオチドのいずれかを用いてスクレイプロードした。細胞は４８時間増殖させ、抗ＴＭＰＲＳＳ２ １Ｆ９抗体を用いてウエスタンブロッティングにより２０Ｐ１Ｆ１２／ＴＭＰＲＳＳ２発現を評価した。２０Ｐ１Ｆ１２／ＴＭＰＲＳＳ２アンチセンスオリゴヌクレオチドにより、ＬＮＣａＰ細胞における全長２０Ｐ１Ｆ１２／ＴＭＰＲＳＳ２の発現を特異的に消滅する能力が証明される（レーン３および４）。
【図３３】患者癌標本におけるＴＭＰＲＳＳ２の発現。ＴＭＰＲＳＳ２の発現を、ＲＮＡドットブロット上のヒト腎臓癌（Ｔ）および各々のマッチングされた正常組織（Ｎ）（正常組織は腫瘍に隣接する正常領域から採取した）のパネルにおいてアッセイした。腎臓組織において、ＴＭＰＲＳＳ２発現は腫瘍組織と比較して、正常においてほとんどで検出される。ある１つの例においては、ＴＭＰＲＳＳ２は正常組織と比較して腫瘍組織において増加調節されているようである。
【図３４】プロテアーゼドメイン切断に続く、ＴＭＰＲＳＳ２ ＬＤＬＲＡ／ＳＲＣＲドメイン断片の認識。プロテアーゼドメインを欠失するＴＭＰＲＳＳ２細胞外領域に対するマウスポリクロナール抗体（ｐＡｂ）が、ＬＤＬＲＡおよびＳＲＣＲドメイン（１１１〜２５５位のアミノ酸）をコードする金属キレート親和性精製タグ５タンパク質を用いた免疫により生成された。この血清は、２％チャコール−デキストラン除去ＦＢＳを含むＲＰＭＩ培地中でインキュベーションすることにより、３日間アンドロゲンを欠乏させた（−Ａ）、または欠乏させ、そして２０ｎＭミボレロンとともにインキュベーションすることにより４８時間アンドロゲンを用いて再刺激された（＋Ａ）ＬＮＣａＰ前立腺細胞株のウエスタンブロット分析において使用した。細胞溶解物は調整し、そして抗ＬＤＬＲＡ／ＳＲＣＲマウス血清の１：５００希釈物を用いたウエスタンブロット、またはＴＭＰＲＳＳ２プロテアーゼドメインを認識する２μｇ／ｍｌの１Ｆ９ ＭＡｂを用いたウエスタンブロットに供した（図３４Ｂ）。１Ｆ９ ｍＡｂにより認識される全長７０ｋＤのＴＭＰＲＳＳ２および３２ｋＤのプロテアーゼドメイン、およびマウスｐＡｂにより認識される全長およびＬＤＬＲＡ／ＳＲＣＲドメインを含む４０ｋＤの切断後断片が矢印で示されている。これらのドメインはまた図３４Ａにおいて概略的に図示される。
【図３５】図３５は様々な条件下でのＨＵＶＥＣ細胞における、ＴＭＰＲＳＳ２による管形成の阻害を示す。
【図３６】図３６はＴＭＰＲＳＳ２によるＨＵＶＥＣ増殖の阻害を示す。
【図３７】ＰＣ３細胞におけるＴＭＰＲＳＳ２の恒常的発現により皮下腫瘍形成が増強する。ＰＣ３細胞は標準的レトロウイルス遺伝子送達を用いて感染によりＴＭＰＲＳＳ２ ｃＤＮＡを発現するように設計した。雄ＳＣＩＤマウスは腫瘍または対照細胞を用いて注射する。腫瘍測定は２１日目に実施し、そして続く３．５週の間、週に２回実施した。
【図３８】１Ｆ９抗ＴＭＰＲＳＳ２ ＭＡｂによるＬＡＰＣ−９腫瘍形成の増強。Ａ．腫瘍増殖に対する抗体の効果。Ｂ．血清ＰＳＡに対する抗体の効果。
【図３９】マウスポリクロナール抗体によるＬＮＣａＰ細胞上のＴＭＰＲＳＳ２ ＬＤＬＲＡ／ＳＲＣＲドメインの認識。
【図４０】ヒト血清における相対的抗ＴＭＰＲＳＳ２ ＬＤＬＲＡ／ＳＲＣＲ抗体力価。
【図１】
2004511219.tif 000028
2004511219.tif 000029
2004511219.tif 000030
【図２】
2004511219.tif 000031
【図３Ａ】
2004511219.tif 000032
【図３Ｂ】
2004511219.tif 000033
【図４】
2004511219.tif 000034
【図５】
2004511219.tif 000035
2004511219.tif 000036
【図６】
2004511219.tif 000037
【図７Ａ】
2004511219.tif 000038
【図７Ｂ】
2004511219.tif 000039
【図８】
2004511219.tif 000040
【図９】
2004511219.tif 000041
【図１０】
2004511219.tif 000042
【図１１】
2004511219.tif 000043
【図１２】
2004511219.tif 000044
【図１３】
2004511219.tif 000045
【図１４】
2004511219.tif 000046
【図１５】
2004511219.tif 000047
【図１６】
2004511219.tif 000048
【図１７】
2004511219.tif 000049
【図１８】
2004511219.tif 000050
【図１９】
2004511219.tif 000051
【図２０】
2004511219.tif 000052
【図２１】
2004511219.tif 000053
【図２２】
2004511219.tif 000054
【図２３】
2004511219.tif 000055
【図２４】
2004511219.tif 000056
【図２５】
2004511219.tif 000057
【図２６】
2004511219.tif 000058
【図２７Ａ】
2004511219.tif 000059
【図２７Ｂ】
2004511219.tif 000060
【図２７Ｃ】
2004511219.tif 000061
【図２８】
2004511219.tif 000062
【図２９】
2004511219.tif 000063
【図３０】
2004511219.tif 000064
【図３１Ａ】
2004511219.tif 000065
【図３１Ｂ】
2004511219.tif 000066
【図３２】
2004511219.tif 000067
【図３３】
2004511219.tif 000068
【図３４】
2004511219.tif 000069
【図３５】
2004511219.tif 000070
【図３６】
2004511219.tif 000071
【図３７】
2004511219.tif 000072
【図３８】
2004511219.tif 000073
【図３９】
2004511219.tif 000074
【図４０】
2004511219.tif 000075
【国際公開パンフレット】
2004511219.tif 000076
2004511219.tif 000077
2004511219.tif 000078
2004511219.tif 000079
2004511219.tif 000080
2004511219.tif 000081
2004511219.tif 000082
2004511219.tif 000083
2004511219.tif 000084
2004511219.tif 000085
2004511219.tif 000086
2004511219.tif 000087
2004511219.tif 000088
2004511219.tif 000089
2004511219.tif 000090
2004511219.tif 000091
2004511219.tif 000092
2004511219.tif 000093
2004511219.tif 000094
2004511219.tif 000095
2004511219.tif 000096
2004511219.tif 000097
2004511219.tif 000098
2004511219.tif 000099
2004511219.tif 000100
2004511219.tif 000101
2004511219.tif 000102
2004511219.tif 000103
2004511219.tif 000104
2004511219.tif 000105
2004511219.tif 000106
2004511219.tif 000107
2004511219.tif 000108
2004511219.tif 000109
2004511219.tif 000110
2004511219.tif 000111
2004511219.tif 000112
2004511219.tif 000113
2004511219.tif 000114
2004511219.tif 000115
2004511219.tif 000116
2004511219.tif 000117
2004511219.tif 000118
2004511219.tif 000119
2004511219.tif 000120
2004511219.tif 000121
2004511219.tif 000122
2004511219.tif 000123
2004511219.tif 000124
2004511219.tif 000125
2004511219.tif 000126
2004511219.tif 000127
2004511219.tif 000128
2004511219.tif 000129
2004511219.tif 000130
2004511219.tif 000131
2004511219.tif 000132
2004511219.tif 000133
2004511219.tif 000134
2004511219.tif 000135
2004511219.tif 000136
2004511219.tif 000137
2004511219.tif 000138
2004511219.tif 000139
2004511219.tif 000140
2004511219.tif 000141
2004511219.tif 000142
2004511219.tif 000143
2004511219.tif 000144
2004511219.tif 000145
2004511219.tif 000146
2004511219.tif 000147
2004511219.tif 000148
2004511219.tif 000149
2004511219.tif 000150
2004511219.tif 000151
2004511219.tif 000152
2004511219.tif 000153
2004511219.tif 000154
2004511219.tif 000155
2004511219.tif 000156
2004511219.tif 000157
2004511219.tif 000158
2004511219.tif 000159
2004511219.tif 000160
2004511219.tif 000161
2004511219.tif 000162
2004511219.tif 000163
2004511219.tif 000164
2004511219.tif 000165
2004511219.tif 000166
2004511219.tif 000167
2004511219.tif 000168
2004511219.tif 000169
2004511219.tif 000170
2004511219.tif 000171
2004511219.tif 000172
2004511219.tif 000173
2004511219.tif 000174
2004511219.tif 000175
2004511219.tif 000176
2004511219.tif 000177
2004511219.tif 000178
2004511219.tif 000179
2004511219.tif 000180
2004511219.tif 000181
2004511219.tif 000182
2004511219.tif 000183
2004511219.tif 000184
2004511219.tif 000185
2004511219.tif 000186
2004511219.tif 000187
2004511219.tif 000188
2004511219.tif 000189
2004511219.tif 000190
2004511219.tif 000191
2004511219.tif 000192
2004511219.tif 000193
2004511219.tif 000194
2004511219.tif 000195
2004511219.tif 000196
2004511219.tif 000197
2004511219.tif 000198
2004511219.tif 000199
2004511219.tif 000200
2004511219.tif 000201
2004511219.tif 000202
2004511219.tif 000203
2004511219.tif 000204
2004511219.tif 000205
2004511219.tif 000206
2004511219.tif 000207
2004511219.tif 000208
2004511219.tif 000209
2004511219.tif 000210
2004511219.tif 000211
2004511219.tif 000212
2004511219.tif 000213
2004511219.tif 000214
2004511219.tif 000215
2004511219.tif 000216
2004511219.tif 000217
2004511219.tif 000218
2004511219.tif 000219
2004511219.tif 000220
2004511219.tif 000221
2004511219.tif 000222
2004511219.tif 000223
2004511219.tif 000224
2004511219.tif 000225
2004511219.tif 000226
2004511219.tif 000227
2004511219.tif 000228
2004511219.tif 000229
2004511219.tif 000230
2004511219.tif 000231
2004511219.tif 000232
2004511219.tif 000233
2004511219.tif 000234
2004511219.tif 000235
2004511219.tif 000236
【国際公開パンフレット（コレクトバージョン）】
2004511219.tif 000237
【国際公開パンフレット（コレクトバージョン）】
2004511219.tif 000238
【国際調査報告】
2004511219.tif 000239
2004511219.tif 000240
2004511219.tif 000241
2004511219.tif 000242